(57)【要約】新規ポリペプチドをコードするヌクレオチド配列が本明細書中で開示される。これらの核酸配列によってコードされるポリペプチド、このポリペプチドに免疫特異的に結合する抗体、ならびに前述のポリペプチド、ポリヌクレオチド、または抗体の誘導体、改変体、変異体またはフラグメントがまた、開示される。本発明は、これらの新規のヒト核酸およびタンパク質のいずれか１つに関連する障害の、治療剤、診断方法ならびに、診断、処置および予防のための研究方法を、さらに開示する。【特許請求の範囲】
【請求項１】
単離されたポリペプチドであって、以下：
（ａ）配列番号２、５、７、９、１１、１３、１５、１７、１９、２１、２３、２５、および２７からなる群より選択されるアミノ酸配列の成熟形態；
（ｂ）配列番号２、５、７、９、１１、１３、１５、１７、１９、２１、２３、２５、および２７からなる群より選択されるアミノ酸配列の成熟形態の改変体であって、ここで、該改変体中の１以上のアミノ酸残基が、該成熟形態のアミノ酸配列と異なり、ただし、該改変体は、該成熟形態のアミノ酸配列と、そのアミノ酸残基のうちの１５％以下において異なる、改変体；
（ｃ）配列番号２、５、７、９、１１、１３、１５、１７、１９、２１、２３、２５、および２７からなる群より選択されるアミノ酸配列；ならびに
（ｄ）配列番号２、５、７、９、１１、１３、１５、１７、１９、２１、２３、２５、および２７からなる群より選択されるアミノ酸配列の改変体であって、ここで、該改変体中の１以上のアミノ酸残基が、該成熟形態のアミノ酸配列と異なり、ただし、該改変体は、該アミノ酸配列と、そのアミノ酸残基のうちの１５％以下において異なる、改変体；
からなる群より選択されるアミノ酸配列を含む、単離されたポリペプチド。
【請求項２】
請求項１に記載のポリペプチドであって、該ポリペプチドが、配列番号２、５、７、９、１１、１３、１５、１７、１９、２１、２３、２５、および２７からなる群より選択されるアミノ酸配列の天然に存在する対立遺伝子改変体のアミノ酸配列を含む、ポリペプチド。
【請求項３】
請求項２に記載のポリペプチドであって、ここで、前記対立遺伝子改変体が、配列番号１、３、４、６、８、１０、１２、１４、１６、１８、２０、２２、２４および２６からなる群より選択される核酸配列と単一ヌクレオチドで異なる核酸配列の翻訳物であるアミノ酸配列を含む、ポリペプチド。
【請求項４】
前記改変体のアミノ酸配列が、保存的アミノ酸置換含む、請求項１に記載のポリペプチド。
【請求項５】
単離された核酸分子であって、以下：
（ａ）配列番号２、５、７、９、１１、１３、１５、１７、１９、２１、２３、２５、および２７からなる群より選択されるアミノ酸配列の成熟形態；
（ｂ）配列番号２、５、７、９、１１、１３、１５、１７、１９、２１、２３、２５、および２７からなる群より選択されるアミノ酸配列の成熟形態の改変体であって、ここで、該改変体中の１以上のアミノ酸残基が、該成熟形態のアミノ酸配列と異なり、ただし、該改変体は、該成熟形態のアミノ酸配列と、そのアミノ酸残基のうちの１５％以下において異なる、改変体；
（ｃ）配列番号２、５、７、９、１１、１３、１５、１７、１９、２１、２３、２５、および２７からなる群より選択されるアミノ酸配列；
（ｄ）配列番号２、５、７、９、１１、１３、１５、１７、１９、２１、２３、２５、および２７からなる群より選択されるアミノ酸配列の改変体であって、ここで、該改変体中の１以上のアミノ酸残基が、該成熟形態のアミノ酸配列と異なり、ただし、該改変体は、該アミノ酸配列と、そのアミノ酸残基のうちの１５％以下において異なる、改変体；
（ｅ）配列番号２、５、７、９、１１、１３、１５、１７、１９、２１、２３、２５、および２７からなる群より選択されるアミノ酸配列を含むポリペプチドまたは該ポリペプチドの改変体の、少なくとも一部をコードする核酸フラグメントであって、ここで、該改変体中の１以上のアミノ酸残基が、該成熟形態のアミノ酸配列と異なり、ただし、該改変体は、該アミノ酸配列と、そのアミノ酸残基のうちの１５％以下において異なる、核酸フラグメント；ならびに
（ｆ）  （ａ）、（ｂ）、（ｃ）、（ｄ）または（ｅ）の相補体を含む、核酸分子、
からなる群より選択されるアミノ酸配列を含むポリペプチドをコードする核酸配列を含む、単離された核酸分子。
【請求項６】
前記核酸分子が天然に存在する対立遺伝子核酸改変体のヌクレオチド配列を含む、請求項５に記載の核酸分子。
【請求項７】
前記核酸分子が天然に存在するポリペプチド改変体のアミノ酸配列を含むポリペプチドをコードする、請求項５に記載の核酸分子。
【請求項８】
請求項５に記載の核酸分子であって、ここで、該核酸分子が、配列番号１、３、４、６、８、１０、１２、１４、１６、１８、２０、２２、２４および２６からなる群より選択される核酸配列と単一ヌクレオチドで異なる、核酸分子。
【請求項９】
請求項５に記載の核酸分子であって、ここで、該核酸分子が以下：
（ａ）配列番号１、３、４、６、８、１０、１２、１４、１６、１８、２０、２２、２４および２６からなる群より選択されるヌクレオチド配列；
（ｂ）配列番号１、３、４、６、８、１０、１２、１４、１６、１８、２０、２２、２４および２６からなる群より選択されるヌクレオチド配列と１つ以上のヌクレオチドで異なる、ヌクレオチド配列であって、ただし、そのヌクレオチドの２０％以下が、該ヌクレオチド配列と異なる、ヌクレオチド配列；
（ｃ）（ａ）の核酸フラグメント；ならびに
（ｄ）（ｂ）の核酸フラグメント；
からなる群より選択されるヌクレオチド配列を含む、核酸分子。
【請求項１０】
請求項５に記載の核酸分子であって、ここで、該核酸分子が、配列番号１、３、４、６、８、１０、１２、１４、１６、１８、２０、２２、２４および２６からなる群より選択されるヌクレオチド配列または該ヌクレオチド配列の相補鎖にストリンジェントな条件下でハイブリダイズする、核酸分子。
【請求項１１】
請求項５に記載の核酸分子であって、該核酸分子は、以下：
（ａ）第１のヌクレオチド配列であって、前記アミノ酸配列をコードするコード配列と１以上のヌクレオチド配列で異なるコード配列を含み、ただし、該第１のヌクレオチド配列中のコード配列におけるヌクレオチドの２０％以下が、該コード配列と異なる、第１のヌクレオチド配列；
（ｂ）該第１のポリヌクレオチドの相補体である、単離された第２のポリヌクレオチド；ならびに
（ｃ）（ａ）または（ｂ）の核酸フラグメント；
からなる群より選択されるヌクレオチド配列を含む、核酸分子。
【請求項１２】
請求項１１に記載の核酸分子を含む、ベクター。
【請求項１３】
前記核酸分子に作動可能に連結されたプロモーターをさらに含む、請求項１２に記載のベクター。
【請求項１４】
請求項１２に記載のベクターを含む、細胞。
【請求項１５】
請求項１に記載のポリペプチドに免疫特異的に結合する、抗体。
【請求項１６】
前記抗体がモノクローナル抗体である、請求項１５に記載の抗体。
【請求項１７】
前記抗体がヒト化抗体である、請求項１５に記載の抗体。
【請求項１８】
サンプル中の請求項１に記載のポリペプチドの存在または量を決定するための方法であって、該方法は、以下：
（ａ）該サンプルを提供する工程；
（ｂ）該サンプルを、該ポリペプチドに免疫特異的に結合する抗体と接触させる工程；および
（ｃ）該ポリペプチドに結合した抗体の存在または量を決定して、それによって該サンプル中のポリペプチドの存在または量を決定する工程、
を包含する、方法。
【請求項１９】
サンプル中の請求項５に記載の核酸分子の存在または量を決定するための方法であって、該方法は、以下：
（ａ）該サンプルを提供する工程；
（ｂ）該サンプルを、該核酸分子に結合するプローブと接触させる工程；および
（ｃ）該核酸分子に結合した該プローブの存在または量を決定して、それによって該サンプル中の該核酸分子の存在または量を決定する工程、
を包含する、方法。
【請求項２０】
前記核酸分子の存在または量が、細胞型または組織型についてのマーカーとして使用される、請求項１９に記載の方法。
【請求項２１】
前記細胞型または組織型が癌性である、請求項２０に記載の方法。
【請求項２２】
請求項１に記載のポリペプチドに結合する因子を同定する方法であって、該方法は、以下：
（ａ）該ポリペプチドを該因子と接触させる工程；および
（ｂ）該因子が該ポリペプチドに結合するか否かを決定する工程；
を包含する、方法。
【請求項２３】
前記因子が、細胞レセプターまたは下流エフェクターである、請求項２２に記載の方法。
【請求項２４】
請求項１に記載のポリペプチドの発現または活性を調節する因子を同定するための方法であって、該方法は、以下：
（ａ）該ポリペプチドを発現する細胞を提供する工程；
（ｂ）該因子と該細胞とを接触させる工程；および
（ｃ）該因子が、該ポリペプチドの発現または活性を調節するか否かを決定する工程、
を包含し、それによって、該ペプチドの発現または活性における変化が、該因子が該ポリペプチドの発現または活性の調節することを示す、方法。
【請求項２５】
請求項１に記載のポリペプチドの活性を調節するための方法であって、該方法は、請求項１に記載のポリペプチドを発現する細胞サンプルを、該ポリペプチドの活性を調節するのに十分な量で、該ポリペプチドに結合する化合物と接触させる工程を包含する、方法。
【請求項２６】
ＮＯＶＸ関連障害を処置または予防する方法であって、該方法は、そのような処置または予防が所望される被験体に、該被験体における該ＮＯＶＸ関連障害を処置または予防するのに十分な量で、請求項１に記載のポリペプチドを投与する工程を包含する、方法。
【請求項２７】
前記障害が、心筋症およびアテローム硬化症からなる群より選択される、請求項２６に記載の方法。
【請求項２８】
前記障害が、細胞シグナルのプロセシングおよび代謝経路の調節に関連する、請求項２６に記載の方法。
【請求項２９】
前記被験体がヒトである、請求項２６に記載の方法。
【請求項３０】
ＮＯＶＸ関連障害を処置または予防する方法であって、該方法は、そのような処置または予防が所望される被験体に、該被験体における該ＮＯＶＸ関連障害を処置または予防するのに十分な量で、請求項５に記載の核酸を投与する工程を包含する、方法。
【請求項３１】
前記障害が、心筋症およびアテローム硬化症からなる群から選択される、請求項３０に記載の方法。
【請求項３２】
前記障害が、細胞シグナルのプロセシングおよび代謝経路の調節に関連する、請求項３０に記載の方法。
【請求項３３】
前記被験体がヒトである、請求項３０に記載の方法。
【請求項３４】
ＮＯＶＸ関連障害を処置または予防する方法であって、該方法は、そのような処置または予防が所望される被験体に、該被験体における該ＮＯＶＸ関連障害を処置または予防するのに十分な量で、請求項１５に記載の抗体を投与する工程を包含する、方法。
【請求項３５】
前記障害が糖尿病である、請求項３４に記載の方法。
【請求項３６】
前記障害が、細胞シグナルのプロセシングおよび代謝経路の調節に関連する、請求項３４に記載の方法。
【請求項３７】
前記被験体がヒトである、請求項３４に記載の方法。
【請求項３８】
請求項１に記載のポリペプチドおよび薬学的に受容可能なキャリアを含有する、薬学的組成物。
【請求項３９】
請求項５に記載の核酸分子および薬学的に受容可能なキャリアを含有する、薬学的組成物。
【請求項４０】
請求項１５に記載の抗体および薬学的に受容可能なキャリアを含有する、薬学的組成物。
【請求項４１】
請求項３８に記載の薬学的組成物を１つ以上の容器に含む、キット。
【請求項４２】
請求項３９に記載の薬学的組成物を１つ以上の容器に含む、キット。
【請求項４３】
請求項４０に記載の薬学的組成物を１つ以上の容器に含む、キット。
【請求項４４】
第１の哺乳動物被験体において、請求項１に記載のポリペプチドの変化したレベルと関連する、疾患の存在または該疾患に対する素因を決定するための方法であって、該方法は、以下：
（ａ）該第１の哺乳動物被験体由来のサンプル中の該ポリペプチドの発現レベルを測定する工程；および
（ｂ）工程（ａ）のサンプル中の該ポリペプチドの量を、該疾患を有さないことが既知であるか、または該疾患にかかりにくいことが既知の、第２の哺乳動物被験体由来のコントロールサンプル中に存在する該ポリペプチドの量と、比較する工程、
を包含し、ここで、該コントロールサンプルと比較した場合の該第１の被験体における該ポリペプチドの発現レベルにおける変化が、該疾患の存在または該疾患に対する素因を示す、方法。
【請求項４５】
前記素因が癌に対するものである、請求項４４に記載の方法。
【請求項４６】
第１の哺乳動物被験体において、請求項５に記載の核酸分子の変化したレベルと関連する、疾患の存在または該疾患に対する素因を決定するための方法であって、該方法は、以下：
（ａ）該第１の哺乳動物被験体由来のサンプル中の該核酸の量を測定する工程；および
（ｂ）工程（ａ）のサンプル中の該核酸の量を、該疾患を有さないことが既知であるかまたは該疾患にかかりにくいことが既知の、第２の哺乳動物被験体由来のコントロールサンプル中に存在する該核酸の量と比較する工程、
を包含し、ここで、該コントロールサンプルと比較した場合の、該第１の被験体における該核酸のレベルにおける変化が、該疾患の存在または該疾患に対する素因を示す、方法。
【請求項４７】
前記素因が癌に対するものである、請求項４６に記載の方法。
【請求項４８】
哺乳動物において病理学的状態を処置する方法であって、該方法は、該病理学的状態を緩和するのに十分な量でポリペプチドを該哺乳動物に投与する工程を包含し、ここで、該ポリペプチドが、配列番号２、５、７、９、１１、１３、１５、１７、１９、２１、２３、２５、および２７のうちの少なくとも１つのアミノ酸配列を含むポリペプチドまたはそれらの生物学的に活性なフラグメントと、少なくとも９５％同一なアミノ酸配列を有するポリペプチドである、方法。
【請求項４９】
哺乳動物において病理学的状態を処置する方法であって、該方法は、該病理学的状態を緩和するのに十分な量で請求項１５に記載の抗体を該哺乳動物に投与する工程を包含する、方法。
【発明の詳細な説明】
【０００１】
（発明の分野）
概して、本発明は、核酸およびそれによってコードされるポリペプチドに関する。
【０００２】
（発明の背景）
概して、本発明は、核酸およびそれによってコードされるポリペプチドに関する。より具体的には、本発明は、細胞質性ポリペプチド、核のポリペプチド、膜結合ポリペプチド、および分泌型ポリペプチドをコードする核酸、そして、ベクター、宿主細胞、抗体、ならびに、これらの核酸およびポリペプチドを生成するための組み換え方法、に関する。
【０００３】
（発明の要旨）
本発明は、一部、新規のポリペプチドをコードする核酸配列の発見に基づく。この新規の核酸およびポリペプチドは、本明細書中に、ＮＯＶＸ、またはＮＯＶ１、ＮＯＶ２、ＮＯＶ３、ＮＯＶ４、ＮＯＶ５、ＮＯＶ６、ＮＯＶ７、およびＮＯＶ８核酸およびポリペプチドと言われる。これらの核酸およびポリペプチド、ならびにそれらの誘導体、ホモログ、アナログ、およびフラグメントは、本明細書以下これらをまとめて「ＮＯＶＸ」核酸配列または「ＮＯＶＸ」ポリペプチド配列と表す。
【０００４】
１つの局面において、本発明は、ＮＯＶＸポリペプチドをコードする、単離されたＮＯＶＸ核酸分子を提供する。このＮＯＶＸポリペプチドは、配列番号（ＳＥＱ  ＩＤ  ＮＯ）１、３、４、６、８、１０、１２、１４、１６、１８、２０、２２、２４、および２６に開示されている核酸に同一性を有する核酸配列を含む。いくつかの実施形態において、このＮＯＶＸ核酸分子は、ストリンジェントな条件下で、ＮＯＶＸ核酸配列のタンパク質コード配列を含む核酸分子に相補的である核酸配列に、ハイブリダイズする。本発明はまた、ＮＯＶＸポリペプチドまたはそれらのフラグメント、ホモログ、アナログ、もしくは誘導体をコードする、単離された核酸を含む。例えば、この核酸は、配列番号：２、５、７、９、１１、１３、１５、１７、１９、２１、２３、２５、および２７のアミノ酸配列を含むポリペプチドと、少なくとも８０％同一であるポリペプチドをコードし得る。例えば、この核酸は、配列番号：１、３、４、６、８、１０、１２、１４、１６、１８、２０、２２、２４、および２６のいずれかの核酸配列を含む、ゲノムＤＮＡフラグメントまたはｃＤＮＡ分子であり得る。
【０００５】
また、本発明は、オリゴヌクレオチド（例えば、配列番号：１、３、４、６、８、１０、１２、１４、１６、１８、２０、２２、２４、および２６のようなＮＯＶＸ核酸の、少なくとも６連続するヌクレオチドを含む、オリゴヌクレオチド）または、これらのオリゴヌクレオチドの相補体を含む。
【０００６】
また、本発明は、実質的に精製されたＮＯＶＸポリペプチド（配列番号：２、５、７、９、１１、１３、１５、１７、１９、２１、２３、２５、および２７）を含む。特定の実施形態において、このＮＯＶＸポリペプチドは、ヒトＮＯＶＸポリペプチドのアミノ酸配列に実質的に同一であるアミノ酸配列を含む。
【０００７】
本発明はまた、ＮＯＶＸポリペプチドまたはそれらのフラグメント、ホモログ、アナログ、もしくは誘導体に、免疫選択的に結合する抗体を特徴とする。
【０００８】
別の局面において、本発明は、治療的にまたは薬剤的に容認可能な、治療的にまたは予防的に有効量のキャリアを含む薬学的組成物を含む。この治療剤は、例えばＮＯＶＸ核酸、ＮＯＶＸポリペプチド、またはＮＯＶＸポリペプチドに特異的な抗体であり得る。さらなる局面において、本発明は、１つ以上の容器中に、治療的にまたは予防的に有効量のこの薬学的組成物を含む。
【０００９】
さらなる局面において、本発明は、ＤＮＡによりコードされるＮＯＶＸポリペプチドの発現を可能にする条件下で、ＮＯＶＸ核酸を含む細胞を培養することにより、ポリペプチドを生成する方法を含む。必要に応じて、次いで、このＮＯＶＸポリペプチドは回収され得る。
【００１０】
別の局面において、本発明は、サンプル中におけるＮＯＶＸポリペプチドの存在を検出する方法を含む。本方法において、サンプルは、ポリペプチドと化合物との間での複合体の形成を可能にする条件下で、このポリペプチドに選択的に結合する化合物と接触される。存在する場合、この複合体が検出され、それにより、サンプル中のＮＯＶＸポリペプチドは単離される。
【００１１】
本発明はまた、それらのＮＯＶＸの発現に基づいて、特異的な細胞または組織型を同定する方法を含む。
【００１２】
また本発明は、ＮＯＶＸ核酸プローブまたはプライマーとサンプルとを接触させる工程、そして、この核酸プローブまたはプライマーがサンプル中におけるＮＯＶＸ核酸分子に結合したかどうかを検出する工程により、サンプル中におけるＮＯＶＸ核酸分子の存在を検出する、方法を含む。
【００１３】
さらなる局面において、本発明は、ＮＯＶＸポリペプチドを含む細胞サンプルを、このポリペプチドの活性を調節するために十分な量の、ＮＯＶＸポリペプチドに結合する化合物と接触させることにより、ＮＯＶＸポリペプチドの活性を調節する方法を提供する。本明細書中にさらに記載されているように、この化合物は、例えば、核酸、ペプチド、ポリペプチド、ペプチド模倣物、炭水化物、脂質または他の有機分子（炭素を含む）または無機分子のような低分子であり得る。
【００１４】
また、以下を含む障害または症候群の処置または予防のための医薬品の製造における治療剤の使用は、本発明の範囲内である：例えば、癌、白質萎縮症、乳癌、卵巣癌、前立腺癌、子宮癌、ホジキン病、腺癌、副腎脳白質ジストロフィー、膀胱炎、失禁、フォン・ヒッペル−リンダウ（ＶＨＬ）症候群、高カルシウム血症、エンドメトリオーシス、ヒルシュスプルング病、クローン病、虫垂炎、肝硬変、肝不全、ウォルフラム症候群（Ｗｏｌｆｒａｍ  Ｓｙｎｄｒｏｍｅ）、スミス−レムリ−オピッツ症候群、色素性網膜炎、リー症候群；先天性副腎過形成、口内乾燥症；虫歯および他の歯の問題；炎症性腸疾患、憩室性疾患、受精能、不妊症、心筋症、アテローム性動脈硬化症、高血圧、先天性心失陥、大動脈狭窄症、心房中隔欠損症（ＡＳＤ）、房室（Ａ−Ｖ）管欠陥、動脈管、肺動脈弁狭窄症、大動脈弁下部狭窄症、心室中隔欠損症（ＶＳＤ）、弁疾患、結節硬化症、硬皮症、血友病、凝固亢進、特発性血小板減少性紫斑病、肥満、視神経萎縮および聴覚消失を伴う尿崩症および真性糖尿病、膵炎、代謝調節不全、移植回復、自己免疫疾患、全身性エリテマトーデス、喘息、関節炎、乾癬、気腫、硬皮症、アレルギー、ＡＲＤＳ、免疫不全症、移植片対宿主病、アルツハイマー病、発作、パーキンソン病、ハンティングトン病、脳性小児麻痺、てんかん、多発性硬化症、毛細血管拡張性運動失調、行動傷害、嗜癖、不安、疼痛、神経変性、筋ジストロフィー、レッシュ−ナイハン症候群、重症筋無力症、精神分裂病、および他のドーパミン機能不全状態、レボドパ誘発性ジスキネジー、アルコール中毒、てんかん発作（ｐｉｌｅｐｔｉｃ  ｓｅｉｚｕｒｅ）および他の神経学的障害、精神的抑鬱症、小脳性運動失調、純粋；偶発性の運動失調２型；片麻痺性片頭痛片麻痺症、脊髄小脳性運動失調−６、結節硬化症、腎結節硬化症、間質性腎炎、糸球体腎炎、多発性嚢胞腎症、尿細管性アシドーシス、ＩｇＡ腎症、ならびに／または類似の他の病理および障害。
【００１５】
治療剤は、例えば、ＮＯＶＸ核酸、ＮＯＶＸポリペプチド、またはＮＯＶＸ特異的抗体、あるいはそれらの生物学的に活性な誘導体またはそれらのフラグメントであり得る。
【００１６】
例えば、本発明の組成物は、上記の疾患および障害ならびに／または類似の他の病理および障害を被っている患者の処置に効力を有する。このポリペプチドは、本発明に特異的な抗体を産生する免疫原として、そしてワクチンとして、使用され得る。このポリペプチドはまた、強力なアゴニスト化合物およびアンタゴニスト化合物をスクリーニングするために使用され得る。例えば、ＮＯＶＸをコードするｃＤＮＡは遺伝子治療に有用であり得、そして、それらを必要とする被験体に投与される場合、ＮＯＶＸは有用であり得る。非限定的な例として、本発明の組成物は、上記の疾患および障害ならびに／または類似の他の病理および障害を被っている患者の処置に効力を有する。
【００１７】
本発明はさらに、例えば、上記の疾患および障害ならびに／または類似の他の病理および障害を含む、障害または症候群のモジュレーターをスクリーニングする方法を含む。この方法は、ＮＯＶＸポリペプチドと試験化合物とを接触させる工程、および、この試験化合物がＮＯＶＸポリペプチドに結合するかどうかを決定する工程を包含する。試験化合物のＮＯＶＸポリペプチドへの結合は、試験化合物が、活性、または潜伏のモジュレーター、あるいは、前述の障害または症候群の素因であることを示す。
【００１８】
前述の障害または症候群についての危険性の増加した試験動物に試験化合物を投与することにより、活性または潜伏のモジュレーター、あるいは、例えば上記の疾患および障害ならびに／または類似の他の病理および障害を含む障害または症候群の素因をスクリーニングする方法もまた、本発明の範囲内である。この試験動物は、ＮＯＶＸ核酸によりコードされる組換えポリペプチドを発現する。次いで、ＮＯＶＸポリペプチドを組み換え的に発現し、そしてこの障害または症候群についての危険性が増加していないコントロール動物におけるタンパク質の発現または活性と同様に、ＮＯＶＸポリペプチドの発現または活性が、試験動物において測定される。次に、試験動物およびコントロール動物の両方におけるＮＯＶＸポリペプチドの発現が比較される。コントロール動物に対する試験動物のＮＯＶＸポリペプチドの活性における変化は、試験化合物が障害または症候群の潜伏のモジュレーターであることを示す。
【００１９】
なお別の局面において、本発明は、ＮＯＶＸポリペプチド、ＮＯＶＸ核酸、またはその両方の変化したレベルに関連する、被験体（例えば、ヒト被験体）における疾患の存在またはそれらの疾患になりやすい素因を決定する方法を含む。この方法は、被験体由来の試験サンプルにおけるＮＯＶＸポリペプチドの量を測定する工程、および、試験サンプル中のＮＯＶＸポリペプチドの量をコントロールサンプル中に存在するＮＯＶＸポリペプチドの量と比較する工程を包含する。コントロールサンプルと比較した場合、試験サンプルにおけるＮＯＶＸポリペプチドのレベルの変化は、被験体における疾患の存在または疾患に対する素因を示す。好ましくは、この素因は、例えば、上記の疾患および障害ならびに／または類似の他の病理および障害を含む。また、本発明の新規のポリペプチドの発現レベルは、種々の癌をスクリーニングするため、および癌の段階を決定するための方法に使用され得る。
【００２０】
さらなる局面において、本発明は、ＮＯＶＸポリペプチド、ＮＯＶＸ核酸、または被験体（例えばヒト被験体）に対するＮＯＶＸ特異的抗体を被験体に、病理学的状態を緩和または予防するのに十分な量で投与することにより、哺乳動物における障害に関連する病理学的状態を処置または予防する方法を含む。好ましい実施形態において、この障害は、例えば、上記の疾患および障害ならびに／または類似の他の病理および障害を含む。
【００２１】
なお別の局面において、本発明は、当該分野で一般に使用される多数の技術のいずれか１つによって、本発明の細胞レセプターおよび下流のエフェクターを同定するための方法に使用され得る。これらには、ツーハイブリッドシステム、アフィニティー精製、抗体または他の特異的相互作用分子との同時沈殿が挙げられるが、これらに限定されない。
【００２２】
別段定義がない限り、本明細書中で使用される専門用語および科学用語の全てが、本発明が属する分野の当業者に共通に理解されているのと同じ意味を有する。本明細書中に記載されている方法および材料と同様あるいは同等の方法および材料が、本発明の実験または試験に使用され得るが、適切な方法および物質は、以下に記載されている。本明細書中で言及されたすべての刊行物、特許出願、特許および他の参考文献が、その全体が参考として援用される。矛盾する場合には、定義を含む本明細書が支配する。さらに、材料、方法および実施例は、例示のみであり、限定されることを意図されない。
【００２３】
本発明の他の特徴および利点が、以下の詳細な説明および特許請求の範囲から明らかである。
【００２４】
（発明の詳細な説明）
本発明は、新規の核酸およびそれによってコードされるポリペプチドを提供する。この新規な核酸配列およびそれらによりコードされるポリペプチドが、本発明に含まれる。これらの配列は、本明細書中では集合的に、「ＮＯＶＸ核酸」または「ＮＯＶＸポリヌクレオチド」と称され、そして、対応するコードされたポリペプチドは、「ＮＯＶＸポリヌクレオチド」または「ＮＯＶＸタンパク質」と称される。別段支持がない限り、「ＮＯＶＸ」は、本明細書中に開示された任意の新規の配列を称することを意味する。表Ａは、ＮＯＶＸ核酸およびそれらのコードするポリペプチドの概要を提供する。
【００２５】
【数１】
2004527222.tif 000002
ＮＯＶＸ核酸およびそれらがコードするポリペプチドは、種々の適用および状況に有用である。本発明に従う種々のＮＯＶＸ核酸およびＮＯＶＸポリペプチドは、前述のタンパク質とのドメインおよび配列の関連性の存在により、タンパク質ファミリーの新規のメンバーとして有用である。さらに、ＮＯＶＸ核酸およびＮＯＶＸポリペプチドはまた、ＮＯＶＸポリペプチドが属するファミリーのメンバーであるタンパク質を同定するために使用され得る。
【００２６】
ＮＯＶ１は、インスリン様増殖因子結合タンパク質複合体−酸不安定性サブユニット様ファミリーのタンパク質に相同である。従って、本発明による、このＮＯＶ１核酸、ポリペプチド、抗体、および関連化合物は、以下に関わる、治療上および診断上の適用に有用である：例えば、癌、膀胱炎、失禁、受精能、不妊症、心筋症、アテローム性動脈硬化症、高血圧症、先天性心欠陥、大動脈狭窄症、心房中隔欠損症（ＡＳＤ）、房室（Ａ−Ｖ）管欠損症、動脈管、肺動脈弁狭窄症、大動脈弁下部狭窄症、心室中隔欠損症（ＶＳＤ）、弁疾患、結節硬化症、強皮症、肥満、移植回復、および／または他の病理／障害がある。
【００２７】
ＮＯＶ２は、Ａｔｔｒａｃｔｉｎ様ファミリーのタンパク質に相同である。従って、本発明による、このＮＯＶ２核酸、ポリペプチド、抗体、および関連化合物は、以下に関わる、治療上および診断上の適用に有用である：例えば、フォン・ヒッペル−リンダウ症候群（ＶＨＬ）、アルツハイマー病、発作、結節硬化症、高カルシウム血症、パーキンソン病、ハンティングトン病、脳性麻痺、てんかん、多発性硬化症、毛細血管拡張性運動失調、白質萎縮症、行動障害、嗜癖、不安、疼痛、神経変性、糖尿病、自己免疫疾患、腎動脈疾患、間質性腎炎、糸球体腎炎、多発性嚢胞腎疾患、全身性エリテマトーデス、尿細管性アシドーシス、ＩｇＡ腎症、高カルシウム血症、糖尿病、膵炎、肥満、エンドメトリオーシス、不妊性、ヒルシュスプルング病、クローン病、虫垂炎、筋ジストロフィー、レッシュ−ナイハン症候群、重症筋無力症、肝硬変、肝不全、乳癌、卵巣癌、前立腺癌、子宮癌、および／または他の病理／障害。
【００２８】
ＮＯＶ３は、ＲＨＯ／ＲＡＣ相互作用シトロンキナーゼ様タンパク質に相同である。従って、本発明による、このＮＯＶ３核酸、ポリペプチド、抗体、および関連化合物は、以下に関わる、治療上および診断上の適用に有用である：例えば、活性化Ｔ細胞を必要とする、喘息、関節炎、乾癬、糖尿病、およびＩＢＤ、ならびに、Ｂ細胞活性化を伴う全身性エリテマトーデスのような疾患、自己免疫疾患、腎動脈疾患、間質性腎炎、糸球体腎炎、多発性嚢胞腎疾患、尿細管性アシドーシス、ＩｇＡ腎症、高カルシウム血症、レッシュ−ナイハン症候群、フォン・ヒッペル−リンダウ（ＶＨＬ）症候群、アルツハイマー病、発作、結節硬化症、高カルシウム血症、パーキンソン病、ハンティングトン病、脳性麻痺、てんかん、多発性硬化症、毛細血管拡張性運動失調、白質萎縮症、行動障害、嗜癖、不安、疼痛、神経保護、内分泌機能障害、肥満、成長障害および生殖障害、血友病、凝固亢進、特発性血小板減少性紫斑病、アレルギー、免疫不全、移植、リンパ水腫、血友病、凝固亢進、特発性血小板減少性紫斑病、免疫不全、対宿主性移植片病、ヒルシュスプルング病、クローン病、虫垂炎、炎症性腸疾患、憩室性疾患、および／または他の病理／障害。
【００２９】
ＮＯＶ４は、プレキシン（Ｐｌｅｘｉｎ）様ファミリーのタンパク質に相同である。従って、本発明による、このＮＯＶ４核酸、ポリペプチド、抗体、および関連化合物は、以下に関わる、治療上および診断上の適用に有用である：例えば、フォン・ヒッペル−リンダウ（ＶＨＬ）症候群、アルツハイマー病、発作、結節硬化症、高カルシウム血症、パーキンソン病、ハンティングトン病、脳性麻痺、てんかん、レッシュ−ナイハン症候群、多発性硬化症、毛細血管拡張性運動失調、白質萎縮症、行動障害、嗜癖、不安、疼痛、神経変性、全身性エリテマトーデス、自己免疫疾患、喘息、気腫、強皮症、アレルギー、ＡＲＤＳ、肥満、代謝調節不全、不妊症、および／または他の病理／障害。
【００３０】
ＮＯＶ５は、ドーパミンレセプター様ファミリーのタンパク質に相同である。従って、本発明による、このＮＯＶ５核酸、ポリペプチド、抗体、および関連化合物は、以下に関わる、治療上および診断上の適用に有用である：例えば、精神分裂病、および他のドーパミン機能不全状態、高血圧、ハンティングトン病、レボドパ誘発性ジスキネジー、アルコール中毒、視神経萎縮および聴覚消失を伴う尿崩症および真性糖尿病、ウォルフラム症候群（Ｗｏｌｆｒａｍ  Ｓｙｎｄｒｏｍｅ）、ならびに／または他の病理／障害。
【００３１】
ＮＯＶ６は、向代謝性グルタミン酸レセプター様ファミリーのタンパク質と相同である。従って、本発明に従うＮＯＶ６核酸、ポリペプチド、抗体および関連化合物は、例えば：癲癇（ｐｉｌｅｐｔｉｃ）発作および他の神経学的障害、ホジキン病、多嚢胞性腎臓病、精神的鬱病、腺癌、スミス−レムリ−オピッツ症候群、色素性網膜炎および／または他の病理／障害、と関係する治療用途および診断用途において有用である。
【００３２】
ＮＯＶ７は、ＰＶ−１様ファミリーのメンバーのタンパク質と相同である。従って、本発明に従うＮＯＶ７核酸、ポリペプチド、抗体および関連化合物は、例えば：小脳性運動失調（純粋）；偶発性運動失調（２型）；片麻痺性片頭痛（家族性）；リー症候群；脊髄小脳性運動失調−６；乾癬（敏感性）；自己免疫疾患、喘息、気腫、強皮症、アレルギー、ＡＲＤＳ、フォン・ヒッペル−リンダウ（ＶＨＬ）症候群、アルツハイマー病、発作、結節硬化、高カルシウム血症、パーキンソン病、ハンティングトン病、脳性麻痺、癲癇、レッシュ−ナイハン症候群、多発性硬化症、毛細血管拡張性運動失調、白質萎縮症、行動障害、嗜癖、不安、疼痛、神経保護、筋ジストロフィー、重症筋無力症、血友病、凝固能亢進、特発性血小板減少性紫斑病、免疫不全、移植片対宿主、フォン・ヒッペル−リンダウ（ＶＨＬ）症候群、肝硬変、移植、心筋症、アテローム硬化症、高血圧、先天性心臓欠損、大動脈狭窄、心房中隔欠損（ＡＳＤ）、房室（Ａ−Ｖ）管欠損、動脈管、肺動脈弁狭窄、大動脈下狭窄、心室中隔欠損（ＶＳＤ）、弁疾患、強皮症、肥満、移植；受胎能；癌；腎動脈狭窄、間室性腎炎、糸球体腎炎、多嚢胞性腎臓病、全身性エリテマトーデス、尿細管性アシドーシス、ＩｇＡ腎症、高カルシウム血症、レッシュ−ナイハン症候群、副腎脳白質ジストロフィー、先天性副腎過形成、口内乾燥；齲歯および他の歯科的な問題；炎症性腸疾患、憩室性疾患、膵炎、および／または他の病理／障害、と関連する治療用途および診断用途において有用である。
【００３３】
ＮＯＶ８は、パパン（Ｐａｐｉｎ）様ファミリーのタンパク質と相同である。従って、本発明に従うＮＯＶ８核酸およびポリペプチド、抗体および関連化合物は、例えば：癌、膀胱炎、失禁、受胎能、心筋症、アテローム硬化症、高血圧、先天性心臓欠損、大動脈狭窄、心房中隔欠損（ＡＳＤ）、房室（Ａ−Ｖ）管欠損、動脈管、肺動脈狭窄、大動脈下狭窄、心室中隔欠損（ＶＳＤ）、弁疾患、結節硬化、強皮症、肥満、移植回復および／または他の病理／障害、と関連する治療用途および診断用途において有用である。
【００３４】
ＮＯＶＸ核酸およびポリペプチドはまた、分子（これは、ＮＯＶＸ活性または機能を阻害または増強する）についてスクリーニングするために用いられ得る。特に、本発明に従う核酸またはポリペプチドは、例えば、神経発生、細胞分化、細胞増殖、造血、創傷治癒および血管形成を調節または阻害する低分子の同定のための標的として用いられ得る。
【００３５】
本発明に従う、ＮＯＶＸ核酸およびポリペプチドのさらなる有用性は、本明細書中に開示される。
【００３６】
（ＮＯＶ１）
ＮＯＶ１は、以下で開示される、３つの新規なインスリン様増殖因子結合タンパク質複合体−酸不安定サブユニット（ＩＧＦＢＰ−ＡＬＳ）様タンパク質を含む。この開示される配列は、ＮＯＶ１ａ、ＮＯＶ１ｂおよびＮＯＶ１ｃと命名されている。ＮＯＶ１ａおよびＮＯＶ１ｂに対するヌクレオチド配列は、両方ともＮＯＶ１ａタンパク質配列をコードする。ＮＯＶ１ｃ核酸配列は、ＮＯＶ１ｃタンパク質配列をコードする。
【００３７】
（ＮＯＶ１ａ）
新規なインスリン様増殖因子結合タンパク質複合体−酸不安定サブユニット様タンパク質をコードする、２８３８ヌクレオチドの開示されるＮＯＶ１ａ核酸（これはまた、８３４２０７３３＿ＥＸＴと呼ばれる）を、表１Ａに示す。ヌクレオチド１８４〜１８６のＡＴＧ開始コドンで始まり、そしてヌクレオチド２７０７〜２７０９のＴＡＧコドンで終わる、オープンリーディングフレームを同定した。推定非翻訳領域の、開始コドンからの上流および終止コドンからの下流は、表１Ａにおいて下線で示される。開始コドンおよび終止コドンは太字である。
【００３８】
【表１Ａ】
2004527222.tif 000003
2004527222.tif 000004
公共の配列データベースの検索において、第１３染色体に位置するＮＯＶ１ａ核酸配列は、１９３２塩基のうち１１７３（６１％）の、ヒト由来のＫＩＡＡ０８４８  ｍＲＮＡ（ｇｂ：ＧＥＮＢＡＮＫ−ＩＤ：ＡＢ０２０６５５｜ａｃｃ：ＡＢ０２０６５５）に対して同一な塩基を有する。公共のヌクレオチドデータベースとして、全てのＧｅｎＢａｎｋデータベースおよびＧｅｎｅＳｅｑ特許データベースが挙げられる。
【００３９】
本明細書中の全てのＢＬＡＳＴアラインメントにおいて、「Ｅ値」または「期待」値は、整列された配列が、検索されるデータベース内で、偶然のみでＢＬＡＳＴ問い合わせ配列に対する類似性を達成し得る確率の、数値的指標である。例えば、ＮＯＶ１  ＢＬＡＳＴ分析から検索される対象（「Ｓｂｊｃｔ」）（例えば、Ｏｖｉｓ  ａｒｉｅｓ由来のチオレドキシンｍＲＮＡ）が、純粋に偶然に問い合わせＮＯＶ１配列と一致する確率は７．４ｅ−６８である。期待値（Ｅ）は、特定のサイズのデータベースを検索する場合に、まったくの偶然に見ることを「期待し」得るヒット数を記述するパラメーターである。期待値は、２つの配列の間の一致に割り当てられているスコア（Ｓ）とともに、指数関数的に減少する。本質的に、このＥ値は、配列の間の一致に対して存在するランダムなバックグラウンドノイズを記述する。
【００４０】
この期待値は、報告結果に対する有意な閾値を作成するための便利な方法として用いられる。ブラスティングに用いられるデフォルト値は、代表的に、０．０００１に設定される。ＢＬＡＳＴ  ２．０において、この期待値はまた、一致の有意性を報告するためのＰ値（確率）の代わりに用いられる。例えば、あるヒットに割り当てられたＥ値１は、現在のサイズのデータベースにおいて、単に偶然に、類似のスコアを有する１つの一致を見ることを期待し得ることを意味すると解釈され得る。Ｅ値０は、単に偶然に、類似のスコアを有するいかなる一致が見られることも期待しないことを意味する。例えば、ｈｔｔｐ：／／ｗｗｗ．ｎｃｂｉ．ｎｌｍ．ｎｉｈ．ｇｏｖ／Ｅｄｕｃａｔｉｏｎ／ＢＬＡＳＴｉｎｆｏ／を参照のこと。時折、Ｘの文字列またはＮの文字列がＢＬＡＳＴ検索から得られる。これは、人為的なヒットを防止するために行われる、複雑性の低い配列に対する、問い合わせの自動フィルタリングの結果である。このフィルターは複雑性の低い任意の配列を置換し、この配列は、ヌクレオチド配列において文字「Ｎ」で（例えば、「ＮＮＮＮＮＮＮＮＮＮＮＮＮ」）、またはタンパク質配列において文字「Ｘ」で（例えば、「ＸＸＸＸＸＸＸＸＸ」）で見出される。複雑性の低い領域は、有意な位置毎の整列ではなく、組成上のバイアスを反映する高スコアを生じ得る（ＷｏｏｔｔｏｎおよびＦｅｄｅｒｈｅｎ、Ｍｅｔｈｏｄｓ  Ｅｎｚｙｍｏｌ  ２６６：５５４−５７１，１９９６）。
【００４１】
配列番号１によってコードされる、開示されるＮＯＶ１ａポリペプチド（配列番号２）は、８４１アミノ酸残基を有し、そして１文字アミノ酸コードを用いて表１Ｂに表される。シグナルＰ、Ｐソートおよび／またはヒドロパシーの結果は、ＮＯＶ１ａがシグナルペプチドを有し、そして０．４６００の確実性で原形質膜におそらく局在化することを予測する。他の実施形態において、ＮＯＶ１ａはまた、０．１０００の確実性で小胞体（膜）に、０．１０００の確実性で小胞体（膜）に、または０．１０００の確率で細胞外に、局在し得る。ＮＯＶ１ａペプチドに対する、もっとも可能性の高い切断部位は、アミノ酸２０と２１との間（ＬＨＳ−ＱＴ）である。
【００４２】
ＮＯＶ１ａに対するＳＮＰデータは、実施例３において以下で見出され得る。ＳＡＧＥデータもまた、実施例４においてＮＯＶ１ａに対して以下で見出され得る。
【００４３】
【表１Ｂ】
2004527222.tif 000005
配列データベースの検索は、ＮＯＶ１ａアミノ酸配列が、ヒト由来の９７７アミノ酸残基のＫＩＡＡ０８４８タンパク質（ＳＰＴＲＥＭＢＬ−ＡＣＣ：Ｏ９４９３３）（Ｅ＝１．６ｅ−１６５）に対して、同一な２６６残基（４９％）（５４３アミノ酸残基中）、および類似な３３７残基（６２％）（５４３アミノ酸残基中）を有し、そして、８４５アミノ酸残基のヒト遺伝子１コード分泌タンパク質ＨＭＩＡＪ３０（ｐａｔｐ：ＡＡＥ０１２３２）（Ｅ＝１．６ｅ−１５６）に対して、同一な３５０残基（４１％）（８４１アミノ酸残基中）、および類似な５１１残基（６０％）（８４１アミノ酸残基中）を有することを明らかにする。公共のアミノ酸データベースとして、ＧｅｎＢａｎｋデータベース、ＳｗｉｓｓＰｒｏｔ、ＰＤＢおよびＰＩＲが挙げられる。
【００４４】
ＮＯＶ１ａは、少なくとも以下の組織において発現される：乳房、心臓、膀胱、結腸、前立腺、脳、肺および子宮。ＮＯＶ１ａに対するＴａｑＭａｎ発現データを、以下で実施例２において示す。
【００４５】
（ＮＯＶ１ｂ）
新規なインスリン様増殖因子結合複合体−酸不安定サブユニット様タンパク質をコードする、２５２６ヌクレオチドの、開示されるＮＯＶ１ｂ核酸（これはまた、ＡＬ３５６４１３．６と呼ばれる）を、表１Ｃに示す。ヌクレオチド１〜３のＡＴＧ開始コドンで始まり、そしてヌクレオチド２５２４〜２５２６のＴＡＧコドンで終わる、オープンリーディングフレームを同定した。推定非翻訳領域の、開始コドンからの上流は、表１Ｃにおいて下線で示される。開始コドンおよび終止コドンは太字である。
【００４６】
【表１Ｃ】
2004527222.tif 000006
2004527222.tif 000007
開示されるＮＯＶ１ｂヌクレオチドは、上記の表１Ｂにおいて開示されるＮＯＶ１ａタンパク質配列をコードする。
【００４７】
（ＮＯＶ１ｃ）
本発明において、先に同定された標的配列（ＮＯＶ１ｂ）を、この配列を確認するためのエキソン連結プロセスに供した。ＰＣＲプライマーを、順方向プライマーについては、利用可能な最上流の配列において開始し、そして逆方向プライマーについては、利用可能な最下流の配列において開始することによって設計した。各々の場合において、この配列を、それぞれの末端からコード配列へと内向きに歩行して、固有であるかまたは高度に選択的であるかのいずれかの適切な配列と遭遇するまで、あるいは、逆方向プライマーの場合、終止コドンに到達するまで、検査した。このようなプライマーは、標的配列の全長ｃＤＮＡ、ＤＮＡの一部（１つ以上のエキソン）またはタンパク質配列に対するインシリコでの予測に基づいて、あるいは、予測されるエキソンの、密接に関連するヒト配列または他の種由来の配列に対する、翻訳された相同性によって、設計される。次いで、これらのプライマーを、以下のヒトｃＤＮＡのプールに基づいて、ＰＣＲ増幅において用いた：副腎、骨髄、脳−扁桃体、脳−小脳、脳−海馬、脳−黒質、脳−視床、脳−全体、胎児脳、胎児腎臓、胎児肝臓、胎児肺、心臓、腎臓、リンパ腫−ラージ（Ｒａｊｉ）、乳腺、膵臓、下垂体、胎盤、前立腺、唾液腺、骨格筋、小腸、脊髄、脾臓、胃、精巣、甲状腺、気管、子宮。通常、得られた単位複製配列は、高い重複性にまでゲル精製、クローン化、および配列決定された。全てのクローンから得られた配列を、それら同士で、ＣｕｒａＧｅｎ  Ｃｏｒｐｏｒａｔｉｏｎのデータベースにおける他のフラグメントに対して、および、公共のＥＳＴに対して、アセンブルした。フラグメントおよびＥＳＴを、アセンブリの別の成分との同一性の程度が５０ｂｐにわたって少なくとも９５％である場合、アセンブリの成分として含めた。さらに、配列トレースを、手動で評価し、そして、適切である場合は、補正のために編集した。これらの手順は、以下で報告される配列（これは、ＮＯＶ１ｃと命名される（これはまた、登録番号ＣＧ５２９９７−０２と呼ばれる））を提供する。これは、先に同定された配列ＮＯＶ１ｂと１００％同一な、成熟タンパク質である。
【００４８】
新規なインスリン様増殖因子結合タンパク質複合体−酸不安定サブユニット様タンパク質をコードする、２５３１ヌクレオチドの開示されるＮＯＶ１ｃ核酸（ＣＧ５２９９７−０２とも呼ばれる）を、表１Ｄに示す。ヌクレオチド２〜４のＧＡＴ開始コドンで始まり、そしてヌクレオチド２５１３〜２５１５のＴＡＡコドンで終わる、オープンリーディングフレームを同定した。推定非翻訳領域の、開始コドンからの上流および終止コドンからの下流は、表１Ｄにおいて下線で示される。開始コドンおよび終止コドンは太字である。開始コドンが従来のＡＴＧ開始コドンではないので、ＮＯＶ１ｃに対する以下に示すリーディングフレームは、５’方向にさらに伸長する、部分的なリーディングフレームであり得る。
【００４９】
【表１Ｄ】
2004527222.tif 000008
公共の配列データベースの検索において、第１３染色体に位置するＮＯＶ１ｃ核酸配列は、２４８０塩基のうち２４７１（９９％）の、Ｈｏｍｏ  ｓａｐｉｅｎｓ由来のｇｂ：ＧＥＮＢＡＮＫ−ＩＤ：ＡＫ０２６４２７｜ａｃｃ：ＡＫ０２６４２７．１  ｍＲＮＡ（Ｈｏｍｏ  ｓａｐｉｅｎｓ  ｃＤＮＡ：ＦＬＪ２２７７４  ｆｉｓ，クローンＫＡＩＡ１５７５）と同一な塩基を有する（Ｅ＝０．０）。公共のヌクレオチドデータベースとして、全てのＧｅｎＢａｎｋデータベースおよびＧｅｎｅＳｅｑ特許データベースが挙げられる。
【００５０】
配列番号４によってコードされる、開示されるＮＯＶ１ｃポリペプチド（配列番号５）は、８３７アミノ酸残基を有し、そして、１文字アミノ酸コードを用いて表１Ｅに表される。シグナルＰ、Ｐソートおよび／またはヒドロパシーの結果は、ＮＯＶ１ｃがシグナルペプチドを有さず、そして、０．４６００の確実性で原形質膜においておそらく局在することを予測する。他の実施形態において、ＮＯＶ１ｃはまた、０．１０００の確実性で小胞体（膜）に、０．１０００の確実性で小胞体（膜）に、または０．１０００の確実性で細胞外に、局在し得る。
【００５１】
【表１Ｅ】
2004527222.tif 000009
公共の配列データベースの検索は、ＮＯＶ１ｃアミノ酸配列が、Ｈｏｍｏ  ｓａｐｉｅｎｓ（ヒト）由来の４４０アミノ酸残基のｐｔｎｒ：ＳＰＴＲＥＭＢＬ−ＡＣＣ：Ｑ９Ｈ５Ｙ７タンパク質（ＣＤＮＡ：ＦＬＪ２２７７４  ＦＩＳ，クローンＫＡＩＡ１５７５）に対して、同一の４２７アミノ酸残基（９７％）（４３６アミノ酸残基中）、および類似の４２８アミノ酸残基（９８％）（４３６アミノ酸残基中）を有することを明らかにする（Ｅ＝５．７ｅ−２３０）。公共のアミノ酸データベースとして、ＧｅｎＢａｎｋデータベース、ＳｗｉｓｓＰｒｏｔ、ＰＤＢおよびＰＩＲが挙げられる。
【００５２】
ＮＯＶ１ｃは、少なくとも以下の組織において発現される：心臓、冠状動脈、膵臓、小腸、末梢血、脳、乳腺／乳房、子宮、外陰、前立腺、肺、気管、皮膚、結腸。発現情報は、ＮＯＶ１ｃの配列の誘導に含まれた配列の組織供給源に由来した。
【００５３】
ＮＯＶ１ａヌクレオチド、ＮＯＶ１ｂヌクレオチドおよびＮＯＶ１ｃヌクレオチドによってコードされるタンパク質は、表１Ｆのアラインメントに示されるように、非常に密接に相同である。示されるように、ＮＯＶ１ａ核酸配列およびＮＯＶ１ｂ核酸配列によってコードされる配列は、１００％同一である。
【００５４】
【表１Ｆ】
2004527222.tif 000010
2004527222.tif 000011
2004527222.tif 000012
上記のＮＯＶ１タンパク質のいずれかに対する相同性は、他の２つのＮＯＶ１タンパク質によって、それらが上記のように互いに相同である範囲で、共有される。ＮＯＶ１への言及はいずれも、他に示されない限り、一般に、ＮＯＶ１タンパク質のうちの３つ全てをいうことを想定する。
【００５５】
開示されるＮＯＶ１ａポリペプチドは、表１Ｇに挙げられるＢＬＡＳＴＰデータに示されるアミノ酸配列に対する相同性を有する。
【００５６】
【表１Ｇ】
2004527222.tif 000013
これらの配列と他の配列との間の相同性は、表１Ｈに示されるＣｌｕｓｔａｌＷ分析において図解的に示される。ＮＯＶ１タンパク質のＣｌｕｓｔａｌＷアラインメント、ならびに本明細書中の全ての他のＣｌｕｓｔａｌＷ分析において、黒で縁取りしたアミノ酸残基は、保存された配列の領域（すなわち、構造的性質または機能的性質を保存するために必要とされ得る領域）を示し、それに対し、強調表示されていないアミノ酸残基は、それほど保存されておらず、そして潜在的に、タンパク質の構造または機能を変化させることなく、はるかに広範な程度まで変化し得る。
【００５７】
【表１Ｈ】
2004527222.tif 000014
2004527222.tif 000015
2004527222.tif 000016
2004527222.tif 000017
2004527222.tif 000018
ＮＯＶ１タンパク質および他のすべてのＮＯＶＸタンパク質中において同定可能なドメインの存在を、ＰＲＯＳＩＴＥ、ＤＯＭＡＩＮ、Ｂｌｏｃｋｓ，Ｐｆａｍ、ＰｒｏＤｏｍａｉｎ、およびＰｒｉｎｔｓのようなソフトウェアアルゴリズムを使用した検索によって決定し、次いで、Ｉｎｔｅｒｐｒｏウェブサイト（ｈｔｔｐ：ｗｗｗ．ｅｂｉ．ａｃ．ｕｋ／ｉｎｔｅｒｐｒｏ）を使用したドメインマッチ（または数）の掛け合わせにより、Ｉｎｔｅｒｐｒｏ数を決定した。表１Ｉ〜表１Ｌ中に開示されるようなＮＯＶ１に対するＤＯＭＡＩＮの結果を、Ｒｅｖｅｒｓｅ  Ｐｏｓｉｔｉｏｎ  Ｓｐｅｃｉｆｉｃ  ＢＬＡＳＴ解析を用いて、Ｃｏｎｓｅｒｖｅｄ  Ｄｏｍａｉｎ  Ｄａｔａｂａｓｅ（ＣＤＤ）から収集した。このＢＬＡＳＴ解析ソフトウェアは、Ｓｍａｒｔ収集およびＰｆａｍ収集において見出されるドメインをサンプリングする。表１Ｅおよびすべての連続的なドメイン配列アライメントに対して、完全に保存的な単一の残基は、黒の影文字または記号（｜）によって示され、「強力な」半保存的残基はグレーの影文字または記号（＋）によって示される。保存的アミノ酸残基の「強力な」群は、以下のアミノ酸群のいずれか一つであり得る：ＳＴＡ、ＮＥＱＫ、ＮＨＱＫ、ＮＤＥＱ、ＱＨＲＫ，ＭＩＬＶ、ＭＩＬＦ、ＨＹ、ＦＹＷ。
【００５８】
表１Ｉ〜表１Ｌは、ＮＯＶ１に対するＤＯＭＡＩＮ解析結果からのドメイン記述を列挙する。これは、ＮＯＶ１配列がこのドメインを含むことが知られている他のタンパク質の特徴と類似の特徴を有することを示す。
【００５９】
【表１Ｉ】
2004527222.tif 000019
【００６０】
【表１Ｊ】
2004527222.tif 000020
【００６１】
【表１Ｋ】
2004527222.tif 000021
【００６２】
【表１Ｌ】
2004527222.tif 000022
タンパク質のＩＧＦＢＰ−ＡＬＳファミリーに属するタンパク質は、循環するホルモンのレベルを調節する際に重要な役割を果たす。複合体の酸不安定性サブユニットは、複合体の安定性を調節し、そして、タンパク質のＩＧＦＢＰファミリーによって調節される高レベルの循環ホルモンを確実にする際に重要な役割を果たす。このタンパク質は、胎児の発育に重要な多くのタンパク質中の共通のドメインである、ロイシンリッチリピートもまた有する。結果として、このタンパク質は発育と疾患に重要な役割を果たし得る。
【００６３】
インシュリン様増殖因子（ＩＧＦ）ＩおよびＩＩは、細胞増殖および分化の重要な調節因子である（Ｕｅｋｉ  Ｉ  ら、Ｐｒｏｃ  Ｎａｔｌ  Ａｃａｄ  Ｓｃｉ  Ｕ  Ｓ  Ａ  ２０００  Ｊｕｎ  ６；９７（１２）：６８６８−７３）。誕生後、主に肝臓由来ＩＧＦに代表される血漿ＩＧＦが、それぞれに１分子のＩＧＦ、ＩＧＦ結合タンパク質（ＩＧＦＢＰ）３、および酸不安定性サブユニット（ＡＬＳ）からなる１５０ｋＤａの三分子複合体中に循環する。誕生後のＡＬＳ合成の開始は、三分子複合体の形成を駆動する最初の因子である。ＡＬＳによるＩＧＦの捕捉は、低血糖症および細胞増殖のような負の効果なしで、血漿リザーバー（ｒｅｓｅｒｖｏｉｒ）の発達を可能にすると考えられる。ＡＬＳおよび三分子複合体の重要性を評価するために、本発明者らはＡＬＳ遺伝子が不活性化されたマウスを作製した。この変異は、生存率および出生時体重におけるいかなる影響もなしに、メンデルの法則に従って遺伝的に受け継がれた。成長の欠損は、３週間の生活の後ヌルマウスにおいて観察され、それは１０週間で１３％に達した。この穏当な表現型は、血漿ＩＧＦ−ＩおよびＩＧＦＢＰ−３の濃度が、それぞれ６２％および８８％減少するにも関わらず、観察された。肝臓および腎臓中における合成の指数は減少しなかったので、代謝回転の増加によって、これらの減少を説明した。驚いたことに、ＡＬＳの欠乏は、グルコースおよびインシュリンの恒常性に影響しなかった。したがって、ＡＬＳはＩＧＦ−ＩおよびＩＧＦＢＰ−３の出生後の蓄積に必要とされるが、局所的に産生されるＩＧＦ−Ｉの優勢な役割を支持する知見と一致して、成長に不可欠ではない。このモデルは、ＡＬＳの存在が肝臓由来ＩＧＦ−Ｉの他の作用、および高循環レベルのＩＧＦ−ＩＩの存在下で、恒常性の維持に必要とされるかどうかを決定するために有用であるはずである。
【００６４】
循環中、インシュリン様増殖因子Ｉ（ＩＧＦ−Ｉ）は、１５０ｋＤａの三分子複合体中でＩＧＦ結合タンパク質−３（ＩＧＦＢＰ−３）および酸不安定性サブユニット（ＡＬＳ）と結合している。（Ｍｏｌｌｅｒ  Ｓら、Ｊ  Ｈｅｐａｔｏｌ  ２０００  Ｍａｒ；３２（３）：４４１−６）。ＩＧＦ−ＩおよびＩＧＦＢＰ−３の循環は、慢性肝機能不全を有する患者において低いと報告されているのに対して、ＡＬＳのレベルは肝機能不全との関係を記述されていない。従って、本研究の目的は、肝機能軸およびＩＧＦ軸との関係においてＡＬＳの循環と肝静脈濃度を測定することであった。
【００６５】
インシュリン様増殖因子（ＩＧＦ）結合タンパク質（ＩＧＦＢＰ）は、最初は、様々な生物学的流体中のＩＧＦ−ＩおよびＩＧＦ−ＩＩに対するキャリアタンパク質として同定された（Ｒｏｓｅｎｆｅｌｄ  ＲＧら、Ｐｅｄｉａｔｒｉｃｓ  １９９９  Ｏｃｔ；１０４（４  Ｐｔ  ２）：１０１８−２１）。これらの推定される機能は、分解およびクリアランス（ｃｌｅａｒａｎｃｅ）からのＩＧＦペプチドの保護、ＩＧＦの半減期の増加、およびこれらの適切な組織レセプターへの輸送であった。しかし、多くの観察によって単純なキャリアタンパク質としてのＩＧＦＢＰの概念は複雑化された：１）６つのＩＧＦＢＰは、それらの組織発現、ならびに他のホルモンおよび増殖因子による調節が変化する；２）ＩＧＦＢＰはプロテアーゼによる分解を受けやすく、それによってそれらのＩＧＦに対する親和性が変化する；３）ＩＧＦへの結合に加えて、ＩＧＦＢＰ−３およびＩＧＦＢＰ−５はまた、酸不安定性サブユニットと結合し得、それによってＩＧＦの半減期がさらに増加する；４）ＩＧＦペプチドのＩＧＦおよびインシュリンレセプターへのアクセスを変更することに加えて、ＩＧＦＢＰのいくつかは、ＩＧＦ作用を増加し得る；５）ＩＧＦＢＰのいくつかは、細胞増殖をＩＧＦ非依存的に調節し得る；６）ＩＧＦＢＰのいくつかは、細胞膜と、または可能ならば膜レセプターと結合する；そして７）ＩＧＦＢＰのいくつかは、核認識部位を有し、核内で見出され得る。さらに、最近同定された多くのｃＤＮＡは、ＩＧＦに結合するが、実質的にＩＧＦＢＰの場合よりも低い親和性を有するタンパク質をコードすることが見出された。予測されるタンパク質のＮ末端領域は、古典的なＩＧＦＢＰと構造的に相同であり、システインリッチ領域を保存している。これらの観察により、これらの低親和性結合体は、ＩＧＦ依存性機構およびＩＧＦ非依存性機構両方によって細胞増殖を調節し得るＩＧＦＢＰスーパーファミリーのメンバーであることが示唆される。インシュリン様増殖因子、インシュリン様増殖因子結合タンパク質。
【００６６】
血清中の総ＩＧＦ−Ｉレベルは、成人の成長ホルモン（ＧＨ）置換治療の際の敏感な指数である。なぜなら、ＧＨは、インシュリン様増殖因子（ＩＧＦ−Ｉ）および酸不安定性サブユニット（ＡＬＳ）の肝細胞での発現を刺激し、循環におけるＩＧＦ−Ｉの大部分は、ＡＬＳおよびＩＧＦＢＰ−３とともに三分子複合体中に見出されるからである。（Ｈａｌｌ  Ｋら、Ｊ  Ｅｎｄｏｃｒｉｎｏｌ  Ｉｎｖｅｓｔ  １９９９；２２（５  Ｓｕｐｐｌ）：４８−５７）しかし、三分子複合体を構成しているタンパク質の他の調節因子は、ＩＧＦ−Ｉレベルに影響し得る。健康な被験体において、血清ＩＧＦ−Ｉレベルは、出生時は低く、幼年時代中に増加し、思春期にピークレベルを有し、年齢が増加するにつれて減衰する。このパターンは、年齢依存性ＧＨ産生に原因があるとされてきたが、各々の年齢間隔内での広い範囲のＩＧＦ−Ｉレベルが、ＧＨ産生およびＧＨ感受性に起因するかどうかはわかっていない。初老の双子において、約６０％のＩＧＦ−Ｉレベルが遺伝的に決定される。ＩＧＦ−Ｉの残りの環境依存性は、一部、栄養物摂取に起因する。食事のカロリー含有量およびタンパク質含有量両方が、重要である。従って、低ＩＧＦ−Ｉレベルは、栄養不良またはＧＨレセプターの欠損に起因して、ＧＨ欠損患者およびＧＨ耐性を有する患者において見出される。ＩＧＦ−Ｉ決定は、ＩＧＦＢＰが干渉しないアッセイによって行われ、ＩＧＦ−Ｉ濃度は、年齢に関して評価される、（すなわち、ＳＤスコアに表される）ことが必要であり、参照間隔を構成する個体数によって、感受性と特異性が改善される。ＩＧＦ−Ｉの決定は、子供におけるＧＨ欠損を評価する際に推奨されるが、ＧＨ欠損が成人して発症した患者における診断的値は、一致しない。４０年〜８０年を超えた年齢層において、下垂体／視床下部障害を有し、誘発試験中に３μｇ／ｌ未満のＧＨピークを有する多くの患者は，通常のＩＧＦ−Ｉレベルを有する。年齢に対して通常の範囲内のＩＧＦ−Ｉレベルが十分な内在性基底ＧＨ産生またはＩＧＦ−Ｉ、ＩＧＦＢＰ−３もしくはＡＬＳ発現を刺激する他の因子に起因するか否かは、明らかではない。
【００６７】
インシュリン様増殖因子（ＩＧＦ）の循環は、潜在的な低血糖活性の重要なプールを表し、その活性は、増殖因子、ＩＧＦ結合タンパク質−３（ＩＧＦＢＰ−３）、および酸不安定性サブユニット（ＡＬＳ）からなるヘテロ三分子複合体中に封鎖することによって大いに阻害される（Ｂａｘｔｅｒ  ＲＣ  Ｍｅｔａｂｏｌｉｓｍ  １９９５  Ｏｃｔ；４４（１０  Ｓｕｐｐｌ  ４）：１２−７）。総ＩＧＦの１％未満が遊離形態で循環するが、この量でさえ、インシュリン様活性を循環させるのに有意に寄与し得る。三分子結合タンパク質複合体は、循環から出ていくのを妨げることによって、結合したＩＧＦのインシュリン様活性を阻害するようにみえる。この複合体の完全性は、妊娠状態および異化状態におけるＩＧＦＢＰ−３の限定プロテアーゼ分解によって、影響され得るが、これがＩＧＦバイオアベイラビリティー、したがって、低血糖症の可能性を増加するという証拠は、まだ不明瞭なままである。しかし、ＩＧＦ−ＩＩ分泌性腫瘍を有する患者において、低血糖症は、ＩＧＦを十分に隔離する三分子複合体の欠損から生じ得る。コルチコステロイドまたは成長ホルモンによる処置による複合体の形成の改善は、（成長ホルモン処置でみられるように）ＩＧＦ−ＩＩが過分泌のままである場合でさえも、低血糖症を軽減する。これらの患者において、血糖値はＩＧＦＢＰ−２レベルと逆の相関関係であり、このタンパク質がＩＧＦのこれらの標的組織への輸送において、ある役割を果たし得ることを示唆する。逆に、ＡＬＳは血糖と正の相関があり、低血糖を阻害する際に三分子複合体の重要性を強調する。他のＩＧＦ結合タンパク質と異なり、ＩＧＦＢＰ−１は循環中に、グルコース対抗制御因子としてのその作用と一致した様式で、鋭敏に調節される。これは、循環中に遊離ＩＧＦの活性を阻害することによって、この様式で作用し得る。
【００６８】
ロイシンリッチリピート（ＬＲＲ）は、さまざまな細胞質タンパク質、膜タンパク質および細胞外タンパク質（ＩｎｔｅｒＰｒｏ）において見出される、比較的短いモチーフである（２２〜２８残基長）。これらのタンパク質は、広範に異なった機能と関連するが、共通の性質には、タンパク質−タンパク質相互作用が含まれる。これらは、膜と相互作用し得る疎水性面を有する両親媒性構造を形成し得ると考えられてるが、ＬＲＲの三次元構造については、ほとんど知られていない。ショウジョウバエトール（Ｄｒｏｓｏｐｈｉｌａ  Ｔｏｌｌ）タンパク質由来の合成ＬＲＲのインビトロでの研究は、このペプチドが伸長されたフィラメントを形成するβシート構造を選定することによってゲルを形成することを示す。これらの結果は、ＬＲＲがタンパク質−タンパク質相互作用および細胞接着を媒介するという理念（ｉｄｅａ）と一致する。ＬＲＲ含有タンパク質の他の機能は、例えば、酵素への結合および血管修復を含む。リボヌクレアーゼ阻害剤の三次元構造（１５個のＬＲＲを含むタンパク質）が決定され、ＬＲＲが新規クラスのα／βフォールドであることが明らかになった。ＬＲＲは伸長された非球状構造を形成し、しばしばシステインリッチドメインに隣接する。
【００６９】
インシュリン様増殖因子結合タンパク質複合体−酸不安定性サブユニット様タンパク質をコードする本発明の開示されたＮＯＶ１核酸は、配列が表１Ａ、表１Ｃおよび表１Ｅ中に提供されている核酸、またはそれらのフラグメントを含む。本発明はまた、塩基のいずれかが表１Ａ、表１Ｃ、または表１Ｅ中に示された対応する塩基から変化され得るが、そのインシュリン様成長因子結合タンパク質複合体−酸不安定性サブユニット様活性および生理学的機能を維持しているタンパク質を依然としてコードしている変異体核酸または改変体核酸、またはそのような核酸のフラグメントを含む。本発明はさらに、配列が先程記載したばかりの配列に相補的である核酸を含み、先程記載したばかりの核酸のいずれかに相補的な核酸フラグメントを含む。さらに本発明は、核酸または核酸フラグメントまたはそれらに対する相補体を含み、それらの構造は、化学修飾を含む。限定されない例によって、そのような修飾は、修飾塩基、および糖リン酸骨格が修飾または誘導された核酸を含む。それらの修飾は、例えば被験体への治療適用においてアンチセンス結合核酸として使用され得るように、修飾された核酸の化学的安定性を、少なくとも部分的に強化するために実行される。変異体核酸または改変体核酸およびそれらの相補体において、塩基の約１０％までがそのように変化され得る。
【００７０】
本発明の開示されたＮＯＶ１タンパク質は、配列が表１Ｂまたは表１Ｅに提供されている、インシュリン様成長因子結合タンパク質複合体−酸不安定性サブユニット様タンパク質を含む。本発明はまた、残基のいずれかが表１Ｂまたは表１Ｅに示された対応する残基から変化され得るが、インシュリン様成長因子結合タンパク質複合体−酸不安定性サブユニット様活性および生理学的機能を維持しているタンパク質を依然としてコードしている変異体または改変体タンパク質、またはそれらの機能的フラグメントを含む。変異体タンパク質または改変体タンパク質において、残基の約６０％までが、そのように変化され得る。
【００７１】
本発明はさらに、本発明の任意のタンパク質に免疫特異的に結合する、抗体およびＦａｂまたは（Ｆａｂ）２のような抗体フラグメントを含む。
【００７２】
本発明に対して上で定義された情報により、本インシュリン様成長因子結合タンパク質複合体−酸不安定性サブユニット様タンパク質（ＮＯＶ１）は「インシュリン様成長因子結合タンパク質複合体−酸不安定性サブユニットファミリー」のメンバーとして機能し得ることが示唆される。したがって、本明細書で同定されたＮＯＶ１核酸およびＮＯＶ１タンパク質は、以下に示されるような種々の病理および障害（それらに限定されないが）に関与する潜在的な治療適用において有用であり得る。本発明に対する潜在的な治療適用としては、以下が挙げられるが、これらに限定されない：タンパク質治療法、低分子薬物標的、抗体標的（治療抗体、診断抗体、薬物標本抗体／細胞毒性抗体）、診断および／または予的マーカー、遺伝子治療（遺伝子送達／遺伝子切除）、研究道具、本明細書中で定義された組織型および細胞型（それらに限定されないが）を含有する、全ての組織型および細胞型のインビボおよびインビトロでの組織再生。
【００７３】
本発明のＮＯＶ１核酸およびＮＯＶ１タンパク質は、以下に示されるような種々の病理および障害（それらに限定されないが）を含む癌に関与する潜在的な治療適用において有用である。例えば、インシュリン様成長因子結合タンパク質複合体−酸不安定性サブユニット様タンパク質（ＮＯＶ１）をコードするｃＤＮＡは、遺伝子治療において有用であり得、インシュリン様成長因子結合タンパク質複合体−酸不安定性サブユニット様タンパク質（ＮＯＶ１）は、それを必要とする被験体に投与する際に、有用であり得る。非限定的な例によって、本発明の組成物は、癌、膀胱炎、失禁、妊性、心筋疾患、アテロスクレローゼ、高血圧症、先天性心臓欠陥、大動脈狭窄症、心房中隔欠損症（ＡＳＤ）、房室（Ａ−Ｖ）管欠損、動脈管、肺動脈弁狭窄症、大動脈弁下部狭窄症、心室中隔欠損症（ＶＳＤ）、弁疾患、結節硬化症、硬皮症、肥満症、移植回復に罹患した患者の処置に対する有効性を有する。本発明のインシュリン様成長因子結合タンパク質複合体−酸不安定性サブユニット様タンパク質またはそのフラグメントをコードするＮＯＶ１核酸は、診断適用においてさらに有用であり得、ここで核酸またはタンパク質の存在または量が、評価されるべきである。
【００７４】
ＮＯＶ１核酸およびＮＯＶ１ポリペプチドは、治療方法または診断方法における使用のための、新規のＮＯＶ１物質へ免疫特異的に結合する抗体の産生においてさらに有用である。これらの抗体は、以下の「抗ＮＯＶＸ抗体」節中に記載されているように、疎水性チャートからの予測を用いて、当該技術分野中で公知の方法にしたがって生成され得る。開示されたＮＯＶ１タンパク質は、多数の親水性領域を有し、それらの各々は、免疫源として使用され得る。一つの実施形態において、予想されたＮＯＶ１エピトープは、アミノ酸約１０〜５０由来である。別の実施形態において、ＮＯＶ１エピトープは、アミノ酸約８０〜１２０由来である。さらなる実施形態において、ＮＯＶ１エピトープは、アミノ酸約１８０〜２２０由来、アミノ酸約２３０〜３００由来、アミノ酸約３３０〜３５０由来、アミノ酸約３７０から４００由来、アミノ酸約４８０〜５４０由来、アミノ酸約５５０〜５６０由来、およびアミノ酸約６２０〜８４０由来である。これらの新規のタンパク質は、様々なヒトの障害の機能的分析のためのアッセイ系において使用され得、そのことは、疾患の病理学の理解および様々な障害に対する新規薬物標的の発展の助けとなる。
【００７５】
（ＮＯＶ２）
新規アトラクチン様タンパク質をコードする、３６０９ヌクレオチド（１０１５９９９２９＿ＥＸＴ１とも呼ばれる）の開示されたＮＯＶ２核酸は、表２Ａに示される。ヌクレオチド７〜９のＡＴＧ開始コドンで始まり、ヌクレオチド３５６２〜３５６４のＴＡＡコドンで終了する、一つのオープンリーディングフレームを同定した。開始コドンから上流の推定非翻訳領域および終始コドンから下流の推定非翻訳領域に、表２Ａ中で下線を施し、開始コドンおよび終始コドンは太字にする。
【００７６】
【表２Ａ】
2004527222.tif 000023
染色体１０に局在化された、開示されたＮＯＶ２核酸配列は、マウス由来のアトラクチンタンパク質ｍＲＮＡ（ＧＥＮＢＡＮＫ−ＩＤ：ＡＦ１１９８２１）と同一な、６９４塩基のうち４９４塩基（７１％）を有する（Ｅ＝２．９ｅ−２０４）。
【００７７】
配列番号６によってコードされたＮＯＶ２ポリペプチド（配列番号７）は、１１８５アミノ酸残基を有し、表２Ｂに一文字表記を用いて表される。ＳｉｇｎａｌＰ、Ｐｓｏｒｔおよび／またはＨｙｄｒｏｐａｔｈｙ結果は、ＮＯＶ２がシグナルペプチドを含まず、０．３６００の確実性でミトコンドリア膜空間に局在化される可能性があることを予測する。他の実施形態において、ＮＯＶ２はまた、０．３０００の確実性でミクロボディー（ペルオキシソーム）に、または０．１０００の確実性でリソソーム（内腔）へ局在化され得る。
【００７８】
【表２Ｂ】
2004527222.tif 000024
開示されたＮＯＶ２アミノ酸配列は、１１９８アミノ酸残基のヒト由来アトラクチンタンパク質（ＳＰＴＲＥＭＢＬ−ＩＤ：Ｏ７５５８２）と１１９７アミノ酸残基のうち７０３アミノ酸残基（５８％）の同一性、および１１９７アミノ酸残基のうち８９５アミノ酸残基（７４％）の類似性を有し（Ｅ＝０．０）、１１９８アミノ酸残基のヒト可溶性アトラクチン−１  タンパク質（ｐａｔｐ：ＡＡＹ７０６８９）と１１９７アミノ酸残基のうち７０３アミノ酸残基（５８％）の同一性、１１９７アミノ酸残基のうち８９５アミノ酸残基（７４％）の類似性を有する（Ｅ＝０．０）。
【００７９】
ＮＯＶ２は、少なくとも以下の組織中に発現されている：脳、腎臓、筋肉、膵臓、前立腺、子宮、胸部、大腸、卵巣、および肝臓。さらに、この配列は、マウス中のしっかりと関連したアトラクチンホモログの発現パターン（ＧＥＮＢＡＮＫ−ＩＤ：ＡＦ１１９８２１）に起因して、以下の組織中で発現されていると予測される：脳、心臓、腎臓、肝臓、肺、皮膚、脊髄、および下垂体。
【００８０】
ＮＯＶ２はまた、表２Ｃ中に列挙されたＢＬＡＳＴＰデータ中に示されたアミノ酸配列と相同性を有する。
【００８１】
【表２Ｃ】
2004527222.tif 000025
これらの配列の相同性は、表２Ｄに示されるＣｌｕｓｔａｌＷ解析において、図式的に示される。
【００８２】
【表２Ｄ】
2004527222.tif 000026
2004527222.tif 000027
2004527222.tif 000028
2004527222.tif 000029
2004527222.tif 000030
表２Ｅ〜表２Ｉは、ＮＯＶ２に対するＤＯＭＡＩＮ解析結果からのドメイン記述を列挙する。これは、ＮＯＶ２配列がこのドメインを含むと知られている他のタンパク質の特性と類似の特性を有することを示す。
【００８３】
【表２Ｅ】
2004527222.tif 000031
【００８４】
【表２Ｆ】
2004527222.tif 000032
【００８５】
【表２Ｇ】
2004527222.tif 000033
【００８６】
【表２Ｈ】
2004527222.tif 000034
【００８７】
【表２Ｉ】
2004527222.tif 000035
本発明のタンパク質は、タンパク質アトラクチンと非常に相同であり、活性化Ｔ細胞中で膜結合性分子または分泌性分子（スプライス改変体に依存する）である。これはプロテアーゼ活性を有し、細胞が相互作用しクラスターを形成し得る、サイトカインのＮ末端およびケモカインのＮ末端を修飾すると考えられる。可溶性アトラクチンのマウスオルトログ（ｏｒｔｈｏｌｏｇ）は、肥満および代謝の調節において役割を果たすことが示されている。本発明のタンパク質は、ＣＵＢドメインおよびケルク（ｋｅｌｃｈ）モチーフのような、タンパク質−タンパク質相互作用に関与する特徴的なドメインを示す。これはまた、４プレクシンリピート、レクチンＣ型ドメインおよび二つのラミニンＥＧＦ様ドメインの存在を示し、それにより、アトラクチンとそのドメイン構造を共有していることを示す。アトラクチンは、本発明のタンパク質のようにミトコンドリアマトリクスに局在化されていると予想されるが、これは細胞膜において膜貫通タンパク質として分泌されるか局在化されるかどちらかである。したがって、本発明のタンパク質は、発現される組織において種々の生理学的役割を有し得る。
【００８８】
アトラクチンは、活性化Ｔ細胞上で急速にアップレギュレートする膜結合分子である（Ｄｕｋｅ−Ｃｏｈａｎ  ＪＳら  Ａｄｖ  Ｅｘｐ  Ｍｅｄ  Ｂｉｏｌ  ２０００；４７７：１７３−８５）。これは、細胞外誘導タンパク質および発生タンパク質のＣＵＢファミリーのメンバーであり、ジペプチジルペプチダーゼＩＶ（ＤＰＰＩＶ／ＣＤ２６）のプロテアーゼ活性と類似のプロテアーゼ活性をそれらと共有する。最も著しくかつＣＤ２６とははっきり対照的に、これはＴ細胞から放出され、可溶性血清循環性アトラクチンの主要な源であると推定される。ゲノムの配列決定によって、可溶性形態が膜形態のタンパク質分解産物ではなく、実際には、代替的なスプライシングの結果であることが明らかになった。最近の結果は、マウス膜アトラクチンの損失が、皮膚の色素沈着およびエネルギー代謝の制御において厳密な影響を有するマホガニー変異を生じることを証明している。後のこれらの例の各々において、アトラクチンがサイトカインとそれらそれぞれのレセプターとの相互作用を和らげるという大きな見込みがある。アトラクチンは、いくつかのサイトカインおよびケモカインのＮ末端の捕捉およびタンパク質分解性修飾を介して、免疫系において類似の機能を果たすようである。この調節活性は、細胞が相互作用し、免疫制御性クラスターを形成するのを可能にし、その後、一旦、応答が開始すると、サイトカイン／ケモカイン活性のダウンレギュレートを助力する。これら二つの特徴は、膜に発現されるアトラクチンの可溶性アトラクチンに対するバランスによって影響を受けるようである。
【００８９】
アトラクチンは、最初は、ジペプチジルペプチダーゼＩＶ活性を有し、活性化Ｔリンパ球によって発現され、放出される可能性ヒト血漿タンパク質として同定された。これはまた、色素沈着およびエネルギー代謝の制御と関連するマウスマホガニー遺伝子の産物として、同定される。（Ｔａｎｇ  Ｗら、Ｐｒｏｃ  Ｎａｔｌ  Ａｃａｄ  Ｓｃｉ  Ｕ  Ｓ  Ａ  ２０００  Ｍａｙ  ２３；９７（１１）：６０２５−３０）。しかし、マホガニー産物は膜貫通タンパク質であり、分泌形態に加えて、ヒト膜アトラクチンの可能性を上昇させる。ヒトアトラクチンのゲノム構造により、可溶性アトラクチンは、ヒト染色体２０ｐ１３上の２５の連続したエクソンの転写から、生じることが明らかとなり、ここで、３’末端エクソンは終始コドンおよびポリアデニル化シグナルを含む、長期散在性核要素−１（ＬＩＮＥ−１）レトロトランスポゾン要素を含む。膜アトラクチンのｍＲＮＡアイソフォームは、ＬＩＮＥ−１エクソンにわたってスプライシングされ、組織的に膜貫通ドメインおよび細胞質ドメインをコードし、マウスの遺伝子のエクソンにほとんど同一な潜在性をコード化する５つのエクソンを含む。逆転写ＰＣＲによって測定された可溶性アイソフォームおよび膜貫通アイソフォームの相対量は、リンパ組織中で別個に調節されている。植物性赤血球凝集素を有する末梢血性リンパ球の活性化は、可溶性アトラクチンの放出前に細胞表面のアトラクチンの強い発現を誘導するので、これらの結果は、哺乳類に特有のゲノム事象（ＬＩＮＥ−１挿入）が、炎症反応の間の細胞相互作用を制御するための進化的な機構を提供することを示唆する。
【００９０】
マホガニー／アトラクチン遺伝子（Ａｔｒｎ）は、アグーチ（Ａｇｏｕｔｉ）シグナル伝達の下流メディエータとして、提唱された。なぜなら、黄色い髪の色および致死性黄色（Ａ（ｙ））マウスの肥満は、マホガニー（Ａｔｒｎ（ｍｇ））変異によって抑制されるからである。（Ｌｕ  Ｘｙら、ＦＥＢＳ  Ｌｅｔｔ  １９９９  Ｎｏｖ  ２６；４６２（１−２）：１０１−７）。本研究は、インサイチュハイブリダイゼーションによる脳および脊髄中のＡｔｒｎ  ｍＲＮＡの分布を検査した。Ａｔｒｎ  ｍＲＮＡが、中枢神経系中のいたるところに、嗅覚系の領域、いくつかの辺縁系の構造、脳幹の領域、小脳および脊髄中に高レベルで、広く分布しているのが見出された。視床下部中で、Ａｔｒｎ  ｍＲＮＡは、超キアズマ的核、視索上核、内側視索前核、視床下部室傍核、視床下部腹内側核、および弓状核を含む、特定の核中に見出された。これらの結果は、Ａｔｒｎ遺伝子産物に対する生理学的機能の広範なスプクトルを示唆する。
【００９１】
実験法の完全に異なる工程は、アトラクチンを同定し、このアトラクチンは、生理学的過程を制御する多くの役割を有するようであるタンパク質である。（Ｊａｃｋｓｏｎ  ＩＪ  Ｔｒｅｎｄｓ  Ｇｅｎｅｔ  １９９９  Ｎｏｖ；１５（１１）：４２９−３１）。アトラクチンは、メラニン細胞上の受容体においてアゴニストとアンタゴニストとの間のバランスに影響し、挙動および基礎代謝速度を変更し、活性化Ｔ細胞とマクロファージとの間の相互作用を媒介する。アトラクチンは、肥満を処置するための薬物の開発のための標的に十分であり得る。
【００９２】
アグーチタンパク質およびアグーチ関連タンパク質は、メラノコルチンレセプターを介するシグナル伝達を拮抗させることによって、通常、髪の毛の色および体重それぞれを調節する、相同なパラクリンシグナル伝達分子である（Ｇｕｎｎ  ＴＭら、Ｎａｔｕｒｅ  １９９９  Ｍａｒ  １１；３９８（６７２３）：１５２−６）。アグーチの発現は、通常皮膚に限定されるが、アグーチが遍在的に発現される希少な対立遺伝子（例えば、致死黄色）は、黄色被覆、肥満、増加した一次成長、および免疫欠陥を含む多面発現性効果を有する。マホガニー（ｍｇ）変異は、致死黄色の色素沈着および体重に対する効果を抑制し、本発明者らの以前の遺伝学的研究の結果によって、ｍｇをアグーチの転写の下流であるがメラノコルチンレセプターの上流に配置する。ここで、ポジショナルクローニングは、マホガニー、Ｍｇｃａに対する候補遺伝子を同定するために使用された。Ｍｇｃａによってコードされる予想されたタンパク質は、１，４２８アミノ酸、単一の膜貫通ドメインのタンパク質であり、色素細胞および視床下部を含む多くの組織中で発現される。Ｍｇｃａタンパク質の細胞外ドメインは、ヒトアトラクチンのオルソログであり、免疫−細胞相互作用に関連する活性化Ｔ細胞によって産生される循環分子である。これらの観察は、エネルギー代謝の調節に新規の洞察を提供し、メラノコルチンレセプターシグナル伝達と免疫機能との間のクロストークに対する分子的基礎を示す。
【００９３】
アトラクチンは、１７５ｋＤａの正常なヒト血清糖タンパク質であり、活性化Ｔ細胞上に急速に発現され、４８〜７２時間後に細胞外に放出される。（Ｄｕｋｅ−Ｃｏｈａｎ  ＪＳら、Ｐｒｏｃ  Ｎａｔｌ  Ａｃａｄ  Ｓｃｉ  Ｕ  Ｓ  Ａ  １９９８  Ｓｅｐ  １５；９５（１９）：１１３３６−４１）。アトラクチンはクローン化され、その天然の血清形態において、非増殖性Ｔリンパ球のクラスター化（ｃｌｕｓｔｅｒｉｎｇ）のための核となる単球の分散を媒介する。推定セリンプロテアーゼの触媒セリン、４つのＥＧＦ様モチーフ、ＣＵＢドメイン、Ｃ型レクチンドメイン、および共通のγサイトカイン鎖のリガンド結合領域と相同なドメインを有する１３４ｋＤａのタンパク質をコードする、造血性組織特異的発現を伴う２つのｍＲＮＡ種が存在する。後者の二つのドメインを除いて、全体構造はＣａｅｎｏｒｈａｂｄｉｔｉｓ  ｅｌｅｇａｎｓ  Ｆ３３Ｃ８．１タンパク質と高い相同性を共有し、そのことはアトラクチンが進化した新規ドメインおよび細胞媒介性免疫の発生に応じた機能を有することを示唆する。
【００９４】
アトラクチン様タンパク質をコードする本発明の開示されたＮＯＶ２核酸は、配列が表２Ａに提供された核酸またはそのフラグメントを含む。本発明はまた、それらのあらゆる塩基が表２Ａに示された対応する塩基から変化され得るが、アトラクチン様活性および生理学的機能を維持するタンパク質をなおコードする変異体核酸または改変体核酸、またはそのような核酸のフラグメントも含む。本発明はさらに、配列が先程記載したばかりの配列と相補的である核酸を含む。これは、先程記載したばかりの核酸のいずれかと相補的である核酸フラグメントを含む。本発明はさらに、それらの構造が化学的修飾を含む核酸または核酸フラグメントまたはそれらの相補体を含む。非限定的な例によって、このような修飾は、修飾塩基、および糖リン酸骨格が修飾された、または誘導体化された核酸を含む。これらの修飾は、例えばそれらが被験体への治療適用においてアンチセンス結合核酸として使用され得るように、修飾された核酸の化学的安定性を、少なくとも部分的に強化するように行われる。変異体核酸または改変体核酸およびそれらの相補体において、塩基の約２９％までがそのように変化され得る。
【００９５】
本発明の開示されたＮＯＶ２タンパク質は、配列が表２Ｂに提供されるアトラクチン様タンパク質を含む。本発明はまた、それらのあらゆる残基が表２Ｂに示された対応する残基から変化され得るが、アトラクチン様活性および生理学的機能を維持するタンパク質をなおコードする変異体核酸あるいは改変体核酸、またはそれらの機能的なフラグメントも含む。変異体タンパク質または改変体タンパク質において、残基の４３％までがそのように変化され得る。
【００９６】
本発明のＮＯＶ２核酸およびＮＯＶ２タンパク質は、フォン・ヒッペル−リンドウ症候群（ＶＨＬ）、アルツハイマー病、発作、結節硬化症、高カルシウム血症、パーキンソン病、ハンティングトン病、脳性麻痺、てんかん、多発性硬化症、毛細血管拡張性運動失調、白室萎縮、行動障害、嗜癖、不安、疼痛、神経変性、糖尿病、自己免疫疾患、腎動脈狭窄、間質性腎炎、糸球体腎炎、多発性嚢胞腎疾患、全身性エリテマトーデス、尿細管性アシドーシス、ＩｇＡ腎症、高カルシウム血症、糖尿病、膵炎、肥満、子宮内膜症、不妊症、ヒルシュスプルング病、クローン病、虫垂炎、筋ジストロフィー、レッシュナイハン症候群、重症筋無力症、肝硬変、肝機能不全、乳癌、卵巣癌、前立腺癌、子宮癌、および／または他の病理／障害に関する潜在的な治療適用において有用である。アトラクチン様タンパク質をコードするＮＯＶ２核酸、および本発明のアトラクチン様タンパク質、またはそれらのフラグメントは、核酸またはタンパク質の存在または量が評価される、診断適用においてさらに有用であり得る。
【００９７】
ＮＯＶ２核酸およびＮＯＶ２ポリペプチドは、治療方法または診断方法のための、本発明の新規物質に免疫特異的に結合する抗体の産生にさらに有用である。これらの抗体は、以下の「抗ＮＯＶＸ抗体」節に記載されているように、疎水性チャートからの予測を使用し、当該技術分野で公知の方法に従って生成され得る。開示されたＮＯＶ２タンパク質は、多数の疎水性領域を有し、その領域はそれぞれ免疫源として使用され得る。一つの実施形態において、意図されたＮＯＶ２エピトープは、アミノ酸約１〜２０由来である。別の実施形態において、ＮＯＶ２エピトープは、アミノ酸約５０〜１３０由来である。さらなる実施形態において、ＮＯＶ２エピトープは、アミノ酸約１４０〜１５０由来、アミノ酸約１８０〜３８０由来、アミノ酸約４００〜５００由来、アミノ酸約５３０〜５５０由来、アミノ酸約５８０〜６８０由来、アミノ酸約７００〜７４０由来、アミノ酸約７６０〜７８０由来、アミノ酸約８２０〜９００由来、およびアミノ酸約９５０〜１２００由来である。これらの新規のタンパク質は、様々なヒト障害の機能的解析のためのアッセイ系において使用され得、このタンパク質は、疾患の病理の理解および様々な障害に対する新規薬物標的の開発に有用である。
【００９８】
（ＮＯＶ３）
ＮＯＶ３は、以下で開示される、３つの新規のインスリン様増殖因子結合タンパク質複合体−酸不安定性（Ａｃｉｄ  Ｌａｂｉｌｅ）サブユニット（ＩＧＦＢＰ−ＡＬＳ）様タンパク質を含む。開示される配列は、ＮＯＶ３ａおよびＮＯＶ３ｂと名付けられた。
【００９９】
（ＮＯＶ３ａ）
新規キナーゼ様タンパク質をコードする、６２０１ヌクレオチドの開示されたＮＯＶ３ａ核酸（または１２４２１７９３１＿ＥＸＴと称される）が、表３ａにおいて示される。オープンリーディングフレームはヌクレオチド５７位〜５９位にあるＡＴＧ開始コドンにて開始し、そしてヌクレオチド６１９９位〜６２０１位にあるＴＧＡコドンにて終結することを同定された。開始コドンおよび終止コドンはボールド文字である。
【０１００】
【表３Ａ】
2004527222.tif 000036
2004527222.tif 000037
2004527222.tif 000038
開示されたＮＯＶ３ａ核酸配列は第１３染色体に位置づけられ、そしてＭｕｓ  ｍｕｓｃｕｌｕｓ由来のｒｈｏ／ｒａｃ相互作用性シトロンキナーゼ（Ｃｒｉｋ）ｍＲＮＡ（ＧＥＮＢＡＮＫ−ＩＤ：ＡＦ０８６８２４）に対して、６１５８塩基のうち同一な５５１８塩基（８９％）（Ｅ＝０．０）を有する。
【０１０１】
配列番号８によりコードされる、開示されたＮＯＶ３ａタンパク質（配列番号９）は２０６６アミノ酸残基を有し、そして１文字コードを使用して、表３Ｂにおいて提示される。Ｓｉｇｎａｌ  Ｐ、Ｐｓｏｒｔおよび／またはＨｙｄｒｏｐａｔｈｙの結果は、ＮＯＶ３ａがシグナルペプチドを有さず、そして０．９８００の確実性で核に局在しそうであることを予測する。別の実施形態では、ＮＯＶ３ａは０．３０００の確実性で微小体（ペルオキソーム）に、０．１０００の確実性でミトコンドリア膜空間に、または０．１０００の確実性でリソソーム（細胞内腔）にもまた局在しそうである。
【０１０２】
【表３Ｂ】
2004527222.tif 000039
開示されたＮＯＶ３ａアミノ酸は、Ｍｕｓ  ｍｕｓｃｕｌｕｓ由来の２０５５アミノ酸残基のｒｈｏ／ｒａｃ相互作用性シトロンキナーゼ（Ｃｒｉｋ）タンパク質（ＳＰＴＲＥＭＢＬ−ＡＣＣ：Ｏ８８９３８）に対して、２０５３アミノ酸残基のうち同一な１９６９アミノ酸残基（９５％）を、２０５３アミノ酸残基のうち類似な２００９アミノ酸残基（９７％）を有する（Ｅ＝０．０）。
【０１０３】
ＮＯＶ３ａのＴａｑＭａｎ発現データは、以下の実施例２に見出される。
【０１０４】
（ＮＯＶ３ｂ）
新規のＲＨＯ／ＲＡＣ相互作用性シトロンキナーゼ様をコードする、開示された６１８９ヌクレオチドの開示されたＮＯＶ３ｂ核酸（ＣｕｒａＧｅｎ  Ａｃｃ．Ｎｏ．ＣＧ１０６７６４−０１に割り当てられる）が、表３Ｃにおいて示される。オープンリーディングフレームはヌクレオチド１位〜３位にあるＡＴＧ開始コドンにて開始し、そしてヌクレオチド６１６０位〜６１６２位にあるＴＡＡコドンにて終結することを同定された。終止コドン下流の推定非翻訳領域は表３Ｃにおいて下線で示され、そして開始コドンおよび終止コドンはボールド文字である。
【０１０５】
【表３Ｃ】
2004527222.tif 000040
2004527222.tif 000041
本説明の開示されたＮＯＶ３ｂ核酸配列は、Ｈｏｍｏ  ｓａｐｉｅｎｓ由来のＫＩＡＡ１５３１  ｍＲＮＡ（ＧＥＮＢＡＮＫ−ＩＤ：ＡＢ０４０９６４）と、２９０８塩基のうち同一な２８９４塩基（９９％）を有する（Ｅ＝０．０）。
【０１０６】
配列番号１０によりコードされるＮＯＶ３ｂポリペプチド（配列番号１１）は、２０５３アミノ酸残基であり、そして１文字コードを使用して、表３Ｄにおいて提示される。Ｓｉｇｎａｌ  Ｐ、ＰｓｏｒｔおよびＨｙｄｒｏｐａｔｈｙ、Ｐｓｏｒｔ、ならびに／またはＳｉｇｎａｌ  Ｐのデータは、ＮＯＶ３ｂタンパク質がシグナルベプチドを全く有さず、そして０．９８００の確実性で核に局在し得ることを示唆する。別の実施形態では、ＮＯＶ３ｂは０．３００の確実性で微小体（ペルオキソーム）に、０．１００の確実性でミトコンドリアマトリックス空間に、または０．１００の確実性でリソソーム（細胞内腔）にもまた局在しそうである。
【０１０７】
【表３Ｄ】
2004527222.tif 000042
2004527222.tif 000043
開示されたＮＯＶ３ｂアミノ酸配列は、Ｈｏｍｏ  ｓａｐｉｅｎｓ由来の１０６０アミノ酸残基のプレカリクレイン様タンパク質であるＫＩＡＡ１５３１タンパク質（ＢＡＡ９６０５５）に対して、６４７アミノ酸残基のうち同一な６３８アミノ酸残基（９８％）を、６４７アミノ酸残基のうち類似な６４３アミノ酸残基（９９％）を有する（Ｅ＝０．０）。
【０１０８】
ＮＯＶ３ｂは主に正常な脳において発現するが、他の正常組織においては発現しない。より低い発現がいくつかの腫瘍型において見られる。
【０１０９】
ＮＯＶ３ｂはまた、表３Ｅにおいて記されたＢＬＡＳＴＰデータにて示されるアミノ酸配列に対して相同性を有する。
【０１１０】
【表３Ｅ】
2004527222.tif 000044
これらの配列の相同性は、表３Ｆにおいて示されるＣｌｕｓｔａｌＷ分析にて図示される。
【０１１１】
【表３Ｆ】
2004527222.tif 000045
2004527222.tif 000046
2004527222.tif 000047
2004527222.tif 000048
2004527222.tif 000049
2004527222.tif 000050
表３Ｇ〜Ｋは、ＮＯＶ３ｂに対してのＤＯＭＡＩＮ分析結果からのドメイン記載を記す。このことは、ＮＯＶ３配列がこのドメインを含むことが公知の他のタンパク質と類似の特性を有することを示す。
【０１１２】
【表３Ｇ】
2004527222.tif 000051
【０１１３】
【表３Ｈ】
2004527222.tif 000052
【０１１４】
【表３Ｉ】
2004527222.tif 000053
【０１１５】
【表３Ｊ】
2004527222.tif 000054
【０１１６】
【表３Ｋ】
2004527222.tif 000055
最近のデータは、筋緊張性ジスロトフィーキナーゼファミリー（ＤｉＣｕｎｔｏら、Ｅｕｒ  Ｊ  Ｉｍｍｕｎｏｌ  ２０００年１２月；３０（１２）：３４０３−１０）に属する新規セリン／スレオニンキナーゼの同定を示す。そのキナーゼは少なくとも２つの異なるアイソフォームにて生産され得る：およそ２４０−ｋＤａのタンパク質（シトロン−Ｒｈｏ相互作用性キナーゼ、ＣＲＩＫ）（そのキナーゼドメインがシトロンの配列の下流にあり、以前に同定されたＲｈｏ／Ｒａｃ結合タンパク質である）；およそ５４−ｋＤａのタンパク質（ＣＲＩＫ−ショートキナーゼ（ＳＫ））（それは大部分がキナーゼドメインからなる）。ＣＲＩＫタンパク質およびＣＲＩＫ−ＳＫタンパク質を、ＣＯＳ７細胞に導入して発現させた後のインビトロキナーゼアッセイによって試験した場合、外来性基質のリン酸化能および自己リン酸化能を有する。ＣＲＩＫキナーゼ活性は、恒常的に活性なＲｈｏの共発現により数倍に増加されるが、活性なＲａｃはより限定的な効果を有する。内在性ＣＲＩＫのキナーゼ活性は、タンパク質のシトロン部分を認識する抗体を用いた免疫沈降の後のインビトロキナーゼアッセイにより示される。ケラチノサイトにおいて発現させる場合、全長のＣＲＩＫは細胞質微粒構造体に局在し、そしてこれらの細胞質微粒構造体の中にアクチンを補充させるが、ＣＲＩＫ−ＳＫはそうではない。以前に報告されたＲｈｏ関連キナーゼのＲＯＣＫＩおよびＲＯＣＫＩＩは普遍的に発現される。対照的に、ＣＲＩＫは限定された発現パターンを提示し、このことはこのキナーゼが特定の細胞型においてより特定された機能を果たし得ることを示唆する。
【０１１７】
Ｔ細胞レセプター（ＴＣＲ）結合は、ＡＰＣに対するインテグリン媒介性の接着を増大させ、Ｔ細胞−ＡＰＣ相互作用の安定化および２つの細胞膜の近位付加を起こす。ＴＣＲまたはＣＤ３キメラのいずれかと１つの固定化抗体との結合は、インテグリン非依存性様式（ＢｏｒｒｏｔｏらＥｕｒ  Ｊ  Ｉｍｍｕｎｏｌ  １９９９年１１月；２９（１１）：３６０９−２０）にてＴ細胞の急速な拡散を引き起こす。この効果はアクチン細胞骨格のポリマー体化と同調し、そして免疫レセプターのチロシンを基にした、ＣＤ３サブユニットの活性化モチーフの完全性に依存する。ＲｈｏＡのドミナントネガティブ変異体の発現、およびＲｈｏ特異的インヒビターであるＣ３トキシンは、ＴＣＲ誘導性拡散を打ち消した。対照的に、恒常的に活性なＲａｃまたはドミナントネガティブな形態のＲａｃおよびＣｄｃ４２は細胞の拡散に影響しなかった。ＴＣＲから発するシグナルは、インテグリン非依存的に、そしてＲｈｏ依存的なアクチン細胞骨格の再構成を通して、直接的にＴ細胞の拡散を誘導し得る。
【０１１８】
運動性リンパ球は、異なる接着分子（ＩＣＡＭ、ＣＤ４３およびＣＤ４４）、ならびに、細胞−細胞相互作用およびリンパ球の補充において重要な機能を有する微小な膜状仮足（ｓｌｅｎｄｅｒ  ｐｏｓｔｅｒｉｏｒ  ａｐｐｅｎｄａｇｅ）である、尾脚（ｕｒｏｐｏｄ）に濃縮されたＥＲＭアクチン結合タンパク質を有する分極した形態を選択する。リンパ球の極性および移動の制御下でのＧＴＰアーゼのＲｈｏファミリー（Ｒｈｏ、ＲａｃおよびＣｄｃ４２）の役割は、外部より導入されたＲｈｏ  ＧＴＰアーゼ変異体の効果の分析により研究されてきた。分極した運動性形態を恒常的に示すＴ細胞株にＲｈｏＡ、Ｒａｃ１およびＣｄｃ４２の活性化変異体をトランスフェクションすることは、細胞の極性を弱めた。Ｒａｃのグアノシンヌクレオチド交換因子Ｔｉａｍ−１は、活性化Ｒａｃ１と同様の効果を誘導した。逆に、３つのＧＴＰ結合性タンパク質のドミナントネガティブ形体は、インテグリン依存性様式にて尾脚に対するＩＣＡＭ−３およびモエシンの再分散を伴う、丸い形のＴ細胞において分極した表現型を誘導した。他方では、ドミナントネガティブのＣｄｃ４２および３つのＲｈｏ  ＧＴＰアーゼ全ての活性化変異体の過剰発現は、ＳＤＦ−１アルファ誘導性のＴ細胞走化性を有意に阻害した。併せると、これらのデータは、Ｒｈｏ  ＧＴＰアーゼがリンパ球の極性およびケモカイン誘導性の移動を制御し、そしてリンパ球の指向性移動におけるＣｄｃ４２の重要な役割を強調することを、実証する。
【０１１９】
活性化Ｒｈｏ  ＧＴＰアーゼは、特徴的なキナーゼカスケードを開始させる。特に、ＲＯＣＫがＲｈｏに結合し、そしてこの会合によりそのキナーゼ活性が緩やかに刺激される。ＲｈｏおよびＲａｃの特異的相互作用体であるシトロン分子（Ｍａｄａｕｌｅら、１９９５）は、ＲＯＣＫと構造上有意な程度の相同性を共有する；しかし、そのキナーゼドメインの欠損がその生物学的機能についての疑問を生じる。マウス初代ケラチノサイトｃＤＮＡライブラリーのＰＣＲによって、Ｄｉ  Ｃｕｎｔｏら（１９９８）は、筋緊張性ジストロフィーキナーゼファミリーに属する、新規セリン／スレオニンキナーゼであるＣＲＩＫ（シトロンＲｈｏ相互作用キナーゼ）を同定した。ＣＲＩＫは少なくとも２つのアイソフォームとして発現し得、１つはそのほぼ全体において以前に報告された型のシトロンを含む。ＣＲＩＫのロングフォームは、キナーゼドメインがシトロン配列の後に続く、２４０−ｋＤのタンパク質である。ショートフォームのＣＲＩＫ−ＳＫ（ショートキナーゼ）は、主にキナーゼドメインからなる、およそ５４−ｋＤのタンパク質である。ＣＲＩＫタンパク質およびＣＲＩＫ−ＳＫタンパク質は、ＣＯＳ７細胞に導入して発現させた後のインビトロキナーゼアッセイによって試験する場合、外来性基質のリン酸化能および自己リン酸化能を有する。ＣＲＩＫキナーゼ活性は、恒常的に活性なＲｈｏの共発現により数倍に増加されるが、活性なＲａｃはより限定的な効果を有する。内在性ＣＲＩＫのキナーゼ活性は、タンパク質のシトロン部分を認識する抗体を用いた免疫沈降の後のインビトロキナーゼアッセイによって示される。ケラチノサイトにおいて発現される場合、全長のＣＲＩＫは細胞質微粒構造体に局在し、そしてこれらの細胞質微粒構造体にアクチンを補充させるが、ＣＲＩＫ−ＳＫはそうではない。以前に報告されたＲｈｏ関連キナーゼのＲＯＣＫ１およびＲＯＣＫ２は普遍的に発現する。マウス組織のノーザンブロット分析は、ケラチノサイト、脳、脾臓、肺、腎臓に限定された発現の制限されたパターンを示し、そして特に強いシグナルを精巣において、示した。心臓、肝臓または骨格筋においては、発現を全く検出できなかった。ＣＲＩＫタンパク質は、キナーゼドメイン、コイルドコイルドメイン、ロイシンリッチドメイン、Ｒｈｏ−Ｒａｃ結合ドメイン、ジンクフィンガー領域、プレクストリン相同性ドメインおよび推定のＳＨ３−結合ドメインを含む。Ｄｉ  Ｃｕｎｔｏら（１９９８）はＣＲＩＫキナーゼドメインのヒトホモログのクローニングを報告した。彼らは、シトロンのヒトのホモログが染色体第１２ｑに位置付けられるＰＡＣクローン（ＧｅｎＢａｎｋ  ＧＥＮＢＡＮＫ  ＡＣ００２５６３）中に含まれることを記載した。５０ｋＤより大きいタンパク質をコードするｃＤＮＡに対してサイズ分画したヒト脳ｃＤＮＡライブラリーをスクリーニングすることにより、Ｎａｇａｓｅら（１９９９）はｃＤＮＡ  ＫＩＡＡ０９４９（ＧｅｎＢａｎｋ  ＧＥＮＢＡＮＫ  ＡＢ０２３１６６）としてＣＲＩＫを同定した。Ｄｉ  Ｃｕｎｔｏら（１９９８）は、ヒトＣＲＩＫ遺伝子を染色体第１２ｑ２４．１−ｑ２４．３に位置付けた。
【０１２０】
Ｄｉ  Ｃｕｎｔｏら（２０００）は、標的破壊によりシトロンキナーゼの欠失マウスを作製した。シトロン−Ｋ  −／−マウスはより遅い速度で成長し、重篤な運動失調であり、そして成体になる前に致命的なてんかん発作の結果として死亡する。それらの脳は、嗅球、海馬および小脳における微小ニューロンの劇的な喪失を伴う、神経発生欠損を示す。これらの異常は、中枢神経系の発生期に起こり、細胞質分裂の変更および広範囲のアポトーシスを原因とする。Ｄｉ  Ｃｕｎｔｏら（２０００）は、シトロン−Ｋが特異的な神経細胞前駆体のみにおいてインビボにて細胞質分裂に重要であると結論付けた。さらに、彼らは、中枢神経のヒト先天異常症候群の一部の新規分子機構を示唆した。
【０１２１】
ＲＨＯ／ＲＡＣ相互作用性シトロンキナーゼ様タンパク質をコードする、本発明の開示されたＮＯＶ３核酸は、表３Ａまたは表３Ｃにおいて提供される配列またはそのフラグメントの核酸を含む。本発明はまた、任意の塩基が表３Ａまたは表３Ｃにおいて示される、対応する塩基から変更され得るが、そのＲＨＯ／ＲＡＣ相互作用性シトロンキナーゼ様活性および生理学的機能を依然として維持するタンパク質をコードする、変異体核酸もしくは改変体核酸、またはそのような核酸のフラグメントを含む。本発明は、配列が本明細書で記載されたものに対して相補的な核酸をさらに含み、本明細書で記載された任意の核酸に対して相補的な核酸フラグメントを含む。さらに本発明は、構造が化学的改変を含む、核酸もしくは核酸フラグメント、またはそれらの相補物を含む。そのような改変は、非限定的な例として、改変された塩基および、糖リン酸基本骨格が改変されるかまたは糖リン酸基本骨格が由来する改変塩基および核酸を含む。これらの改変は少なくとも、一部において改変された核酸の化学的安定性を増強するために実施され、そのような肺変体は、例えば被験体での治療用途において核酸と結合するアンチセンスとして、使用され得る。核酸変異体または核酸改変体、およびそれらの相補体において、約１０％までの塩基がそのように変更され得る。
【０１２２】
本発明の開示されたＮＯＶ３タンパク質は、配列が表３Ｂまたは表３Ｄにおいて提示される、ＲＨＯ／ＲＡＣ相互作用性シトロンキナーゼ様タンパク質を含む。本発明はまた、任意の残基が表３Ｂまたは３Ｄにおいて示される対応する残基から変更され得るが、ＲＨＯ／ＲＡＣ相互作用性シトロンキナーゼ様活性および生理学的機能を依然として維持する、コードされるタンパク質である変異体タンパク質もしくは改変体タンパク質またはその機能フラグメントを含む。変異体タンパク質または改変体タンパク質において、約１３％までの残基がそのように変更され得る。
【０１２３】
本明細書中に開示されるＲＨＯ／ＲＡＣ相互作用シトロンキナ−ゼ様タンパク質および核酸（ＮＯＶ３）についてのタンパク質類似性情報、発現パターン、およびマップ位置は、ＮＯＶ３が、シトロンキナーゼ様ファミリーに特徴的な重要な構造機能および／または生理学的機能を有し得ることを示唆する。従って、本発明のＮＯＶ３核酸およびＮＯＶ３タンパク質は、潜在的な診断適用および治療適用に有用である。これらは、特異的もしくは選択的な、核酸診断マーカーおよび／もしくは核酸予後マーカーまたはタンパク質診断マーカーおよび／もしくはタンパク質予後マーカーとして役立つこと（その核酸もしくはそのタンパク質の存在、またはその核酸もしくはそのタンパク質の量が評価される）、ならびに以下のような潜在的な治療適用が挙げられる：（ｉ）タンパク質治療剤、（ｉｉ）低分子薬物標的、（ｉｉｉ）抗体標的（治療抗体、診断抗体、薬物標的抗体／細胞傷害性抗体）、（ｉｖ）遺伝子治療に有用な核酸（遺伝子送達／遺伝子切除）、ならびに（ｖ）インビトロおよびインビボでの組織再生を促進する組成物。
【０１２４】
本発明のＮＯＶ３核酸およびＮＯＶ３タンパク質は、下に記載する様々な疾患および障害に関係する潜在的な診断適用および治療適用に有用である。例えば、本発明の組成物は、以下に羅患している患者の治療に効力を有する；ぜん息、関節炎、乾癬、糖尿病、および活性Ｔ細胞を必要とするＩＢＤ、ならびにＢ細胞活性化を含む全身性エリテマトーデスのような疾患、自己免疫疾患、腎動脈狭窄、間質性腎炎、糸球体腎炎、多発性嚢胞腎疾患、尿細管性アシドーシス、ＩｇＡ腎症、高カルシウム血症、レッシュ―ナイハン症候群、フォン・ヒッペル―リンダウ（ＶＨＬ）症候群、アルツハイマー病、発作、結節硬化症、高カルシウム血症、パーキンソン病、ハンティングトン病、脳性麻痺、てんかん、多発性硬化症、毛細管拡張性運動失調、白質萎縮症、行動障害、嗜癖、不安、疼痛、細胞防護（Ｎｅｕｒｏｐｒｏｔｅｃｔｉｏｎ）、内分泌の機能不全、肥満、発育および再生障害、血友病、凝固能亢進（ｈｙｐｅｒｃｏａｇｕｌａｔｉｏｎ）、特発性血小板減少性紫斑病、アレルギー、免疫欠損、移植、リンパ水腫（Ｌｙｍｐｈａｅｄｅｍａ）、血友病、凝固能亢進、特発性血小板減少性紫斑病、免疫欠損、対宿主性移植片病、ヒルシュスプルング病、クローン病、虫垂炎、炎症性腸疾患、憩室性疾患、および／または他の病理。ＮＯＶ３核酸、またはそのフラグメントは、さらに診断適用において有用であり得、その診断適用において、その核酸またはタンパク質の、存在または量が評価される。
【０１２５】
ＮＯＶ３核酸およびＮＯＶ３ポリペプチドは、さらに治療方法または診断方法において使用するための、本発明の新規物質に免疫特異的に結合する抗体の産生に有用である。これらの抗体は、以下にある「抗ＮＯＶＸ抗体」の章に記載されるように、疎水性チャートからの予測を用いて、当該分野で公知の方法によって生成され得る。例えば、開示されるＮＯＶ３タンパク質は、複数の疎水性領域を有し、その各々は、免疫原として用いられ得る。１つの実施形態において、企図されるＮＯＶ３エピトープは、およそアミノ酸１〜２０である。別の実施形態において、ＮＯＶ３エピトープは、およそアミノ酸４０〜４５である。さらなる実施形態において、ＮＯＶ３エピトープは、およそアミノ酸１１０〜１５０、およそアミノ酸２１０〜３００、およそアミノ酸４１０〜９００、およそアミノ酸９５０〜１２００、およそアミノ酸１２５０〜１３００、およそアミノ酸１３１０〜１４５０、およそアミノ酸１４９０〜１５２０、およそアミノ酸１６５０〜１６８０、およそアミノ酸１８００〜１８２０、およそアミノ酸１９００〜１９２０、およびおよそアミノ酸１９８０〜２０５３である。この新規のタンパク質はまた、様々なヒト障害の機能分析のための強力なアッセイ系の開発において価値を有し、それは、その疾患の病理の理解および様々な障害の新しい薬物標的の開発の助けとなる。
【０１２６】
（ＮＯＶ４）
新規なプレキシン様タンパク質をコードする５６９１ヌクレオチドの開示されたＮＯＶ４核酸（ＣｕｒａＧｅｎ登録番号．１０５８２７５５０＿ＥＸＴと命名された）は、表４Ａに示される。ヌクレオチド１〜３のＡＴＧ開始コドンで始まり、ヌクレオチド５６８３〜５６８５のＴＧＡコドンで終わるオープンリーディングフレームが、同定された。終止コドンの下流の推定非翻訳領域は、表４Ａにおいて下線を付しており、そして、開始コドンおよび終止コドンは、太字である。
【０１２７】
【表４Ａ】
2004527222.tif 000056
2004527222.tif 000057
第７染色体に位置付けされたＮＯＶ４の核酸配列は、マウス由来のプレキシン−２  ｍＲＮＡ（ＧＥＮＢＡＮＫ−ＩＤ：Ｄ８６９４９）と同一な４００４塩基を５５６７塩基中に（７１％）有する（Ｅ＝０．０）。
【０１２８】
配列番号１２によってコードされるＮＯＶ４ポリペプチド（配列番号１３）は、１８９６アミノ酸残基であり、表４Ｂに１文字コードを用いて示される。Ｓｉｇｎａｌ  Ｐ、Ｐｓｏｒｔおよび／またはＨｙｄｒｏｐａｔｈｙの結果によって、ＮＯＶ４が、シグナルペプチドを有さず、確実性０．４６でおそらく原形質膜に局在化されることが予測される。他の実施形態において、ＮＯＶ４はまた、確実性０．１０００で小胞体（膜）に、確実性０．１０００で小胞体（内腔）に、または確実性０．１０００で細胞外に局在化され得る。
【０１２９】
【表４Ｂ】
2004527222.tif 000058
本発明のタンパク質の全アミノ酸配列は、マウス由来の１８８４アミノ酸残基のプレキシン−２タンパク質（ＳＰＴＲＥＭＢＬ−Ｐ７０２０７）と、同一な１２６３残基を１８５７アミノ酸残基のうちに有し（６８％）、類似する１５０１残基を１８５７アミノ酸残基のうちに有し（８０％）（Ｅ＝０．０）、そして２１３５アミノ酸残基のＨｕｍａｎ  Ｐｌｅｘｉｎタンパク質（ｐａｔｐ：ＡＡＵ０００１９）に対して、同一な３６４残基を８０１アミノ酸残基のうちに有し（４５％）、および類似する５２０残基を８０１アミノ酸残基のうちに有する（６４％）（Ｅ＝２．６−２８３）ことが見出された。
【０１３０】
開示されるＮＯＶ４タンパク質は、少なくとも以下の組織において発現される：線維芽細胞様滑膜細胞（正常）、胎児脳、脂肪、微小血管内皮細胞―肺、視床、胎児大脳皮質、側頭葉、頭頂葉、胎児小脳、および精巣。ＮＯＶ４についてのＴａｑＭａｎ発現データは、下記の実施例２に示される。
【０１３１】
ＮＯＶ４はまた、表４Ｃに列挙されるＢＬＡＳＴＰデータに示されるアミノ酸配列との相同性を有する。
【０１３２】
【表４Ｃ】
2004527222.tif 000059
これらの配列の相同性は、表４Ｄに示されるＣｌｕｓｔａｌＷ分析において図表的に示される。
【０１３３】
【表４Ｄ】
2004527222.tif 000060
2004527222.tif 000061
2004527222.tif 000062
2004527222.tif 000063
2004527222.tif 000064
2004527222.tif 000065
表４Ｅ〜Ｋは、ＮＯＶ４に対するＤＯＭＡＩＮ分析結果由来のドメイン記載を列挙する。これは、ＮＯＶ４配列が、このドメインを含有することを知られている、他のタンパク質の性質と類似の性質を有することを示す。
【０１３４】
【表４Ｅ】
2004527222.tif 000066
2004527222.tif 000067
【０１３５】
【表４Ｆ】
2004527222.tif 000068
【０１３６】
【表４Ｇ】
2004527222.tif 000069
【０１３７】
【表４Ｈ】
2004527222.tif 000070
【０１３８】
【表４Ｉ】
2004527222.tif 000071
2004527222.tif 000072
【０１３９】
【表４Ｊ】
2004527222.tif 000073
【０１４０】
【表４Ｋ】
2004527222.tif 000074
セマフォリンは、分泌シグナルまたは細胞結合シグナルの大きなファミリーであり、発生中の神経組織において軸索をガイドすることが公知である。これらは、様々な成体組織および胚組織において発現し、そして広範な機能を有すると考えられる。最近の証拠は、セマフォリンおよびそのレセプターが、細胞の相互作用の制御において、おそらく細胞間反発において、重要な役割を果たすことを示唆する（Ｔａｍａｇｎｏｎｅ  ａｎｄ  Ｃｏｍｏｇｌｉｏ．Ｔｒｅｎｄｓ  Ｃｅｌｌ  Ｂｉｏｌ  ２０００  Ｓｅｐ；１０（９）：３７７−８３．）。セマフォリンの部分集合は、ニューロピリン（シグナル伝達コンピテント細胞質ドメインを欠く細胞表面分子）と、相互作用する。貫通膜分子の別の大きなファミリー、すなわちプレキシンは、セマフォリンに特異的に結合する。従って、プレキシンは、単独で、またはニューロピリンと関連して、完全に機能的なセマフォリンレセプターとしてふるまう。プレキシンによって誘発される細胞内応答は、知られていないが、著しく保存されたｓｅｘ−ｐｌｅｘｉｎ（ＳＰ）ドメインを含むプレキシンの大きな細胞質部分が、新規なシグナル伝達経路を誘発する可能性がある。
【０１４１】
そのセマフォリンのような化学反発性シグナルは、発生中の神経系において広い範囲にわたって、軸索の進路決定に、重要な役割を果たす。これらの反発性キューのうちの１つであるの効果は、セマフォリン３Ａ（Ｓｅｍａ３Ａ）が、その膜タンパク質、ニューロピリン−１（Ｎｐｎ−１）によって媒介されることである。最近の研究は、ニューロピリン−１は、機能的なＳｅｍａ３Ａレセプターの形成に、必須ではあるが十分ではないことを示しており、そしてさらなる成分が、その細胞表面からその細胞骨格へとシグナルを伝達することが要求されることを示す（Ｒｏｈｍら  Ｍｅｃｈ  Ｄｅｖ  ２０００  Ｍａｙ；９３（１−２）：９５−１０４）。そのプレキシンファミリーのメンバーが、ニューロピリンと相互作用し、そしてＳｅｍａ３Ａに対する補助レセプターとして作用することが、示されている。ニューロピリン／プレキシン相互作用は、ニューロピリン−１の結合特異性を制限し、そしてそのレセプター複合体に２つの異なるセマフォリンを区別させる。Ｐｌｅｘｉｎ−Ａ１またはＰｌｅｘｉｎ−Ａ２の高度に保存された細胞質ドメインの欠失は、知覚神経節にて発現された場合に感覚軸索をＳｅｍａ３Ａの反発性効果に対して抵抗性にする、ドミナントネガティブＳｅｍａ３Ａレセプターを生成する。これらのデータは、機能的なセマフォリンレセプターが、シグナル伝達サブユニットとしてのプレキシンおよびリガンド結合サブユニットとしてのニューロピリンを含むことを示唆する。
【０１４２】
クラス１セマフォリンおよびクラス３セマフォリンは、軸索と反発するが、異なる細胞表面タンパク質に結合する。２つの公知のセマフォリン結合タンパク質、プレキシン１（Ｐｌｅｘ  １）およびニューロピリン−１（ＮＰ−１）は、安定な複合体を形成する（Ｓｔｒｉｔｔｍａｔｔｅｒ．Ｃｅｌｌ  １９９９  Ｏｃｔ  １；９９（１）：５９−６９．）。Ｐｌｅｘ  １単体では、セマフォリン−３Ａ（Ｓｅｍａ３Ａ）と結合しないが、ＮＰ−１／Ｐｌｅｘ  １複合体は、Ｓｅｍａ３Ａに対して、ＮＰ−１単体が有するよりも高い、親和性を有す。ＮＰ−１と結合するＳｅｍａ３Ａは、非神経性細胞形態を変化させないが、ＮＰ−１／Ｐｌｅｘ  １複合体とのＳｅｍａ３Ａ相互作用は、接着細胞が１つに集まるのを誘導する。感覚ニューロンにおけるドミナントネガティブＰｌｅｘ  １の発現は、Ｓｅｍａ３Ａ誘導性成長円錐崩壊をブロックする。Ｓｅｍａ３Ａ処理は、クラスターへの成長円錐ＮＰ−１およびプレキシンの再分布を導く。従って、生理学的Ｓｅｍａ３Ａレセプターは、ＮＰ−１／プレキシン複合体からなる。
【０１４３】
以前に述べたように、セマフォリンファミリーの分子は、発生の間、移動する軸索にガイダンスキューを送達することが公知のメンバーを含む。セマフォリンはまた、造血細胞の表面において、および、興味深いことに、特定の溶菌性ウイルスのゲノム中で同定されている。最近の研究は、セマフォリンが、少なくとも２つの異なるレセプターファミリーに対して高い親和性で結合し、そして、免疫細胞ならびに神経細胞において生物学的に活性であることを示す（Ｓｐｒｉｇｇｓ．Ｃｕｒｒ  Ｏｐｉｎ  Ｉｍｍｕｎｏｌ  １９９９  Ａｕｇ；１１（４）３８７−９１）。
【０１４４】
哺乳動物の嗅覚系は、多様な臭気分子を識別する能力があり、従って、その嗅覚系は、食物、敵および交配パートナーの同定に必須である。嗅覚結合性の組立および維持は、多様な分子シグナル（細胞外基質、細胞接着分子および臭気物質レセプター分子を含む）の組合せ作用に依存することが示されている（Ｐａｓｔｅｒｋａｍｐら  Ｃｅｌｌ  Ｍｏｌ  Ｂｉｏｌ  １９９９  Ｓｅｐ；４５（６）：７６３−７９）。最近の研究は、嗅覚走行路決定、可塑性および再生に関与する推定分子キューとして、セマフォリンおよびそのレセプターを同定した。ニューロピリンは、分泌されたクラス３セマフォリンに対するレセプターとして役立つことが示された。一方、プレキシンファミリーのメンバーは、クラス１セマフォリンおよびＶ（ウイルス性）セマフォリンに対するレセプターである。
【０１４５】
Ｄｒｏｓｏｐｈｉｌａにおいて、プレキシンＡは、セマフォリン−１ａに対する機能的レセプターである。ヒトプレキシン遺伝子ファミリーは、４つのサブファミリーにおいて、少なくとも９つのメンバーを含む（Ｇｏｏｄｍａｎら  Ｃｅｌｌ  １９９９  Ｏｃｔ  １；９９（１）：７１−８０）。プレキシン−Ｂ１は、膜貫通セマフォリンであるＳｅｍａ４Ｄ（ＣＤ１００）に対するレセプターであり、プレキシン−Ｃ１は、ＧＰＩ固定されたセマフォリンであるＳｅｍａ７Ａ（Ｓｅｍａ−Ｋ１）に対するレセプターである。分泌された（クラス３）セマフォリンは、プレキシンに直接的には結合しないが、むしろプレキシンが、これらのセマフォリンに対するコレセプターであるニューロピリンと結合する。プレキシンは、広範囲に発現される：ニューロンにおいて、切断されたプレキシン−Ａ１タンパク質の発現は、Ｓｅｍａ３Ａによる軸索反発をブロックする。プレキシンの細胞質ドメインは、チロシンキナーゼの活性と関連する。プレキシンはまた、インビトロでの上皮細胞における反発を媒介するリガンドとして作用し得る。プレキシンは、単体かまたはニューロピリンと組合せてのいずれかで、複数の（およびおそらくすべての）クラスのセマフォリンに対するレセプターであり、そして細胞反発を制御する新規なシグナル伝達経路を誘発する。
【０１４６】
プレキシンは、ハイブリドーマ技術によって、Ｘｅｎｏｐｕｓ神経系において同定されたタイプＩの膜タンパク質である。分子クローニング研究は、そのプレキシンタンパク質の細胞外セグメントが、システインクラスター（これらはｃ−ｍｅｔ癌原遺伝子タンパク質産物のシステインリッチドメインに対するホモログである）の３つの内部反復を有することを証明した。細胞凝集試験は、プレキシンタンパク質が、カルシウムイオンの存在下で、同種親和性結合メカニズムを介して、細胞接着を媒介することを明らかにした（Ｆｕｊｉｓａｗａら  Ｄｅｖ  Ｎｅｕｒｏｓｃｉ  １９９７；１９（１）：１０１−５）。プレキシンは、ＸｅｎｏｐｕｓのＣＮＳおよびＰＮＳにおいて、特定のニューロン回路を構成するニューロンエレメントにおいて発現された。これらの発見は、プレキシンがＣａ（２＋）依存性細胞接着分子の新しいメンバーであることを示し、この分子がニューロン細胞接触およびニューロンネットワーク形成において重要な役割を果たすことを示唆する。
【０１４７】
プレキシン（以前にＢ２と呼ばれた）は、Ｘｅｎｏｐｕｓにおいて同定されているニューロン細胞表面分子である。ｃＤＮＡクローニングは、プレキシンが、公知のニューロン細胞表面分子に対する相同性を有さないが、その細胞外セグメントにおいて、システインクラスター（ｃ−ｍｅｔ癌原遺伝子タンパク質産物のシステインリッチドメインに対するホモログ）の３つの内部反復を有することを明らかにする。ｃＤＮＡトランスフェクションによってＬ細胞の表面において発現された外因的なプレキシンタンパク質は、カルシウムイオンの存在下において、同種親和性結合メカニズムを介して細胞接着を媒介する（Ｆｕｊｉｓａｗａ．Ｎｅｕｒｏｎ  １９９５  Ｊｕｎ；１４（６）：１１８９−９９）。プレキシンは、特定の感覚系のレセプターおよび特定の感覚系のニューロンにおいて発現される。これらの知見は、プレキシンが、新規のカルシウム依存性細胞接着分子であることを示し、そして特定のニューロン細胞相互作用およびまたは特定のニューロン細胞接触におけるプレキシンの関与を示唆する。
【０１４８】
プレキシン様タンパク質をコードする本発明の開示されたＮＯＶ４核酸は、その配列が表４Ａにおいて提供される核酸またはそのフラグメントを含む。本発明はまた、その塩基のいずれかが、表４Ａに示される対応する塩基から変化され得ると同時に、そのプレキシン様活性および生物学的機能を維持するタンパク質をなおコードする、変異体核酸または改変体核酸またはそのような核酸のフラグメントを含む。本発明はさらに、その配列がまさに記載された配列に相補的である核酸（まさに記載された核酸のいずれかに相補的な核酸フラグメントを含む）を含む。本発明は、それらの構造が化学的改変を含む核酸または核酸フラグメント、あるいはそれらに対する相補体を含む。そのような改変としては、非限定的例として、改変された塩基、およびその糖リン酸骨格が改変または誘導体化されている核酸が挙げられる。これらの改変は、少なくとも部分的には、改変された核酸の化学安定性を増強させて、例えば、被検体での治療適用におけるアンチセンス結合核酸としてそれらが使用されるように、実行される。その変異体核酸または改変体核酸、およびそれらの相補体において、その塩基のうち約２９％までがそのように変化され得る。
【０１４９】
本発明の開示されたＮＯＶ４タンパク質は、表４Ｂにその配列が提供される、プレキシン様タンパク質を含む。本発明はまた、（その残基のいずれかが表４Ｂに示される対応する残基から変化され得ると同時に）そのプレキシン様活性および生理学的機能をなおコードする、変異体タンパク質または改変体タンパク質またはその機能的フラグメントを含む。その変異体または改変体タンパク質において、その残基のうちの４０％までがそのように変化され得る。
【０１５０】
本明細書中に開示されるプレキシン様タンパク質および核酸（ＮＯＶ４）についてのタンパク質類似性情報、発現パターン、およびマップ位置は、このＮＯＶ４タンパク質が、プレキシンファミリーに特徴的な重要な構造機能および／または生理学的機能を有し得ることを示唆する。従って、本発明のＮＯＶ４核酸およびＮＯＶ４タンパク質は、可能な診断適用および治療適用において有用である。これらとしては、特異的もしくは選択的な、核酸診断マーカーおよび／もしくは核酸予後マーカーまたはタンパク質診断マーカーおよび／もしくはタンパク質予後マーカーとして役立つこと（その核酸もしくはそのタンパク質の存在、またはその核酸もしくはそのタンパク質の量が評価される）、ならびに以下のような潜在的な治療適用が挙げられる：（ｉ）タンパク質治療剤、（ｉｉ）低分子薬物標的、（ｉｉｉ）抗体標的（治療抗体、診断抗体、薬物標的抗体／細胞傷害性抗体）、（ｉｖ）遺伝子治療に有用な核酸（遺伝子送達／遺伝子切除）、ならびに（ｖ）インビトロおよびインビボでの組織再生を促進する組成物。
【０１５１】
本発明のＮＯＶ４核酸およびＮＯＶ４タンパク質は、下に記載する様々な疾患および障害に関係する潜在的な診断適用および治療適用に有用である。例えば、本発明の組成物は、以下に羅患している患者の治療に効力を有する；フォン・ヒッペル−リンダウ（ＶＨＬ）症候群、アルツハイマー病、発作、結節硬化症、高カルシウム血症、パーキンソン病、ハンティングトン病、脳性麻痺、てんかん、レッシュ―ナイハン症候群、多発性硬化症、毛細管拡張性運動失調、白質萎縮症、行動障害、嗜癖、不安、疼痛、神経変性、全身性エリテマトーデス、自己免疫疾患、ぜん息、気腫、強皮症、アレルギー、ＡＲＤＳ、肥満、代謝調節不全、不妊症、および／または他の病理。ＮＯＶ４核酸、またはそのフラグメントは、さらに診断適用において有用であり得、その診断適用において、その核酸またはタンパク質の、存在または量が評価される。
【０１５２】
ＮＯＶ４核酸およびＮＯＶ４ポリペプチドはさらに、治療方法または診断方法において使用するための、本発明の新規物質に免疫特異的に結合する抗体の産生に有用である。これらの抗体は、以下にある「抗ＮＯＶＸ抗体」の章に記載されるように、疎水性チャートからの予測を用いて、当該分野で公知の方法に従って生成され得る。例えば、開示されるＮＯＶ４タンパク質は、複数の疎水性領域を有し、その各々は、免疫原として用いられ得る。１つの実施形態において、企図されるＮＯＶ４エピトープは、およそアミノ酸２０〜３０である。別の実施形態において、ＮＯＶ４エピトープは、およそアミノ酸１８０〜１９０である。さらなる実施形態において、ＮＯＶ４エピトープは、およそアミノ酸１８０〜２７０、およそアミノ酸３１０〜３２０、およそアミノ酸３８０〜３９０、およそアミノ酸４００〜４０５、およそアミノ酸４２０〜５５０、およそアミノ酸６２０〜６３０、およそアミノ酸６５０〜７００、およそアミノ酸７９０〜９００、およそアミノ酸１０４０〜１０５０、およそアミノ酸１１００〜１１２０、およそアミノ酸１２２０〜１２４０、およそアミノ酸１４１０〜１４２０、およそアミノ酸１４５０〜１５００、およそアミノ酸１５８０〜１６００、およそアミノ酸１６２０〜１６５０、およそアミノ酸１７２０〜１７３０、およびおよそアミノ酸１８００〜１９００である。これらの新規なタンパク質は、様々なヒト障害の機能分析のためのアッセイ系に用いられ得、このアッセイ系は、その疾患の病理の理解および様々な障害の新しい薬物標的の開発の助けとなる。
【０１５３】
（ＮＯＶ５）
新規なドーパミンレセプター様タンパク質をコードする１５３５ヌクレオチドの開示されたＮＯＶ５核酸（ＧＭＡＣ０２７６１２＿Ａとも呼ばれる）が、表５Ａに示される。ヌクレオチド７〜９のＡＴＧ開始コドンで始まりヌクレオチド１４４７〜１４４９のＴＡＡコドンで終わる、オープンリーディングフレームが、同定された。開始コドンの上流の推定非翻訳領域および終止コドンの下流の推定非翻訳領域は、表５Ａにおいて下線を付されており、そして、開始コドンおよび終止コドンは、太字である。
【０１５４】
【表５Ａ】
2004527222.tif 000075
このＮＯＶ５核酸は、第４染色体において同定された。このＮＯＶ５核酸は、Ｈｏｍｏ  ｓａｐｉｅｎｓ由来のヒトドーパミンレセプター（Ｄ５）転写偽遺伝子ｍＲＮＡ（ＧＥＮＢＡＮＫ−ＩＤ：Ｍ７５８６７）と同一な１４９４塩基を１５３６塩基中に（９７％）有する（Ｅ＝０．０）。
【０１５５】
配列番号１４によってコードされる、開示されるＮＯＶ５ポリペプチド（配列番号１５）は、４８０アミノ酸残基であり、表５Ｂに１文字コードを用いて示される。Ｓｉｇｎａｌ  Ｐ、Ｐｓｏｒｔおよび／またはＨｙｄｒｏｐａｔｈｙの結果によって、ＮＯＶ５が、シグナルペプチドを有し、確実性０．６４００でおそらく原形質膜に局在化されることが予測される。他の実施形態において、ＮＯＶ５はまた、確実性０．４６００でゴルジ体に、確実性０．３７００で小胞体（膜）に、確実性０．１０００で小胞体（内腔）に局在化され得る。ＮＯＶ５ペプチドに関する最も可能性の高い切断部位は、アミノ酸６３と６４との間（ＶＳＡ−ＡＩ）である。
【０１５６】
【表５Ｂ】
2004527222.tif 000076
2004527222.tif 000077
開示されたＮＯＶ５アミノ酸配列は、Ｈｏｍｏ  ｓａｐｉｅｎｓ（ヒト）由来の４７７アミノ酸残基のドーパミンレセプター（Ｄ（５）ドーパミンレセプター）（Ｄ１βドーパミンレセプター）タンパク質（Ｐ２１９１８）に対して、４８０アミノ酸残基中４３７残基（９１％）同一であり、そして４８０アミノ酸残基中４４６残基（９２％）が類似である（Ｅ＝３．３ｅ−２３７）。
【０１５７】
ＮＯＶ５は、少なくとも以下の組織で発現される：胎児の心臓、プールされたヒトメラノサイト、胎児の心臓、および妊娠中の子宮。ＮＯＶ５についてのＴａｑＭａｎデータを、以下の実施例２に示す。
【０１５８】
ＮＯＶ５はまた、表５Ｃに列挙したＢＬＡＳＴＰデータ中に示すアミノ酸配列に対し、相同性を有する。
【０１５９】
【表５Ｃ】
2004527222.tif 000078
これらの配列の相同性を、表５Ｄに示すＣｌｕｓｔａｌＷ分析において図示する。
【０１６０】
【表５Ｄ】
2004527222.tif 000079
2004527222.tif 000080
2004527222.tif 000081
表５Ｅは、ＮＯＶ５に対するＤＯＭＡＩＮ分析結果からのドメインについての記述を列挙する。この結果は、ＮＯＶ５配列が、このドメインを含むことが知られている他のタンパク質の特性と類似の特性を有することを示唆する。
【０１６１】
【表５Ｅ】
2004527222.tif 000082
ＮＯＶ５はまた、表５Ｅに示すようにｐａｔｐ特許データベースに見出されるタンパク質に対して相同性を有する。
【０１６２】
【数２】
2004527222.tif 000083
ロドプシン様ＧＰＣＲは、それ自身、ホルモン、神経伝達物質および光受容体を含む広範なタンパク質のファミリーを示し、それらの全ては、グアニンヌクレオチド結合（Ｇ）タンパク質との相互作用を介して、細胞外シグナルを伝達する。それらの活性化リガンドが、構造および特性において広範に変化するが、これらのレセプターのアミノ酸配列は、非常に類似しており、そして７回膜貫通型（ＴＭ）へリックスを含有する共通の構造上の骨組みを有していると考えられている。
【０１６３】
Ｇタンパク質共役型レセプター（ＧＰＣＲ）は、広範な機能（種々の自己分泌プロセス、傍分泌プロセス、内分泌プロセスを含む）を包含する、広大なタンパク質のファミリーを構成する。ＧＰＣＲは、配列レベルでかなりの多様性を示し、これに基づいてＧＰＣＲは、別個の群に分類され得る。用語族（ｃｌａｎ）は、ＧＰＣＲを、進化的な関係の徴候が存在するが、それらの間には配列における統計学的に有意な類似性が見られないファミリーの群を包括すると記載するために使用される。現在の既知の族のメンバーとして、ロドプシン様ＧＰＣＲ、セクレチン様ＧＰＣＲ、ｃＡＭＰレセプター、真菌接合フェロモンレセプター（ｆｕｎｇａｌ  ｍａｔｉｎｇ  ｐｈｅｒｏｍｏｎｅ  ｒｅｃｅｐｔｏｒ）、および代謝型グルタミン酸レセプターファミリーが挙げられる。
【０１６４】
ドーパミンの多様な生理学的作用は、２つの型のタンパク質共役型レセプターＤ１およびＤ２（それぞれ酵素アデニリルシクラーゼを刺激および阻害する）とドーパミンとの相互作用によって仲介される。３つのグループが、Ｄ１ドーパミンレセプター遺伝子のクローニングを報告した（Ｄｅａｒｒｙら、１９９０；Ｚｈｏｕら、１９９０、Ｓｕｎａｈａｒａら、１９９０）。この遺伝子は、４４６アミノ酸のタンパク質をコードし、推定関連分子量４９，３００および他のＧタンパク質共役型レセプターのトポロジーと類似の膜貫通のトポロジーを有する。ノザンブロット分析およびインサイチュハイブリダイゼーションは、このレセプターについてのｍＲＮＡが、尾状核、側坐核および嗅結節においてもっとも豊富であり、黒質、肝臓、腎臓または心臓ではわずかかまたは全くｍＲＮＡは検出されないことを示した（Ｄｅａｒｒｙら、１９９０）。Ｓｕｎａｈａｒａら（１９９０）は、ＤＲＤ１遺伝子が、イントロンを持たないこと、および、ハイブリッド細胞パネルからのＤＮＡに対するサザンブロットハイブリダイゼーションによって、この遺伝子が第５染色体上にマップされることを報告した。ファミリーの連鎖の研究は、この配置を確認し、そして、グルココルチコイドレセプターおよびＧＲＬから約１２ｃＭのマーカーであるＤ５Ｓ２２についての遺伝子と同一の一般的な領域内であることを示唆した。この研究は、ＤＲＤ１遺伝子をβ−２−アドレナリン作動性レセプターおよびα−１−アドレナリン作動性レセプターについての構造的な相同遺伝子のそばの５ｑ３１−ｑ３４領域内に配置させる。パルスフィールドゲル電気泳動法および種々の範囲の制限酵素消化を用いて、Ｂｏｕｌｔｗｏｏｄら（１９９１）は、ＧＲＬおよびＤＲＤ１が同一の３００ｋｂのゲノムＤＮＡフラグメント上にあることを実証した。Ｇｒａｎｄｙら（１９９０）は、最近クローン化したＤＲＤ１遺伝子を、げっ歯類−ヒト体細胞ハイブリッドにおいて、第５染色体での遺伝子座を、マップするために用いた。蛍光インサイチュハイブリダイゼーションは、５ｑ３５．１への局在化を純化した。ＤＲＤ１に関連する２つの対立遺伝子のＥｃｏＲＩ  ＲＦＬＰは、ＣＥＰＨファミリーにおける連鎖解析によって局在化を確認し得た。マウスにおける相同遺伝子は、第１３染色体上に位置された。
【０１６５】
５ｑの遠位端、５ｑ３１．１−ｑｔｅｒは、２つのアドレナリン作動性レセプターについての遺伝子、ＡＤＲＢ２およびＡＤＲＡ１Ｂならびにドーパミンレセプター１Ａ型の遺伝子を含む。Ｋｒｕｓｈｋａｌら（１９９８）は、ゲノムのこの領域が若い白人（Ｃａｕｃａｓｉａｎ）における収縮期血圧の変動に対する影響力を調査するため、効率的な不調和型（ｄｉｓｃｏｒｄａｎｔ）血縁対（ｓｉｂ−ｐａｉｒ）確認計画を使用した。彼らは、６９の不調和型血縁対を含む、５５の３世代家系由来の４２７の個体におけるこの位置的候補遺伝子リッチ領域にわたる高度に多型性の８つのマーカーを測定し、そして下降確率（ｄｅｓｃｅｎｔ  ｐｒｏｂａｂｉｌｉｔｙ）によってマルチポイント同一性を計算した。この遺伝連鎖および連関試験（ａｓｓｏｃｉａｔｉｏｎ  ｔｅｓｔ）の結果は、マーカーＤ５Ｓ２０９３とＤ５Ｓ４６２との間の領域が、収縮期血圧レベルにおける個体間の変動に影響を及ぼす、一つ以上の多型遺伝子に有意に連鎖されることを示した。ＡＤＲＡ１Ｂ遺伝子およびＤＲＤ１Ａ遺伝子は、これらのマーカーの近くに位置されるため、このデータは、血管緊張の調節に関与するこれらＧタンパク質共役型レセプターの１つまたはこれら両方における遺伝的変動が、収縮期血圧レベルにおける個体間の変動に影響を及ぼす重要な役割を果たすことを示唆した。
【０１６６】
ドーパミンレセプター様タンパク質をコードする本発明の開示されたＮＯＶ５核酸は、その配列が表５Ａに提供される核酸、またはそのフラグメントを含む。本発明はまた、その塩基のいずれかが、表５Ａに示される対応する塩基から変更され得るが、そのドーパミンレセプター様活性および生理学的機能を維持するタンパク質をなおコードする、変異体核酸または改変体核酸、あるいはそのような核酸のフラグメントを含む。本発明はさらに、まさに今記載された配列に相補的である配列の核酸（まさに今記載されたそれらの核酸のいずれかに相補的である核酸フラグメントを含む）を含む。本発明はさらに、その構造が化学修飾を含む、核酸または核酸フラグメント、あるいはその相補体を含む。このような修飾としては、非限定的な例示の目的で、修飾された塩基、およびその糖リン酸骨格が修飾または誘導体化される核酸が挙げられる。これらの修飾は、その修飾された核酸の化学的安定性を増強するために、少なくとも部分的に行われ、その結果、これらは、例えば、被験体中の治療適用におけるアンチセンス結合核酸として使用され得る。変異体核酸または改変体核酸、およびそれらの相補体において、これらの塩基の約１０％までが、このように変更され得る。
【０１６７】
本発明の開示されたＮＯＶ５タンパク質は、その配列が表５Ｂに提供されるドーパミンレセプター様タンパク質を含む。本発明はまた、その残基のいずれかが、表５Ｂに示される対応する残基から変更され得るが、そのドーパミンレセプター様活性および生理学的機能を維持するタンパク質をなおコードする、変異体タンパク質または改変体タンパク質、あるいはその機能的フラグメントを含む。これらの変異体タンパク質または改変体タンパク質において、それらの残基の約３４％までが、そのように変更され得る。
【０１６８】
本発明のＮＯＶ５核酸およびＮＯＶ５タンパク質は、精神分裂病、および他のドーパミン機能障害状態、高血圧、ハンティングトン病、レボドパ誘導性運動障害、アルコール中毒、視神経萎縮および軟調を伴う尿崩症および糖尿病、ウォルフラム症候群、ならびに／または他の病理学および疾患に関連する、潜在的治療適用において有用である。例えば、ドーパミンレセプター様タンパク質をコードするｃＤＮＡは、遺伝子治療において有用であり得、そしてドーパミンレセプター様タンパク質は、それを必要とする被験体へ投与される場合に有用であり得る。非限定的な例示の目的で、本発明の組成物は、精神分裂病、およびその他のドーパミン機能障害状態、高血圧、ハンティングトン病、レボドパ誘導性運動障害、アルコール中毒、視神経萎縮および軟調を伴う尿崩症および糖尿病、ウォルフラム症候群、ならびに他の疾患、障害および状態に罹患する患者の処置に対する効力を有する。ＮＯＶ５核酸またはそのフラグメントはさらに、診断適用において有用であり得、ここで、この核酸またはタンパク質の存在または量が評価される。
【０１６９】
ＮＯＶ５核酸およびＮＯＶ５ポリペプチドはさらに、本発明の新規物質に免疫特異的に結合する、治療法または診断法で使用するための、抗体の生成において有用である。これらの抗体は、以下の「抗ＮＯＶＸ抗体」の項で記載されるような、疎水性チャートからの予測を用いる、当該分野で公知の方法に従って生成され得る。例えば、開示されたＮＯＶ５タンパク質は、各々が免疫原として使用され得る、複数の親水性領域を有する。一つの実施形態において、予測されるＮＯＶ５エピトープは、およそのアミノ酸１〜１０である。他の実施形態において、ＮＯＶ５エピトープは、およそのアミノ酸１２５〜１５０、およそのアミノ酸１７５〜２３０、およそのアミノ酸２５０〜３００、およそのアミノ酸３２０〜３３０、およそのアミノ酸３５０〜３７０、およそのアミノ酸３８０〜４１０またはおよそのアミノ酸４２０〜４６０である。この新規タンパク質はまた、疾患の病理学の理解および種々の障害に対する新たな薬物標的の開発を助ける、種々のヒト障害の機能分析のための強力なアッセイシステムの開発において、価値を有する。
【０１７０】
（ＮＯＶ６）
新規の代謝型グルタミン酸レセプター様タンパク質をコードする２６５７ヌクレオチドの開示されたＮＯＶ６核酸（ＧＭ５２３＿ｅ＿１＿Ａともいう）を、表６Ａに示す。オープンリーディングフレームは、ヌクレオチド６〜８でのＡＴＧ開始コドンで始まり、そしてヌクレオチド２６４３〜２６４５でのＴＧＡコドンで終止することが、同定された。開始コドンから上流および終止コドンから下流の推定の非翻訳領域に、表６Ａにおいて下線を伏し、そして開始コドンおよび終止コドンを、太字で示す。
【０１７１】
【表６Ａ】
2004527222.tif 000084
2004527222.tif 000085
開示されたＮＯＶ６核酸配列は、Ｒａｔｔｕｓ  ｎｏｒｖｅｇｉｃｕｓ由来のラット代謝型グルタミン酸レセプター３  ｍＲＮＡ（ＧＥＮＢＡＮＫ−ＩＤ：Ｍ９２０７６）に対して２６５８塩基中２５２２塩基（９４％）が同一である（Ｅ＝０．０）。
【０１７２】
配列番号１６によってコードされる開示されたＮＯＶ６ポリペプチド（配列番号１７）は、８７９アミノ酸残基を有し、そしてこれを、１文字アミノ酸コードを用いて表６Ｂに示す。Ｓｉｇｎａｌ  Ｐ、Ｐｓｏｒｔおよび／または疎水性親水性の結果は、ＮＯＶ６がシグナルペプチドを有しかつ０．６８５０の確実性を有して小胞体（膜）に局在化されるようであることを予測する。他の実施形態において、ＮＯＶ６はまた、０．６４００の確実性を有して原形質膜に、０．４６００の確実性を有してゴルジ体に、または０．１０００の確実性を有して小胞体（管腔）に局在化されるようである。有望なＮＯＶ６ペプチドの切断部位は、アミノ酸２４と２５との間の：ＳＬＧ−ＤＨである。
【０１７３】
【表６Ｂ】
2004527222.tif 000086
開示されたＮＯＶ６アミノ酸配列は、Ｍｕｓ  ｍｕｓｃｕｌｕｓ（マウス）由来の８７９アミノ酸残基のＭＥＴＡＢＯＴＲＯＰＩＣ  ＧＬＵＴＡＭＡＴＥ  ＲＥＣＥＰＴＯＲ  ３  ＰＲＯＴＥＩＮタンパク質（Ｑ９ＱＹＳ２）に対して、８７９アミノ酸残基中８７７残基（９９％）同一であり、そして８７９アミノ酸残基中８７８残基（９９％）類似である（Ｅ＝０．０）。
【０１７４】
ＮＯＶ６はまた、表６Ｃに列挙したＢＬＡＳＴＰデータに示されるアミノ酸配列に対して、相同性を有する。
【０１７５】
【表６Ｃ】
2004527222.tif 000087
2004527222.tif 000088
これらの配列の相同性を、表６Ｄに示すＣｌｕｓｔａｌＷ分析において図示する。
【０１７６】
【表６Ｄ】
2004527222.tif 000089
2004527222.tif 000090
2004527222.tif 000091
表６Ｅ〜Ｆは、ＮＯＶ６に対するＤＯＭＡＩＮ分析結果からのドメインについての記述を列挙する。この結果は、ＮＯＶ６配列が、このドメインを含むことが知られている他のタンパク質の特性と類似の特性を有することを示唆する。
【０１７７】
【表６Ｅ】
2004527222.tif 000092
【０１７８】
【表６Ｆ】
2004527222.tif 000093
Ｇタンパク質共役型レセプター（ＧＰＣＲ）は、広範な機能（種々の自己分泌プロセス、傍分泌プロセス、内分泌プロセスを含む）を包含する、広大なタンパク質のファミリーを構成する。ＧＰＣＲは、配列レベルでかなりの多様性を示し、これに基づいて、ＧＰＣＲは、別個の群に分類され得る。用語族は、ＧＰＣＲを、進化的な関係の徴候が存在するが、それらの間には配列における統計学的に有意な類似性が見られないファミリーの群を包括すると記載するために使用される。現在の既知の族のメンバーとして、ロドプシン様ＧＰＣＲ、セクレチン様ＧＰＣＲ、ｃＡＭＰレセプター、真菌接合フェロモンレセプター、および代謝型グルタミン酸レセプターファミリーが挙げられる。
【０１７９】
代謝型グルタミン酸レセプターは、機能的および薬理学的にイオンチャネル共役型グルタミン酸レセプターとは異なる。代謝型グルタミン酸レセプターは、Ｇタンパク質と共役し、イノシトールリン酸／Ｃａ２＋細胞内シグナル経路を刺激する。レセプターのアミノ酸配列は、Ｇタンパク質と相互作用すると考えられているロドプシンレセプターおよび他のレセプターを暗示する様式で、７つのドメインにグループ化される疎水性残基を高い割合で含む。しかし同様の３Ｄの骨組みが、このことを説明のために提案されてきたが、これらとロドプシン型ファミリーのレセプターとの間に有意な配列同一性は存在しない：従って、代謝型グルタミン酸レセプターは、それ自身に特有の「７ＴＭ」の特徴を有する。この７ＴＭの特徴はまた、カルシウム感受性レセプターおよびＧＡＢＡ（γアミノ酪酸）Ｂ型（ＧＡＢＡ（Ｂ））レセプターによっても共有される。
【０１８０】
クローニング研究において、少なくとも８つの代謝型レセプター（ＭＧＲ１〜８）のサブタイプが、同定されている。このサブタイプは、それらのアゴニストの薬理学およびシグナル伝達経路において異なる。
【０１８１】
ｍＧｌｕＲ３遺伝子は、６つのエキソンからなり、そして９５ｋｂにわたる。エキソン１およびそれに先行する推定のプロモーターは、後に続くタンパク質コード領域から離れて位置される。ｍＧｌｕＲファミリーにおいて、ｍＧｌｕＲ３およびｍＧｌｕＲ５は、神経細胞およびグリア細胞の両方で発現され、出生後間もない時期の間アップレギュレートされる。しかし、これらは、異なる２つのシグナル伝達カスケードに共役され、そして培養星状膠細胞のいくつかの機能に対して反対の影響を及ぼすことが示されてきた。培養星状膠細胞において、ｍＧｌｕＲ３およびｍＧｌｕＲ５のｍＲＮＡのレベルは、上皮増殖因子（ＥＧＦ）、塩基性繊維芽細胞増殖因子（ｂＦＧＦ）、またはトランスフォーミング増殖因子−αへの曝露により有意に増加された；そして、この増加を産生する際に、ＥＧＦは、ｂＦＧＦより効果的であった。従って、ｍＧｌｕＲ３およびｍＧｌｕＲ５のｍＲＮＡは、特異的な成長因子によって培養星状膠細胞において協調的にアップレギュレートされた。この発見は、これら２つのｍＧｌｕＲサブタイプが、異なる２つののシグナル伝達機構を介して星状膠細胞の機能の適当なバランスを維持する際に、重要な役割を果たし得ることを示唆する。
【０１８２】
グルタミン酸レセプターは、異なる２つのクラスに分けられる：イオンチャネル共役型グルタミン酸レセプター（ｉＧｌｕＲ）および代謝型グルタミン酸レセプター（ｍＧｌｕＲ）。ｉＧｌｕＲは、Ｎ−メチル−Ｄ−アスパラギン酸（ＮＭＤＡ）レセプターおよび非ＮＭＤＡレセプターからなる。非ＮＭＤＡレセプターは、さらに２つの群に分けられる：α−アミノ−３−ヒドロキシ−５−メチル−４−イソキサゾールプロピオン酸レセプターおよびカイニン酸レセプター。ｍＧｌｕＲは、アゴニストの選択性、異なるエフェクター系との共役、および配列の相同性に従って、３つの群に分けられる。第Ｉ群は、ｍＧｌｕＲ１およびｍＧｌｕＲ５を含み、これらは、イノシトールリン脂質の代謝と共役する。第ＩＩ群（ｍＧｌｕＲ２およびｍＧｌｕＲ３を含む）および第ＩＩＩ群（ｍＧｌｕＲ４、ｍＧｌｕＲ６、ｍＧｌｕＲ７およびｍＧｌｕＲ８を含む）は、アデニル酸シクラーゼ活性とネガティブに共役する。各ｍＧｌｕＲは、大きな細胞外ドメインを有する。Ｏｋａｍｏｔｏら（１９９８）は、バキュロウイル系においてｍＧｌｕｒ１−α（ｍＧｌｕＲ１Ａ）を昆虫細胞に発現した。彼らは、細胞外ドメインのみをコードしかつ全長レセプターリガンド結合特性と類似のリガンド結合特性を保持する可溶性ｍＧｌｕＲを単離した。彼らの観察は、ｍＧｌｕＲでのリガンド結合事象が膜ドメインと分離され得ることを実証した。
【０１８３】
Ｓｍｉｔｔら（２０００）は、ｍＧｌｕＲ１Ａに対する自己抗体が、２人の患者における重症の腫瘍随伴性小脳性運動失調の原因であったことを、実証した。両方の患者はホジキン病の寛解期であったが、障害は、両方の患者において進行した。１０代である１人は、体感性運動失調、企図振せんおよび歩行失行症が発症した２年間についての寛解期であった。この患者は、血漿の交換、経口プレドニゾン、および２回の免疫グロブリン静脈注射で処置された場合に、脳脊髄液中の細胞の損失を伴って臨床的に回復した。Ｓｍｉｔｔら（２０００）により報告された第２の患者は、４０代後半の女性で、そしてホジキン病を首尾よく処置したことに加えて、数年間にわたる血液透析を必要とする、多発性嚢胞腎病を有していた。治療は、おそらく開始の遅れのために、この患者において首尾よくなかった。
【０１８４】
代謝型グルタミン酸レセプター様タンパク質をコードする本発明の開示されたＮＯＶ６核酸は、表６Ａに提供される配列の核酸、またはそのフラグメントを含む。本発明はまた、塩基のいずれかが表６Ａに示される対応する塩基と交換され得るが、その代謝型グルタミン酸レセプター様活性および生理学的機能を維持するタンパク質をなおコードする、変異体核酸または改変体核酸、あるいはそのような核酸のフラグメントを含む。本発明は、さらに、その記載される配列に相補的である配列の核酸（その記載される核酸のいずれかに相補的である核酸フラグメントを含む）を含む。本発明はさらに、その構造が化学修飾を含む、核酸または核酸フラグメント、あるいはその相補体を含む。このような修飾としては、非限定的な例示の目的で、修飾された塩基、およびその糖リン酸骨格が、修飾または誘導体化された核酸が挙げられる。これらの修飾は、その修飾された核酸の化学的安定性を増強するために、少なくとも部分的に強化するために行われ、その結果、これらは、例えば、被験体中の治療適用におけるアンチセンス結合核酸として使用され得る。変異体核酸または改変体核酸、およびその相補体において、これらの塩基の約１０％までは、そのように変化され得る。
【０１８５】
本発明の開示されたＮＯＶ６タンパク質は、表６Ｂに提供される配列の代謝型グルタミン酸レセプター様タンパク質を含む。本発明はまた、残基のいずれかが表６Ｂに示される対応する残基と交換され得るが、その代謝型グルタミン酸レセプター様の活性および生理学的機能を維持するタンパク質をなおコードする変異体タンパク質または改変体タンパク質、あるいはその機能的フラグメントを含む。これらの変異体タンパク質または改変体タンパク質において、それらの残基の約１０％までが、そのように変化され得る。
【０１８６】
本発明についての上記の規定された情報は、これらの代謝型グルタミン酸レセプター様タンパク質（ＮＯＶ６）が、「代謝型グルタミン酸レセプターファミリー」のメンバーとして機能し得ることを示唆する。従って、本明細書で同定されたＮＯＶ６核酸およびＮＯＶ６タンパク質は、以下に示されるような種々の病理学および障害に関連する（しかし、これらに限定されない）、潜在的治療適用において有用であり得る。本発明についての潜在的治療適用として、タンパク質治療用の、低分子薬物標的、抗体標的（治療用、診断用、薬物標的化／細胞傷害性抗体）、診断用および／または予後用のマーカー、遺伝子治療（遺伝子送達／遺伝子除去）、研究ツール、本明細書で規定されたこれらの組織を含む全ての組織および細胞型（しかし、これらに限定されない）のインビボおよびインビトロにおける組織再生が挙げられるが、これらに限定されない。
【０１８７】
ＮＯＶ６核酸およびＮＯＶ６タンパク質は、免疫障害および気道の病理学（例えば、てんかん発作）、および他の神経障害、ホジキン病、多発性嚢胞腎病、精神的抑うつ、腺癌、スミス−レムリ−オピッツ症候群、網膜色素変性症、ならびに／または他の病理学および障害に関連する、潜在的治療適用において有用である。例えば、ＮＯＶ６をコードするｃＤＮＡは、遺伝子治療において有用であり得、そしてＮＯＶ６は、それを必要とする被験体へ投与される場合、有用であり得る。非限定的な例示の目的で、ＮＯＶ６は、てんかん発作、および他の神経障害、ホジキン病、多発性嚢胞腎病、精神的抑うつ、腺癌、スミス−レムリ−オピッツ症候群、網膜色素変性症に罹患する患者の処置に対する効力を有する。ＮＯＶ６タンパク質をコードする新規のＮＯＶ６核酸、またはそのフラグメントはさらに、診断適用において有用であり得、ここで、核酸またはタンパク質の存在または量が評価される。これらの材料はさらに、本発明の新規物質に免疫特異的に結合する、治療法または診断法で使用するための抗体の生成において有用である。
【０１８８】
ＮＯＶ６核酸およびＮＯＶ６ポリペプチドはさらに、本発明の新規物質に免疫特異的に結合する、治療法または診断法で使用するための抗体の生成において有用である。これらの抗体は、以下の項「抗ＮＯＶＸ抗体」に記載されるような、疎水性チャートからの予測を使用して、当該分野で公知の方法に従って生成され得る。例えば、開示されたＮＯＶ６タンパク質は、各々が、免疫原として使用され得る複数の親水性領域を有する。１つの実施形態において、予測されるＮＯＶ６エピトープは、およそのアミノ酸２０〜３０である。他の実施形態において、ＮＯＶ６エピトープは、およそのアミノ酸５０〜７０、およそのアミノ酸１００〜１４０、およそのアミノ酸１８０〜２００、およそのアミノ酸２１０〜２８０、およそのアミノ酸３１０〜４００、およそのアミノ酸４５０〜５１０、およそのアミノ酸５２０〜５６０、およそのアミノ酸６００〜６１０、およそのアミノ酸６６０〜６８０、およそのアミノ酸７００〜７２０、およそのアミノ酸７５０〜７７０、またはおよそのアミノ酸８００〜８５０である。この新規タンパク質はまた、疾患の病理学の理解および種々の障害に対する新たな薬物標的の開発を助ける、種々のヒト障害の機能分析のための強力なアッセイシステムの開発において、価値を有する。
【０１８９】
（ＮＯＶ７）
ＮＯＶ７は、以下に開示される新規の３つのＰＶ−１様タンパク質を含む。この開示されたタンパク質は、ＮＯＶ７ａ、ＮＯＶ７ｂ、およびＮＯＶ７ｃと名付けられた。
【０１９０】
（ＮＯＶ７ａ）
新規のＰＶ−１様レセプタータンパク質をコードする１３６６ヌクレオチドの開示されたＮＯＶ７ａ核酸（ｓｇｇｃ＿ｄｒａｆｔ＿ｂａ５６０ａ１５＿２００００７２３＿ｄａｌともいう）を、表７Ａに示す。オープンリーディングフレームは、ヌクレオチド１〜３でのＡＴＧ開始コドンで始まり、そしてヌクレオチド１３２７〜１３２９でのＴＧＡコドンで終止すると、同定された。表７Ａにおいて、３’非翻訳領域に、下線を伏し、そして開始コドンおよび終止コドンを、太字で示す。
【０１９１】
【表７Ａ】
2004527222.tif 000094
第１９染色体に局在化される開示されたＮＯＶ７ａ核酸配列は、Ｒａｔｔｕｓ  ｎｏｒｖｅｇｉｃｕｓ由来の１９６８ｂｐのＰＶ−１  ｍＲＮＡ（ＧＥＮＢＡＮＫ−ＩＤ：ＡＦ１５４８３１｜ａｃｃ：ＡＦ１５４８３１）に対して、１３４５塩基中９４５塩基（７０％）同一である（Ｅ＝１．１ｅ−１２１）。
【０１９２】
配列番号１８によってコードされる開示されたＮＯＶ７ａポリペプチド（配列番号１９）は、４４２アミノ酸残基であり、そして、１文字アミノ酸コードを用いて表７Ｂに示す。Ｓｉｇｎａｌ  Ｐ、Ｐｓｏｒｔおよび／または疎水性親水性の結果は、ＮＯＶ７ａがシグナルペプチドを有しかつ０．７９００の確実性を有して小胞体膜に局在化されるようであることを予測する。他の実施形態において、ＮＯＶ７ａはまた、０．６０００の確実性を有して核に、０．３０００の確実性を有してマイクロボディ（ペルオキシソーム）に、または０．３０００の確実性を有してゴルジ体に局在化されるようである。有望なＮＯＶ７ａペプチドの切断部位は、アミノ酸５０と５１との間の：ＹＶＧ−ＮＶである。
【０１９３】
ＮＯＶ７ａについてのＳＮＰデータは、以下の実施例３において見出され得る。
【０１９４】
【表７Ｂ】
2004527222.tif 000095
開示されたＮＯＶ７ａアミノ酸配列は、Ｒａｔｔｕｓ  ｎｏｒｖｅｇｉｃｕｓ由来の４３８アミノ酸残基のＰＶ−１タンパク質（ＳＰＴＲＥＭＢＬ−ＡＣＣ：Ｑ９ＷＶ７８）に対して、４４２アミノ酸残基中２６６残基（６０％）同一であり、４４２アミノ酸残基中３４７残基（７８％）類似であり（１．６ｅ−１４２）、そして４７９アミノ酸残基のヒト  ＯＲＦＸ  ＯＲＦ１９１８ポリペプチド配列（ｐａｔｐ：ＡＡＢ４２１５４）に対して、４４２アミノ酸残基中４３９残基（９９％）が同一であり、４４２アミノ酸残基中４３９残基が類似である（３．２ｅ−２２９）。
【０１９５】
ＮＯＶ７ａについてのＴａｑＭａｎデータは、以下の実施例２において見出され得る。
【０１９６】
（ＮＯＶ７ｂ）
新規のＰＶ−１様レセプタータンパク質をコードする１４２１ヌクレオチド（２８４７２６４．０．３２ともいう）の開示されたＮＯＶ７ｂ核酸は、表７Ｃで示される。オープンリーディングフレームは、ヌクレオチド５５〜５７におけるＡＴＧ開始コドンで始まり、そしてヌクレオチド１３８１〜１３８３におけるＴＧＡコドンで終了すると同定された。表７Ｃにおいて、５’および３’の非翻訳領域は、下線が引かれ、そして、開始コドンおよび終止コドンは太字である。
【０１９７】
【表７Ｃ】
2004527222.tif 000096
2004527222.tif 000097
染色体１９に位置する開示されたＮＯＶ７ｂ核酸配列は、Ｒａｔｔｕｓ  ｎｏｒｖｅｇｉｃｕｓ由来のＰＶ−１のｍＲＮＡ（ＧＥＮＢＡＮＫ−ＩＤ：ＡＦ１５４８３１）と１３８３塩基中９６９塩基の相同性（７０％）を有する（Ｅ＝２．５ｅ−１２３）。
【０１９８】
配列番号２０によってコードされた開示されたＮＯＶ７ｂポリペプチド（配列番号２１）は、４４２のアミノ酸残基であり、そして表７Ｄで一文字のアミノ酸コードを用いて表される。シグナルＰ、Ｐｓｏｒｔおよび／またはＨｙｄｒｏｐａｔｈｙの結果は、ＮＯＶ７ｂが、シグナルペプチドを有し、そして０．７９００の信頼度で原形質膜に局在する可能性があると予測する。１つの実施形態において、ＮＯＶ７ｂはまた、０．６０００の信頼度で核に、０．３０００の信頼度でマイクロボディー（ペルオキシソーム）に、または０．３０００の信頼度でゴルジ体に局在する可能性がある。ＮＯＶ７ｂペプチドの最も適当な切断部位は、アミノ酸５０と５１との間（ＹＶＧ−ＮＶ）である。
【０１９９】
【表７Ｄ】
2004527222.tif 000098
開示されたＮＯＶ７ｂアミノ酸配列は、Ｒａｔｔｕｓ  ｎｏｒｖｅｇｉｃｕｓ（ＳＰＴＲＥＭＢＬ−ＡＣＣ：Ｑ９ＷＶ７８）由来のＰＶ−１タンパク質の４３８アミノ酸残基に対して、４４２アミノ酸残基中２６８アミノ酸残基（６０％）の相同性、および４４２アミノ酸残基中３５０アミノ酸残基（７９％）の類似性を有し、そしてヒトＯＲＦＸ  ＯＲＦ１９１８ポリペプチド配列（ｐａｔｐ：ＡＡＢ４２１５４）の４７９アミノ酸残基に対して、４５７アミノ酸残基中４５４アミノ酸残基（９９％）の相同性、および４５７アミノ酸残基中４５７アミノ酸残基（１００％）の類似性を有する（Ｅ＝１．３ｅ−２３７）。
【０２００】
ＮＯＶ７ｂは、少なくとも次の組織において発現され、リンパ節、骨髄、脾臓、乳腺、甲状腺、胃、胎児の腎臓、心臓、胎児の肝臓。さらに、その配列は、Ｒａｔｔｕｓ  ｎｏｒｖｅｇｉｃｕｓ属において密接に関係があるＰＶ−１相同体の発現パターン（ＧＥＮＢＡＮＫ−ＩＤ：Ｑ９ＷＶ７８）のために、肺において発現されると予測される。この配列はまた、筋肉および脳に発現されると報告されている（Ｊ  Ｃｅｌｌ  Ｂｉｏｌ  １９９９  Ｊｕｎ  １４；１４５（６）：１１８９−９８）。腎臓の有窓周細管性毛細血管の内皮、ならびに腸絨毛、膵臓、および副腎の内皮はまた、ＰＶ−１を発現することを示す。（Ｐｒｏｃ  Ｎａｔｌ  Ａｃａｄ  Ｓｃｉ  ＵＳＡ  １９９９年１１月９日；９６（２３）：１３２０３−７）ＮＯＶ７ｂについてのＴａｑＭａｎデータは以下の実施例２で見出され得る。
【０２０１】
（ＮＯＶ７ｃ）
新規のＰＶ−１様レセプタータンパク質をコードする２０２４ヌクレオチド（ＣＧ５１８７８−０３ともいう）の開示されたＮＯＶ７ｃ核酸は、表７Ｅで示される。オープンリーディングフレームは、ヌクレオチド１〜３におけるＡＴＧ開始コドンで始まり、そしてヌクレオチド１３２７〜１３２９におけるＴＧＡコドンで終止すると同定された。表７Ｅにおいて、３’の非翻訳領域は、下線が引かれ、そして開始コドンおよび終止コドンは太字である。
【０２０２】
【表７Ｅ】
2004527222.tif 000099
染色体１９ｐ１３に位置する開示されたＮＯＶ７ｃ核酸配列は、Ｈｏｍｏ  ｓａｐｉｅｎｓ由来のｍＲＮＡ（Ｈｏｍｏ  ｓａｐｉｅｎｓの有窓内皮に連結する構造タンパク質（ＦＥＬＳ）ｍＲＮＡ、完全ｃｄｓ）（ｇｂ：ＧＥＮＢＡＮＫ−ＩＤ：ＡＦ３２６５９１｜ａｃｃ：ＡＦ３２６５９１．１）と２０１５塩基中２００９塩基（９９％）の相同性を有する（Ｅ＝０．０）。
【０２０３】
配列番号２２によってコードされた開示されたＮＯＶ７ｃポリペプチド（配列番号２３）は、４４２のアミノ酸残基であり、そして表７Ｆで一文字のアミノ酸コードを用いて表される。シグナルＰ、Ｐｓｏｒｔおよび／またはＨｙｄｒｏｐａｔｈｙの結果は、ＮＯＶ７ｃが、シグナルペプチドを有し、そして０．７９００の信頼度で原形質膜に局在する可能性があると予測する。他の実施形態において、ＮＯＶ７ｃはまた、０．６０００の信頼度で核に、０．３０００の信頼度でマイクロボディー（ペルオキシソーム）に、または０．３０００の信頼度でゴルジ体に局在する可能性がある。ＮＯＶ７ｃペプチドの最も適当な切断部位は、アミノ酸５０と５１との間（ＹＶＧ−ＮＶ）である。
【０２０４】
【表７Ｆ】
2004527222.tif 000100
開示されたＮＯＶ７ｃアミノ酸配列は、Ｈｏｍｏ  ｓａｐｉｅｎｓ（ヒト）由来の（ｐｔｎｒ：ＳＰＴＲＥＭＢＬ−ＡＣＣ：Ｑ９ＢＸ９７）タンパク質（ＰＶ１  ＰＲＯＴＥＩＮ）の４４２アミノ酸残基に対して、４４２アミノ酸残基中４４０アミノ酸残基（９９％）の相同性、および４４２アミノ酸残基中４４２アミノ酸残基（１００％）の類似性を有する（Ｅ＝６．９ｅ−２３１）。
【０２０５】
ＮＯＶ７ｃは、少なくとも次の組織において発現される：心臓、副腎（Ａｄｒｅｎａｌ  Ｇｌａｎｄ）／副腎（Ｓｕｐｒａｒｅｎａｌ  ｇｌａｎｄ）、甲状腺、唾液腺、肝臓、骨髄、脾臓、リンパ腺、乳腺／乳房、胎盤、前立腺、肺、腎臓、膵臓、骨髄、および小腸。発現情報は、ＣｕｒａＧｅｎ  Ａｃｃ．Ｎｏ．ＣＧ５１８７８−０３の配列の起源に含まれる配列の組織源に由来した。この配列は、密接に関係のあるＨｏｍｏ  ｓａｐｉｅｎｓの有窓内皮に連結された構造タンパク質（ＦＥＬＳ）のｍＲＮＡの発現パターン（ＧＥＮＢＡＮＫ−ＩＤ：ｇｂ：ＧＥＮＢＡＮＫ−ＩＤ：ＡＦ３２６５９１｜ａｃｃ：ＡＦ３２６５９１．１）のために、以下の組織中で発現されると予測される。
【０２０６】
ＮＯＶ７ａ、７ｂ、および７ｃは、表７Ｇで整列して示されるように、非常に密接に相同である。
【０２０７】
【表７Ｇ】
2004527222.tif 000101
2004527222.tif 000102
上述のＮＯＶ７タンパク質のいずれかに対する相同性は、このＮＯＶ７タンパク質が上で示されるようにお互いに相同である範囲で、他の２つのＮＯＶ７タンパク質によって共有される。ＮＯＶ７に対する任意の言及は、一般的に、他に記載されなければＮＯＶ７タンパク質の３つ全てをいうと想定される。
【０２０８】
ＮＯＶ７ａはまた、表７Ｈに列挙されるＢＬＡＳＴＰデータに示されるアミノ酸配列と相同性を有する。
【０２０９】
【表７Ｈ】
2004527222.tif 000103
2004527222.tif 000104
それらの配列の相同性は、表７Ｉに示されるＣｌｕｓｔａｌＷ分析で図式で示される。
【０２１０】
【表７Ｉ】
2004527222.tif 000105
2004527222.tif 000106
ＰＶ−１は、新規の内皮タンパク質であり、そのタンパク質は肺の内皮中の小胞の小孔の隔膜に特に関係のあると、免疫細胞化学的なテストによって示された（Ｓｔａｎ  ＲＶら；Ｐｒｏｃ  Ｎａｔｌ  Ａｃａｄ  Ｓｃｉ  ＵＳＡ  １９９９年１１月９日；９６（２３）：１３２０３−７）。ｍＲＮＡおよびタンパク質の両方の最も高い発現レベルは、肺の中であるが、ＰＶ−１はまた、他の器官内で発現されることがわかっている。ＰＶ−１の細胞外ドメインに対する特異的な抗体を用いて、光学顕微鏡および電子顕微鏡レベルにおけるこのタンパク質の存在の調査は、様々なラットの器官内に及んだ。抗体が、腎臓の有窓周細管性毛細血管の内皮、ならびに腸絨毛、膵臓および副腎の内皮を高い特異性で認識することが免疫蛍光によって示された。電子顕微鏡レベルでの免疫局在決定によって、抗体は、それらの血管ベッドの内皮中で、窓の隔膜および小胞の小孔隔膜ならびに経内皮チャネルを特異的に認識する。シグナルは、心臓、骨格筋、腸筋（ｉｎｔｅｓｔｉｎａｌ  ｍｕｓｃｕｌａｒｉｓ）または脳の毛細血管の連続的な内皮、あるいは腎臓糸球体の隔膜のない（ｎｏｎｄｉａｐｈｒａｇｍｅｄ）有窓内皮、中で検出されなかった。まとめると、結論は、有窓隔膜中にこれまで局在される抗体だけに限定する。その結論はまた、小胞の小孔隔膜および経内皮チャネルならびに有窓隔膜が、生化学的に関連づけられ得、さらに、形態学的に類似の構造であることも示す。
【０２１１】
本発明者の研究で開発された、免疫単離の手順（Ｓｔａｎ，Ｒ．−Ｖ．，Ｗ．Ｇ．Ｒｏｂｅｒｔｓ，Ｋ．Ｉｈｉｄａ，Ｄ．Ｐｒｅｄｅｓｃｕ，Ｌ．，Ｓａｕｃａｎ，Ｌ．Ｇｈｉｔｅｓｃｕ，およびＧ．Ｅ．Ｐａｌａｄｅ．１９９７．Ｍｏｌ．Ｂｉｏｌ．Ｃｅｌｌ．８：５９５−６０５）を用いることによって、ラットの肺の内皮由来の小胞細画分は、単離され、そしてこの細画分のタンパク質は、部分的に特徴付けされ、明らかに小胞に特異的である糖タンパク質を含むこのタンパク質は、ＰＶ−１と呼ばれることが提案される（以前からｇｐ６８として公知である）。全長のＰＶ−１のｃＤＮＡのクローニングと併用してＰＶ−１の単離および部分的な配列決定は、次の結論を導く：（ａ）ＰＶ−１は、インサイチュでホモダイマーを形成する新規の単一スパン型ＩＩの膜内タンパク質（４３８アミノ酸長）であり；（ｂ）ＰＶ−１の膜貫通ドメインは、短い細胞質の内部ドメインを規定するＮＨ２末端および血漿にさらされた大きいＣＯＯＨ末端の外部ドメインに近く；（ｃ）ＰＶ−１はＮ−グリコシル化され、そしてそのグリカンアンテナは、α１−３結合で末端非還元のガラクトシル残基を与える。ＰＶ−１は、肺で大部分は発現されるが、メッセンジャーＲＮＡおよびタンパク質の両方は、腎臓、脾臓、肝臓、心臓、筋肉および脳でも低いレベルで検出され得る。シグナルは、精巣で検出され得ず、そして２つの低分子量体が脳で検出された。免疫細胞化学的な研究は、ＣＯＯＨ末端エピトープに向けられる抗ＰＶ−１ポリクロナール抗体を用いるラットの肺での免疫拡散によって行なわれ、この研究は、ＰＶ−１の特異的な局在化がラットの肺の内皮小胞の小孔隔膜であることを明らかにし、そしてＰＶ−１ＣＯＯＨ末端の細胞外配向性を確認する（Ｓｔａｎ，Ｒ．Ｖ．Ｊ．Ｃｅｌｌ．Ｂｉｏｌ．１９９９，Ｊｕｎ．１４；１４５（６）：１８９−９８）。
【０２１２】
免疫細胞化学は、マウスの胎仔の様々な間葉組織の下部構造で明確な段階の糖タンパク質ＧＰ６８の最初の発現を明らかにした（Ｍｏｒｉｔａ  Ｔら；Ｏｋａｊｉｍａｓ  Ｆｏｌｉａ  Ａｎａｔ  Ｊｐｎ  １９９８年１０月；７５（４）：１８５−９５）。妊娠の１１〜１５日の間に、ＧＰ６８は、原始髄膜、軟骨形成初期の（ｐｅｒ−ｃａｒｔｉｌａｇｉｎｏｕｓ）椎体および浮遊肋の軟骨および軟骨膜、真皮の結合組織細胞、心臓の心外膜および心内膜、骨格筋の筋外膜および筋周膜、ならびに内臓器管の基底膜に局在された。ラミニン発現のための二重染色は、同一の組織の下部構造で同時発生的な発現を示した。しかし、ラミニンは、１０〜１８日齢の胎仔および新生仔で発現された。それゆえに、ＧＰ６８は、妊娠の１１日目と１５日目との間で間葉組織でラミニンを同時発生的に発現され、そしてラミニン結合タンパク質としての役割を果たし得る。それらの結果を考えて、正常な胚形成の間、それら２つのタンパク質と非インテグリンのラミニン結合タンパク質の機構との間での関連性に関する仮説は、さらに議論される。
【０２１３】
微小血管の内皮は、高度に分化した扁平上皮として組織化され、この上皮の主な機能は、水、高分子、および血漿と間質液との間の小さい溶質の交換を媒介することである。経内皮の輸送に今までに関係した内皮構造は、小胞、経内皮チャネル、細胞間結合および窓である。小胞は、フラスコの形または球状の原形質膜陥入であり、そして単独かまたは鎖もしくはクラスター中に発生し得る７０ｎｍの平均外径の関連する小疱である。陥入形状において、小胞の膜は、適切な細胞膜の連続的な層の間、およびある微小血管のベッド（例えば、肺の連続的な内皮ならびに有窓内皮および洞様毛細血管内皮）中にあり、小胞の口または頸に、小孔隔膜を与える。
【０２１４】
経内皮チャンネルは、内皮細胞に偶然見付けられた６０〜７０ｎｍの直径のチャネルである。経内皮チャネルは、原形質膜の管腔内（ｌｕｍｉｎａｌ）および管腔外（ａｂｌｕｍｉｎａｌ）の側面の両方と各々１つの小胞との融合によって、または普通２つから４つの小胞の鎖によって形成されると思われる。それらのチャネルは、それらの連続的な対応物ではなく有窓内皮にだけ２つの隔膜（１つは管腔内および１つは管腔外）を与える。
【０２１５】
隔膜の窓は、全ての有窓内皮の特徴的な構成要素である（例えば、腎臓の周細管性毛細血管および上行直細血管、腸絨毛、膵臓、副腎皮質、内分泌腺の毛細血管、ならびに脳および目の脈絡毛細管板）。それらの窓は、内皮細胞を通過する円型の開口または窓であり、６３〜６８ｎｍの一定の直径を有し、細胞の減弱される部分、クラスターにのみ存在し、「シーブプレート（ｓｉｅｖｅ  ｐｌａｔｅｓ）」と言われる。公然と電子顕微鏡の画像において、窓は、円形で存在するが、いくつかの研究は、８倍の対称性を有すると示した。窓の縁（管腔外の原形質膜は管腔原形質膜を含む）は、有窓隔膜に対する付着ラインである。正常な切断面で、この隔膜は、中央の密度または小頭部に与えられる非常に薄い（５〜６ｎｍ）単一層のバリヤーとして表れる。平凹急速冷凍技術により、縁から始まりそして中央のメッシュ（直交部にある中央小頭部の均等物）で織り交ざる放射状の原繊維（直径７ｎｍ）で構成される隔膜の構造を明らかにした。
【０２１６】
内皮の小胞の化学組成が、いくらか洞察され始めたが、経皮内チャネルおよび窓の分子成分は、手に入れにくいままであった。経皮内チャネルおよび窓の内皮のマイクロドメインの化学物質は、非特異的な「一般的」プローブを用いて調べられ（荷電した分子およびレクチン単独でかまたは様々な分解酵素と混合して）、これにより、表面電荷、電荷を与える分子の型、糖タンパク質および糖脂質において見出されたグリカンアンテナの型についてある情報をもたらす。有窓隔膜または経皮内チャネル隔膜の特定の成分は、今までに確認されていなかった。
【０２１７】
小胞内に含まれると報告されたタンパク質としては、Ｇタンパク質結合レセプター（ＧＰＣＲ）（Ｏｓｔｒｏｍ  ＲＳら、Ｊ  Ｐｈａｒｍａｃｏｌ  Ｅｘｐ  Ｔｈｅｒ  ２０００年８月；２９４（２）：４０７−１２）、スカベンジャーレセプターＢ類Ｉ型（ＳＲ−ＢＩ）（Ｋｒｉｅｇｅｒ  Ｍ  Ａｎｎｕ  Ｒｅｖ  Ｂｉｏｃｈｅｍ  １９９９；６８：５２３−５８）、モノカルボン酸塩輸送体（Ｂｏｎｅｎ  Ａ，Ｍｅｄ  Ｓｃｉ  Ｓｐｏｒｔｓ  Ｅｘｅｒｃ  ２０００年４月；３２（４）：７７８−８９）、内皮ＮＯＳ（ｅＮＯＳ）（Ｋｏｎｅ  ＢＣ  Ａｃｔａ  Ｐｈｙｓｉｏｌ  Ｓｃａｎｄ  ２０００年１月；１６８（１）：２７−３１）、ＩＰ３レセプター様タンパク質、Ｃａ２＋ＡＴＰａｓｅ、様々なＰＫＣアイソフォーム（Ｉｓｓｈｉｋｉ  Ｍら、Ｃｅｌｌ  Ｃａｌｃｉｕｍ  １９９９年１１月；２６（５）：２０１−８）、およびＧＰＩ固定分子（Ｍａｒｔｉｎｓ  ＶＲ、Ｂｒａｚ  Ｊ  Ｍｅｄ  Ｂｉｏｌ  Ｒｅｓ  １９９９年７月；３２（７）：８５３−９）が挙げられる。
【０２１８】
ＰＶ−１様タンパク質をコードする本発明の開示されたＮＯＶ７核酸は、表７Ａ、７Ｃ、または７Ｅに与えられる配列の核酸、あるいはそれらの断片を含む。本発明はまた、変異体の核酸または改変体の核酸を含み、その変位体または改変体の塩基のいずれかは、表７Ａ、７Ｃ、または７Ｅに示される対応する塩基と置換され得るが、ＰＶ−１様タンパク質活性および生理学的機能を維持するタンパク質またはそのような核酸の断片を依然としてコードしている。本発明は、核酸の配列が適切に記載される配列と相補的である配列の核酸をさらに含み、この核酸は適切に記載される核酸のいずれかと相補的である核酸フラグメントを含む。本発明は、核酸または核酸断片、あるいはその相補体をさらに含み、それらの構造は、化学改変を含む。そのような改変は、限定されない例として、改変された塩基、および改変されまたは誘導される糖リン酸骨格の核酸を含む。それらの改変は、改変された核酸の化学的安定性を増強するために少なくとも部分的に行なわれ、例えば、この改変は、被験体での治療用途において核酸に結合するアンチセンスとして使用される。変異体の核酸または改変体の核酸、およびそれらの相補体中で、塩基の約３０％までが、そのように置換され得る。
【０２１９】
本発明の開示されたＮＯＶ７タンパク質は、ＰＶ−１様タンパク質を含み、このＰＶ−１様タンパク質の配列は、表７Ｂ、７Ｄ、または７Ｆで与えられる。本発明はまた、変異体のタンパク質または改変体のタンパク質を含み、このタンパク質の残基のいずれかが、表７Ｂ、７Ｄ、または７Ｆに示される対応する残基と置換され得るが、ＰＶ−１様活性および生理学的機能を維持するタンパク質またはそれらの機能断片を依然としてコードする。変異体のタンパク質または改変体のタンパク質中で、残基の約４０％までが、そのように置換され得る。
【０２２０】
本明細書中に記載されるＰＶ−１様タンパク質および核酸（ＮＯＶ７）に対するタンパク質の類似性情報、発現パターン、およびマップ配置は、ＮＯＶ７がＰＶ−１様ファミリーの重要な構造的および／または生理学的機能の特徴を有し得ることを示唆する。従って、本発明のＮＯＶ７の核酸およびタンパク質は、潜在的な診断用途および治療用途において有用である。これらは、特定のもしくは選択的核酸もしくはタンパク質の診断マーカーおよび／または予防マーカーとして機能すること（ここで、核酸またはタンパク質の存在または量が評価される）、ならびに以下のような潜在的な治療用途を含む：（ｉ）タンパク質治療剤、（ｉｉ）低分子薬物標的、（ｉｉｉ）抗体標的（治療的、診断的、薬物標的／細胞傷害性抗体）、（ｉｖ）遺伝子治療に有用な核酸（遺伝子送達／遺伝子切除）、ならびに（ｖ）インビボおよびインビトロで組織再生を促進する組成物。
【０２２１】
本発明のＮＯＶ７の核酸およびタンパク質は、以下に記載される種々の疾患および障害および／または他の症状に関係する潜在的な診断用途および治療用途において有用である。例えば、本発明の組成物は、小脳性運動失調を患う患者の処置のための効力を有する、純；挿話的運動失調（Ｅｐｉｓｏｄｉｃ  ａｔａｘｉａ）、型２；片麻痺性片頭痛、家族性の；レイ症候群（Ｌｅｉｇｈ  ｓｙｎｄｒｏｍｅ）；脊髄小脳性運動失調−６；乾癬、感受性；自己免疫疾患、ぜん息、終末細気管支、強皮症、アレルギー、ＡＲＤＳ、フォン  ヒッペル−リンダウ症候群（ＶＨＬ）、アルツハイマー病、発作、結節硬化症、高カルシウム血症、パーキンソン病、ハンティングトン病、脳性小児麻痺、てんかん、レッシュ−ナイハン症候群、多発性硬化症、毛細血管拡張性運動失調、白質萎縮症、行動障害、嗜癖、不安、、疼痛、神経保護、筋ジストロフィー、重症筋無力症、血友病、凝固亢進、特発性血小板減少性紫斑病、免疫不全、対宿主性移植片病、フォン  ヒッペル−リンダウ症候群（ＶＨＬ）、肝硬変症、移植術、心筋症、アテローム性動脈硬化症、高血圧、先天性心疾患、大動脈狭窄症、心房中隔欠損症（ＡＳＤ）、房室（Ａ−Ｖ）管欠陥、動脈管、肺動脈弁狭窄症、大動脈弁下部狭窄症、心室中隔欠損症（ＶＳＤ）、弁疾患、強皮症、肥満症、移植術、受胎能；癌、腎動脈狭窄症、間質性腎炎、糸球体腎炎、多発性嚢胞腎、全身性エリテマトーデス、尿細管性アシドーシス、ＩｇＡ腎症、高カルシウム血症、レッシュ−ナイハン症候群、副腎脳白質ジストロフィー、先天性副腎過形成、口内乾燥症；虫歯および他の歯の問題；炎症性腸疾患、憩室性疾患、膵臓炎、および／または他の疾患／障害。ＮＯＶ７核酸、またはＮＯＶ７核酸の断片は、診断用途にさらに有用であり、ここで核酸またはタンパク質の存在または量が、評価される。
【０２２２】
ＮＯＶ７核酸およびタンパク質は、治療方法または診断方法において使用するための本発明の新規の物質に免疫特異的に結合する抗体の作製において、さらに有用である。これらの抗体は、当該分野で公知の方法に従って、疎水性チャートによる予測を使用して、以下の「抗ＰＶ−１抗体」の章に記載されるようにして作製され得る。例えば、開示されたＮＯＶ７タンパク質は、複数の親水性領域を有し、このタンパク質の各々が免疫原として使用され得る。１つの実施形態において、ＮＯＶ７エピトープは、約５〜２５のアミノ酸由来である。他の実施形態において、ＮＯＶ７エピトープは、約５０〜７５のアミノ酸、約８０〜１６０のアミノ酸、約１７５〜２７５のアミノ酸、約２８０〜３８０のアミノ酸、または約３８５〜４３０のアミノ酸由来である。これらの新規のタンパク質はまた、様々なヒト障害の機能分析のための強力なアッセイシステムにおいての開発に役立ち、このタンパク質は、疾患の病理学の理解および様々な障害のための新規の薬物標的の開発を助ける。
【０２２３】
（ＮＯＶ８）
ＮＯＶ８は、以下に開示される２つの新規のＰａｐｉｎ様タンパク質を含む。開示されるタンパク質は、ＮＯＶ８ａ、およびＮＯＶ８ｂと名付けられた。
【０２２４】
（ＮＯＶ８ａ）
新規のＰａｐｉｎ様レセプタータンパク質をコードする８６４０ヌクレオチド（ＳＣ１３４９１４３３０＿Ａともいう）の開示されたＮＯＶ８ａ核酸は、表８Ａで示される。オープンリーディングフレームは、ヌクレオチド１０１〜１０３におけるＡＴＧ開始コドンで始まり、そしてヌクレオチド８５４３〜８５４５におけるＴＧＡコドンで終了すると同定された。開始コドンから上流および終止コドンから下流の推定上の非翻訳領域は、表８Ａで下線を引く。開始コドンおよび終止コドンは、太い文字である。
【０２２５】
【表８Ａ】
2004527222.tif 000107
2004527222.tif 000108
2004527222.tif 000109
公開された配列データベースの検索において、染色体５に位置するＮＯＶ８ａ核酸配列は、Ｒａｔｔｕｓ  ｎｏｒｖｅｇｉｃｕｓ由来のＰａｐｉｎのｍＲＮＡ（ＧＥＮＢＡＮＫ−ＩＤ：ＡＦ１６９４１１）と１１２８塩基中９９７塩基（８８％）の相同性を有する。公開されたヌクレオチドデータベースとしては、全てのＧｅｎＢａｎｋデータベースおよびＧｅｎｅＳｅｑ特許データベースが挙げられる。
【０２２６】
ＮＯＶ１ａに対するＳＮＰデータは以下の実施例３で見出され得る。
【０２２７】
配列番号２４によってコードされる開示されるＮＯＶ８ａポリペプチド（配列番号２５）は、２８１４アミノ酸残基を有し、表８Ｂで一文字のアミノ酸コードを用いて示される。シグナルＰ、Ｐｓｏｒｔおよび／またはＨｙｄｒｏｐａｔｈｙの結果は、ＮＯＶ８ａが、シグナルペプチドを有さず、そして０．７０００の信頼度で核に局在する可能性があると予測する。他の実施形態において、ＮＯＶ８ａはまた、０．３０００の信頼度でマイクロボディー（ペルオキシソーム）に、または０．１０００の信頼度でミトコンドリアのマトリックススペースに、または０．１０００の信頼度でリソソーム（管腔）に局在し得る。
【０２２８】
【表８Ｂ】
2004527222.tif 000110
2004527222.tif 000111
配列データベースの検索は、ＮＯＶ８ａのアミノ酸配列が、Ｒａｔｔｕｓ  ｎｏｒｖｅｇｉｃｕｓ（Ｑ９ＱＺＲ８）由来の２７６６アミノ酸残基のＰａｐｉｎタンパク質と同一な、１７４１アミノ酸残基中９３７のアミノ酸残基（５３％）、およびこのＰａｐｉｎタンパク質と類似の、１７４１アミノ酸残基中１１３３のアミノ酸残基（６５％）（Ｅ＝０．０）を有すること、そして、３３４アミノ酸残基のＨｕｍａｎインターロイキン−１６単量体（ｐａｔｐ：ＡＡＷ１９２０９）と同一な、３０４アミノ酸残基中１２２のアミノ酸残基（４０％）、およびこのＨｕｍａｎインターロイキン−１６単量体と類似の、３０４アミノ酸残基中１７６のアミノ酸残基（５７％）（Ｅ＝１．０ｅ−４６）を有する、ということを示す。アミノ酸データベースとしては、ＧｅｎＢａｎｋデータベース、ＳｗｉｓｓＰｒｏｔ、ＰＤＢ、ＰＡＴＰおよびＰＩＲが、挙げられる。グローバル配列相同性（このタンパク質の全長配列との、ＦＡＳＴＡアラインメントによって定義する）は、７２．９４３％のアミノ酸相同性、および６９．６８９％のアミノ酸同一性である。さらに、このタンパク質は、表示されたヌクレオチド位置に、次のようなタンパク質ドメイン（Ｉｎｔｅｒｐｒｏによって定義）を含む：アミノ酸位置３３６〜４２２、５５８〜６４４、７００〜７８４、２５９７〜２６８１、２７２５〜２８１０にＰＤＺドメイン（ＩＰＲ００１４７８）。
【０２２９】
ＮＯＶ８ａは、少なくとも以下の組織において、発現される：神経系（Ｎｅｒｖｏｕｓ  Ｓｙｓｔｅｍ．）、脳（Ｂｒａｉｎ．）、前脳（Ｐｒｏｓｅｎｃｅｐｈａｌｏｎ／Ｆｏｒｅｂｒａｉｎ．）、間脳（Ｄｉｅｎｃｅｐｈａｌｏｎ．）、下垂体（Ｐｉｔｕｉｔａｒｙ  Ｇｌａｎｄ．）；造血系およびリンパ系（Ｈｅｍａｔｏｐｏｉｅｔｉｃ  ａｎｄ  Ｌｙｍｐｈａｔｉｃ  Ｓｙｓｔｅｍ．）、造血組織（Ｈｅｍａｔｏｐｏｉｅｔｉｃ  Ｔｉｓｓｕｅｓ．）、リンパ組織（Ｌｙｍｐｈｏｉｄ  ｔｉｓｓｕｅ．）、リンパ節（Ｌｙｍｐｈ  ｎｏｄｅ．）；生体全体（Ｗｈｏｌｅ  Ｏｒｇａｎｉｓｍ．）。さらに、この配列は、Ｒａｔｔｕｓ  ｎｏｒｖｅｇｉｃｕｓ種におけるＰａｐｉｎ近縁のホモログ（ＧＥＮＢＡＮＫ−ＩＤ：ＡＦ１６９４１１）の発現パターンのために、以下の組織中で発現されることが、予測される：脳。ＮＯＶ８に関するＴａｑＭａｎのデータは、以下の実施例２において見出され得る。
【０２３０】
（ＮＯＶ８ｂ）
新規なｐａｐｉｎ様タンパク質をコードする８６４０ヌクレオチドの開示されたＮＯＶ８ｂ核酸（ＣＧ５７０２６−０４とも呼ばれる）を、表８Ｃに示す。オープンリーディングフレームは、ヌクレオチド１０１〜１０３のＡＴＧ開始コドンで始まり、そして、ヌクレオチド８５３４〜８５３６のＴＧＡコドンで終結することが同定された。表８Ｃにおいて、開始コドンより上流および終止コドンより下流の推定非翻訳領域に、下線を引く。この開始コドンおよび終止コドンは、太字である。
【０２３１】
【表８Ｃ】
2004527222.tif 000112
2004527222.tif 000113
2004527222.tif 000114
公開配列データベースの検索において、第５染色体に位置するＮＯＶ８ａ核酸配列は、Ｈｏｍｏ  ｓａｐｉｅｎｓ由来のｇｂ：ＧＥＮＢＡＮＫ−ＩＤ：ＡＦ３３８６５０｜ａｃｃ：ＡＦ３３８６５０．１  ｍＲＮＡ（Ｈｏｍｏ  ｓａｐｉｅｎｓ  ＰＤＺドメインを含むタンパク質ＡＩＰＣ（ＡＩＰＣ）ｍＲＮＡ、完全ｃｄｓ）と同一な、５９４１塩基中５８２８の塩基（９８％）（Ｅ＝０．０）を有する。公開ヌクレオチドデータベースとしては、全ＧｅｎＢａｎｋデータベースおよびＧｅｎｅＳｅｑ特許データベースが、挙げられる。
【０２３２】
配列番号２６によってコードされる、開示されたＮＯＶ８ｂポリペプチド（配列番号２７）は、２８１１アミノ酸残基を有し、そして、１文字アミノ酸コードを使用して、表８Ｄ中に示される。Ｓｉｇｎａｌ  Ｐ、Ｐｓｏｒｔおよび／またはＨｙｄｒｏｐａｔｈｙの結果は、ＮＯＶ８ｂがシグナルペプチドを有さず、そして０．７０００の信頼度で核に局在化しそうであることを、示唆する。他の実施形態において、ＮＯＶ８ｂはまた、０．３０００の信頼度でマイクロボディ（ペルオキソーム）に、０．１０００の信頼度で糸粒体基質間隙に、および０．１０００の信頼度でリソソーム（内腔）に局在化する可能性がある。
【０２３３】
【表８Ｄ】
2004527222.tif 000115
2004527222.tif 000116
配列データベースの検索は、ＮＯＶ８ａアミノ酸配列が、２６４１アミノ酸残基からなるＨｏｍｏ  ｓａｐｉｅｎｓ（ヒト）由来のｐｔｎｒ：ＴＲＥＭＢＬＮＥＷ−ＡＣＣ：ＡＡＫ０７６６１タンパク質（ＰＤＺ  ＤＯＭＡＩＮ−ＣＯＮＴＡＩＮＩＮＧ  ＰＲＯＴＥＩＮ  ＡＩＰＣ）の２６４１アミノ酸残基と同一な、２０４５アミノ酸残基中２０１７のアミノ酸残基（９８％）、およびこの２６４１アミノ酸残基と類似の、２０４５アミノ酸残基中２０２２のアミノ酸残基（９８％）（Ｅ＝０．０）を有することを、示す。公開アミノ酸データベースとしては、ＧｅｎＢａｎｋデータベース、ＳｗｉｓｓＰｒｏｔ、ＰＤＢおよびＰＩＲが、挙げられる。
【０２３４】
ＮＯＶ８ｂは、少なくとも以下の組織において、発現される：副腎、骨髄、脳−扁桃、脳−小脳、脳−海馬、脳−黒質、脳−視床、脳−全体、胎児脳、胎児腎、胎児肝、胎児肺、心臓、腎臓、リンパ腫−ラージ、乳腺、膵臓、下垂体腺、胎盤、前立腺、唾液腺、骨格筋、小腸、脊髄、脾臓、胃、精巣、甲状腺、気管および子宮。発現情報は、ＣｕｒａＧｅｎ  Ａｃｃ．Ｎｏ．ＣＧ５７０２６−０４の配列の派生体中に含まれる配列の組織源に、由来した。この配列は、Ｈｏｍｏ  ｓａｐｉｅｎｓ種のＨｏｍｏ  ｓａｐｉｅｎｓ  ＰＤＺドメイン含有タンパク質ＡＩＰＣ（ＡＩＰＣ）ｍＲＮＡに近縁の完全ｃｄｓホモログ（ＧＥＮＢＡＮＫ−ＩＤ：ｇｂ：ＧＥＮＢＡＮＫ−ＩＤ：ＡＦ３３８６５０｜ａｃｃ：ＡＦ３３８６５０．１）の発現パターンのために、以下の組織において発現されることが、予測される：前立腺。ＮＯＶ８ｂに関するＴａｑＭａｎデータは、以下の実施例２において、見出され得る。
【０２３５】
表８Ｅ中のアラインメントにおいて示されるように、このＮＯＶ８ａタンパク質およびＮＯＶ８ｂタンパク質は、非常に相同性が高い。
【０２３６】
【表８Ｅ】
2004527222.tif 000117
2004527222.tif 000118
2004527222.tif 000119
2004527222.tif 000120
2004527222.tif 000121
上に示したようにＮＯＶ８タンパク質が互いに相同である限りは、上記ＮＯＶ８タンパク質のどちらかとの相同性は、他のＮＯＶ８タンパク質によって共有される。ＮＯＶ８への任意の言及は、他に記載しない限り、一般にＮＯＶ８タンパク質の両方のことをいうと、想定される。
【０２３７】
開示されたＮＯＶ８ポリペプチドは、表８Ｆ中に列挙されるＢＬＡＳＴＰデータにおいて示されるアミノ酸配列と、相同性を有する。
【０２３８】
【表８Ｆ】
2004527222.tif 000122
これらの配列と他の配列との相同性は、表８Ｇ中に示されるＣｌｕｓｔａｌＷ解析において、図表で示される。本明細書中の他の全てのＣｌｕｓｔａｌＷ解析と同様に、ＮＯＶ８タンパク質のＣｌｕｓｔａｌＷアラインメントにおいてもまた、黒で縁取られたアミノ酸残基は、保存配列の領域（すなわち、構造特性または機能特性を保存するために必要とされ得る領域）を示し、一方、強調されていないアミノ酸残基は、保存が少なく、そして、タンパク質構造またはタンパク質機能を変えることなく、より広範囲に変換され得る可能性がある。
【０２３９】
【表８Ｇ】
2004527222.tif 000123
2004527222.tif 000124
2004527222.tif 000125
2004527222.tif 000126
2004527222.tif 000127
2004527222.tif 000128
2004527222.tif 000129
2004527222.tif 000130
2004527222.tif 000131
2004527222.tif 000132
2004527222.tif 000133
表８Ｈ〜表８Ｊは、ＮＯＶ８に対するＤＯＭＡＩＮ解析の結果からの、ドメインの説明を列挙する。これは、このＮＯＶ８配列が、このドメインを含むことが既知である他のタンパク質の特性と類似する特性を有する、ということを示す。
【０２４０】
【表８Ｈ】
2004527222.tif 000134
【０２４１】
【表８Ｉ】
2004527222.tif 000135
【０２４２】
【表８Ｊ】
2004527222.tif 000136
2004527222.tif 000137
ＩＧＦＢＰ−ＡＬＳファミリーのタンパク質に属するタンパク質は、循環ホルモンのレベルの調節において、重要な役割を果たす。複合体の酸不安定サブユニットは、複合体の安定性の調節において、およびＩＧＦＢＰファミリーのタンパク質によって調節される循環ホルモンを確実に高レベルにするために、重要な役割を果たす。このタンパク質はまた、発達中の胚にとって重要である多くのタンパク質において共通なドメインであるロイシンリッチリピートを、有する。結果として、このタンパク質は、発達および疾患において、重要な役割を果たし得る。
【０２４３】
インスリン様増殖因子（ＩＧＦ）Ｉおよびインスリン様増殖因子（ＩＧＦ）ＩＩは、細胞増殖および細胞分化の重要な調節因子である（Ｕｅｋｉ  Ｉら、Ｐｒｏｃ  Ｎａｔｌ  Ａｃａｄ  Ｓｃｉ  ＵＳＡ  ２０００  Ｊｕｎ  ６；９７（１２）：６８６８〜７３）。誕生後、大半が肝臓由来のＩＧＦを表す血漿ＩＧＦは、ＩＧＦ、ＩＧＦ結合タンパク質（ＩＧＦＢＰ）３、および酸不安定サブユニット（ＡＬＳ）の各々１分子からなる１５０ｋＤａの三重複合体で、循環する。誕生後のＡＬＳ合成の開始は、三重複合体形成を促進する一次因子である。ＡＬＳによるＩＧＦの捕獲は、負の効果（例えば、低血糖および細胞増殖）なしに、血漿リザーバー（ｒｅｓｅｒｖｏｉｒ）の発達を可能にすると考えられる。ＡＬＳおよび三重複合体の重要性を評価するために、ＡＬＳ遺伝子が不活性化されたマウスを、作製した。変異は、生存率および出生時体重へ少しも影響することなく、Ｍｅｎｄｅｌｉａｎ法で、遺伝させた。誕生３週間後、増殖欠損がヌルマウスにおいて認められ、そして１０週目までには、１３％に達した。この穏当な表現型は、血漿ＩＧＦ−Ｉおよび血漿ＩＧＦＢＰ−３の濃度が、各々６２％および８８％と減少したにもかかわらず、認められた。肝臓および腎臓における合成率は減少しなかったので、増加した代謝回転は、これらの減少に起因した。驚くことに、ＡＬＳの欠乏は、グルコースホメオスタシスおよびインスリンホメオスタシスに影響を与えなかった。ゆえに、ＡＬＳは、ＩＧＦ−ＩおよびＩＧＦＢＰ−３の生後の蓄積に必要とされるが、局在的に生成されるＩＧＦ−Ｉのための優勢な役割を支持する発見と一致して、増殖にとって重要でない。このモデルは、ＡＬＳの存在が、肝臓由来のＩＧＦ−Ｉの他の作用にとって、および高循環レベルのＩＧＦ−ＩＩの存在下でのホメオスタシスの維持にとって必要とされるか否かを決定するために、有用である。
【０２４４】
循環において、インスリン様増殖因子−Ｉ（ＩＧＦ−Ｉ）は、ＩＧＦ結合タンパク質−３（ＩＧＦＢＰ−３）および酸不安定サブユニット（ＡＬＳ）とともに、１５０ｋＤａの三重複合体中に結合される（Ｍｏｌｌｅｒ  Ｓら、Ｊ  Ｈｅｐａｔｏｌ  ２０００  Ｍａｒ；３２（３）：４４１〜６）。循環ＩＧＦ−Ｉおよび循環ＩＧＦＢＰ−３が慢性肝不全の患者において低下することが報告されているが、ＡＬＳのレベルは、肝機能障害について記載されていない。ゆえに、本研究の目的は、肝機能およびＩＧＦ軸について、循環ＡＬＳ濃度および肝静脈のＡＬＳ濃度を、測定することである。
【０２４５】
インスリン様増殖因子（ＩＧＦ）結合タンパク質（ＩＧＦＢＰ）は、当初、種々の生物学的流体において、ＩＧＦ−ＩおよびＩＧＦ−ＩＩのためのキャリアタンパク質として、同定された（Ｒｏｓｅｎｆｅｌｄ  ＲＧら、Ｐｅｄｉａｔｒｉｃｓ  １９９９  Ｏｃｔ；１０４（４  ｐｔ  ２）：１０１８〜２１）。それらの推定される機能は、ＩＧＦペプチドを分解ならびにクリアランスから保護すること、ＩＧＦの半減期を増加すること、および、これらＩＧＦを適切な組織レセプターに送達することである。しかしながら、ＩＧＦＢＰを単なるキャリアタンパク質とする考えは、以下の多くの所見によって、複雑化された：１）６個のＩＧＦＢＰは、他のホルモンおよび他の増殖因子による組織発現および調節において、変化する；２）ＩＧＦＢＰは、タンパク質分解を受け、それにより、ＩＧＦに対する親和性を改変する；３）ＩＧＦＢＰ−３およびＩＧＦＢＰ−５はまた、ＩＧＦに結合することに加えて、酸不安定サブユニットと会合し得、それによりさらにＩＧＦの半減期を増加する；４）ＩＧＦおよびインスリンレセプターへのＩＧＦペプチドのアクセスの改変に加えて、種々のＩＧＦＢＰは、ＩＧＦの作用を増加する能力があり得る；５）ＩＧＦＢＰの一部は、細胞増殖のＩＧＦ非依存的な調節の能力があり得る；６）ＩＧＦＢＰの一部は、細胞膜と、またはおそらく膜レセプターと会合される；および７）ＩＧＦＢＰの一部は、核認識部位を有し、そして、核内で見出され得る。さらに、近年同定された多数のｃＤＮＡは、ＩＧＦＢＰの場合よりも実質的に低い親和性であるが、ＩＧＦに結合するタンパク質をコードすることが、見出された。予想されるタンパク質のＮ末端領域は、システインリッチ領域の保存を有する標準的なＩＧＦＢＰと、構造上相同である。これらの所見は、これらの低親和性バインダーがＩＧＦＢＰスーパーファミリーの一員であり、ＩＧＦ依存的機構およびＩＧＦ非依存的機構の両方によって細胞増殖を調節する能力があること、また、これらの低親和性バインダーが、インスリン様増殖因子、インスリン様増殖因子結合タンパク質であることを、示唆する。
【０２４６】
血清における全ＩＧＦ−Ｉレベルは、成人の成長ホルモン（ＧＨ）代償療法の間における感受性の指標であり、なぜなら、ＧＨがインスリン様増殖因子（ＩＧＦ−Ｉ）および酸不安定性サブユニット（ＡＬＳ）の両方の肝発現を刺激し、そして循環におけるＩＧＦ−Ｉの主要部分が、ＡＬＳおよびＩＧＦＢＰ−３と共に三元複合体中に見出されるからである（Ｈａｌｌ  Ｋら、Ｊ．Ｅｎｄｏｃｒｉｎｏｌ  Ｉｎｖｅｓｔ  １９９９；２２（５補遺）：４８−５７）。しかし、三元複合体を構成しているタンパク質の他の調節因子が、ＩＧＦ−Ｉレベルに影響し得る。健康な被験体において、血清ＩＧＦ−Ｉレベルは、誕生時には低く、幼児期の間に上昇し、思春期の間にピークのレベルとなり、そして加齢と共に低下する。このパターンは、年齢依存性ＧＨ産生に起因しているが、各年齢区間中におけるＩＧＦ−Ｉレベルの広い範囲が、ＧＨ産生に起因するのか、あるいはＧＨ感受性に起因するのかは不明である。初老の双子において、ＩＧＦ−Ｉレベルの約６０％は、遺伝的に決定される。ＩＧＦ−Ｉの残りの環境的依存性は、部分的に栄養に起因する。食生活のカロリー内容およびタンパク質内容の両方が重要である。このようにして、ＧＨ欠損患者および栄養失調またはＧＨレセプター欠損に起因するＧＨ耐性を有する患者において、低いＩＧＦ−Ｉレベルが見出される。ＩＧＦ−Ｉの定量が、ＩＧＦＢＰが干渉しないアッセイによって行われること、およびＩＧＦ−Ｉ濃度が、年齢に関連して評価されること、すなわちＳＤスコアにおいて表されることは、必須であり、そして参照区間を構成している個体の数が、感度および特異性を向上する。ＩＧＦ−Ｉの定量は、小児におけるＧＨ欠損の評価において推奨されるが、ＧＨ欠損の成人発症を伴う患者におけるその診断的価値は、認められていない。約４０〜８０歳より上の年齢群において、下垂体の障害／視床下部の障害を有し、かつ誘発試験の間に３μｇ／ｌ未満のＧＨピークを有する多くの患者は、正常なＩＧＦ−Ｉレベルを有する。年齢に関する正常範囲内におけるＩＧＦ−Ｉレベルが、十分となる内因性の基礎ＧＨ産生に起因するか、あるいはＩＧＦ−Ｉ、ＩＧＦＢＰ−３またはＡＬＳ発現を刺激する他の因子に起因するか否かは、明らかにされていない。
【０２４７】
循環しているインスリン様増殖因子（ＩＧＦ）は、潜在的な低血糖活性の重要なプールを表し、このプールは、増殖因子、ＩＧＦ結合タンパク質３（ＩＧＦＢＰ−３）、および酸不安定性サブユニット（ＡＬＳ）を含むヘテロ三量体複合体における隔絶によって大きく阻害される（Ｂａｘｔｅｒ  ＲＣ  Ｍｅｔａｂｏｌｉｓｍ  １９９５年  １０月；４４（１０補遺４）：１２−７）。全ＩＧＦの１％未満しか、遊離型で循環しないが、この量でさえ循環しているインスリン様活性に有意に貢献し得る。三成分の結合タンパク質複合体は、循環から結合ＩＧＦが出て行くことを防ぐことによって、結合ＩＧＦのインスリン様活性を阻害するようである。この複合体の完全性は、妊娠および異化の条件におけるＩＧＦＢＰ−３の制限されたタンパク質分解によって影響され得るが、これがＩＧＦの生物学的利用能を増加し、ゆえに低血糖の可能性を増大させるという証拠は、未だ不明である。しかし、ＩＧＦ−ＩＩを分泌する腫瘍を有する患者において、低血糖は、この三成分複合体がこのＩＧＦを十分に隔絶できないということに起因し得る。コルチコステロイドまたは成長ホルモンを用いた処置による複合体形成における向上は、たとえ（成長ホルモン処置とともに見られるように）ＩＧＦ−ＩＩ過剰分泌が持続するとしても、低血糖を緩和する。これらの患者において、血中グルコースレベルは、ＩＧＦＢＰ−２レベルに反比例し、このことは、このタンパク質が、ＩＧＦをその標的組織へ輸送することに役立ち得ることを示唆している。逆に、ＡＬＳレベルは、血中グルコースと正に相関し、低血糖防止における三成分複合体の重要性を強調する。他のＩＧＦ結合タンパク質とは異なり、ＩＧＦＢＰ−１は、グルコース対抗制御因子（ｃｏｕｎｔｅｒｒｅｇｕｌａｔｏｒ）としての働きと一致する様式で、循環において急性的に調節される。このＩＧＦＢＰ−１は、循環における遊離ＩＧＦの活性を阻害することによってこの様式で作用し得る。
【０２４８】
ロイシンリッチリピート（ＬＲＲ）は、種々の細胞質タンパク質、膜タンパク質、および細胞外タンパク質（ＩｎｔｅｒＰｒｏ）中に見出される比較的短いモチーフ（２２〜２８残基長）である。これらのタンパク質は、広範に異なる機能と関連しているが、共通の特性として、タンパク質−タンパク質相互作用が挙げられる。ＬＲＲは、膜と相互作用し得る疎水性表面を有する両親媒性構造を形成し得ると考えられているが、ＬＲＲの３Ｄ構造についてはほとんど知られていない。Ｄｒｏｓｏｐｈｉｌａ  Ｔｏｌｌタンパク質由来の合成ＬＲＲのインビトロでの研究は、延長されたフィラメントを形成するβシート構造を採用することによって、ペプチドがゲルを形成することを示した。これらの結果は、ＬＲＲがタンパク質−タンパク質相互作用および細胞の接着を媒介するという概念と一致する。ＬＲＲ含有タンパク質の他の機能としては、例えば、酵素への結合および脈管の修復が挙げられる。１５ＬＲＲ含有タンパク質であるリボヌクレアーゼインヒビターの３Ｄ構造が決定され、これはＬＲＲがα／β折り畳みの新しいクラスであることを明らかにした。ＬＲＲは、伸長された非球状構造を形成し、しばしばシステインリッチドメインが隣接する。
【０２４９】
ｐａｐｉｎ様タンパク質をコードする本発明の開示されたＮＯＶ８核酸は、その配列が表８Ａおよび表８Ｃ中に提供される核酸か、またはそのフラグメントを含む。本発明はまた、ｐａｐｉｎ様活性および生理的機能を維持するタンパク質をなおコードしながら、その任意の塩基が、表８Ａおよび表８Ｃ中に示される対応する塩基から変化される得る変異体核酸もしくは改変体核酸か、またはこのような核酸のフラグメントを含む。本発明はさらに、その配列が、上記された核酸に相補的な核酸を含む上記された任意の核酸に相補的な核酸フラグメントを含む。本発明は、さらに核酸もしくは核酸フラグメント、またはこれらに対する相補体を含み、これらの構造は化学修飾を含む。このような修飾としては、非制限的な例として、修飾された塩基、およびその糖リン酸骨格が修飾または誘導体化された核酸が挙げられる。これらの修飾は、少なくとも一部、修飾される核酸の化学安定性を高めるために実行され、その結果、例えば、被験体の治療の適用におけるアンチセンス結合核酸として使用され得る。変異体核酸または改変体核酸、およびこれらの相補体において、塩基の約１２％までが、このように変更され得る。
【０２５０】
本発明の開示されたＮＯＶ８タンパク質は、その配列が、表８Ｂおよび表８Ｄに提供されるｐａｐｉｎ様タンパク質を含む。本発明はまた、変異体タンパク質または改変体タンパク質を含み、これらの残基のいずれかは、そのｐａｐｉｎ様活性および生理的機能を維持するタンパク質、またはそれらの機能的フラグメントをなおコードしながら、表２中に示される対応する残基から変更され得る。変異体タンパク質または改変体タンパク質において、残基の約４３％までが、このように変更され得る。
【０２５１】
本発明は、さらに抗体および抗体フラグメント（例えば、本発明のタンパク質のいずれかに免疫特異的に結合するＦａｂまたは（Ｆａｂ）２）を含む。
【０２５２】
本発明に関する上記の規定された情報は、このｐａｐｉｎ様タンパク質（ＮＯＶ８）が、「ｐａｐｉｎファミリー」のメンバーとして機能し得ることを示唆する。従って、本明細書において同定されたＮＯＶ８核酸およびＮＯＶ８タンパク質は、以下に示すような種々の病態および障害（ただし限定はしない）に関連する潜在的な治療適用において有用であり得る。本発明の潜在的な治療適用としては、以下が挙げられるがこれらに限定されない：タンパク質治療剤、低分子薬物標的、抗体標的（治療的抗体、診断的抗体、薬物標的化抗体／細胞傷害性抗体）、診断マーカーおよび／または予後マーカー、遺伝子治療（遺伝子送達／遺伝子切除）、検索ツール、本明細書に規定される組織および細胞型（ただしこれらに限定されない）から構成される全ての組織および細胞型のインビボおよびインビトロでの組織再生。
【０２５３】
本発明のＮＯＶ８核酸およびＮＯＶ８タンパク質は、炎症、自己免疫障害、加齢および癌（ただし、これらに限定されない）を含む癌に関連する潜在的な治療適用において有用である。例えば、ｐａｐｉｎ様タンパク質（ＮＯＶ８）をコードするｃＤＮＡは、遺伝子治療において有用であり得、そしてｐａｐｉｎ様タンパク質（ＮＯＶ８）は、その投与の必要な被験体に投与された場合、有用であり得る。非限定的な例として、本発明の組成物は、癌、膀胱炎、失禁、受胎能、心筋症、アテローム性動脈硬化、高血圧、先天性心臓欠陥、大動脈狭窄、心房中隔欠損（ＡＳＤ）、房室（Ａ−Ｖ）管欠損、動脈管、肺動脈弁狭窄、大動脈弁下部狭窄、心室中隔欠損（ＶＳＤ）、弁疾患、結節硬化、強皮症、肥満、移植の回復を羅患している患者の処置について効力を有する。本発明のｐａｐｉｎ様タンパク質をコードするＮＯＶ８核酸、およびｐａｐｉｎ様タンパク質、またはそれらのフラグメントは、さらに、診断適用において有用であり得、ここでこの核酸またはタンパク質の存在または量が評価される。
【０２５４】
ＮＯＶ８核酸およびＮＯＶ８ポリペプチドはさらに、治療方法または診断方法における使用のための新規なＮＯＶ８物質に免疫特異的に結合する抗体の生成において有用である。これらの抗体は、以下の「抗ＮＯＶＸ抗体」の節に記載されるような、疎水性チャートからの予測を使用して、当該分野で公知の方法に従って、生成され得る。開示されたＮＯＶ８タンパク質は、複数の親水性領域を有し、この各々が、免疫原として用いられ得る。一つの実施形態において、企図されるＮＯＶ８エピトープは、アミノ酸約１０〜５０である。別の実施形態において、ＮＯＶ８エピトープは、アミノ酸約８０〜１２０である。さらなる実施形態において、ＮＯＶ８エピトープは、アミノ酸約１８０〜２２０、アミノ酸約２３０〜３００、アミノ酸約３３０〜３５０、アミノ酸約３７０〜４００、アミノ酸約４８０〜５４０、アミノ酸約５５０〜５６０、およびアミノ酸約６２０〜８４０である。これらの新規なタンパク質は、種々のヒト障害の機能分析のためのアッセイ系において用いられ得、これらが、疾患の病理の理解において、そして種々の障害のための新しい薬物標的の開発において助けとなる。
【０２５５】
（ＮＯＶＸ核酸およびＮＯＶＸポリペプチド）
本発明の１つの局面は、ＮＯＶＸポリペプチドまたはその生物学的に活性な部分をコードする、単離された核酸分子に関する。ＮＯＶＸをコードする核酸（例えば、ＮＯＶＸ  ｍＲＮＡ）を同定するためのハイブリダイゼーションプローブとしての使用について十分な核酸フラグメント、ならびにＮＯＶＸ核酸分子の増幅および／または変異のためのＰＣＲプライマーとしての使用のためのフラグメントもまた、本発明に含まれる。本明細書中で使用される場合、用語「核酸分子」は、ＤＮＡ分子（例えば、ｃＤＮＡまたはゲノムＤＮＡ）、ＲＮＡ分子（例えば、ｍＲＮＡ）、ヌクレオチドアナログを使用して作製されるＤＮＡまたはＲＮＡのアナログ、ならびにそれらの誘導体、フラグメントおよびホモログを含むことを意図する。核酸分子は一本鎖または二本鎖であり得るが、好ましくは二本鎖ＤＮＡで構成される。
【０２５６】
ＮＯＶＸ核酸は、成熟ＮＯＶＸポリペプチドをコードし得る。本明細書中で使用される場合、本発明において開示されるポリペプチドまたはタンパク質の「成熟」形態は、天然に存在するポリペプチドの産物または前駆体形態またはプロプロテイン（ｐｒｏｐｒｏｔｅｉｎ）である。天然に存在するポリペプチド、前駆体またはプロプロテインとしては、非限定的な例として、対応する遺伝子によりコードされる全長遺伝子産物が挙げられる。あるいは、これらは、本明細書中に記載されるＯＲＦによりコードされるポリペプチド、前駆体またはプロプロテインとして規定され得る。生成物「成熟」形態は、また非限定的な例として、１以上の天然に存在するプロセシング工程（これらがこの遺伝子産物が生じる細胞または宿主細胞内で起こり得る場合）の結果として生じる。ポリペプチドまたはタンパク質の「成熟」形態に至るこのようなプロセシング工程の例としては、ＯＲＦの開始コドンによりコードされるＮ末端メチオニン残基の切断、またはシグナルペプチドもしくはリーダー配列のタンパク質分解切断が挙げられる。従って、残基１〜Ｎ（残基１がＮ末端メチオニンである場合）を有する前駆体ポリペプチドまたはタンパク質から生じる成熟形態は、Ｎ末端メチオニンの除去後に残りの残基２〜Ｎを有する。あるいは、残基１〜Ｎ（ここで、Ｎ末端シグナル配列（残基１〜残基Ｍ）が切断される）を有する前駆体ポリペプチドまたはタンパク質から生じる成熟形態は、残りの残基Ｍ＋１〜残基Ｎを有する。さらに、本明細書中で使用される場合、ポリペプチドまたはタンパク質の「成熟」形態は、タンパク質分解の切断事象ではなく、翻訳後修飾の工程から生じ得る。このようなさらなるプロセスとしては、非限定的な例として、グリコシル化、ミリストイル化またはリン酸化が挙げられる。一般に、成熟ポリペプチドまたはタンパク質は、これらのプロセスの１つのみまたはこれらの任意の組み合わせの操作から生じ得る。
【０２５７】
用語「プローブ」は、本明細書中で使用される場合、種々の長さの核酸配列をいい、好ましくは、特定の用途に依存して、少なくとも約１０ヌクレオチド（ｎｔ）、１００ｎｔ、または例えば、約６，０００ｎｔほどの大きさの間である。プローブは、同一、類似または相補的な核酸配列の検出において使用される。より長い長さのプローブは、通常、天然供給源または組換え供給源から入手され、非常に特異的であり、そしてより長さの短いオリゴマープローブよりもはるかに遅くハイブリダイズする。プローブは、一本鎖または二本鎖であり得、そしてＰＣＲ、膜ベースのハイブリダイゼーション技術、またはＥＬＩＳＡ様の技術において特異性を有するように設計され得る。
【０２５８】
用語「単離された」核酸分子は、本明細書中で使用される場合、この核酸の天然の供給源中に存在する他の核酸分子から分離された核酸分子である。好ましくは、「単離された」核酸は、この核酸が由来する生物のゲノムＤＮＡ中でこの核酸に天然に隣接する配列（すなわち、この核酸の５’末端および３’末端に位置する配列）を含まない。例えば、種々の実施形態において、単離されたＮＯＶＸ核酸分子は、この核酸が由来する細胞／組織（例えば、脳、心臓、肝臓、脾臓など）のゲノムＤＮＡ中でこの核酸分子に天然で隣接する、約５ｋｂ、４ｋｂ、３ｋｂ、２ｋｂ、１ｋｂ、０．５ｋｂ、または０．１ｋｂ未満のヌクレオチド配列を含み得る。さらに、「単離された」核酸分子、例えば、ｃＤＮＡ分子は、組換え技術により産生される場合、その他の細胞物質または培養培地を実質的に含まないか、または化学的に合成される場合、化学物質前駆体もしくはその他の化学物質を実質的に含まないものであり得る。
【０２５９】
本発明の核酸分子、例えば、配列番号１、３、４、６、８、１０、１２、１４、１６、１８、２０、２２、２４、および２６のヌクレオチド配列を有する核酸分子、または上記のヌクレオチド配列の相補体は、標準的な分子生物学的技術および本明細書で提供される配列情報を用いて単離され得る。ハイブリダイゼーションプローブとして、配列番号１、３、４、６、８、１０、１２、１４、１６、１８、２０、２２、２４、および２６の核酸配列の全部または一部を使用して、ＮＯＶＸ分子は、標準的なハイブリダイゼーションおよびクローニング技術（例えば、Ｓａｍｂｒｏｏｋら（編）、ＭＯＬＥＣＵＬＡＲ  ＣＬＯＮＩＮＧ：Ａ  ＬＡＢＯＲＡＴＯＲＹ  ＭＡＮＵＡＬ  第２版、Ｃｏｌｄ  Ｓｐｒｉｎｇ  Ｈａｒｂｏｒ  Ｌａｂｏｒａｔｏｒｙ  Ｐｒｅｓｓ、Ｃｏｌｄ  Ｓｐｒｉｎｇ  Ｈａｒｂｏｒ、ＮＹ、１９８９；およびＡｕｓｕｂｅｌら、（編）、ＣＵＲＲＥＮＴ  ＰＲＯＴＯＣＯＬＳ  ＩＮ  ＭＯＬＥＣＵＬＡＲ  ＢＩＯＬＯＧＹ、Ｊｏｈｎ  Ｗｉｌｅｙ＆Ｓｏｎｓ、Ｎｅｗ  Ｙｏｒｋ、ＮＹ、１９９３に記載されるように）を用いて単離され得る。
【０２６０】
本発明の核酸は、標準的なＰＣＲ増幅技術に従って、テンプレートとしてｃＤＮＡ、ｍＲＮＡあるいはゲノムＤＮＡ、および適切なオリゴヌクレオチドプライマーを用いて増幅され得る。このように増幅された核酸は、適切なベクター中にクローン化され、そしてＤＮＡ配列分析により特徴付けられ得る。さらに、ＮＯＶＸヌクレオチド配列に対応するオリゴヌクレオチドは、標準的な合成技術、例えば、自動化ＤＮＡ合成機を用いることにより調製され得る。
【０２６１】
本明細書で用いられる場合、用語「オリゴヌクレオチド」は、一連の連結されたヌクレオチド残基をいい、このオリゴヌクレオチドは、ＰＣＲ反応で用いられるに十分な数のヌクレオチド塩基を有する。短いオリゴヌクレオチド配列は、ゲノム配列もしくはｃＤＮＡ配列に基づき得るか、またはそれから設計され得、そして特定の細胞もしくは組織において、同一、類似もしくは相補的なＤＮＡもしくはＲＮＡを増幅し、確認し、もしくはその存在を示すために用いられる。オリゴヌクレオチドは、約１０ｎｔ、５０ｎｔ、または１００ｎｔの長さ、好ましくは約１５ｎｔ〜３０ｎｔの長さを有する核酸配列の部分を含む。本発明の１つの実施形態では、１００ｎｔ未満の長さの核酸分子を含むオリゴヌクレオチドは、さらに、配列番号１、３、４、６、８、１０、１２、１４、１６、１８、２０、２２、２４、および２６の少なくとも６個連続するヌクレオチド、またはその相補体を含む。オリゴヌクレオチドは、化学的に合成され得、そしてまたプローブとして用いられ得る。
【０２６２】
別の実施形態では、本発明の単離された核酸分子は、配列番号１、３、４、６、８、１０、１２、１４、１６、１８、２０、２２、２４、または２６に示されるヌクレオチド配列またはこのヌクレオチド配列の一部分（例えば、プローブまたはプライマーとして使用され得るフラグメント、あるいはＮＯＶＸポリペプチドの生物学的に活性な部分をコードするフラグメント）の相補体である核酸分子を含む。配列番号１、３、４、６、８、１０、１２、１４、１６、１８、２０、２２、２４、または２６に示されるヌクレオチド配列に相補的である核酸分子は、配列番号１、３、４、６、８、１０、１２、１４、１６、１８、２０、２２、２４、または２６に示されるヌクレオチド配列に十分相補的である核酸分子であり、配列番号１、３、４、６、８、１０、１２、１４、１６、１８、２０、２２、２４、および２６に示されるヌクレオチド配列に対しミスマッチがほとんどまたは全くなく水素結合し得、それによって安定な二重鎖を形成する核酸分子である。
【０２６３】
本明細書で用いる場合、用語「相補的」は、核酸分子のヌクレオチド単位間のＷａｔｓｏｎ−ＣｒｉｃｋまたはＨｏｏｇｓｔｅｅｎ塩基対形成をいい、そして用語「結合」は、２つのポリペプチドもしくは化合物または関連ポリペプチドもしくは化合物またはそれらの組合せ間の物理的または化学的相互作用を意味する。結合は、イオン性、非イオン性、ファンデルワールス性、疎水性相互作用などを含む。物理的相互作用は直接的または間接的のいずれかであり得る。間接的相互作用は、別のポリペプチドまたは化合物を介するか、またはその効果に起因し得る。直接的結合は、別のポリペプチドもしくは化合物を介して、またはその効果に起因して生じない、その他の実質的な化学的中間体がない相互作用をいう。
【０２６４】
本明細書中に提供されるフラグメントは、少なくとも６個（連続する）核酸配列または少なくとも４個（連続する）アミノ酸配列（それぞれ、核酸の場合には、特異的なハイブリダイゼーションを可能にし、またはアミノ酸の場合には、エピトープの特異的な認識を可能にするに十分な長さ）として規定され、そして長くても全長配列未満のいくらかの部分である。フラグメントは、選択された核酸配列またはアミノ酸配列の任意の連続する部分に由来し得る。誘導体は、直接的にか、または改変もしくは部分的置換によってかのいずれかでネイティブな化合物から形成される核酸配列またはアミノ酸配列である。アナログは、ネイティブな化合物に類似する構造（ただし、同一ではない）を有するが、特定の成分または側鎖に関してそれとは異なる核酸配列またはアミノ酸配列である。アナログは、合成物であり得るか、または進化的に異なる起源に由来し得、そして野生型と比較して、類似の代謝活性または反対の代謝活性を有し得る。ホモログは、異なる種由来の特定の遺伝子の核酸配列またはアミノ酸配列である。
【０２６５】
誘導体およびアナログは、以下に記載のように、誘導体またはアナログが、改変された核酸またはアミノ酸を含む場合、全長、または全長以外のものであり得る。本発明の核酸またはタンパク質の誘導体またはアナログは、種々の実施形態において、本発明の核酸もしくはタンパク質に、同一の大きさの核酸またはアミノ酸配列にわたって、または整列した配列と比較した場合（この整列は、当該分野で公知であるコンピューター相同性プログラムによって実施される）、少なくとも約７０％、８０％、または９５％の同一性（好ましい同一性は、８０〜９５％）で実質的に相同であるか、あるいはそのコードする核酸がストリンジェントの、中程度にストリンジェントの、または低いストリンジェントの条件下で上記のタンパク質をコードする配列の相補体にハイブリダイズし得る、領域を含む分子を包含するが、これらに限定されない。例えば、Ａｕｓｕｂｅｌら、ＣＵＲＲＥＮＴ  ＰＲＯＴＯＣＯＬＳ  ＩＮ  ＭＯＬＥＣＵＬＡＲ  ＢＩＯＬＯＧＹ、Ｊｏｈｎ  Ｗｉｌｅｙ  ＆  Ｓｏｎｓ、Ｎｅｗ  Ｙｏｒｋ、ＮＹ、１９９３、および以下を参照のこと。
【０２６６】
「相同な核酸配列」もしくは「相同なアミノ酸配列」、またはその改変体とは、上記で考察したように、ヌクレオチドレベルまたはアミノ酸レベルにおける相同性によって特徴付けられる配列をいう。相同なヌクレオチド配列は、ＮＯＶＸポリペプチドのアイソフォームをコードする配列をコードする。アイソフォームは、例えば、ＲＮＡの選択的スプライシングの結果として、同一の生物の異なる組織において発現され得る。あるいは、アイソフォームは、異なる遺伝子によってコードされ得る。本発明において、相同なヌクレオチド配列は、ヒト以外の種（脊椎動物が挙げられるが、これに限定されず、従って、例えば、カエル、マウス、ラット、ウサギ、イヌ、ネコ、ウシ、ウマおよび他の生物が挙げられ得る）のＮＯＶＸポリペプチドをコードするヌクレオチド配列を含む。相同なヌクレオチド配列としてはまた、天然に存在する対立遺伝子改変体および本明細書に記載されるヌクレオチド配列の変異が挙げられるが、これらに限定されない。しかし、相同なヌクレオチド配列は、ヒトＮＯＶＸタンパク質をコードする正確なヌクレオチド配列を含まない。相同な核酸配列は、配列番号１、３、４、６、８、１０、１２、１４、１６、１８、２０、２２、２４、および２６の保存的アミノ酸置換（以下を参照のこと）、ならびにＮＯＶＸ生物学的活性を保有するポリペプチドをコードする核酸配列を含む。ＮＯＶＸタンパク質の種々の生物学的活性は以下に記載されている。
【０２６７】
ＮＯＶＸポリペプチドは、ＮＯＶＸ核酸のオープンリーディングフレーム（「ＯＲＦ」）によりコードされる。ＯＲＦは、ポリペプチドに潜在的に翻訳され得るヌクレオチド配列に対応する。ＯＲＦを含む核酸のストレッチは、終止コドンによって途切れない。全タンパク質についてのコード配列を表すＯＲＦは、ＡＴＧ「開始（ｓｔａｒｔ）」コドンで始まり、そして３つの「終止（ｓｔｏｐ）」コドン（すなわち、ＴＡＡ、ＴＡＧ、またはＴＧＡ）のうちの１つで終結する。本発明の目的に対して、ＯＲＦは、開始コドン、終止コドンまたはその両方を有するかまたは有さない、コード配列の任意の部分であり得る。ｂｏｎａ  ｆｉｄｅ細胞タンパク質のコードのための良好な候補としてみなされるＯＲＦについて、最小サイズの必要条件（例えば、５０アミノ酸以上のタンパク質をコードするＤＮＡのストレッチ）がしばしば設定される。
【０２６８】
ヒトＮＯＶＸ遺伝子のクローニングから決定されたヌクレオチド配列は、他の細胞型（例えば、他の組織由来）におけるＮＯＶＸホモログ、ならびに他の脊椎動物由来のＮＯＶＸホモログを同定および／またはクローニングする際の使用のために設計されるプローブおよびプライマーの作製を可能にする。このプローブ／プライマーは、代表的には、実質的に精製されたオリゴヌクレオチドを含む。このオリゴヌクレオチドは、代表的には、配列番号１、３、４、６、８、１０、１２、１４、１６、１８、２０、２２、２４または２６の少なくとも約１２個、約２５個、約５０個、約１００個、約１５０個、約２００個、約２５０個、約３００個、約３５０個または約４００個の連続するセンス鎖ヌクレオチド配列；あるいは配列番号１、３、４、６、８、１０、１２、１４、１６、１８、２０、２２、２４、または２６のアンチセンス鎖ヌクレオチド配列；あるいは配列番号１、３、４、６、８、１０、１２、１４、１６、１８、２０、２２、２４、および２６の天然に存在する変異体のアンチセンス鎖ヌクレオチド配列に、ストリンジェントな条件下でハイブリダイズするヌクレオチド配列の領域を含む。
【０２６９】
ヒトＮＯＶＸヌクレオチド配列に基づくプローブは、同じか、または相同なタンパク質をコードする転写物またはゲノム配列を検出するために使用され得る。種々の実施形態において、このプローブはさらに、プローブに付着した標識基を含み、例えば、この標識基は放射性同位体、蛍光化合物、酵素、または酵素補因子であり得る。このようなプローブは、ＮＯＶＸタンパク質を誤って発現する細胞または組織を同定するための診断試験キットの一部として、例えば、被験体由来の細胞サンプル中のＮＯＶＸをコードする核酸のレベルを測定すること（例えば、ＮＯＶＸ  ｍＲＮＡレベルを検出すること）またはゲノムＮＯＶＸ遺伝子が変異しているかもしくは欠失しているか否かを決定することによって使用され得る。
【０２７０】
「ＮＯＶＸポリペプチドの生物学的に活性な部分を有するポリペプチド」とは、本発明のポリペプチドの活性に類似するが、必ずしも同一である必要ははない活性を示すポリペプチドをいい、用量依存性の有無に関わらず、特定の生物学的アッセイにおいて測定されるような成熟形態を含む。「ＮＯＶＸの生物学的に活性な部分」をコードする核酸フラグメントは、ＮＯＶＸの生物学的活性（ＮＯＶＸタンパク質の生物学的活性は、以下に記載される）を有するポリペプチドをコードする、配列番号１、３、４、６、８、１０、１２、１４、１６、１８、２０、２２、２４、または２６の一部を単離し、ＮＯＶＸタンパク質のコードされた部分を発現させ（例えば、インビトロでの組換え発現によって）、そしてＮＯＶＸのコードされた部分の活性を評価することによって調製され得る。
【０２７１】
（ＮＯＶＸの核酸およびポリペプチドの改変体）
本発明はさらに、遺伝コードの縮重に起因して、配列番号１、３、４、６、８、１０、１２、１４、１６、１８、２０、２２、２４、および２６に示されるヌクレオチド配列とは異なり、従って、配列番号１、３、４、６、８、１０、１２、１４、１６、１８、２０、２２、２４、および２６に示されるヌクレオチド配列によってコードされるタンパク質と同じＮＯＶＸタンパク質をコードする、核酸分子を包含する。別の実施形態において、本発明の単離された核酸分子は、配列番号２、５、７、９、１１、１３、１５、１７、１９、２１、２３、２５、または２７に示されるアミノ酸配列を有するタンパク質をコードするヌクレオチド配列を有する。
【０２７２】
配列番号１、３、４、６、８、１０、１２、１４、１６、１８、２０、２２、２４、および２６に示されるヒトＮＯＶＸヌクレオチド配列に加えて、このＮＯＶＸポリペプチドのアミノ酸配列における変化を導くＤＮＡ配列多型が、集団（例えば、ヒト集団）内に存在し得ることが、当業者によって理解される。ＮＯＶＸ遺伝子中のこのような遺伝的多型は、天然の対立遺伝子のバリエーションに起因して、集団内の個体間に存在し得る。本明細書中で使用される場合、用語「遺伝子」および「組換え遺伝子」は、ＮＯＶＸタンパク質（好ましくは、脊椎動物のＮＯＶＸタンパク質）をコードするオープンリーディングフレーム（ＯＲＦ）を含む核酸分子をいう。このような天然の対立遺伝子のバリエーションは、代表的には、ＮＯＶＸ遺伝子のヌクレオチド配列において１〜５％の分散を生じ得る。天然の対立遺伝子バリエーションの結果であり、かつこのＮＯＶＸポリペプチドの機能的活性を変化させない、任意および全てのこのようなヌクレオチドのバリエーションならびに得られるＮＯＶＸポリペプチド内のアミノ酸多型は、本発明の範囲内であると意図される。
【０２７３】
さらに、他の種由来のＮＯＶＸタンパク質をコードし、従って、ヒトの配列番号１、３、４、６、８、１０、１２、１４、１６、１８、２０、２２、２４、および２６とは異なるヌクレオチド配列を有する核酸分子は、本発明の範囲内にあることが意図される。本発明のＮＯＶＸのｃＤＮＡの天然の対立遺伝子改変体およびホモログに対応する核酸分子は、本明細書中に開示されるヒトＮＯＶＸ核酸に対するその相同性に基づいて、ストリンジェントなハイブリダイゼーション条件下で、標準的なハイブリダイゼーション技術に従って、ハイブリダイゼーションプローブとしてヒトｃＤＮＡまたはその一部を用いて単離され得る。
【０２７４】
従って、別の実施形態では、本発明の単離された核酸分子は、少なくとも６ヌクレオチド長であり、そしてストリンジェント条件下で配列番号１、３、４、６、８、１０、１２、１４、１６、１８、２０、２２、２４、および２６のヌクレオチド配列を含む核酸分子にハイブリダイズする。別の実施形態では、この核酸は、少なくとも１０、２５、５０、１００、２５０、５００、７５０、１０００、１５００、または２０００以上のヌクレオチド長である。なお別の実施形態では、本発明の単離された核酸分子は、コード領域にハイブリダイズする。本明細書中で用いられる場合、用語「ストリンジェント条件下でハイブリダイズする」は、ハイブリダイゼーションおよび洗浄に関して、互いに少なくとも６０％相同なヌクレオチド配列が代表的には互いにハイブリダイズしたままである条件を説明することを意図する。
【０２７５】
ホモログ（すなわち、ヒト以外の種由来のＮＯＶＸタンパク質をコードする核酸）または他の関連配列（例えば、パラログ）は、特定のヒト配列の全てまたは一部をプローブとし、核酸ハイブリダイゼーションおよびクローニングに関して当該分野で周知の方法を使用して、低い、中程度の、または高いストリンジェンシーのハイブリダイゼーションによって入手され得る。
【０２７６】
本明細書で用いられる場合、語句「ストリンジェントなハイブリダイゼーション条件」は、その条件下で、プローブ、プライマーまたはオリゴヌクレオチドが、その標的配列にハイブリダイズするが、その他の配列にはハイブリダイズしない条件をいう。ストリンジェントな条件は配列依存性であり、そして異なる状況で異なる。より長い配列は、より短い配列より高い温度で特異的にハイブリダイズする。一般に、ストリンジェントな条件は、規定されたイオン強度およびｐＨで、特定の配列の熱融解点（Ｔｍ）より約５℃低いように選択される。このＴｍは、標的配列に相補的なプローブの５０％が、平衡状態で標的配列にハイブリダイズする（規定されたイオン強度、ｐＨおよび核酸濃度下での）温度である。標的配列は一般に過剰で存在するので、Ｔｍでは、５０％のプローブが平衡状態で占有されている。代表的には、ストリンジェントな条件は、ｐＨ７．０〜８．３で、塩濃度が約１．０Ｍナトリウムイオンより低く、代表的には約０．０１〜１．０Ｍナトリウムイオン（またはその他の塩）であり、そして温度が、短いプローブ、プライマーまたはオリゴヌクレオチド（例えば、１０ｎｔ〜５０ｎｔ）については、少なくとも約３０℃、そしてより長いプローブ、プライマーおよびオリゴヌクレオチドについては、少なくとも約６０℃であるような条件である。ストリンジェントな条件はまた、ホルムアミドのような、不安定化剤の添加で達成され得る。
【０２７７】
ストリンジェント条件は、当業者に公知であり、そしてＡｕｓｕｂｅｌら（編），ＣＵＲＲＥＮＴ  ＰＲＯＴＯＣＯＬＳ  ＩＮ  ＭＯＬＥＣＵＬＡＲ  ＢＩＯＬＯＧＹ，Ｊｏｈｎ  Ｗｉｌｅｙ  ＆  Ｓｏｎｓ，Ｎ．Ｙ．（１９８９），６．３．１−６．３．６に見出され得る。好ましくは、この条件は、互いに少なくとも約６５％、約７０％、約７５％、約８５％、約９０％、約９５％、約９８％または約９９％相同な配列が、代表的には互いにハイブリダイズしたままであるような条件である。ストリンジェントなハイブリダイゼーション条件の非限定的な例は、６×ＳＳＣ、５０ｍＭ  Ｔｒｉｓ−ＨＣｌ（ｐＨ７．５）、１ｍＭ  ＥＤＴＡ、０．０２％  ＰＶＰ、０．０２％  Ｆｉｃｏｌｌ、０．０２％  ＢＳＡ、および５００ｍｇ／ｍｌ変性サケ精子ＤＮＡを含む高塩緩衝液中での６５℃でのハイブリダイゼーション、それに続く、０．２×ＳＳＣ、０．０１％  ＢＳＡ中での５０℃での１回以上の洗浄、である。ストリンジェント条件下で配列番号１、３、４、６、８、１０、１２、１４、１６、１８、２０、２２、２４、および２６の配列にハイブリダイズする、本発明の単離された核酸分子は、天然に存在する核酸分子に対応する。本明細書中で使用される場合、「天然に存在する」核酸分子とは、天然に存在する（例えば、天然のタンパク質をコードする）ヌクレオチド配列を有する、ＲＮＡ分子またはＤＮＡ分子をいう。
【０２７８】
第２の実施形態では、配列番号１、３、４、６、８、１０、１２、１４、１６、１８、２０、２２、２４、および２６のヌクレオチド配列を含む核酸分子、またはそれらのフラグメント、アナログもしくは誘導体に、中程度のストリンジェンシー条件下でハイブリダイズし得る核酸配列が提供される。中程度のストリンジェンシーハイブリダイゼーション条件の非限定的な例は、５５℃での６×ＳＳＣ、５×デンハルト（Ｄｅｎｈａｒｄｔ’ｓ）溶液、０．５％  ＳＤＳおよび１００ｍｇ／ｍｌ変性サケ精子ＤＮＡ中でのハイブリダイゼーション、それに続く、１×ＳＳＣ、０．１％  ＳＤＳ中での３７℃での１回以上の洗浄である。用いられ得る中程度のストリンジェンシーの他の条件は、当該分野で周知である。例えば、Ａｕｓｕｂｅｌら（編），１９９３，ＣＵＲＲＥＮＴ  ＰＲＯＴＯＣＯＬＳ  ＩＮ  ＭＯＬＥＣＵＬＡＲ  ＢＩＯＬＯＧＹ，Ｊｏｈｎ  Ｗｉｌｅｙ  ＆  Ｓｏｎｓ，ＮＹおよびＫｒｉｅｇｌｅｒ，１９９０；ＧＥＮＥ  ＴＲＡＮＳＦＥＲ  ＡＮＤ  ＥＸＰＲＥＳＳＩＯＮ，Ａ  ＬＡＢＯＲＡＴＯＲＹ  ＭＡＮＵＡＬ，Ｓｔｏｃｋｔｏｎ  Ｐｒｅｓｓ，ＮＹを参照のこと。
【０２７９】
第３の実施形態では、配列番号１、３、４、６、８、１０、１２、１４、１６、１８、２０、２２、２４、および２６のヌクレオチド配列を含む核酸分子、またはそれらのフラグメント、アナログもしくは誘導体に、低ストリンジェンシー条件下でハイブリダイズし得る核酸が提供される。低ストリンジェンシーハイブリダイゼーション条件の非限定的な例は、３５％ホルムアミド、５×ＳＳＣ、５０ｍＭ  Ｔｒｉｓ−ＨＣｌ（ｐＨ７．５）、５ｍＭ  ＥＤＴＡ、０．０２％  ＰＶＰ、０．０２％  Ｆｉｃｏｌｌ、０．２％  ＢＳＡ、１００ｍｇ／ｍｌの変性サケ精子ＤＮＡ、１０％（重量／容量）デキストラン硫酸中での４０℃でのハイブリダイゼーション、それに続く、２×ＳＳＣ、２５ｍＭ  Ｔｒｉｓ−ＨＣｌ（ｐＨ７．４）、５ｍＭ  ＥＤＴＡおよび０．１％  ＳＤＳ中での５０℃での１回以上の洗浄である。用いられ得る低ストリンジェンシーの他の条件は、当該分野で周知である（例えば、種交差（ｃｒｏｓｓ−ｓｐｅｃｉｅｓ）ハイブリダイゼーションについて用いられるような条件）。例えば、Ａｕｓｕｂｅｌら（編），１９９３，ＣＵＲＲＥＮＴ  ＰＲＯＴＯＣＯＬＳ  ＩＮ  ＭＯＬＥＣＵＬＡＲ  ＢＩＯＬＯＧＹ，Ｊｏｈｎ  Ｗｉｌｅｙ  ＆  Ｓｏｎｓ，ＮＹならびにＫｒｉｅｇｌｅｒ，１９９０，ＧＥＮＥ  ＴＲＡＮＳＦＥＲ  ＡＮＤ  ＥＸＰＲＥＳＳＩＯＮ，Ａ  ＬＡＢＯＲＡＴＯＲＹ  ＭＡＮＵＡＬ，Ｓｔｏｃｋｔｏｎ  Ｐｒｅｓｓ，ＮＹ；ＳｈｉｌｏおよびＷｅｉｎｂｅｒｇ，１９８１，Ｐｒｏｃ  Ｎａｔｌ  Ａｃａｄ  Ｓｃｉ  ＵＳＡ  ７８：６７８９−６７９２を参照のこと。
【０２８０】
（保存的変異）
集団中に存在し得る、ＮＯＶＸ配列の天然に存在する対立遺伝子改変体に加えて、配列番号１、３、４、６、８、１０、１２、１４、１６、１８、２０、２２、２４、および２６のヌクレオチド配列への変異によって変化が導入され得、それによって、このＮＯＶＸタンパク質の機能的能力を変更することなく、コードされるＮＯＶＸタンパク質のアミノ酸配列に変化がもたらされることを、当業者はさらに理解する。例えば、「非必須」アミノ酸残基にてアミノ酸置換をもたらすヌクレオチド置換が、配列番号２、５、７、９、１１、１３、１５、１７、１９、２１、２３、２５、または２７の配列において行われ得る。「非必須」アミノ酸残基は、その生物学的活性を変更することなく、このＮＯＶＸタンパク質の野生型配列から変更され得る残基であり、一方、「必須」アミノ酸残基は、このような生物学的活性に必要とされる。例えば、本発明のＮＯＶＸタンパク質の間で保存されているアミノ酸残基は、特に変更を受け入れ難いと予測される。保存的置換がなされ得るアミノ酸は、当該分野で周知である。
【０２８１】
本発明の別の局面は、活性に必須ではないアミノ酸残基における変化を含む、ＮＯＶＸタンパク質をコードする核酸分子に関する。このようなＮＯＶＸタンパク質は、配列番号１、３、４、６、８、１０、１２、１４、１６、１８、２０、２２、２４、および２６のアミノ酸配列とは異なるが、生物学的活性をなお保持する。１つの実施形態では、単離された核酸分子は、タンパク質をコードするヌクレオチド配列を含み、ここで、このタンパク質は、配列番号２、５、７、９、１１、１３、１５、１７、１９、２１、２３、２５、および２７のアミノ酸配列に少なくとも約４５％相同であるアミノ酸配列を含む。好ましくは、この核酸分子によってコードされるタンパク質は、配列番号２、５、７、９、１１、１３、１５、１７、１９、２１、２３、２５、および２７に対して少なくとも約６０％相同であり；より好ましくは、配列番号２、５、７、９、１１、１３、１５、１７、１９、２１、２３、２５、または２７に対して少なくとも約７０％相同であり；なおより好ましくは、配列番号２、５、７、９、１１、１３、１５、１７、１９、２１、２３、２５、または２７に対してして少なくとも約８０％相同であり；さらにより好ましくは、配列番号２、５、７、９、１１、１３、１５、１７、１９、２１、２３、２５、または２７に対して少なくとも約９０％相同であり；そして最も好ましくは、配列番号２、５、７、９、１１、１３、１５、１７、１９、２１、２３、２５、または２７に対して少なくとも約９５％相同である。
【０２８２】
配列番号２、５、７、９、１１、１３、１５、１７、１９、２１、２３、２５、または２７のタンパク質に相同なＮＯＶＸタンパク質をコードする単離された核酸分子は、配列番号１、３、４、６、８、１０、１２、１４、１６、１８、２０、２２、２４、および２６のヌクレオチド配列に１以上のヌクレオチドの置換、付加または欠失を導入することにより作製され得、その結果、１以上のアミノ酸の置換、付加または欠失が、このコードされるタンパク質に導入される。
【０２８３】
変異は、標準技術（例えば、部位特異的変異誘発およびＰＣＲ媒介変異誘発）によって配列番号１、３、４、６、８、１０、１２、１４、１６、１８、２０、２２、２４、および２６に導入され得る。好ましくは、保存的アミノ酸置換が、１以上の推定非必須アミノ酸残基にてなされる。「保存的アミノ酸置換」は、そのアミノ酸残基が、類似の側鎖を有するアミノ酸残基で置換される、アミノ酸置換の１つである。類似の側鎖を有するアミノ酸残基のファミリーは、当該分野で定義されている。これらのファミリーとしては、以下が挙げられる：塩基性側鎖を有するアミノ酸（例えば、リジン、アルギニン、ヒスチジン）、酸性側鎖を有するアミノ酸（例えば、アスパラギン酸、グルタミン酸）、非荷電極性側鎖を有するアミノ酸（例えば、グリシン、アスパラギン、グルタミン、セリン、トレオニン、チロシン、システイン）、非極性側鎖を有するアミノ酸（例えば、アラニン、バリン、ロイシン、イソロイシン、プロリン、フェニルアラニン、メチオニン、トリプトファン）、β分枝側鎖を有するアミノ酸（例えば、トレオニン、バリン、イソロイシン）および芳香族側鎖を有するアミノ酸（例えば、チロシン、フェニルアラニン、トリプトファン、ヒスチジン）。従って、ＮＯＶＸタンパク質中の推定非必須アミノ酸残基は、同じ側鎖のファミリー由来の別のアミノ酸残基で置換される。あるいは、別の実施形態では、変異が、ＮＯＶＸコード配列の全てまたは一部に沿って（例えば、飽和変異誘発（ｓａｔｕｒａｔｉｏｎ  ｍｕｔａｇｅｎｅｓｉｓ）によって）ランダムに導入され得、そして得られる変異体が、ＮＯＶＸの生物学的活性についてスクリーニングされて、活性を維持する変異体を同定し得る。配列番号１、３、４、６、８、１０、１２、１４、１６、１８、２０、２２、２４、および２６に対する変異誘発後、コードされるタンパク質は、当該分野で公知の任意の組換え技術によって発現され得、そしてこのタンパク質の活性が決定され得る。
【０２８４】
アミノ酸ファミリーの関連性はまた、側鎖の相互作用に基づいて決定され得る。置換されるアミノ酸は、完全に保存された「強い」残基または完全に保存された「弱い」残基であり得る。保存されたアミノ酸残基の「強い」群は、以下の群のいずれか１つであり得る：ＳＴＡ、ＮＥＱＫ、ＮＨＱＫ、ＮＤＥＱ、ＱＨＲＫ、ＭＩＬＶ、ＭＩＬＦ、ＨＹ、ＦＹＷ（ここで、一文字アミノ酸コードは、互いに置換され得るアミノ酸によりグループ化されている）。同様に、保存された残基の「弱い」群は、以下のいずれか１つであり得る：ＣＳＡ、ＡＴＶ、ＳＡＧ、ＳＴＮＫ、ＳＴＰＡ、ＳＧＮＤ、ＳＮＤＥＱＫ、ＮＤＥＱＨＫ、ＮＥＱＨＲＫ、ＶＬＩＭ、ＨＦＹ（ここで、各群内の文字は、一文字アミノ酸コードを表す）。
【０２８５】
１つの実施形態では、変異体ＮＯＶＸタンパク質は、以下についてアッセイされ得る：（ｉ）他のＮＯＶＸタンパク質、他の細胞表面タンパク質、または生物学的に活性なそれらの部分と、タンパク質：タンパク質相互作用を形成する能力、（ｉｉ）変異体ＮＯＶＸタンパク質とＮＯＶＸのリガンドとの間の複合体形成；または（ｉｉｉ）変異体ＮＯＶＸタンパク質が細胞内標的タンパク質またはその生物学的に活性な部分に結合する能力；（例えば、アビジンタンパク質）。
【０２８６】
なお別の実施形態において、変異体ＮＯＶＸタンパク質は、特定の生物学的機能を調節する能力（例えば、インスリン放出の調節）についてアッセイされ得る。
【０２８７】
（アンチセンス核酸）
本発明の別の局面は、配列番号１、３、４、６、８、１０、１２、１４、１６、１８、２０、２２、２４、および２６のヌクレオチド配列を含む核酸分子またはそれらのフラグメント、アナログもしくは誘導体にハイブリダイズし得るかまたは相補的である、単離されたアンチセンス核酸分子に関する。「アンチセンス」核酸は、タンパク質をコードする「センス」核酸に相補的である（例えば、二本鎖ｃＤＮＡ分子のコード鎖に相補的であるかまたはｍＲＮＡ配列に相補的である）ヌクレオチド配列を含む。特定の局面では、少なくとも約１０、約２５、約５０、約１００、約２５０もしくは約５００ヌクレオチドまたはＮＯＶＸコード鎖の全体、またはそれらの一部のみに相補的な配列を含む、アンチセンス核酸分子が提供される。配列番号２、５、７、９、１１、１３、１５、１７、１９、２１、２３、２５、もしくは２７のＮＯＶＸタンパク質のフラグメント、ホモログ、誘導体およびアナログをコードする核酸分子、または配列番号１、３、４、６、８、１０、１２、１４、１６、１８、２０、２２、２４、および２６のＮＯＶＸ核酸配列に相補的なアンチセンス核酸がさらに提供される。
【０２８８】
１つの実施形態では、アンチセンス核酸分子は、ＮＯＶＸタンパク質をコードするヌクレオチド配列のコード鎖の「コード領域」に対してアンチセンスである。用語「コード領域」とは、アミノ酸残基に翻訳されるコドンを含む、ヌクレオチド配列の領域をいう。別の実施形態では、このアンチセンス核酸分子は、ＮＯＶＸタンパク質をコードするヌクレオチド配列のコード鎖の「非コード領域」に対してアンチセンスである。用語「非コード領域」とは、コード領域に隣接する、アミノ酸に翻訳されない、５’配列および３’配列をいう（すなわち、５’非翻訳領域および３’非翻訳領域ともいわれる）。
【０２８９】
本明細書中に開示されるＮＯＶＸタンパク質をコードするコード鎖配列を考慮すれば、本発明のアンチセンス核酸は、ＷａｔｓｏｎおよびＣｒｉｃｋまたはＨｏｏｇｓｔｅｅｎの塩基対形成の規則に従って設計され得る。アンチセンス核酸分子は、ＮＯＶＸ  ｍＲＮＡのコード領域全体に相補的であり得るが、より好ましくは、ＮＯＶＸ  ｍＲＮＡのコード領域または非コード領域の一部にのみアンチセンスであるオリゴヌクレオチドである。例えば、アンチセンスオリゴヌクレオチドは、ＮＯＶＸ  ｍＲＮＡの翻訳開始部位を取り囲む領域に相補的であり得る。アンチセンスオリゴヌクレオチドは、例えば、約５、約１０、約１５、約２０、約２５、約３０、約３５、約４０、約４５または約５０ヌクレオチドの長さであり得る。本発明のアンチセンス核酸は、当該分野で公知の手順を用いて、化学的合成または酵素連結反応を用いて構築され得る。例えば、アンチセンス核酸（例えば、アンチセンスオリゴヌクレオチド）は、天然に存在するヌクレオチド、またはこの分子の生物学的安定性を増大させるように、もしくはアンチセンス核酸とセンス核酸との間で形成される二重鎖の物理的安定性を増大させるように設計された、種々に改変されたヌクレオチドを用いて、化学的に合成され得る（例えば、ホスホロチオエート誘導体およびアクリジン置換ヌクレオチドが用いられ得る）。
【０２９０】
アンチセンス核酸を作製するために用いられ得る改変されたヌクレオチドの例としては以下が挙げられる：５−フルオロウラシル、５−ブロモウラシル、５−クロロウラシル、５−ヨードウラシル、ヒポキサンチン、キサンチン、４−アセチルシトシン、５−（カルボキシヒドロキシメチル）ウラシル、５−カルボキシメチルアミノメチル−２−チオウリジン、５−カルボキシメチルアミノメチルウラシル、ジヒドロウラシル、β−Ｄ−ガラクトシルキューオシン（ｇａｌａｃｔｏｓｙｌｑｕｅｏｓｉｎｅ）、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、β−Ｄ−マンノシルキューオシン（ｍａｎｎｏｓｙｌｑｕｅｏｓｉｎｅ）、５’−メトキシカルボキシメチルウラシル、５−メトキシウラシル、２−メチルチオ−Ｎ６−イソペンテニルアデニン、ウラシル−５−オキシ酢酸（ｖ）、ワイブトキソシン（ｗｙｂｕｔｏｘｏｓｉｎｅ）、シュードウラシル（ｐｓｅｕｄｏｕｒａｃｉｌ）、キューオシン（ｑｕｅｏｓｉｎｅ）、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸（ｖ）、５−メチル−２−チオウラシル、３−（３−アミノ−３−Ｎ−２−カルボキシプロピル）ウラシル、（ａｃｐ３）ｗ、および２，６−ジアミノプリン。あるいは、アンチセンス核酸は、発現ベクターを用いて生物学的に生成され得、ここで、核酸は、アンチセンス方向でサブクローニングされている（すなわち、その挿入された核酸から転写されたＲＮＡは、以下の小節にさらに記載されるように、目的の標的核酸に対してアンチセンス方向である）。
【０２９１】
本発明のアンチセンス核酸分子は、代表的には被験体に投与されるか、またはインサイチュで生成され、その結果、それらは、ＮＯＶＸタンパク質をコードする細胞性ｍＲＮＡおよび／またはゲノムＤＮＡとハイブリダイズするか、またはそれに結合し、それによって、このタンパク質の発現を阻害する（例えば、転写および／または翻訳を阻害することによって）。このハイブリダイゼーションは、安定な二重鎖を形成する従来のヌクレオチド相補性によってか、または例えばＤＮＡ二重鎖に結合するアンチセンス核酸分子の場合には、二重らせんの主溝における特異的相互作用を介して行われ得る。本発明のアンチセンス核酸分子の投与経路の例としては、組織部位での直接的注射が挙げられる。あるいは、アンチセンス核酸分子は、選択された細胞を標的化するように改変され得、次いで全身に投与され得る。例えば、全身投与のために、アンチセンス分子は、選択された細胞表面上に発現されたレセプターまたは抗原にそれらが特異的に結合するように改変され得る（例えば、そのアンチセンス核酸分子を細胞表面レセプターまたは抗原に結合するペプチドまたは抗体に連結することによって）。アンチセンス核酸分子はまた、本明細書中に記載されるベクターを用いて細胞に送達され得る。十分な核酸分子を達成するために、アンチセンス核酸分子が強力なｐｏｌ  ＩＩプロモーターまたはｐｏｌ  ＩＩＩプロモーターの制御下に置かれているベクター構築物が、好ましい。
【０２９２】
なお別の実施形態において、本発明のアンチセンス核酸分子は、α−アノマー核酸分子である。α−アノマー核酸分子は、相補的ＲＮＡと特異的な二本鎖ハイブリッドを形成し、ここで、通常のβ−ユニットとは対照的に、これらの鎖は、互いに平行に延びる（例えば、Ｇａｕｌｔｉｅｒら，１９８７，Ｎｕｃｌ．Ａｃｉｄｓ  Ｒｅｓ．１５：６６２５−６６４１を参照のこと）。アンチセンス核酸分子はまた、２’−ｏ−メチルリボヌクレオチド（例えば、Ｉｎｏｕｅら，１９８７，Ｎｕｃｌ．Ａｃｉｄｓ  Ｒｅｓ．１５：６１３１〜６１４８を参照のこと）またはキメラＲＮＡ−ＤＮＡアナログ（例えば、Ｉｎｏｕｅら，１９８７，ＦＥＢＳ  Ｌｅｔｔ．２１５：３２７〜３３０を参照のこと）を含み得る。
【０２９３】
（リボザイムおよびＰＮＡ部分）
核酸の改変としては、非制限的な例として、改変された塩基、および糖リン酸骨格が改変または誘導体化された核酸が挙げられる。これらの改変は、改変された核酸の化学的安定性を増強するために少なくとも一部で実施され、その結果、それらは、例えば、被験体での治療的適用におけるアンチセンス結合核酸として使用され得る。
【０２９４】
１つの実施形態において、本発明のアンチセンス核酸はリボザイムである。リボザイムは、一本鎖核酸（例えば、ｍＲＮＡ）を切断し得るリボヌクレアーゼ活性を有する触媒性ＲＮＡ分子であり、これらは、その一本鎖核酸に対して相補領域を有する。従って、リボザイム（例えば、ＨａｓｅｌｈｏｆｆおよびＧｅｒｌａｃｈ  １９８８．Ｎａｔｕｒｅ  ３３４：５８５−５９１に記載されるハンマーヘッド型リボザイム）を使用して、ＮＯＶＸ  ｍＲＮＡ転写物を触媒的に切断し、それによって、ＮＯＶＸ  ｍＲＮＡの翻訳を阻害し得る。ＮＯＶＸをコードする核酸に特異性を有するリボザイムは、本明細書中に開示されるＮＯＶＸ  ｃＤＮＡのヌクレオチド配列（すなわち、配列番号１、３、４、６、８、１０、１２、１４、１６、１８、２０、２２、２４、および２６）に基づいて設計され得る。例えば、活性部位のヌクレオチド配列が、ＮＯＶＸをコードするｍＲＮＡ内で切断されるヌクレオチド配列に相補的である、テトラヒメナ（Ｔｅｔｒａｈｙｍｅｎａ）Ｌ−１９  ＩＶＳ  ＲＮＡの誘導体が構築され得る。例えば、Ｃｅｃｈらの米国特許第４，９８７，０７１号およびＣｅｃｈらの米国特許第５，１１６，７４２号を参照のこと。ＮＯＶＸ  ｍＲＮＡはまた、ＲＮＡ分子のプールから、特異的リボヌクレアーゼ活性を有する触媒性ＲＮＡを選択するために、使用され得る。例えば、Ｂａｒｔｅｌら、（１９９３）Ｓｃｉｅｎｃｅ  ２６１：１４１１〜１４１８を参照のこと。
【０２９５】
あるいは、ＮＯＶＸ遺伝子発現は、ＮＯＶＸ核酸の調節領域（例えば、ＮＯＶＸのプロモーターおよび／またはエンハンサー）に相補的なヌクレオチド配列を標的化し、標的細胞中でＮＯＶＸ遺伝子の転写を妨害する三重らせん構造を形成することによって阻害され得る。例えば、Ｈｅｌｅｎｅ，１９９１．Ａｎｔｉｃａｎｃｅｒ  Ｄｒｕｇ  Ｄｅｓ．６：５６９〜８４；Ｈｅｌｅｎｅら．１９９２．Ａｎｎ．Ｎ．Ｙ．Ａｃａｄ．Ｓｃｉ．６６０：２７−３６；Ｍａｈｅｒ，１９９２．Ｂｉｏａｓｓａｙｓ  １４：８０７−１５を参照のこと。
【０２９６】
種々の実施形態において、ＮＯＶＸ核酸は、塩基部分、糖部分またはリン酸骨格で改変され、例えば、その分子の安定性、ハイブリダイゼーションまたは可溶性を改善し得る。例えば、核酸のデオキシリボースリン酸骨格を改変して、ペプチド核酸を生成し得る（例えば、Ｈｙｒｕｐら，１９９６．Ｂｉｏｏｒｇ  Ｍｅｄ  Ｃｈｅｍ  ４：５−２３を参照のこと）。本明細書中で使用される場合、用語「ペプチド核酸」または「ＰＮＡ」は、デオキシリボースリン酸骨格が偽ペプチド骨格によって置換され、そして４つの天然の核酸塩基のみが保持されている核酸模倣物（例えば、ＤＮＡ模倣物）をいう。ＰＮＡの中性の骨格は、低いイオン強度の条件下でＤＮＡおよびＲＮＡに対する特異的ハイブリダイゼーションを可能にすることが示されている。ＰＮＡオリゴマーの合成は、Ｈｙｒｕｐら，１９９６．前出；Ｐｅｒｒｙ−Ｏ’Ｋｅｅｆｅら，１９９６．Ｐｒｏｃ．Ｎａｔｌ．Ａｃａｄ．Ｓｃｉ．ＵＳＡ  ９３：１４６７０−１４６７５において記載されるような標準的固相ペプチド合成プロトコルを用いて行われ得る。
【０２９７】
ＮＯＶＸのＰＮＡは、治療的適用および診断的適用において使用され得る。例えば、ＰＮＡは、例えば、転写または翻訳の停止を誘導することまたは複製を阻害することによる遺伝子発現の配列特異的調節のための、アンチセンス剤または抗遺伝子（ａｎｔｉｇｅｎｅ）剤として使用され得る。ＮＯＶＸのＰＮＡはまた、例えば、遺伝子における一塩基対変異の分析（ＰＮＡ指向性ＰＣＲクランピング（ｃｌａｍｐｉｎｇ））において；他の酵素（例えば、Ｓ１ヌクレアーゼ）と組み合わせて使用される場合の人工制限酵素として（Ｈｙｒｕｐら，１９９６．前出を参照のこと）；またはＤＮＡ配列およびハイブリダイゼーションのプローブもしくはプライマーとして（Ｈｙｒｕｐら，１９９６，前出；Ｐｅｒｒｙ−Ｏ’Ｋｅｅｆｅら，１９９６，前出を参照のこと）、使用され得る。
【０２９８】
別の実施形態において、ＮＯＶＸのＰＮＡは、例えば、それらの安定性または細胞性取り込みを増強するために、ＰＮＡに親油性基または他のヘルパー基を結合することによってか、ＰＮＡ−ＤＮＡキメラの形成によってか、またはリポソームもしくは当該分野において公知の薬物送達の他の技術の使用によって、改変され得る。例えば、ＰＮＡおよびＤＮＡの有利な特性を組み合わせ得る、ＮＯＶＸのＰＮＡ−ＤＮＡキメラが生成され得る。そのようなキメラは、ＤＮＡ認識酵素（例えば、ＲＮａｓｅ  ＨおよびＤＮＡポリメラーゼ）がＤＮＡ部分と相互作用するのを可能にし、一方、ＰＮＡ部分が高い結合親和性および特異性を提供する。ＰＮＡ−ＤＮＡキメラは、塩基のスタッキング、核酸塩基間の結合数および方向を考慮して選択される適切な長さのリンカーを使用して連結され得る（Ｈｙｒｕｐら，１９９６，前出を参照のこと）。ＰＮＡ−ＤＮＡキメラの合成は、Ｈｙｒｕｐら，１９９６，前出およびＦｉｎｎら，１９９６，Ｎｕｃｌ  Ａｃｉｄｓ  Ｒｅｓ  ２４：３３５７−３３６３において記載されるように行われ得る。例えば、ＤＮＡ鎖は、標準的なホスホラミダイトカップリング化学を用いて固体支持体上で合成され得、そして改変されたヌクレオシドアナログ（例えば、５’−（４−メトキシトリチル）アミノ−５’−デオキシ−チミジンホスホラミダイト）が、ＰＮＡとＤＮＡの５’末端との間に使用され得る（例えば、Ｍａｇら，１９８９，Ｎｕｃｌ  Ａｃｉｄ  Ｒｅｓ  １７：５９７３〜５９８８を参照のこと）。次いで、ＰＮＡモノマーが段階様式でカップリングされ、５’ＰＮＡセグメントおよび３’ＤＮＡセグメントを有するキメラ分子を生成する（例えば、Ｆｉｎｎら，１９９６，前出を参照のこと）。あるいは、５’ＤＮＡセグメントおよび３’ＰＮＡセグメントを用いて、キメラ分子が合成され得る。例えば、Ｐｅｔｅｒｓｅｎら，１９７５、Ｂｉｏｏｒｇ．Ｍｅｄ．Ｃｈｅｍ．Ｌｅｔｔ．５：１１１９〜１１１２４を参照のこと。
【０２９９】
他の実施形態において、オリゴヌクレオチドは、以下のような他の付属の基を含み得る：ペプチド（例えば、インビボで宿主細胞レセプターを標的化するため）、または細胞膜（例えば、Ｌｅｔｓｉｎｇｅｒら、１９８９、Ｐｒｏｃ．Ｎａｔｌ．Ａｃａｄ．Ｓｃｉ．Ｕ．Ｓ．Ａ．８６：６５５３〜６５５６；Ｌｅｍａｉｔｒｅら、１９８７、Ｐｒｏｃ．Ｎａｔｌ．Ａｃａｄ．Ｓｃｉ．８４：６４８〜６５２；ＰＣＴ公開番号ＷＯ８８／０９８１０を参照のこと）もしくは血液脳関門（例えば、ＰＣＴ公開番号ＷＯ８９／１０１３４を参照のこと）を横切る輸送を容易にする因子。さらに、オリゴヌクレオチドは、ハイブリダイゼーション誘発切断剤（例えば、Ｋｒｏｌら、１９８８、ＢｉｏＴｅｃｈｎｉｑｕｅｓ  ６：９５８〜９７６を参照のこと）またはインターカレート剤（例えば、Ｚｏｎ，１９８８、Ｐｈａｒｍ．Ｒｅｓ．５：５３９〜５４９を参照のこと）で改変され得る。この目的のために、オリゴヌクレオチドは、別の分子（例えば、ペプチド、ハイブリダイゼーション誘発架橋剤、輸送剤、ハイブリダイゼーション誘発切断剤など）に結合され得る。
【０３００】
（ＮＯＶＸポリペプチド）
本発明に従うポリペプチドは、ＮＯＶＸポリペプチドのアミノ酸配列を含むポリペプチドを含み、その配列は、配列番号２、５、７、９、１１、１３、１５、１７、１９、２１、２３、２５、または２７に提供される。本発明はまた、その任意の残基が配列番号２、５、７、９、１１、１３、１５、１７、１９、２１、２３、２５、もしくは２７に示される対応する残基から変化され得るが、なおそのＮＯＶＸ活性および生理学的機能を維持するタンパク質、またはその機能的フラグメントをコードする、変異体または改変体タンパク質を含む。
【０３０１】
一般に、ＮＯＶＸ様機能を保持するＮＯＶＸ改変体は、その配列中の特定位置の残基が他のアミノ酸により置換されており、そしてさらに、親タンパク質の２つの残基間にさらなる残基を挿入する可能性、および親配列から１つ以上の残基を欠失する可能性を含む、任意の改変体を含む。任意のアミノ酸置換、挿入または欠失が、本発明に包含される。好適な状況では、この置換は、上記で規定されるような保存的置換である。
【０３０２】
本発明の１つの局面は、単離されたＮＯＶＸタンパク質、およびその生物学的に活性な部分、またはそれらの誘導体、フラグメント、アナログもしくはホモログに関する。抗ＮＯＶＸ抗体を惹起するための免疫原としての使用のために適切なポリペプチドフラグメントもまた提供される。１つの実施形態において、ネイティブなＮＯＶＸタンパク質は、標準的なタンパク質精製技術を用いる適切な精製スキームによって、細胞または組織供給源から単離され得る。別の実施形態において、ＮＯＶＸタンパク質は、組換えＤＮＡ技術によって産生される。組換え発現に代わるものとして、ＮＯＶＸタンパク質またはポリペプチドは、標準的なペプチド合成技術を用いて化学合成され得る。
【０３０３】
「単離された」または「精製された」ポリペプチドまたはタンパク質あるいはその生物学的に活性な部分は、そのＮＯＶＸタンパク質が由来する細胞または組織供給源由来の細胞性物質または他の夾雑タンパク質を実質的に含まないか、あるいは化学合成される場合に化学前駆体または他の化学物質を実質的に含まない。用語「細胞性物質を実質的に含まない」は、ＮＯＶＸタンパク質が単離または組換え産生された細胞の細胞性成分から、ＮＯＶＸタンパク質が分離されている、ＮＯＶＸタンパク質の調製物を含む。１つの実施形態において、用語「細胞性物質を実質的に含まない」は、非ＮＯＶＸタンパク質（本明細書中において「夾雑タンパク質」とも呼ばれる）を（乾燥重量にて）約３０％未満、より好ましくは、非ＮＯＶＸタンパク質を約２０％未満、なおより好ましくは、非ＮＯＶＸタンパク質を約１０％未満、そして最も好ましくは、非ＮＯＶＸタンパク質を約５％未満有する、ＮＯＶＸタンパク質の調製物を含む。ＮＯＶＸタンパク質またはその生物学的に活性な部分が組換え産生される場合、調製物はまた、好ましくは、培養培地を実質的に含まず、すなわち、培養培地は、そのＮＯＶＸタンパク質調製物の容量の約２０％未満、より好ましくは、約１０％未満、そして最も好ましくは、約５％未満を示す。
【０３０４】
用語「化学前駆体も他の化学物質も実質的に含まない」は、タンパク質が、そのタンパク質の合成に関与する化学前駆体からも他の化学物質からも分離されている、ＮＯＶＸタンパク質の調製物を含む。１つの実施形態において、用語「化学前駆体も他の化学物質も実質的に含まない」は、化学前駆体または非ＮＯＶＸの化学物質を約３０％未満（乾燥重量にて）、より好ましくは、化学前駆体または非ＮＯＶＸ化学物質を約２０％未満、なおより好ましくは、化学前駆体または非ＮＯＶＸ化学物質を約１０％未満、そして最も好ましくは、化学前駆体または非ＮＯＶＸ化学物質を約５％未満有する、ＮＯＶＸタンパク質の調製物を含む。
【０３０５】
ＮＯＶＸタンパク質の生物学的に活性な部分は、全長ＮＯＶＸタンパク質より少ないアミノ酸を含み、そしてＮＯＶＸタンパク質の少なくとも１つの活性を示す、ＮＯＶＸタンパク質のアミノ酸配列（例えば、配列番号２、５、７、９、１１、１３、１５、１７、１９、２１、２３、２５、または２７に示されるアミノ酸配列）に十分に相同なアミノ酸配列、またはＮＯＶＸタンパク質のアミノ酸配列に由来するアミノ酸配列を含むペプチドを含む。代表的には、生物学的に活性な部分は、ＮＯＶＸタンパク質の少なくとも１つの活性を有するドメインまたはモチーフを含む。ＮＯＶＸタンパク質の生物学的に活性な部分は、例えば、長さが１０、２５、５０、１００またはそれより多いアミノ酸残基であるポリペプチドであり得る。
【０３０６】
さらに、タンパク質の他の領域が欠失している他の生物学的に活性な部分は、組換え技術によって調製され得、そしてネイティブなＮＯＶＸタンパク質の機能的活性のうちの１つ以上について評価され得る。
【０３０７】
１つの実施形態において、ＮＯＶＸタンパク質は、配列番号２、５、７、９、１１、１３、１５、１７、１９、２１、２３、２５、または２７に示されるアミノ酸配列を有する。他の実施形態において、ＮＯＶＸタンパク質は、配列番号２、５、７、９、１１、１３、１５、１７、１９、２１、２３、２５、または２７に実質的に相同であり、そして以下に詳細に議論されるように、天然の対立遺伝子バリエーションまたは変異誘発に起因してアミノ酸配列が異なるが、配列番号２、５、７、９、１１、１３、１５、１７、１９、２１、２３、２５、または２７のタンパク質の機能的活性を保持する。従って、別の実施形態において、ＮＯＶＸタンパク質は、配列番号２、５、７、９、１１、１３、１５、１７、１９、２１、２３、２５、または２７のアミノ酸配列に少なくとも約４５％相同なアミノ酸配列を含み、そして、配列番号２、５、７、９、１１、１３、１５、１７、１９、２１、２３、２５、または２７のＮＯＶＸタンパク質の機能的活性を保持するタンパク質である。
【０３０８】
（２つ以上の配列間の相同性の決定）
２つのアミノ酸配列または２つの核酸の相同性の百分率を決定するために、配列は、最適な比較の目的のために整列される（例えば、ギャップが、第２のアミノ酸配列または核酸配列との最適な整列のために、第１のアミノ酸配列または核酸配列の配列中に導入され得る）。次いで、対応するアミノ酸位置またはヌクレオチド位置でのアミノ酸残基またはヌクレオチドを比較する。第１の配列中の位置が、第２の配列中の対応する位置と同じアミノ酸残基またはヌクレオチドで占められる場合、その分子は、その位置で相同である（すなわち、本明細書中で使用される場合、アミノ酸または核酸の「相同性」は、アミノ酸または核酸の「同一性」と等価である）。
【０３０９】
核酸配列の相同性は、２つの配列間の同一性の程度として決定され得る。相同性は、当該分野において公知のコンピュータープログラム（例えば、ＧＣＧプログラムパッケージにおいて提供されるＧＡＰソフトウェア）を用いて決定され得る。ＮｅｅｄｌｅｍａｎおよびＷｕｎｓｃｈ，１９７０  Ｊ  Ｍｏｌ  Ｂｉｏｌ  ４８：４４３〜４５３を参照のこと。核酸配列比較のための以下の設定（ＧＡＰ生成ペナルティー、５．０、およびＧＡＰ伸長ペナルティー、０．３）を用いてＧＣＧ  ＧＡＰソフトウェアを使用すると、上記で言及される類似の核酸配列のコード領域は、配列番号１、３、４、６、８、１０、１２、１４、１６、１８、２０、２２、２４、および２６に示されるＤＮＡ配列のＣＤＳ（コード）部分と、好ましくは少なくとも７０％、７５％、８０％、８５％、９０％、９５％、９８％または９９％の同一性の程度を示す。
【０３１０】
用語「配列同一性」は、２つのポリヌクレオチド配列またはポリペプチド配列が、特定の比較領域にわたって、残基毎を基準として同一である程度をいう。用語「配列同一性のパーセンテージ」は、以下により算出される：この比較領域にわたって最適に整列された２つの配列を比較すること、両方の配列において同一の核酸塩基（例えば、核酸の場合にはＡ、Ｔ、Ｃ、Ｇ、Ｕ、またはＩ）が存在する位置の数を決定し、一致した位置の数を導き出すこと、この一致した位置の数を、比較領域の内の位置の総数（すなわち、ウインドウサイズ）で除算すること、およびその結果を１００で乗算して、配列同一性のパーセンテージを導くこと。用語「実質的な同一性」は、本明細書中で使用される場合、ポリヌクレオチド配列の特徴を示し、ここでこのポリヌクレオチドは、比較領域にわたり参照配列と比較して、少なくとも８０％の配列同一性、好ましくは少なくとも８５％の同一性、そして頻繁には９０〜９５％の配列同一性、より通常には少なくとも９９％の配列同一性を有する配列を含む。
【０３１１】
（キメラタンパク質および融合タンパク質）
本発明はまた、ＮＯＶＸキメラタンパク質または融合タンパク質を提供する。本明細書中で使用される場合、ＮＯＶＸ「キメラタンパク質」またはＮＯＶＸ「融合タンパク質」は、非ＮＯＶＸポリペプチドに作動可能に連結された、ＮＯＶＸポリペプチドを含む。「ＮＯＶＸポリペプチド」は、ＮＯＶＸタンパク質（配列番号２、５、７、９、１１、１３、１５、１７、１９、２１、２３、２５、または２７）に対応するアミノ酸配列を有するポリペプチドをいい、一方、「非ＮＯＶＸポリペプチド」は、ＮＯＶＸタンパク質に対して実質的に相同ではないタンパク質（例えば、ＮＯＶＸタンパク質とは異なり、かつ同一かまたは異なる生物体に由来するタンパク質）に対応するアミノ酸配列を有するポリペプチドをいう。ＮＯＶＸ融合タンパク質において、ＮＯＶＸポリペプチドは、ＮＯＶＸタンパク質の全てまたは一部分に対応し得る。１つの実施形態では、ＮＯＶＸ融合タンパク質は、ＮＯＶＸタンパク質の少なくとも１つの生物学的に活性な部分を含む。別の実施形態では、ＮＯＶＸ融合タンパク質は、ＮＯＶＸタンパク質の少なくとも２つの生物学的に活性な部分を含む。なお別の実施形態において、ＮＯＶＸ融合タンパク質は、ＮＯＶＸタンパク質の少なくとも３つの生物学的に活性な部分を含む。融合タンパク質において、用語「作動可能に連結された」は、ＮＯＶＸポリペプチドおよび非ＮＯＶＸポリペプチドが、インフレームで互いに融合されていることを示すことが意図される。非ＮＯＶＸポリペプチドは、ＮＯＶＸポリペプチドのＮ末端またはＣ末端に融合され得る。
【０３１２】
１つの実施形態において、融合タンパク質は、ＧＳＴ−ＮＯＶＸ融合タンパク質であり、ここで、ＮＯＶＸ配列が、ＧＳＴ（グルタチオンＳ−トランスフェラーゼ）配列のＣ末端に融合される。このような融合タンパク質は、組換えＮＯＶＸポリペプチドの精製を容易にし得る。
【０３１３】
別の実施形態において、融合タンパク質は、そのＮ末端に異種シグナル配列を含むＮＯＶＸタンパク質である。特定の宿主細胞（例えば、哺乳動物宿主細胞）において、ＮＯＶＸの発現および／または分泌は、異種シグナル配列の使用を介して増加され得る。
【０３１４】
なお別の実施形態において、融合タンパク質は、ＮＯＶＸ−免疫グロブリン融合タンパク質であり、ここで、ＮＯＶＸ配列が、免疫グロブリンタンパク質ファミリーのメンバーに由来する配列に融合される。本発明のＮＯＶＸ−免疫グロブリン融合タンパク質は、薬学的組成物中に取り込まれ、そして被験体に投与されて、細胞の表面上でＮＯＶＸリガンドとＮＯＶＸタンパク質との間の相互作用を阻害し、それによってＮＯＶＸ媒介シグナル伝達をインビボで抑制し得る。ＮＯＶＸ−免疫グロブリン融合タンパク質を用い、ＮＯＶＸ同族リガンドのバイオアベイラビリティに影響を与え得る。ＮＯＶＸリガンド／ＮＯＶＸ相互作用の阻害は、増殖障害および分化障害の両方の処置、および細胞生存を調節（例えば、促進または阻害）することに、治療的に有用であり得る。さらに、本発明のＮＯＶＸ−免疫グロブリン融合タンパク質は、被験体中で抗ＮＯＶＸ抗体を産生するための免疫原として用いられ得、ＮＯＶＸリガンドを精製するために用いられ得、そしてＮＯＶＸリガンドとのＮＯＶＸの相互作用を阻害する分子を同定するスクリーニングアッセイで用いられ得る。
【０３１５】
本発明のＮＯＶＸキメラタンパク質または融合タンパク質は、標準的な組換えＤＮＡ技術により産生され得る。例えば、異なるポリペプチド配列をコードするＤＮＡフラグメントを、従来の技術に従って、例えば、連結のための平滑末端または付着（ｓｔａｇｇｅｒ）末端、適切な末端を提供するための制限酵素消化、必要に応じて粘着（ｃｏｈｅｓｉｖｅ）末端のフィルイン、所望しない連結を避けるためのアルカリホスファターゼ処理、および酵素的連結を使用することにより、インフレームで一緒に連結する。別の実施形態では、融合遺伝子を、自動化ＤＮＡ合成機を含む従来技術により合成し得る。あるいは、遺伝子フラグメントのＰＣＲ増幅を、２つの連続する遺伝子フラグメント間の相補的オーバハングを生じるアンカープライマーを用いて実施し得、このフラグメントは、次いで、キメラ遺伝子配列を生成するためにアニールおよび再増幅され得る（例えば、Ａｕｓｕｂｅｌら（編）ＣＵＲＲＥＮＴ  ＰＲＯＴＯＣＯＬＳ  ＩＮ  ＭＯＬＥＣＵＬＡＲ  ＢＩＯＬＯＧＹ、Ｊｏｈｎ  Ｗｉｌｅｙ＆Ｓｏｎｓ、１９９２を参照のこと）。さらに、融合成分（例えば、ＧＳＴポリペプチド）を既にコードする多くの発現ベクターが市販されている。ＮＯＶＸをコードする核酸は、この融合成分がＮＯＶＸタンパク質にインフレームで連結されるように、このような発現ベクター中にクローン化され得る。
【０３１６】
（ＮＯＶＸのアゴニストおよびアンタゴニスト）
本発明はまた、ＮＯＶＸアゴニスト（すなわち、模倣物）またはＮＯＶＸアンタゴニストのいずれかとして機能するＮＯＶＸタンパク質の改変体に関する。ＮＯＶＸタンパク質の改変体が、変異誘発（例えば、ＮＯＶＸタンパク質の分散した点変異または短縮）により生成され得る。ＮＯＶＸタンパク質のアゴニストは、天然に存在する形態のＮＯＶＸタンパク質と実質的に同じ生物学的活性、またはその生物学的活性のサブセットを保持し得る。ＮＯＶＸタンパク質のアンタゴニストは、例えば、ＮＯＶＸタンパク質を含む細胞シグナル伝達カスケードの下流または上流メンバーに競合的に結合することによって、天然に存在する形態のＮＯＶＸタンパク質の活性の１つ以上を阻害し得る。従って、特定の生物学的効果が、限られた機能の改変体を用いた処理により惹起され得る。１つの実施形態では、このタンパク質の天然に存在する形態の生物学的活性のサブセットを有する改変体を用いた被験体の処置は、ＮＯＶＸタンパク質の天然に存在する形態を用いた処置と比較して、被験体における副作用がさらに少ない。
【０３１７】
ＮＯＶＸアゴニスト（すなわち、模倣物）またはＮＯＶＸアンタゴニストのいずれかとして機能するＮＯＶＸタンパク質の改変体は、ＮＯＶＸタンパク質アゴニスト活性またはアンタゴニスト活性についてＮＯＶＸタンパク質の変異体（例えば短縮型変異体）のコンビナトリアルライブラリーをスクリーニングすることにより同定され得る。１つの実施形態では、ＮＯＶＸ改変体の多彩なライブラリーは、核酸レベルでのコンビナトリアル変異誘発により生成され、そして多彩な遺伝子ライブラリーによりコードされる。ＮＯＶＸ改変体の多彩なライブラリーは、例えば、潜在的なＮＯＶＸ配列の縮重セットが、個々のポリペプチドとして、あるいは、その中にＮＯＶＸ配列のセットを含む（例えば、ファージディスプレイのための）より大きな融合タンパク質のセットとして発現可能であるように、合成オリゴヌクレオチドの混合物を、遺伝子配列に酵素的に連結することによって、産生され得る。縮重オリゴヌクレオチド配列から潜在的なＮＯＶＸ改変体のライブラリーを産生するために用いられ得る、種々の方法が存在する。縮重遺伝子配列の化学的合成は、自動化ＤＮＡ合成機中で実施され得、次いでこの合成遺伝子は、適切な発現ベクター中に連結される。遺伝子の縮重セットの使用は、１つの混合物において、潜在的なＮＯＶＸ配列の所望のセットをコードする全ての配列の供給を可能にする。縮重オリゴヌクレオチドを合成する方法は当該分野で周知である。例えば、Ｎａｒａｎｇ，１９８３．Ｔｅｔｒａｈｅｄｒｏｎ  ３９：３；Ｉｔａｋｕｒａら，１９８４．Ａｎｎｕ．Ｒｅｖ．Ｂｉｏｃｈｅｍ．５３：３２３；Ｉｔａｋｕｒａら，１９８４．Ｓｃｉｅｎｃｅ  １９８：１０５６；Ｉｋｅら，１９８３．Ｎｕｃｌ．Ａｃｉｄｓ  Ｒｅｓ．１１：４７７を参照のこと。
【０３１８】
（ポリペプチドライブラリー）
さらに、ＮＯＶＸタンパク質コード配列のフラグメントのライブラリーを用いて、ＮＯＶＸタンパク質の改変体のスクリーニングおよび引き続く選択のためのＮＯＶＸフラグメントの多彩な集団を生成し得る。１つの実施形態では、コード配列フラグメントのライブラリーは、ＮＯＶＸコード配列の二本鎖ＰＣＲフラグメントを、１分子あたり約１つのみのニックが生じる条件下で、ヌクレアーゼで処理すること、二本鎖ＤＮＡを変性させること、異なるニック産物からのセンス／アンチセンス対を含み得る二本鎖ＤＮＡを形成するためにこのＤＮＡを再生すること、Ｓ１ヌクレアーゼを用いた処理により再形成された二重鎖から一本鎖部分を除去すること、および得られるフラグメントライブラリーを発現ベクター中に連結することにより生成し得る。この方法によって、ＮＯＶＸタンパク質の種々のサイズのＮ末端フラグメントおよび内部フラグメントをコードする発現ライブラリーが派生し得る。
【０３１９】
点変異または短縮化により作製されたコンビナトリアルライブラリーの遺伝子産物をスクリーニングするため、および選択された性質を有する遺伝子産物のｃＤＮＡライブラリーをスクリーニングするための種々の技術が当該分野で公知である。このような技術に、ＮＯＶＸタンパク質のコンビナトリアル変異誘発により生成された遺伝子ライブラリーの迅速なスクリーニングに適用可能である。大きな遺伝子ライブラリーをスクリーニングするための、ハイスループット分析に適した、最も広く用いられる技術は、代表的には、複製可能な発現ベクター中に遺伝子ライブラリーをクローニングすること、得られるベクターのライブラリーで適切な細胞を形質転換すること、および所望の活性の検出が、その産物が検出された遺伝子をコードするベクターの単離を容易にする条件下で、このコンビナトリアル遺伝子を発現させることを含む。ライブラリー中の機能的変異体の頻度を増大する新規技術である再帰的集合変異誘発（Ｒｅｃｕｒｓｉｖｅ  ｅｎｓｅｍｂｌｅ  ｍｕｔａｇｅｎｅｓｉｓ）（ＲＥＭ）を、スクリーニングアッセイと組み合わせて用い、ＮＯＶＸ改変体を同定し得る。例えば、ＡｒｋｉｎおよびＹｏｕｒｖａｎ，１９９２．Ｐｒｏｃ．Ｎａｔｌ．Ａｃａｄ．Ｓｃｉ．ＵＳＡ  ８９：７８１１−７８１５；Ｄｅｌｇｒａｖｅら，１９９３．Ｐｒｏｔｅｉｎ  Ｅｎｇｉｎｅｅｒｉｎｇ  ６：３２７−３３１を参照のこと。
【０３２０】
（抗ＮＯＶＸ抗体）
ＮＯＶＸタンパク質、またはＮＯＶＸタンパク質のフラグメントに対する抗体もまた本発明に含まれる。用語「抗体」とは、本明細書において用いる場合、免疫グロブリン分子および免疫グロブリン（Ｉｇ）分子の免疫学的に活性な部分（すなわち、抗原に特異的に結合（抗原と免疫反応）する抗原結合部位を含む分子）をいう。このような抗体としては、ポリクローナル抗体、モノクローナル抗体、キメラ抗体、単鎖抗体、Ｆａｂフラグメント、Ｆａｂ’フラグメント、およびＦ（ａｂ’）２フラグメント、ならびにＦａｂ発現ライブラリーが挙げられるが、これらに限定されない。一般に、ヒトから得られた抗体分子は、ＩｇＧ、ＩｇＭ、ＩｇＡ、ＩｇＥ、およびＩｇＤのいずれかのクラスに関し、これらは、その分子に存在する重鎖の性質が互いに異なる。特定のクラスは、同様にサブクラス（例えば、ＩｇＧ１、ＩｇＧ２等）を有する。さらに、ヒトにおいては、軽鎖は、κ鎖またはλ鎖であり得る。抗体に関する本明細書における言及は、ヒト抗体種のこのようなクラス、サブクラス、およびタイプの全てに関する言及を包含する。
【０３２１】
本発明の単離されたＮＯＶＸ関連タンパク質は、抗原またはその一部もしくはフラグメントとして機能することが意図され得、そしてさらに、ポリクローナル抗体およびモノクローナル抗体の調製のための標準的な技術を用いて、抗原に免疫特異的に結合する抗体を生成するための免疫原として用いられ得る。全長のタンパク質が用いられ得るか、あるいは、本発明は、免疫原としての使用のための抗原の抗原性ペプチドフラグメントを提供する。抗原性ペプチドフラグメントは、全長タンパク質のアミノ酸配列の少なくとも６つのアミノ酸残基を含み、そしてそのエピトープを含み、その結果、このペプチドに対して惹起された抗体が、全長タンパク質と、またはこのエピトープを含む任意のフラグメントと特定の免疫複合体を形成する。好ましくは、抗原性ペプチドは、少なくとも１０アミノ酸残基、または少なくとも１５アミノ酸残基、または少なくとも２０アミノ酸残基、または少なくとも３０アミノ酸残基を含む。抗原性ペプチドに包含される好ましいエピトープは、表面上に位置するタンパク質の領域である；通常これらは親水性領域である。
【０３２２】
本発明の特定の実施形態では、抗原性ペプチドに含まれる少なくとも１つのエピトープは、ＮＯＶＸ関連タンパク質の表面上に位置するＮＯＶＸ関連タンパク質の領域、例えば、親水性領域である。ヒトＮＯＶＸ関連タンパク質配列の疎水性分析によって、ＮＯＶＸ関連タンパク質のどの領域が特に親水性であり、従って抗体産生を標的化するのに有用な表面残基をコードする可能性が高いかが示される。抗体産生を標的化するための手段として、親水性領域および疎水性領域を示すハイドロパシープロットを、例えば、フーリエ変換を伴うかまたは伴わないかのいずれかである、Ｋｙｔｅ  ＤｏｏｌｉｔｔｌｅまたはＨｏｐｐ  Ｗｏｏｄｓ法を含む、当該分野で周知の任意の方法により生成し得る。例えば、その各々がその全体において本明細書に参考として援用される、ＨｏｐｐおよびＷｏｏｄｓ、１９８１、Ｐｒｏｃ．Ｎａｔ．Ａｃａｄ．Ｓｃｉ．ＵＳＡ  ７８：３８２４−３８２８；ＫｙｔｅおよびＤｏｏｌｉｔｔｌｅ  １９８２、Ｊ．Ｍｏｌ．Ｂｉｏｌ．１５７：１０５−１４２を参照のこと。抗原性タンパク質またはその誘導体、フラグメント、アナログもしくはホモログ内の１つ以上のドメインに対して特異的な抗体もまた、本明細書中で提供される。
【０３２３】
本発明のタンパク質、またはその誘導体、フラグメント、アナログ、ホモログもしくはオルソログは、これらのタンパク質成分に免疫特異的に結合する抗体の産生における免疫原として利用され得る。
【０３２４】
当該分野において公知の種々の手順が、本発明のタンパク質、またはその誘導体、フラグメント、アナログ、ホモログもしくはオルソログに対するポリクロナール抗体またはモノクロナール抗体の産生のために使用され得る（例えば、Ａｎｔｉｂｏｄｉｅｓ：Ａ  Ｌａｂｏｒａｔｏｒｙ  Ｍａｎｕａｌ，ＨａｒｌｏｗおよびＬａｎｅ，１９８８，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ、ＮＹ（本明細書中に参考として援用される）を参照のこと）。これらの抗体のうちのいくつかは、以下で考察される。
【０３２５】
（ポリクロナール抗体）
ポリクロナール抗体の産生のために、種々の適切な宿主動物（例えば、ウサギ、ヤギ、マウスまたは他の動物）が、ネイティブなタンパク質、その合成改変体、またはこれらの誘導体を用いる１回以上の注射によって免疫され得る。適切な免疫原性調製物は、例えば、天然に存在する免疫原性タンパク質、免疫原性タンパク質を提示する化学的に合成されたポリペプチド、または組換え発現された免疫原性タンパク質を含み得る。さらに、このタンパク質は、免疫される哺乳動物において免疫原性であることが知られている第２のタンパク質に結合体化され得る。このような免疫原性タンパク質の例としては、キーホールリンペットヘモシアニン、血清アルブミン、ウシサイログロブリン、およびダイズトリプシンインヒビターが挙げられるが、これらに限定されない。この調製物はさらに、アジュバントを含み得る。種々のアジュバントが免疫学的応答を増加させるために使用され、このようなアジュバントとしては、フロイントのアジュバント（完全および不完全）、ミネラルゲル（例えば、水酸化アルミニウム）、界面活性物質（例えば、リゾレシチン、プルロニック（ｐｌｕｒｏｎｉｃ）ポリオール、ポリアニオン、ペプチド、オイルエマルジョン、ジニトロフェノールなど）、ヒトにおいて使用可能なアジュバント（例えば、Ｂａｃｉｌｌｅ  Ｃａｌｍｅｔｔｅ−ＧｕｅｒｉｎおよびＣｏｒｙｎｅｂａｃｔｅｒｉｕｍ  ｐａｒｖｕｍ）または類似の免疫刺激剤が挙げられるが、これらに限定されない。使用され得るアジュバントのさらなる例としては、ＭＰＬ−ＴＤＭアジュバント（モノホスホリルリピドＡ、合成トレハロースジコリノミコレート）が挙げられる。
【０３２６】
免疫原性タンパク質に対するポリクロナール抗体分子は、哺乳動物から（例えば、血液から）単離され得、そして周知の技術（例えば、プロテインＡまたはプロテインＧを用いるアフィニティクロマトグラフィー（これは、主に免疫血清のＩｇＧ画分を提供する））によってさらに精製され得る。続いて、または代替的に、求められている免疫グロブリンの標的である特定の抗原またはその抗原のエピトープがカラムに固定され、免疫アフィニティクロマトグラフィーによって免疫特異性抗体を精製し得る。免疫グロブリンの精製は、例えば、Ｄ．Ｗｉｌｋｉｎｓｏｎ（Ｔｈｅ  Ｓｃｉｅｎｔｉｓｔ（Ｔｈｅ  Ｓｃｉｅｎｔｉｓｔ，Ｉｎｃ．，Ｐｈｉｌａｄｅｌｐｈｉａ  ＰＡより発行）、第１４巻、第８号（２０００年４月１７日）、２５〜２８頁）によって考察される。
【０３２７】
（モノクローナル抗体）
本明細書で用いられる用語「モノクローナル抗体」（ＭＡｂ）または「モノクローナル抗体組成物」は、固有の軽鎖遺伝子産物および固有の重鎖遺伝子産物からなる抗体分子の唯一の分子種を含む抗体分子の集団をいう。特に、モノクローナル抗体の相補性決定領域（ＣＤＲ）は、この集団の全ての分子において同一である。従って、ＭＡｂは、抗原への固有の結合親和性によって特徴付けられる抗原の特定のエピトープと免疫反応可能な抗原結合部位を含む。
【０３２８】
モノクローナル抗体は、ハイブリドーマ方法（例えば、ＫｏｈｌｅｒおよびＭｉｌｓｔｅｉｎ，Ｎａｔｕｒｅ，２５６：４９５（１９７５）に記載されるような方法）を使用して調製され得る。ハイブリドーマ方法において、マウス、ハムスター、または他の適切な宿主動物が、代表的に、免疫因子で免疫され、その免疫因子に特異的に結合する抗体を産生するか、または産生し得るリンパ球を誘発する。あるいは、リンパ球が、インビトロで免疫され得る。
【０３２９】
免疫因子としては、代表的に、タンパク質抗原、そのフラグメントまたはその融合タンパク質が挙げられる。一般的には、ヒト起源の細胞が所望される場合に末梢血リンパ球が使用されるか、または、非ヒト哺乳動物供給源が所望される場合に脾臓細胞またはリンパ節細胞が使用されるかのいずれかである。次いで、適切な融合因子（例えば、ポリエチレングリコール）を使用して、リンパ球を不死化細胞株に融合し、ハイブリドーマ細胞を形成する（Ｇｏｄｉｎｇ，ＭＯＮＯＣＬＯＮＡＬ  ＡＮＴＩＢＯＤＩＥＳ：ＰＲＩＮＣＩＰＬＥＳ  ＡＮＤ  ＰＲＡＣＴＩＣＥ，Ａｃａｄｅｍｉｃ  Ｐｒｅｓｓ，（１９８６）５９−１０３頁）。不死化細胞株は、通常、形質転換された哺乳動物細胞、特にげっ歯類、ウシおよびヒト起源の骨髄腫細胞である。通常、ラットまたはマウスの骨髄腫細胞株が使用される。ハイブリドーマ細胞は、好ましくは、融合されていない不死化細胞の増殖または生存を阻害する１以上の物質を含む、適切な培養培地中で培養され得る。例えば、親の細胞が、酵素ヒポキサンチングアニンホスホリボシルトランスフェラーゼ（ＨＧＰＲＴまたはＨＰＲＴ）を欠く場合、ハイブリドーマについての培養培地は、代表的に、ヒポキサンチン、アミノプテリン、およびチミジンを含み（「ＨＡＴ培地」）、それらの物質は、ＨＧＰＲＴ欠損性の細胞の増殖を妨げる。
【０３３０】
好ましい不死化細胞株は、効率的に融合し、選択された抗体産生細胞による安定な高レベルの抗体の発現を支持し、そしてＨＡＴ培地のような培地に感受性の細胞株である。より好ましい不死化細胞株はマウス骨髄腫細胞株であり、それらは、例えば、Ｓａｌｋ  Ｉｎｓｔｉｔｕｔｅ  Ｃｅｌｌ  Ｄｉｓｔｒｉｂｕｔｉｏｎ  Ｃｅｎｔｅｒ，Ｓａｎ  Ｄｉｅｇｏ，ＣａｌｉｆｏｒｎｉａおよびＡｍｅｒｉｃａｎ  Ｔｙｐｅ  Ｃｕｌｔｕｒｅ  Ｃｏｌｌｅｃｔｉｏｎ，Ｍａｎａｓｓａｓ，Ｖｉｒｇｉｎｉａから得ることが可能である。ヒト骨髄腫およびマウス−ヒト異種骨髄腫（ｈｅｔｅｒｏｍｙｅｌｏｍａ）細胞株もまた、ヒトモノクローナル抗体の産生について記載される（Ｋｏｚｂｏｒ，Ｊ．Ｉｍｍｕｎｏｌ．，１３３：３００１（１９８４）；Ｂｒｏｄｅｕｒら、ＭＯＮＯＣＬＯＮＡＬ  ＡＮＴＩＢＯＤＹ  ＰＲＯＤＵＣＴＩＯＮ  ＴＥＣＨＮＩＱＵＥＳ  ＡＮＤ  ＡＰＰＬＩＣＡＴＩＯＮＳ，Ｍａｒｃｅｌ  Ｄｅｋｋｅｒ，Ｉｎｃ．，Ｎｅｗ  Ｙｏｒｋ，（１９８７）５１−６３頁）。
【０３３１】
次いで、ハイブリドーマ細胞が培養される培養培地が、抗原に対するモノクローナル抗体の存在についてアッセイされ得る。好ましくは、ハイブリドーマ細胞によって産生されるモノクローナル抗体の結合特異性は、免疫沈降によって決定されるか、またはインビトロ結合アッセイ（例えば、ラジオイムノアッセイ（ＲＩＡ）または酵素結合イムノソルベント（ｉｍｍｕｎｏａｂｓｏｒｂｅｎｔ）アッセイ（ＥＬＩＳＡ））によって決定される。このような技術およびアッセイは、当該分野で公知である。モノクローナル抗体の結合親和性は、例えば、ＭｕｎｓｏｎおよびＰｏｌｌａｒｄ，Ａｎａｌ．Ｂｉｏｃｈｅｍ．，１０７：２２０（１９８０）のスキャッチャード分析によって決定され得る。好ましくは、標的抗原に対する高い程度の特異性および高結合親和性を有する抗体が、単離される。
【０３３２】
所望のハイブリドーマ細胞が同定された後、限界希釈手順によって、クローンをサブクローニングし得、そして標準的な方法によって増殖し得る。この目的のために適切な培養培地としては、例えば、ダルベッコ改変イーグル培地（Ｄｕｌｂｅｃｃｏ’ｓ  Ｍｏｄｉｆｉｅｄ  Ｅａｇｌｅ’ｓ  Ｍｅｄｉｕｍ）およびＲＰＭＩ−１６４０培地が挙げられる。あるいは、ハイブリドーマ細胞は、哺乳動物内の腹水としてインビボで増殖され得る。
【０３３３】
サブクローンによって分泌されたモノクローナル抗体は、従来の免疫グロブリン精製手順（例えば、プロテインＡセファロース、ヒドロキシルアパタイトクロマトグラフィー、ゲル電気泳動、透析、またはアフィニティークロマトグラフィー）によって、培養培地または腹水から、単離または精製され得る。
【０３３４】
モノクローナル抗体はまた、組換えＤＮＡ方法（例えば、米国特許第４，８１６，５６７号に記載される方法）によって作製され得る。本発明のモノクローナル抗体をコードするＤＮＡは、従来の手順を使用して（例えば、マウス抗体の重鎖および軽鎖をコードする遺伝子に特異的に結合し得るオリゴヌクレオチドプローブを使用することによって）容易に単離され得、そして配列決定され得る。本発明のハイブリドーマ細胞は、このようなＤＮＡの好ましい供給源として役立つ。一旦単離されると、ＤＮＡは、発現ベクターに配置され得、次いでそれらは、宿主細胞（例えば、さもなければ免疫グロブリンタンパク質を産生しないサルＣＯＳ細胞、チャイニーズハムスター卵巣（ＣＨＯ）細胞、または骨髄腫細胞）にトランスフェクトされ、組換え宿主細胞内でのモノクローナル抗体の合成を得る。このＤＮＡはまた、例えば、相同なマウス配列の代わりにヒト重鎖および軽鎖定常ドメインのコード配列で置換することによってか（米国特許第４，８１６，５６７号；Ｍｏｒｒｉｓｏｎ，Ｎａｔｕｒｅ  ３６８，８１２−１３（１９９４））、または非免疫グロブリンポリペプチドについてのコード配列の全てまたは一部を免疫グロブリンコード配列へ共有結合的に連結させることによって改変され得る。このような非免疫グロブリンポリペプチドは、本発明の抗体の定常ドメインと置換され得るか、または本発明の抗体の１つの抗原結合部位の可変ドメインと置換され得、キメラの二価抗体を作製する。
【０３３５】
（ヒト化抗体）
本発明のタンパク質抗原に対する抗体は、さらにヒト化抗体またはヒト抗体を含み得る。これらの抗体は、投与された免疫グロブリンに対するヒトによる免疫応答を引き起こすことなく、ヒトへの投与に適切である。抗体のヒト化形態は、キメラ免疫グロブリン、免疫グロブリン鎖またはそれらのフラグメント（例えば、Ｆｖ、Ｆａｂ、Ｆａｂ’、Ｆ（ａｂ’）２または他の抗体の抗原結合サブ配列）であり、それらは主に、ヒト免疫グロブリンの配列から構成され、そして非ヒト免疫グロブリンに由来する最小の配列を含む。ヒト化は、ヒト抗体の対応する配列をげっ歯類ＣＤＲまたはＣＤＲ配列で置換することによって、Ｗｉｎｔｅｒおよび共同研究者の方法（Ｊｏｎｅｓら、Ｎａｔｕｒｅ，３２１：５２２−５２５（１９８６）；Ｒｉｅｃｈｍａｎｎら、Ｎａｔｕｒｅ，３３２：３２３−３２７（１９８８）；Ｖｅｒｈｏｅｙｅｎら、Ｓｃｉｅｎｃｅ，２３９：１５３４−１５３６（１９８８））に従って行われ得る（米国特許第５，２２５，５３９号もまた参照のこと）。いくつかの場合において、ヒト免疫グロブリンのＦｖフレームワーク残基が、対応する非ヒト残基によって置換される。ヒト化抗体はまた、レシピエントの抗体においても、移入されたＣＤＲ配列またはフレームワーク配列においても見出されない残基を含み得る。一般に、ヒト化抗体は、少なくとも１つ、および代表的には２つの、可変ドメインの全てを実質的に含み、ここで、全てのまたは実質的に全てのＣＤＲ領域は、非ヒト免疫グロブリンの領域に対応し、そして全てまたは実質的に全てのフレームワーク領域は、ヒト免疫グロブリンコンセンサス配列の領域である。ヒト化抗体はまた、最適には、免疫グロブリン定常領域（Ｆｃ）、代表的には、ヒト免疫グロブリンの免疫グロブリン定常領域の少なくとも一部を含む（Ｊｏｎｅｓら、１９８６；Ｒｉｅｃｈｍａｎｎら、１９８８；およびＰｒｅｓｔａ、Ｃｕｒｒ．Ｏｐ．Ｓｔｒｕｃｔ．Ｂｉｏｌ．，２：５９３−５９６（１９９２））。
【０３３６】
（ヒト抗体）
完全ヒト抗体は、ＣＤＲを含む軽鎖および重鎖の両方の配列の本質的に全体がヒト遺伝子から生じる、抗体分子に関する。このような抗体を、「ヒト抗体」、または「完全ヒト抗体」と本明細書中で呼ぶ。ヒトモノクローナル抗体は、トリオーマ（ｔｒｉｏｍａ）技術によって調製され得る；ヒトモノクローナル抗体を産生するためのヒトＢ細胞ハイブリドーマ技術（Ｋｏｚｂｏｒら、１９８３  Ｉｍｍｕｎｏｌ  Ｔｏｄａｙ  ４：７２を参照のこと）およびＥＢＶハイブリドーマ技術（Ｃｏｌｅら、１９８５：ＭＯＮＯＣＬＯＮＡＬ  ＡＮＴＩＢＯＤＩＥＳ  ＡＮＤ  ＣＡＮＣＥＲ  ＴＨＥＲＡＰＹ，Ａｌａｎ  Ｒ．Ｌｉｓｓ，Ｉｎｃ．，７７−９６頁を参照のこと）。ヒトモノクローナル抗体は、本発明の実施において利用され得、そしてこれらは、ヒトハイブリドーマの使用（Ｃｏｔｅら、１９８３．Ｐｒｏｃ  Ｎａｔｌ  Ａｃａｄ  Ｓｃｉ  ＵＳＡ  ８０：２０２６−２０３０を参照のこと）によってか、またはインビトロでのエプスタイン−バー−ウイルスでのヒトＢ細胞の形質転換（Ｃｏｌｅら、１９８５：ＭＯＮＯＣＬＯＮＡＬ  ＡＮＴＩＢＯＤＩＥＳ  ＡＮＤ  ＣＡＮＣＥＲ  ＴＨＥＲＡＰＹ，Ａｌａｎ  Ｒ．Ｌｉｓｓ，Ｉｎｃ．，７７−９６頁を参照のこと）によって産生され得る。
【０３３７】
さらに、ヒト抗体はまた、さらなる技術（ファージディスプレイライブラリー（ＨｏｏｇｅｎｂｏｏｍおよびＷｉｎｔｅｒ，Ｊ．Ｍｏｌ．Ｂｉｏｌ．，２２７：３８１（１９９１）；Ｍａｒｋｓら、Ｊ．Ｍｏｌ．Ｂｉｏｌ．，２２２：５８１（１９９１））を含む）を使用して産生され得る。同様に、ヒト免疫グロブリン遺伝子座をトランスジェニック動物（例えば、内因性免疫グロブリン遺伝子が、部分的または完全に不活化されているマウス）に導入することによって、ヒト抗体が作製され得る。チャレンジの際にヒト抗体の産生が観察され、このことは全ての点（遺伝子再配列、アセンブリ、および抗体レパートリーを含む）でヒトにおいて観察されたものに密接に類似する。このアプローチは、例えば、以下に記載される：米国特許第５，５４５，８０７号；同第５，５４５，８０６号；同第５，５６９，８２５号；同第５，６２５，１２６号；同第５，６３３，４２５号；同第５，６６１，０１６号、およびＭａｒｋｓら（Ｂｉｏ／Ｔｅｃｈｎｏｌｏｇｙ  １０、７７９−７８３（１９９２））；Ｌｏｎｂｅｒｇら（Ｎａｔｕｒｅ  ３６８  ８５６−８５９（１９９４））；Ｍｏｒｒｉｓｏｎ（Ｎａｔｕｒｅ  ３６８、８１２−１３（１９９４））；Ｆｉｓｈｗｉｌｄら（Ｎａｔｕｒｅ  Ｂｉｏｔｅｃｈｎｏｌｏｇｙ  １４、８４５−５１（１９９６））；Ｎｅｕｂｅｒｇｅｒ（Ｎａｔｕｒｅ  Ｂｉｏｔｅｃｈｎｏｌｏｇｙ  １４、８２６（１９９６））；ならびにＬｏｎｂｅｒｇおよびＨｕｓｚａｒ（Ｉｎｔｅｒｎ．Ｒｅｖ．Ｉｍｍｕｎｏｌ．１３  ６５−９３（１９９５））。
【０３３８】
ヒト抗体はさらに、抗原によるチャレンジに応答してその動物の内因性抗体ではなく完全ヒト抗体を産生するように改変されたトランスジェニック非ヒト動物を使用して、産生され得る。（ＰＣＴ公開ＷＯ９４／０２６０２を参照のこと）。非ヒト宿主における重鎖免疫グロブリンおよび軽鎖免疫グロブリンをコードする内因性遺伝子は、不能化されており、そしてヒト重鎖および軽鎖免疫グロブリンをコードする活性な遺伝子座が、宿主のゲノムに挿入される。例えば、要求性のヒトＤＮＡセグメントを含む酵母人工染色体を使用して、ヒト遺伝子が組み込まれる。次いで、全ての所望の改変を提供する動物を、それらの改変の完全未満の補体を含む中間トランスジェニック動物を交配することによって子孫として得る。このような非ヒト動物の好ましい実施形態は、マウスであり、ＰＣＴ公開ＷＯ９６／３３７３５およびＷＯ９６／３４０９６に開示されるようにＸｅｎｏｍｏｕｓｅＴＭと呼ばれる。この動物は、ヒト免疫グロブリンを十分に分泌するＢ細胞を産生する。目的の免疫原での免疫後の動物から（例えば、ポリクローナル抗体の調製物として）、あるいはその動物由来の不死化されたＢ細胞（例えば、モノクローナル抗体を産生するハイブリドーマ）から、抗体を直接得ることが可能である。さらに、ヒト可変領域を有する免疫グロブリンをコードする遺伝子は、抗体を直接得るために回収され、そして発現され得るか、または抗体のアナログ（例えば、単鎖Ｆｖ分子）を得るために、さらに改変され得る。
【０３３９】
内因性免疫グロブリン重鎖の発現を欠く非ヒト宿主（マウスとして例証される）を作製するための方法の例は、米国特許第５，９３９，５９８号に開示される。それは、以下の工程を包含する方法によって得ることが可能である：胚性幹細胞において少なくとも１つの内因性重鎖遺伝子座からこのＪセグメント遺伝子を欠失し、この遺伝子座の再構成を妨げ、かつ、再構成された免疫重鎖遺伝子座の転写物の形成を妨げる工程であって、この欠失は、選択可能なマーカーをコードする遺伝子を含むベクターを標的化することによってもたらされる、工程；ならびに胚性幹細胞からトランスジェニックマウスを作製する工程であって、そのトランスジェニックマウスの体細胞および生殖細胞が、その選択可能なマーカーをコードする遺伝子を含む、工程。
【０３４０】
目的の抗体（例えば、ヒト抗体）を産生する方法は、米国特許第５，９１６，７７１号に開示される。それは以下の工程を包含する：重鎖をコードするヌクレオチド配列を含む発現ベクターを、培養中の１つの哺乳動物宿主細胞に導入する工程、軽鎖をコードするヌクレオチド配列を含む発現ベクターを、別の哺乳動物宿主細胞に導入する工程、およびハイブリッド細胞を形成するために２つの細胞を融合する工程。ハイブリッド細胞は、重鎖および軽鎖を含む抗体を発現する。
【０３４１】
この手順のさらなる改善において、免疫原上の臨床的に関連するエピトープを同定する方法、および関連するエピトープに高い親和性で免疫特異的に結合する抗体を選択するための関連する方法が、ＰＣＴ公開ＷＯ９９／５３０４９に開示される。
【０３４２】
（Ｆａｂフラグメントおよび単鎖抗体）
本発明に従って、本発明の抗原性タンパク質に特異的な単鎖抗体の産生のための技術が適応され得る（例えば、米国特許第４，９４６，７７８号を参照のこと）。さらに、Ｆａｂ発現ライブラリーの構築のための方法が適応され得（例えば、Ｈｕｓｅら、１９８９  Ｓｃｉｅｎｃｅ  ２４６：１２７５−１２８１を参照のこと）、タンパク質またはその誘導体、フラグメント、アナログまたはホモログについての所望の特異性を有するモノクローナルＦａｂフラグメントの迅速かつ効果的な同定を可能にする。以下に挙げられるがこれらに限定されない、タンパク質抗原に対するイディオタイプを含む抗体フラグメントが、当該分野で公知の技術によって産生され得る：（ｉ）抗体分子のペプシン消化によって産生されるＦ（ａｂ’）２フラグメント；（ｉｉ）Ｆ（ａｂ’）２フラグメントのジスルフィド架橋を還元することによって産生されたＦａｂフラグメント；（ｉｉｉ）パパインおよび還元剤を用いた抗体分子の処理によって産生されたＦａｂフラグメント、および（ｉｖ）Ｆｖフラグメント。
【０３４３】
（二重特異性抗体）
二重特異性抗体は、少なくとも２つの異なる抗原に対して結合特異性を有するモノクローナル抗体（好ましくはヒトモノクローナル抗体またはヒト化されたモノクローナル抗体）である。この場合において、結合特異性の１つは、本発明の抗原性タンパク質に対するものである。第２の結合標的は、任意の他の抗原であり、そして、この第２の結合標的は、有利には、細胞表面タンパク質あるいはレセプターまたはレセプターサブユニットである。
【０３４４】
二重特異性抗体を作製する方法は、当該分野で公知である。伝統的には、二重特異性抗体の組換え生成は、２つの免疫グロブリンの重鎖／軽鎖の対の同時発現に基づき、ここで、この２つの重鎖は、異なる特異性を有する（ＭｉｌｓｔｅｉｎおよびＣｕｅｌｌｏ、Ｎａｔｕｒｅ，３０５：５３７−５３９（１９８３））。免疫グロブリンの重鎖および軽鎖のランダムな組み合わせに起因して、これらのハイブリドーマ（クアドローマ）は、１０の異なる抗体分子の潜在的な混合物を産生し、このうち１つのみが正確な二重特異的構造を有する。この正確な分子の精製は、通常、アフィニティークロマトグラフィー工程によって達成される。同様の手順は、１９９３年５月１３日公開のＷＯ９３／０８８２９、およびＴｒａｕｎｅｃｋｅｒら、１９９１  ＥＭＢＯ  Ｊ．、１０：３６５５−３６５９において開示される。
【０３４５】
所望の結合特異性（抗体−抗原結合部位）を有する抗体可変ドメインは、免疫グロブリン定常ドメイン配列に融合され得る。この融合物は、好ましくは、免疫グロブリン重鎖定常ドメインを有し、これは、ヒンジ領域、ＣＨ２領域、およびＣＨ３領域の少なくとも一部を含む。第１の重鎖定常領域（ＣＨ１）を有することが好ましく、これは、この融合物の少なくとも１つに存在する軽鎖結合のために必要な部位を含む。免疫グロブリン重鎖融合物、および所望される場合、免疫グロブリンの軽鎖をコードするＤＮＡは、別々の発現ベクターに挿入され、そして適切な宿主生物体に同時トランスフェクトされる。二重特異性抗体の作製のさらなる詳細については、例えば、Ｓｕｒｅｓｈら、Ｍｅｔｈｏｄｓ  ｉｎ  Ｅｎｚｙｍｏｌｏｇｙ，１２１：２１０（１９８６）を参照のこと。
【０３４６】
ＷＯ９６／２７０１１に記載される別のアプローチに従って、抗体分子の対の間の界面を操作して、組換え細胞培養物から回収されるヘテロダイマーのパーセンテージを最大化し得る。好ましい界面は、抗体定常ドメインのＣＨ３領域の少なくとも一部を含む。この方法において、第１の抗体分子の界面からの１つ以上の小さいアミノ酸側鎖は、より大きい側鎖（例えば、チロシンまたはトリプトファン）で置換される。大きい側鎖と同一または同様のサイズの補完的な「空洞（キャビティ）」は、大きいアミノ酸側鎖を小さいアミノ酸側鎖（例えば、アラニンまたはスレオニン）で置換することによって、第２の抗体分子の界面上に生成される。このことは、ホモダイマーのような他の所望でない最終生成物よりも、ヘテロダイマーの収量を増加するための機構を提供する。
【０３４７】
二重特異性抗体は、全長抗体または抗体フラグメント（例えば、Ｆ（ａｂ’）２二重特異性抗体）として調製され得る。抗体フラグメントから二重特異性抗体を作製するための技術は、文献において記載される。例えば、二重特異性抗体は、化学結合を使用して調製され得る。Ｂｒｅｎｎａｎら、Ｓｃｉｅｎｃｅ  ２２９：８１（１９８５）は、インタクトな抗体をタンパク質分解的に切断してＦ（ａｂ’）２フラグメントを作製する手順を記載する。これらのフラグメントは、近接するジチオールを安定化し、そして分子間ジスルフィド形成を妨げるために、ジチオール錯化剤亜ヒ酸ナトリウムの存在下で還元される。次いで、この作製されたＦａｂ’フラグメントは、チオニトロベンゾエート（ＴＮＢ）誘導体に変換される。次いで、Ｆａｂ’−ＴＮＢ誘導体の１つは、メルカプトエチルアミンでの還元によってＦａｂ’−チオールに再変換され、そしてこれは等モル量の他のＦａｂ’−ＴＮＢ誘導体と混合されて二重特異性抗体を形成する。生成された二重特異性抗体は、酵素の選択的固定化のための薬剤として使用され得る。
【０３４８】
さらに、Ｆａｂ’フラグメントは、Ｅ．ｃｏｌｉから直接回収され得、そして化学的にカップリングされて二重特異性抗体を形成し得る。Ｓｈａｌａｂｙら、Ｊ．Ｅｘｐ．Ｍｅｄ．１７５：２１７−２２５（１９９２）は、完全にヒト化された二重特異性抗体Ｆ（ａｂ’）２分子の生成を記載する。各Ｆａｂ’フラグメントは、Ｅ．ｃｏｌｉから別々に分泌され、そしてインビトロの指向性化学的カップリングに供され、二重特異性抗体を形成する。このように形成されたこの二重特異性抗体は、ＥｒｂＢ２レセプターを過剰発現する細胞および正常なヒトＴ細胞に結合し得、そしてヒト胸部腫瘍標的に対するヒト細胞傷害性リンパ球の溶解活性を誘因し得る。
【０３４９】
組換え細胞培養物から直接的に二重特異性抗体フラグメントを作製し、そして単離するための種々の技術もまた、記載されてきた。例えば、二重特異性抗体は、ロイシンジッパーを使用して産生される。Ｋｏｓｔｅｌｎｙら、Ｊ．Ｉｍｍｕｎｏｌ．１４８（５）：１５４７−１５５３（１９９２）。Ｆｏｓタンパク質およびＪｕｎタンパク質由来のロイシンジッパーペプチドは、遺伝子融合によって２つの異なる抗体のＦａｂ’部分に結合された。この抗体ホモダイマーは、ヒンジ領域で還元されてモノマーを形成し、次いで再酸化されて抗体ヘテロダイマーを形成した。この方法もまた、抗体ホモダイマーの産生のために使用され得る。Ｈｏｌｌｉｎｇｅｒら、Ｐｒｏｃ．Ｎａｔｌ．Ａｃａｄ．Ｓｃｉ．ＵＳＡ  ９０：６４４４−６４４８（１９９３）に記載されるこの「ディアボディー（ｄｉａｂｏｄｙ）」技術は、二重特異性抗体フラグメントを作製するための代替的な機構を提供した。このフラグメントは、リンカーによって軽鎖可変ドメイン（ＶＬ）に接続された重鎖可変ドメイン（ＶＨ）を含み、このリンカーは、非常に短く同じ鎖上のこれらの２つのドメイン間での対形成を可能にしない。従って、１つのフラグメントのＶＨドメインおよびＶＬドメインは、別のフラグメントの相補的なＶＬドメインおよびＶＨドメインと対になるように強制され、これによって２つの抗原結合部位が形成する。単鎖Ｆｖ（ｓＦｖ）ダイマーの使用によって二重特異性抗体フラグメントを作製するための別のストラテジーもまた、報告されてきた。Ｇｒｕｂｅｒら、Ｊ．Ｉｍｍｕｎｏｌ．１５２：５３６８（１９９４）を参照のこと。
【０３５０】
２より多くの結合価を有する抗体が企図される。例えば、三重特異性抗体が調製され得る。Ｔｕｔｔら、Ｊ．Ｉｍｍｕｎｏｌ．１４７：６０（１９９１）。
【０３５１】
例示的な二重特異性抗体は、２つの異なるエピトープに結合し得、このうち少なくとも１つは、本発明のタンパク質抗原に由来する。あるいは、免疫グロブリン分子の抗抗原性アームを、Ｔ細胞レセプター分子のような白血球上の誘引（ｔｒｉｇｇｅｒｉｎｇ）分子（例えば、ＣＤ２、ＣＤ３、ＣＤ２８、またはＢ７）、あるいはＩｇＧに対するＦｃレセプター（ＦｃγＲ）（例えば、ＦｃγＲＩ（ＣＤ６４）、ＦｃγＲＩＩ（ＣＤ３２）およびＦｃγＲＩＩＩ（ＣＤ１６））と結合するアームと組み合わせ得、細胞性防御機構を、この特定の抗原を発現する細胞に集中させる。二重特異性抗体はまた、特定の抗原を発現する細胞に細胞傷害性因子を指向するために使用され得る。これらの抗体は、抗原結合アーム、および細胞傷害性因子または放射性核種キレート剤（例えば、ＥＯＴＵＢＥ、ＤＰＴＡ、ＤＯＴＡ、またはＴＥＴＡ）に結合するアームを保有する。目的の別の二重特異性抗体は、本明細書中に記載のタンパク質抗原に結合し、そしてさらに組織因子（ＴＦ）に結合する。
【０３５２】
（ヘテロ接合体抗体）
ヘテロ接合体抗体もまた、本発明の範囲内である。ヘテロ接合体抗体は、２つの共有結合した抗体から構成される。このような抗体は、例えば、免疫系細胞を所望でない細胞に標的化するために（米国特許第４，６７６，９８０号）、およびＨＩＶ感染の処置のために（ＷＯ９１／００３６０；ＷＯ９２／２００３７３；ＥＰ０３０８９）提案されてきた。これらの抗体は、合成タンパク質化学において公知の方法（架橋剤に関与する方法を含む）を使用してインビトロで調製され得ることが企図される。例えば、免疫毒素は、ジスルフィド交換反応の使用またはチオエーテル結合の形成によって構築され得る。この目的のための適切な試薬の例としては、イミノチオレートおよびメチル−４−メルカプトブチルイミデート、ならびに例えば米国特許第４，６７６，９８０号において開示される試薬が挙げられる。
【０３５３】
（エフェクター機能操作）
本発明の抗体を、例えば、癌の処置における抗体の効力を増大するように、エフェクター機能について改変することが望ましくあり得る。例えば、システイン残基が、Ｆｃ領域に導入され得、これによって、この領域における鎖間ジスルフィド結合の形成を可能にする。このように、作製されるホモダイマー抗体は、改良されたインターナリゼーションの能力および／または増加した補体媒介細胞殺傷、ならびに抗体依存性細胞傷害性（ＡＤＣＣ）を有し得る。Ｃａｒｏｎら、Ｊ．Ｅｘｐ．Ｍｅｄ．、１７６：１１９１−１１９５（１９９２）およびＳｈｏｐｅｓ、Ｊ．Ｉｍｍｕｎｏｌ．１４８：２９１８−２９２２（１９９２）を参照のこと。増大した抗腫瘍活性を有するホモダイマー抗体はまた、Ｗｏｌｆｆら、Ｃａｎｃｅｒ  Ｒｅｓｅａｒｃｈ、５３：２５６０−２５６５（１９９３）に記載されるようにヘテロ二官能性架橋剤を使用して調製され得る。あるいは、抗体は操作され得、これは、二重のＦｃ領域を有し、そしてこれによって、増大した補体溶解およびＡＤＣＣの能力を有し得る。Ｓｔｅｖｅｎｓｏｎら、Ａｎｔｉ−Ｃａｎｃｅｒ  Ｄｒｕｇ  Ｄｅｓｉｇｎ，３：２１９−２３０（１９８９）を参照のこと。
【０３５４】
（免疫接合体）
本発明はまた、細胞傷害性の薬剤（例えば、化学療法剤、毒素（例えば、細菌、真菌、植物、または動物起源の酵素学的に活性な毒素、あるいはそれらのフラグメント）、または放射性同位体（すなわち、放射性接合体））に結合した抗体を含む免疫接合体に関する。
【０３５５】
このような免疫接合体の作製において有用な化学療法剤は、上記に記載される。使用され得る酵素学的に活性な毒素およびそれらのフラグメントとしては、ジフテリアＡ鎖、ジフテリア毒素の非結合活性フラグメント、外毒素Ａ鎖（Ｐｓｅｕｄｏｍｏｎａｓ  ａｅｒｕｇｉｎｏｓａ由来）、リシンＡ鎖、アブリンＡ鎖、モデシン（ｍｏｄｅｃｃｉｎ）Ａ鎖、α−サルシン、Ａｌｅｕｒｉｔｅｓ  ｆｏｒｄｉｉタンパク質、ジアンチン（ｄｉａｎｔｈｉｎ）タンパク質、Ｐｈｙｔｏｌａｃａ  ａｍｅｒｉｃａｎａタンパク質（ＰＡＰＩ、ＰＡＰＩＩ、およびＰＡＰ−Ｓ）、ｍｏｍｏｒｄｉｃａ  ｃｈａｒａｎｔｉａインヒビター、クルシン（ｃｕｒｃｉｎ）、クロチン（ｃｒｏｔｉｎ）、ｓａｐａｏｎａｒｉａ  ｏｆｆｉｃｉｎａｌｉｓインヒビター、ゲロニン（ｇｅｌｏｎｉｎ）、ミトゲリン（ｍｉｔｏｇｅｌｌｉｎ）、レストリクトシン（ｒｅｓｔｒｉｃｔｏｃｉｎ）、フェノマイシン（ｐｈｅｎｏｍｙｃｉｎ）、エノマイシン（ｅｎｏｍｙｃｉｎ）、およびトリコテセン（ｔｒｉｃｏｔｈｅｃｅｎｅ）が挙げられる。種々の放射性核種は、放射性結合した抗体の作製のために利用可能である。その例としては、２１２Ｂｉ、１３１Ｉ、１３１Ｉｎ、９０Ｙ、および１８６Ｒｅが挙げられる。
【０３５６】
抗体および細胞傷害性因子の接合体は、種々の二官能性タンパク質結合因子（例えば、Ｎ−スクシンイミジル−３−（２−ピリジルジチオール）プロピオネート（ＳＰＤＰ）、イミノチオラン（ｉｍｉｎｏｔｈｉｏｌａｎｅ）（ＩＴ）、イミドエステルの二官能性誘導体（例えば、ジメチルアジピミデート  ＨＣＬ）、活性エステル（例えば、ジスクシンイミジルスベレート）、アルデヒド（例えば、グルタルアルデヒド（ｇｌｕｔａｒｅｌｄｅｈｙｄｅ））、ビスアジド化合物（例えば、ビス（ｐ−アジドベンゾイル）ヘキサンジアミン）、ビス−ジアゾニウム誘導体（例えば、ビス−（ｐ−ジアゾニウムベンゾイル）−エチレンジアミン）、ジイソシアネート（例えば、トリエン２，６−ジイソシアネート）、およびビス−活性フッ素化合物（例えば、１，５−ジフルオロ−２，４−ジニトロベンゼン））を使用して作製される。例えば、リシン免疫毒素は、Ｖｉｔｅｔｔａら、Ｓｃｉｅｎｃｅ，２３８：１０９８（１９８７）に記載されるように調製され得る。炭素−１４−標識１−イソチオシアナトベンジル−３−メチルジエチレントリアミン五酢酸（ＭＸ−ＤＴＰＡ）は、放射性ヌクレオチドの抗体への結合のための例示的なキレート剤である。ＷＯ９４／１１０２６を参照のこと。
【０３５７】
別の実施形態において、腫瘍の前標的化における利用のために、この抗体は、「レセプター」（例えば、ストレプトアビジン）に結合され得、ここで抗体−レセプター接合体は患者に投与され、続いて除去剤を使用して結合していない接合体が循環から除去され、次いで細胞傷害性因子に次々に結合する「リガンド」（例えば、アビジン）が投与される。
【０３５８】
１つの実施形態において、所望の特異性を保有する抗体のスクリーニングのための方法としては、当該分野内で公知の酵素結合イムノソルベント検定法（ＥＬＩＳＡ）および他の免疫学的に媒介された技術が挙げられるがこれらに限定されない。特定の実施形態において、ＮＯＶＸタンパク質の特定のドメインに対して特異的である抗体の選択は、このようなドメインを所有しているＮＯＶＸタンパク質のフラグメントに結合するハイブリドーマの生成により容易にされる。従って、ＮＯＶＸタンパク質、またはそれらの誘導体、フラグメント、アナログもしくはホモログ内の所望のドメインについて特異的である抗体がまた、本明細書において提供される。
【０３５９】
抗ＮＯＶＸ抗体は、ＮＯＶＸタンパク質の局在化および／または定量化に関する当該分野で公知の方法において用いられ得る（例えば、適切な生理学的サンプル中のＮＯＶＸタンパク質のレベルを測定する使用のために、診断的方法における使用のために、タンパク質の画像化における使用のために、など）。所定の実施形態において、ＮＯＶＸタンパク質、またはそれらの誘導体、フラグメント、アナログもしくはホモログについての抗体（抗体由来の結合ドメインを含む）は、薬理学的に活性な化合物（本明細書中、以降において「治療剤」）として利用される。
【０３６０】
抗ＮＯＶＸ抗体（例えば、モノクローナル抗体）は、標準的技術（例えばアフィニティークロマトグラフィまたは免疫沈降）によって、ＮＯＶＸポリペプチドを単離するために用いられ得る。抗ＮＯＶＸ抗体は、細胞からの天然のＮＯＶＸポリペプチド、そして宿主細胞において発現される組換え的に産生されたＮＯＶＸポリペプチドの精製を容易にし得る。さらに、抗ＮＯＶＸ抗体が、（例えば、細胞の溶解産物または細胞上清における）ＮＯＶＸタンパク質を検出するために用いられて、ＮＯＶＸタンパク質の発現の量およびパターンを評価し得る。抗ＮＯＶＸ抗体は、例えば、所定の治療レジメンの有効性を決定するために、臨床試験の手順の一部として、組織におけるタンパク質レベルを診断的にモニターするために用いられ得る。検出は、抗体を検出可能物質に結合する（すなわち、物理的に連結する）ことにより容易にされ得る。検出可能物質の例としては、種々の酵素、補欠分子族、蛍光物質、発光物質、生物発光物質および放射性物質が挙げられる。適切な酵素の例としては、西洋ワサビペルオキシダーゼ、アルカリホスファターゼ、β−ガラクトシダーゼまたはアセチルコリンエステラーゼが挙げられる；適切な補欠分子族複合体の例としては、ストレプトアビジン／ビオチンおよびアビジン／ビオチンが挙げられる；適切な蛍光物質の例としては、ウンベリフェロン、フルオレセイン、フルオレセインイソチオシアネート、ローダミン、ジクロロトリアジニルアミン（ｄｉｃｈｌｏｒｏｔｒｉａｚｉｎｙｌａｍｉｎｅ）フルオレセイン、ダンシルクロリドまたはフィコエリトリンが挙げられる；発光物質の例としては、ルミノールが挙げられる；生物発光物質の例としては、ルシフェラーゼ、ルシフェリンおよびエクオリンが挙げられる；そして、適切な放射性物質の例としては１２５Ｉ、１３１Ｉ、３５Ｓまたは３Ｈが挙げられる。
【０３６１】
（ＮＯＶＸ組換え発現ベクターおよび宿主細胞）
本発明の別の局面は、ＮＯＶＸタンパク質、またはその誘導体、フラグメント、アナログもしくはホモログをコードする核酸を含む、ベクター、好ましくは、発現ベクターに関する。本明細書において使用する場合、用語「ベクター」は、連結された別の核酸を輸送し得る核酸分子をいう。１つの型のベクターは、「プラスミド」である。これはさらなるＤＮＡセグメントが連結され得る環状の二本鎖ＤＮＡループをいう。別の型のベクターは、ウイルス性ベクターであり、ここでは、さらなるＤＮＡセグメントが、ウイルスゲノムに連結され得る。特定のベクターは、ベクターが導入される宿主細胞中で自律複製し得る（例えば、細菌性の複製起点を有する細菌ベクター、およびエピソーム性哺乳動物ベクター）。他のベクター（例えば、非エピソーム性哺乳動物ベクター）は、宿主細胞への導入の際、宿主細胞のゲノムに組み込まれ、そして、これにより宿主ゲノムとともに複製される。さらに、特定のベクターは、それらが作動可能に連結される遺伝子の発現を指示し得る。このようなベクターは、本明細書において「発現ベクター」と呼ばれる。一般に、組換えＤＮＡ技術において有用な発現ベクターは、しばしばプラスミドの形態である。本明細書において、「プラスミド」および「ベクター」は、プラスミドが最も一般的に用いられる形態のベクターであるので、交換可能に使用され得る。しかし、本発明は、等価の機能を果たす、ウイルス性ベクター（例えば、複製欠損レトロウイルス、アデノウイルス、およびアデノ随伴ウイルス）のような、このような他の形態の発現ベクターを含むことを意図する。
【０３６２】
本発明の組換え発現ベクターは、宿主細胞における核酸の発現に適切な形態の本発明の核酸を含む。これは、組換え発現ベクターが、発現されるべき核酸配列に作動可能に連結されている、発現に用いられる宿主細胞に基づいて選択された１つ以上の調節配列を含むことを意味する。組換え発現ベクターにおいて、「作動可能に連結する」とは、目的のヌクレオチド配列が、（例えば、インビトロの転写／翻訳系において、またはベクターが宿主細胞に導入される場合は、宿主細胞において）ヌクレオチド配列の発現を可能にする様式で調節配列に連結されることを意味することを意図する。
【０３６３】
用語「調節配列」は、プロモーター、エンハンサーおよび他の発現制御エレメント（例えば、ポリアデニル化シグナル）を含むことを意図する。このような調節配列は、例えば、Ｇｏｅｄｄｅｌ；ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５、Ａｃａｄｅｍｉｃ  Ｐｒｅｓｓ、Ｓａｎ  Ｄｉｅｇｏ、Ｃａｌｉｆ．（１９９０）に記載されている。調節配列は、多くの型の宿主細胞においてヌクレオチド配列の構成的発現を指示する配列、および特定の宿主細胞のみにおいてヌクレオチド配列の発現を指示する配列（例えば、組織特異的調節配列）を含む。発現ベクターの設計が、形質転換される宿主細胞の選択、所望のタンパク質の発現のレベルなどのような因子に依存し得ることが当業者に理解される。本発明の発現ベクターは、宿主細胞に導入され得、それにより、本明細書に記載される核酸によってコードされるタンパク質またはペプチド（融合タンパク質またはペプチドを含む）（例えば、ＮＯＶＸタンパク質、ＮＯＶＸタンパク質の変異形態、融合タンパク質など）を産生し得る。
【０３６４】
本発明の組換え発現ベクターは、原核生物細胞または真核生物細胞における、ＮＯＶＸタンパク質発現のために設計され得る。例えば、ＮＯＶＸタンパク質は、細菌細胞（例えば、Ｅｓｃｈｅｒｉｃｈｉａ  ｃｏｌｉ）、昆虫細胞（バキュロウイルス発現ベクターを用いる）、酵母細胞または哺乳動物細胞において発現され得る。適切な宿主細胞は、Ｇｏｅｄｄｅｌ；ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５、Ａｃａｄｅｍｉｃ  Ｐｒｅｓｓ、Ｓａｎ  Ｄｉｅｇｏ、Ｃａｌｉｆ．（１９９０）にさらに考察されている。あるいは、組換え型発現ベクターは、例えば、Ｔ７プロモーター調節配列およびＴ７ポリメラーゼを用いて、インビトロで転写および翻訳され得る。
【０３６５】
原核生物におけるタンパク質の発現は、最も頻繁には、融合タンパク質または非融合タンパク質のいずれかの発現を指示する、構成的プロモーターまたは誘導性プロモーターを含むベクターを有するＥｓｃｈｅｒｉｃｈｉａ  ｃｏｌｉにおいて実施される。融合ベクターは、そこにコードされるタンパク質に、通常、組換えタンパク質のアミノ末端に、多数のアミノ酸を付加する。このような融合ベクターは、代表的には、以下の３つの目的のために役立つ：（ｉ）組換えタンパク質の発現を増加させるため；（ｉｉ）組換えタンパク質の可溶性を増加させるため；および（ｉｉｉ）アフィニティー精製においてリガンドとして作用することによって組換えタンパク質の精製の際に補助するため。しばしば、融合発現ベクターにおいて、タンパク質分解の切断部位が、融合部分と組換えタンパク質との結合部に導入されて、融合タンパク質の精製の後に融合部分から組換えタンパク質を分離することを可能とする。このような酵素、およびその同族（ｃｏｇｎａｔｅ）の認識配列は、第Ｘａ因子、トロンビン、およびエンテロキナーゼを含む。代表的な融合発現ベクターとしては、それぞれ、グルタチオンＳ−トランスフェラーゼ（ＧＳＴ）、マルトースＥ結合タンパク質、またはプロテインＡを標的の組換えタンパク質に融合する、ｐＧＥＸ（Ｐｈａｒｍａｃｉａ  Ｂｉｏｔｅｃｈ  Ｉｎｃ．；ＳｍｉｔｈおよびＪｏｈｎｓｏｎ（１９８８）Ｇｅｎｅ  ６７：３１−４０）、ｐＭＡＬ（Ｎｅｗ  Ｅｎｇｌａｎｄ  Ｂｉｏｌａｂｓ，Ｂｅｖｅｒｌｙ，Ｍａｓｓ．）およびｐＲＩＴ５（Ｐｈａｒｍａｃｉａ，Ｐｉｓｃａｔａｗａｙ，Ｎ．Ｊ．）が挙げられる。
【０３６６】
適切な誘導性非融合Ｅ．ｃｏｌｉ発現ベクターの例には、ｐＴｒｃ（Ａｍｒａｎｎら（１９８８）Ｇｅｎｅ  ６９：３０１−３１５）およびｐＥＴ  １１ｄ（Ｓｔｕｄｉｅｒら、ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５，Ａｃａｄｅｍｉｃ  Ｐｒｅｓｓ，Ｓａｎ  Ｄｉｅｇｏ，Ｃａｌｉｆ．（１９９０）６０−８９）が挙げられる。
【０３６７】
Ｅ．ｃｏｌｉにおける組換えタンパク質発現を最大化するための１つのストラテジーは、組換えタンパク質をタンパク質分解的に切断する能力を欠損した宿主細菌中でタンパク質を発現させることである。例えば、Ｇｏｔｔｅｓｍａｎ，ＧＥＮＥ  ＥＸＰＲＥＳＳＩＯＮ  ＴＥＣＨＮＯＬＯＧＹ：ＭＥＴＨＯＤＳ  ＩＮ  ＥＮＺＹＭＯＬＯＧＹ  １８５，Ａｃａｄｅｍｉｃ  Ｐｒｅｓｓ，Ｓａｎ  Ｄｉｅｇｏ，Ｃａｌｉｆ．（１９９０）１１９−１２８を参照のこと。別のストラテジーは、各アミノ酸についての個々のコドンが、Ｅ．ｃｏｌｉにおいて優先的に利用されるコドンであるように、発現ベクターに挿入される核酸の核酸配列を変更することである（例えば、Ｗａｄａら（１９９２）Ｎｕｃｌ．Ａｃｉｄｓ  Ｒｅｓ．２０：２１１１−２１１８を参照のこと）。本発明の核酸配列のこのような変更は、標準的なＤＮＡ合成技術によって実行され得る。
【０３６８】
別の実施形態において、ＮＯＶＸ発現ベクターは、酵母発現ベクターである。酵母Ｓａｃｃｈａｒｏｍｙｃｅｓ  ｃｅｒｉｖｉｓａｅにおける発現のためのベクターの例には、ｐＹｅｐＳｅｃ１（Ｂａｌｄａｒｉら、（１９８７）ＥＭＢＯ  Ｊ．６：２２９−２３４）、ｐＭＦａ（ＫｕｒｊａｎおよびＨｅｒｓｋｏｗｉｔｚ、（１９８２）Ｃｅｌｌ  ３０：９３３−９４３）、ｐＪＲＹ８８（Ｓｃｈｕｌｔｚら、（１９８７）Ｇｅｎｅ  ５４：１１３−１２３）、ｐＹＥＳ２（Ｉｎｖｉｔｒｏｇｅｎ  Ｃｏｒｐｏｒａｔｉｏｎ，Ｓａｎ  Ｄｉｅｇｏ，Ｃａｌｉｆ．）、およびｐｉｃＺ（ＩｎＶｉｔｒｏｇｅｎ  Ｃｏｒｐ．，Ｓａｎ  Ｄｉｅｇｏ，Ｃａｌｉｆ．）が挙げられる。
【０３６９】
あるいは、ＮＯＶＸは、バキュロウイルス発現ベクターを使用して、昆虫細胞中で発現され得る。培養昆虫細胞（例えば、ＳＦ９細胞）中でのタンパク質の発現のために利用可能なバキュロウイルスベクターには、ｐＡｃシリーズ（Ｓｍｉｔｈら（１９８３）Ｍｏｌ．Ｃｅｌｌ．Ｂｉｏｌ．３：２１５６−２１６５）およびｐＶＬシリーズ（ＬｕｃｋｌｏｗおよびＳｕｍｍｅｒｓ（１９８９）Ｖｉｒｏｌｏｇｙ  １７０：３１−３９）が挙げられる。
【０３７０】
なお別の実施形態において、本発明の核酸は、哺乳動物発現ベクターを使用して、哺乳動物細胞中で発現される。哺乳動物発現ベクターの例には、ｐＣＤＭ８（Ｓｅｅｄ（１９８７）Ｎａｔｕｒｅ  ３２９：８４０）およびｐＭＴ２ＰＣ（Ｋａｕｆｍａｎら（１９８７）ＥＭＢＯ  Ｊ．６：１８７−１９５）が挙げられる。哺乳動物細胞中で使用される場合、発現ベクターの制御機能は、しばしば、ウイルスの調節エレメントによって提供される。例えば、一般に使用されるプロモーターは、ポリオーマ、アデノウイルス２、サイトメガロウイルス、およびシミアンウイルス４０に由来する。原核生物細胞および真核生物細胞の両方のために適切な他の発現系については、例えば、Ｓａｍｂｒｏｏｋら、ＭＯＬＥＣＵＬＡＲ  ＣＬＯＮＩＮＧ：Ａ  ＬＡＢＯＲＡＴＯＲＹ  ＭＡＮＵＡＬ．第２版、Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，Ｎ．Ｙ．，１９８９の第１６章および第１７章を参照のこと。
【０３７１】
別の実施形態において、組換え哺乳動物発現ベクターは、特定の細胞型（例えば、組織特異的調節エレメントを使用して核酸を発現する）中で優先的に核酸の発現を指示し得る。組織特異的調節エレメントは、当該分野で公知である。適切な組織特異的なプロモーターの非限定的な例には、アルブミンプロモーター（肝臓特異的；Ｐｉｎｋｅｒｔら（１９８７）Ｇｅｎｅｓ  Ｄｅｖ．１：２６８−２７７）、リンパ特異的プロモーター（ＣａｌａｍｅおよびＥａｔｏｎ（１９８８）Ａｄｖ．Ｉｍｍｕｎｏｌ．４３：２３５−２７５）、Ｔ細胞レセプターの特定のプロモーターにおいて（ＷｉｎｏｔｏおよびＢａｌｔｉｍｏｒｅ（１９８９）ＥＭＢＯ  Ｊ．８：７２９−７３３）および免疫グロブリンの特定のプロモーターにおいて（Ｂａｎｅｒｊｉら（１９８３）Ｃｅｌｌ  ３３：７２９−７４０；ＱｕｅｅｎおよびＢａｌｔｉｍｏｒｅ（１９８３）Ｃｅｌｌ  ３３：７４１−７４８）、ニューロン特異的プロモーター（例えば、神経フィラメントプロモーター；ＢｙｒｎｅおよびＲｕｄｄｌｅ（１９８９）Ｐｒｏｃ．Ｎａｔｌ．Ａｃａｄ．Ｓｃｉ．ＵＳＡ  ８６：５４７３−５４７７）、膵臓特異的プロモーター（Ｅｄｌｕｎｄら（１９８５）Ｓｃｉｅｎｃｅ  ２３０：９１２−９１６）、ならびに乳腺特異的プロモーター（例えば、乳清プロモーター；米国特許第４，８７３，３１６号および欧州出願公開第２６４，１６６号）が挙げられる。発達的に調節されるプロモーターもまた含まれる（例えば、マウスｈｏｘプロモーター（ＫｅｓｓｅｌおよびＧｒｕｓｓ（１９９０）Ｓｃｉｅｎｃｅ  ２４９：３７４−３７９）およびα−フェトプロテインプロモーター（ＣａｍｐｅｓおよびＴｉｌｇｈｍａｎ（１９８９）Ｇｅｎｅｓ  Ｄｅｖ．３：５３７−５４６））。
【０３７２】
本発明はさらに、アンチセンス方向で発現ベクターにクローニングされた本発明のＤＮＡ分子を含む組換え発現ベクターを提供する。すなわち、そのＤＮＡ分子は、ＮＯＶＸ  ｍＲＮＡに対してアンチセンスであるＲＮＡ分子の発現（ＤＮＡ分子の転写によって）を可能にする様式で調節配列に作動可能に連結される。種々の細胞型においてアンチセンスＲＮＡ分子の持続的な発現を指示する、アンチセンス方向でクローニングされた核酸に作動可能に連結された調節配列（例えば、ウイルスプロモーターおよび／もしくはエンハンサー）が選択され得るか、または、アンチセンスＲＮＡの構成的発現、組織特異的発現、または細胞型特異的発現を指示する調節配列が、選択され得る。アンチセンス発現ベクターは、組換えプラスミド、ファージミド、または弱毒化されたウイルスの形態であり得、ここではアンチセンス核酸は、高効率調節領域の制御下で産生され、その活性は、ベクターが導入される細胞型によって決定され得る。アンチセンス遺伝子を使用する遺伝子発現の調節の考察については、例えば、Ｗｅｉｎｔｒａｕｂら、「Ａｎｔｉｓｅｎｓｅ  ＲＮＡ  ａｓ  ａ  ｍｏｌｅｃｕｌａｒ  ｔｏｏｌ  ｆｏｒ  ｇｅｎｅｔｉｃ  ａｎａｌｙｓｉｓ」、Ｒｅｖｉｅｗｓ−Ｔｒｅｎｄｓ  ｉｎ  Ｇｅｎｅｔｉｃｓ、第１巻（１）１９８６を参照のこと。
【０３７３】
本発明の別の局面は、本発明の組換え発現べクターが導入された宿主細胞に関する。用語「宿主細胞」および「組換え宿主細胞」は、本明細書中で、交換可能に使用される。このような用語は、特定の被験細胞をいうのみでなく、そのような細胞の子孫または潜在的な子孫をもいうことが理解される。変異または環境の影響のいずれかに起因して、特定の改変は次の世代において生じ得るので、このような子孫は、実際には、親の細胞と同一でないかもしれないが、なお、本明細書中で使用される場合のこの用語の範囲内に含まれる。
【０３７４】
宿主細胞は、任意の原核生物細胞または真核生物細胞であり得る。例えば、ＮＯＶＸタンパク質は、細菌細胞（例えば、Ｅ．ｃｏｌｉ）、昆虫細胞、酵母または哺乳動物細胞（例えば、チャイニーズハムスター卵巣細胞（ＣＨＯ）またはＣＯＳ細胞）において発現され得る。他の適切な宿主細胞は、当業者に公知である。
【０３７５】
ベクターＤＮＡは、従来の形質転換またはトランスフェクション技術を介して原核生物細胞または真核生物細胞に導入され得る。本明細書中で使用される場合、用語「形質転換」および「トランスフェクション」とは、外来性の核酸（例えば、ＤＮＡ）を宿主細胞に導入するために当該分野で容認されている種々の技術をいうことを意図し、これらには、リン酸カルシウム共沈もしくは塩化カルシウム共沈、ＤＥＡＥデキストラン媒介トランスフェクション、リポフェクション、またはエレクトロポレーションが含まれる。宿主細胞を形質転換またはトランスフェクションするための適切な方法は、Ｓａｍｂｒｏｏｋら（ＭＯＬＥＣＵＬＡＲ  ＣＬＯＮＩＮＧ：Ａ  ＬＡＢＯＲＡＴＯＲＹ  ＭＡＮＵＡＬ．第２版、Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，Ｎ．Ｙ．，１９８９）および他の実験室マニュアルに見出され得る。
【０３７６】
哺乳動物細胞の安定なトランスフェクションのために、使用される発現ベクターおよびトランスフェクション技術に依存して、細胞のほんの一部のみが外来ＤＮＡをそのゲノムに組み込み得ることが知られている。これらの要素を同定および選択するために、選択マーカー（例えば、抗生物質に対する耐性）をコードする遺伝子が、一般的には目的の遺伝子とともに宿主細胞に導入される。種々の選択マーカーには、薬物（例えば、Ｇ４１８、ハイグロマイシン、およびメトトレキサート）に対する耐性を付与するものが含まれる。選択マーカーをコードする核酸は、ＮＯＶＸをコードするベクターと同じベクター上で宿主細胞に導入され得るか、あるいは別々のベクター上で導入され得る。導入された核酸で安定にトランスフェクトされた細胞は、薬物選択によって同定され得る（例えば、選択マーカー遺伝子を取り込んだ細胞は生存するが、他の細胞は死滅する）。
【０３７７】
本発明の宿主細胞（例えば、培養中の原核生物宿主細胞および真核生物宿主細胞）は、ＮＯＶＸタンパク質を産生（すなわち、発現）するために使用され得る。従って、本発明はさらに、本発明の宿主細胞を使用して、ＮＯＶＸタンパク質を産生するための方法を提供する。１つの実施形態において、この方法は、ＮＯＶＸタンパク質が産生されるような適切な培地中で、本発明の宿主細胞（ここに、ＮＯＶＸタンパク質をコードする組換え発現ベクターが導入されている）を培養する工程を包含する。別の実施形態において、本発明はさらに、培地または宿主細胞からＮＯＶＸタンパク質を単離する工程を包含する。
【０３７８】
（トランスジェニックＮＯＶＸ動物）
本発明の宿主細胞はまた、非ヒトトランスジェニック動物を作製するために使用され得る。例えば、１つの実施形態において、本発明の宿主細胞は、ＮＯＶＸタンパク質コード配列が導入された、受精卵母細胞または胚性幹細胞である。次いで、このような宿主細胞は、外因性のＮＯＶＸ配列がゲノムに導入された非ヒトトランスジェニック動物、または内因性のＮＯＶＸ配列が変更された相同組換え動物を作製するために使用され得る。このような動物は、ＮＯＶＸタンパク質の機能および／または活性を研究するため、ならびにＮＯＶＸタンパク質活性のモジュレーターを同定および／または評価するために有用である。本明細書中で使用される場合、「トランスジェニック動物」とは、非ヒト動物であり、好ましくは哺乳動物であり、より好ましくは、ラットまたはマウスのような齧歯類であり、ここで、その動物の１つ以上の細胞が、導入遺伝子を含む。トランスジェニック動物の他の例としては、非ヒト霊長類、ヒツジ、イヌ、ウシ、ヤギ、ニワトリ、両生類などが挙げられる。導入遺伝子は、トランスジェニック動物が発生する細胞のゲノムに組み込まれかつ成熟動物のゲノムに残存し、それによって、トランスジェニック動物の１つ以上の細胞型または組織においてコードされた遺伝子産物の発現を指示する、外因性のＤＮＡである。本明細書中で使用される場合、「相同（ｈｏｍｏｌｏｇｏｕｓ）組換え動物」とは、非ヒト動物であり、好ましくは哺乳動物であり、より好ましくはマウスであり、ここで内因性のＮＯＶＸ遺伝子は、内因性の遺伝子と、その動物の発生の前にその動物の細胞（例えば、その動物の胚細胞）に導入された外因性のＤＮＡ分子との間の相同組換えによって変更されている。
【０３７９】
本発明のトランスジェニック動物は、ＮＯＶＸをコードする核酸を、例えば、マイクロインジェクション、レトロウイルス感染によって、受精卵母細胞の雄性前核に導入すること、およびその卵母細胞を偽妊娠雌性養育動物（ｆｏｓｔｅｒ  ａｎｉｍａｌ）中で発達させることを可能にすることによって作製され得る。配列番号１、３、４、６、８、１０、１２、１４、１６、１８、２０、２２、２４、および２６のヒトのＮＯＶＸ  ｃＤＮＡ配列は、非ヒト動物のゲノムに導入遺伝子として導入され得る。あるいは、ヒトのＮＯＶＸ遺伝子の非ヒトホモログ（例えば、マウスのＮＯＶＸ遺伝子）は、ヒトのＮＯＶＸ  ｃＤＮＡ（上記にさらに記載された）に対するハイブリダイゼーションに基づいて単離され得、そして導入遺伝子として使用され得る。イントロン配列およびポリアデニル化シグナルもまた導入遺伝子中に含まれ得、その導入遺伝子の発現の効率を増大させ得る。組織特異的調節配列（単数または複数）は、特定の細胞に対して、ＮＯＶＸタンパク質の発現を指示するように、ＮＯＶＸ導入遺伝子に作動可能に連結され得る。胚の操作およびマイクロインジェクションを介するトランスジェニック動物（特に、マウスのような動物）を作製するための方法は、当該分野で慣習的になっており、そして例えば、米国特許第４，７３６，８６６号；同第４，８７０，００９号；および同第４，８７３，１９１号；ならびにＨｏｇａｎ  １９８６、ＭＡＮＩＰＵＬＡＴＩＮＧ  ＴＨＥ  ＭＯＵＳＥ  ＥＭＢＲＹＯ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，Ｎ．Ｙ．に記載されている。同様の方法が、他のトランスジェニック動物の作製のために使用される。トランスジェニック創始（ｆｏｕｎｄｅｒ）動物は、そのゲノムにおけるＮＯＶＸ導入遺伝子の存在および／またはその動物の組織もしくは細胞中のＮＯＶＸ  ｍＲＮＡの発現に基づいて同定され得る。次いで、トランスジェニック創始動物は、導入遺伝子を有するさらなる動物を育種するために使用され得る。さらに、ＮＯＶＸタンパク質をコードする導入遺伝子を有するトランスジェニック動物は、さらに、他の導入遺伝子を有する他のトランスジェニック動物に交雑され得る。
【０３８０】
相同組換え動物を作製するために、ＮＯＶＸ遺伝子の少なくとも一部を含むベクターを調製する。ここで、この遺伝子は、欠失、付加、または置換が導入され、それによってそのＮＯＶＸ遺伝子が変更されている（例えば、機能的に破壊されている）。ＮＯＶＸ遺伝子は、ヒト遺伝子（例えば、配列番号１、３、４、６、８、１０、１２、１４、１６、１８、２０、２２、２４、および２６のｃＤＮＡ）であり得るが、より好ましくは、ヒトのＮＯＶＸ遺伝子の非ヒトホモログである。例えば、配列番号１、３、４、６、８、１０、１２、１４、１６、１８、２０、２２、２４、および２６のヒトのＮＯＶＸ遺伝子のマウスホモログは、マウスゲノムにおける内因性のＮＯＶＸ遺伝子を変更するのに適切な相同組換えベクターを構築するために使用され得る。１つの実施形態において、そのベクターは、相同組換えに際して、その内因性のＮＯＶＸ遺伝子が、機能的に破壊されるように設計される（すなわち、機能的タンパク質をもはやコードしない；「ノックアウト」ベクターともいわれる）。
【０３８１】
あるいは、このベクターは、相同組換えに際して、内因性ＮＯＶＸ遺伝子が変異されるか、あるいはさもなければ、変更されるが、なお機能性タンパク質をコードするように、設計され得る（例えば、上流の調節領域が変更され、それによって内因性ＮＯＶＸタンパク質の発現を変更し得る）。相同組換えベクターにおいて、ＮＯＶＸ遺伝子の変更された部分は、ＮＯＶＸ遺伝子のさらなる核酸によって、その５’末端および３’末端で隣接されることにより、相同組換えが、ベクターによって保有される外因性ＮＯＶＸ遺伝子と胚性幹細胞中の内因性ＮＯＶＸ遺伝子との間で起こることを可能にする。さらなる隣接するＮＯＶＸ核酸は、内因性遺伝子との首尾よい相同組換えのために十分な長さである。典型的に、数キロベースの隣接ＤＮＡ（５’末端および３’末端の両方における）が、ベクターに含まれる。例えば、相同組換えベクターの説明について、Ｔｈｏｍａｓら（１９８７）Ｃｅｌｌ  ５１：５０３を参照のこと。次いで、このベクターは、（例えば、エレクトロポレーションによって）胚性幹細胞株に導入され、そして導入されたＮＯＶＸ遺伝子が内因性ＮＯＶＸ遺伝子と相同組換えした細胞が、選択される（例えば、Ｌｉら（１９９２）Ｃｅｌｌ  ６９：９１５を参照のこと）。
【０３８２】
次いで、選択された細胞が、動物（例えば、マウス）の未分化胚芽細胞へ注入され、凝集キメラを形成する。例えば、Ｂｒａｄｌｅｙ（１９８７）のＴｅｒａｔｏｃａｒｃｉｎｏｍａｓ  ａｎｄ  Ｅｍｂｒｙｏｎｉｃ  Ｓｔｅｍ  Ｃｅｌｌｓ：Ａ  Ｐｒａｃｔｉｃａｌ  Ａｐｐｒｏａｃｈ、Ｒｏｂｅｒｔｓｏｎ編、ＩＲＬ、Ｏｘｆｏｒｄ、１１３頁〜１５２頁を参照のこと。次いで、キメラ胚が、適切な偽妊娠雌性養育動物に移植され得、そしてその胚は分娩に到る。その生殖細胞中に相同組換えされたＤＮＡを保有する子孫が、動物を育種するために使用され得、ここでこの動物の全ての細胞は、導入遺伝子の生殖系列伝達によって、相同組換えされたＤＮＡを含む。相同組換えベクターおよび相同組換え動物を構築するための方法が、さらに以下に記載される；Ｂｒａｄｌｅｙ（１９９１）Ｃｕｒｒ．Ｏｐｉｎ．Ｂｉｏｔｅｃｈｎｏｌ．２：８２３−８２９；ＰＣＴ国際公開番号：ＷＯ９０／１１３５４；ＷＯ９１／０１１４０；ＷＯ９２／０９６８；およびＷＯ９３／０４１６９。
【０３８３】
別の実施形態において、導入遺伝子の調節された発現を可能にする選択された系を含む非ヒトトランスジェニック動物が産生され得る。このような系の１つの例は、バクテリオファージＰ１のｃｒｅ／ｌｏｘＰリコンビナーゼ系である。ｃｒｅ／ｌｏｘＰリコンビナーゼ系の説明については、例えば、Ｌａｋｓｏら（１９９２）Ｐｒｏｃ．Ｎａｔｌ．Ａｃａｄ．Ｓｃｉ．ＵＳＡ  ８９：６２３２−６２３６を参照のこと。リコンビナーゼ系の別の例は、Ｓａｃｃｈａｒｏｍｙｃｅｓ  ｃｅｒｅｖｉｓｉａｅのＦＬＰリコンビナーゼ系である（Ｏ’Ｇｏｒｍａｎら（１９９１）Ｓｃｉｅｎｃｅ  ２５１：１３５１−１３５５を参照のこと）。ｃｒｅ／ｌｏｘＰリコンビナーゼ系が導入遺伝子の発現を調節するために使用される場合、Ｃｒｅリコンビナーゼおよび選択されたタンパク質の両方をコードする導入遺伝子を含む動物が必要となる。このような動物は、例えば、２つのトランスジェニック動物（一方は選択されたタンパク質をコードした導入遺伝子を含み、他方はリコンビナーゼをコードした導入遺伝子を含む）を交配することによる「二重の」トランスジェニック動物の構築によって提供され得る。
【０３８４】
本明細書中に記載される非ヒトトランスジェニック動物のクローンがまた、Ｗｉｌｍｕｔら（１９９７）Ｎａｔｕｒｅ  ３８５：８１０−８１３に記載される方法に従って、産生され得る。簡単には、トランスジェニック動物からの細胞（例えば、体細胞）が単離され得、そして増殖サイクル（ｇｒｏｗｔｈ  ｃｙｃｌｅ）から出て、Ｇ０期に入るように誘導され得る。次いで、静止性細胞が、例えば、電気パルスの使用により、その静止性細胞が単離されたのと同種の動物から摘出された卵母細胞へ融合され得る。次いで、この再構築された卵母細胞は培養され、これにより、これは桑実胚または未分化胚芽細胞に発達し、次いで、偽妊娠雌性養育動物に移される。この雌性養育動物から産まれた子孫は、その細胞（例えば、その体細胞）が単離された動物のクローンである。
【０３８５】
（薬学的組成物）
本発明のＮＯＶＸ核酸分子、ＮＯＶＸタンパク質、および抗ＮＯＶＸ抗体（これはまた、本明細書中で、「活性化合物」とも呼ばれる）、ならびにそれらの誘導体、フラグメント、アナログ、およびホモログが、投与に適した薬学的組成物に組み込まれ得る。このような組成物は、典型的に、核酸分子、タンパク質または抗体、および薬学的に受容可能なキャリアを含む。本明細書中で使用される場合、「薬学的に受容可能なキャリア」は、薬学的な投与に適合性の任意のおよび全ての溶媒、分散媒、コーティング、抗菌剤および抗真菌剤、等張剤および吸収遅延剤（ｄｅｌａｙｉｎｇ  ａｇｅｎｔ）などを含むことが意図される。適切なキャリアは、Ｒｅｍｉｎｇｔｏｎ’ｓ  Ｐｈａｒｍａｃｅｕｔｉｃａｌ  Ｓｃｉｅｎｃｅｓ（当該分野の標準的参考文献であって、本明細書中に参考として援用される）の最新版に記載される。このようなキャリアまたは希釈剤の好ましい例としては、水、生理食塩水、フィンガー（ｆｉｎｇｅｒ）溶液、デキストロース溶液、および５％ヒト血清アルブミンが挙げられるが、これらに限定されない。リポソームおよび非水性ビヒクル（例えば、不揮発性油）もまた、使用され得る。薬学的に活性な物質に対するこのような媒体および薬剤の使用は、当該分野で周知である。任意の従来の媒体または薬剤が活性化合物と不適合である場合を除いて、組成物におけるその使用が意図される。補助的な活性化合物もまた、組成物へ組み込まれ得る。
【０３８６】
本発明の薬学的組成物は、その意図される投与経路と適合性であるように処方される。投与経路の例には、非経口（例えば、静脈内、皮内、皮下）投与、経口（例えば、吸入）投与、経皮（すなわち、局所的）投与、経粘膜（ｔｒａｎｓｍｕｃｏｓａｌ）投与、および直腸投与が挙げられる。非経口適用、皮内適用または皮下適用のために使用される溶液または懸濁液は、以下の成分を含み得る：注射用水、生理食塩水溶液、不揮発性油、ポリエチレングリコール、グリセリン、プロピレングリコールまたは他の合成溶媒のような、滅菌希釈剤；ベンジルアルコールまたはメチルパラベンのような、抗菌剤；アスコルビン酸または重亜硫酸ナトリウムのような、抗酸化剤；エチレンジアミン四酢酸（ＥＤＴＡ）のような、キレート剤；酢酸塩、クエン酸塩またはリン酸塩のような緩衝液、および塩化ナトリウムまたはデキストロースのような、張度の調整のための薬剤。ｐＨは、塩酸または水酸化ナトリウムのような酸または塩基で調整され得る。非経口調製物は、ガラスまたはプラスチック製のアンプル、使い捨てシリンジ、または多用量のバイアル中に入れられ得る。
【０３８７】
注入用途に適した薬学的組成物は、滅菌水溶液（ここでは、水溶性）または分散物、および滅菌注入可能溶液または分散物の即座の調製のための滅菌粉末を含む。静脈内投与において、適切なキャリアには、生理食塩水、静菌水、Ｃｒｅｍｏｐｈｏｒ  ＥＬＴＭ（ＢＡＳＦ、Ｐａｒｓｉｐｐａｎｙ、Ｎ．Ｊ．）またはリン酸緩衝化生理食塩水（ＰＢＳ）が挙げられる。全ての場合において、組成物は、無菌でなければならず、そして容易な注入性（ｓｙｒｉｎｇｅａｂｉｌｉｔｙ）が存在する程度に流動性であるべきである。これは、製造および保存の条件下で安定でなければならず、そして、細菌および真菌のような微生物の汚染行為に対して保護されなければならない。このキャリアは、例えば、以下を含む溶媒または分散媒であり得る：水、エタノール、ポリオール（例えば、グリセロール、プロピレングリコール、および液体ポリエチレングリコールなど）ならびにそれらの適切な混合物。適切な流動性が、例えば、レシチンのようなコーティングの使用によって、分散物の場合には、要求される粒子サイズを維持することによって、および界面活性剤を使用することによって維持され得る。微生物の作用の防止は、種々の抗菌剤および抗真菌剤（例えば、パラベン、クロロブタノール、フェノール、アスコルビン酸、チメロサールなど）によって達成され得る。多くの場合、組成物中に等張剤（例えば、糖、ポリアルコール（例えば、マンニトール（ｍａｎｉｔｏｌ）、ソルビトール）、塩化ナトリウム）を含むことが好ましい。注入可能組成物の吸収期間の延長は、組成物に吸収を遅延させる薬剤（例えば、モノステアリン酸アルミニウムおよびゼラチン）を含ませることによってもたらされ得る。
【０３８８】
滅菌注射可能溶液は、必要量のこの活性化合物（例えば、ＮＯＶＸタンパク質または抗ＮＯＶＸ抗体）を、適切な溶媒中で、上記で列挙される成分の１つまたは組み合わせと共に組み込み、必要な場合、続いて濾過滅菌することによって調製され得る。一般的に、分散物は、活性化合物を、基本（ｂａｓｉｃ）の分散媒と上記で列挙される成分から必要とされる他の成分とを含む滅菌ビヒクル中へ組み込むことによって調製される。滅菌注射可能液剤の調製のための滅菌粉末の場合において、調製方法は、真空乾燥および凍結乾燥であり、これにより、予め滅菌濾過されたその溶液から活性成分および任意のさらなる所望の成分の粉末を得る。
【０３８９】
経口組成物は、一般的に、不活性希釈剤または食用キャリアを含む。これらは、ゼラチンカプセルに封入され得るか、または錠剤へと圧縮され得る。経口治療投与の目的のために、この活性化合物は、賦形剤とともに組み込まれ得、そして錠剤、トローチ剤、またはカプセル剤の形態で使用され得る。経口組成物はまた、うがい薬としての使用のために流体キャリアを使用して調製され得、ここで、この流体キャリア中のこの化合物は、経口的に適用され、そして音を立てられ（ｓｗｉｓｈ）、そして吐き出されるか、または飲み込まれる。薬学的に適合性の結合剤、および／またはアジュバント物質が、この組成物の一部として含まれ得る。錠剤、丸剤、カプセル剤、トローチ剤などが、任意の以下の成分または同様の性質を有する化合物を含み得る：結合剤（例えば、微結晶セルロース、ガムトラガントまたはゼラチン）；賦形剤（例えば、デンプンまたはラクトース）、崩壊剤（例えば、アルギン酸、プリモゲル（Ｐｒｉｍｏｇｅｌ）、またはコーンスターチ）；滑沢剤（例えば、ステアリン酸マグネシウムまたはステロテス（Ｓｔｅｒｏｔｅｓ））；潤滑剤（ｇｌｉｄａｎｔ）（例えば、コロイド状二酸化ケイ素）；甘味剤（例えば、スクロースまたはサッカリン）；あるいは香味剤（例えば、ペパーミント、サリチル酸メチル、またはオレンジフレーバー）。
【０３９０】
吸入による投与について、この化合物は、適切な噴霧剤（例えば、二酸化炭素のような気体）を含む圧縮容器またはディスペンサー、あるいは噴霧器から、エアロゾル噴霧の形態で送達される。
【０３９１】
全身的投与はまた、経粘膜手段または経皮手段により得る。経粘膜投与または経皮投与について、浸透される障壁に適切な浸透剤が、処方物において使用される。このような浸透剤は、一般的に、当該分野で公知であり、そして、例えば、経粘膜投与については、界面活性剤、胆汁酸塩、およびフシジン酸誘導体が挙げられる。経粘膜投与は、鼻噴霧または坐剤の使用によって達成され得る。経皮投与については、この活性化合物は、当該分野で一般的に公知である軟膏剤（ｏｉｎｔｍｅｎｔ）、軟膏（ｓａｌｖｅ）、ゲル、またはクリーム剤へ処方される。
【０３９２】
この化合物はまた、直腸送達のための坐剤（例えば、ココアバターおよび他のグリセリドのような従来の坐剤基剤と共に）または貯留（ｒｅｎｔｅｎｔｉｏｎ）浣腸の形態で調製され得る。
【０３９３】
１つの実施形態において、この活性化合物は、身体からの迅速な排出に対してこの化合物を保護するキャリアを用いて調製され（例えば、制御放出処方物）、これには、移植片およびマイクロカプセル化された送達系が挙げられる。エチレン酢酸ビニル、ポリ無水物、ポリグリコール酸、コラーゲン、ポリオルトエステル、およびポリ乳酸のような、生分解性、生体適合性ポリマーが使用され得る。このような処方物の調製のための方法は、当業者には明らかである。これらの物質はまた、Ａｌｚａ  Ｃｏｒｐｏｒａｔｉｏｎ  ａｎｄ  Ｎｏｖａ  Ｐｈａｒｍａｃｅｕｔｉｃａｌｓ，Ｉｎｃ．から商業的に入手され得る。リポソーム懸濁物（ウイルス抗原に対するモノクローナル抗体を感染させた細胞へ標的化されるリポソームを含む）もまた、薬学的に受容可能なキャリアとして使用され得る。これらは、例えば米国特許第４，５２２，８１１号に記載されるような、当業者に公知の方法に従って調製され得る。
【０３９４】
投与の容易さおよび投薬量の均一性のために、投薬単位形態で、経口組成物または非経口組成物を処方することが、特に有益である。本明細書で使用される投薬単位形態は、処置される被験体に対する単位投薬量として適切な物理的に個々の単位をいい；各単位は、必要とされる薬学的キャリアと関連して所望の治療的効果を生じるように計算された、所定量の活性化合物を含む。本発明の投薬単位形態についての詳細は、この活性化合物の固有の特徴、および達成される特定の治療効果、ならびに個体の処置のためのこのような活性化合物を調合する分野に固有の制限によって決定されるか、あるいはこれらに直接依存する。
【０３９５】
本発明の核酸分子は、ベクターに挿入され得、そして遺伝子治療ベクターとして使用され得る。遺伝子治療ベクターは、被験体へ、例えば静脈内注射、局所投与（米国特許第５，３２８，４７０号を参照のこと）によって、または定位注射（例えば、Ｃｈｅｎら（１９９４）Ｐｒｏｃ．Ｎａｔｌ．Ａｃａｄ．Ｓｃｉ．ＵＳＡ  ９１：３０５４−３０５７を参照のこと）によって送達され得る。遺伝子治療ベクターの薬学的調製物には、受容可能な希釈剤中の遺伝子治療ベクターが挙げられ得るか、または遺伝子送達ビヒクルが組み込まれる除放性マトリックスが挙げられ得る。あるいは、完全な遺伝子送達ベクターが組換え細胞からインタクトで産生され得（例えば、レトロウイルスベクター）、薬学的調製物は、遺伝子送達系を産生する１以上の細胞を含み得る。
【０３９６】
薬学的組成物は、投与のための使用説明書と共に、容器、包装、またはディスペンサーに含まれ得る。
【０３９７】
（スクリーニングおよび検出の方法）
本発明の単離された核酸分子は、以下にさらに説明されるように、ＮＯＶＸタンパク質（例えば、遺伝子治療適用における宿主細胞中の組換え発現ベクターを介する）を発現するため、ＮＯＶＸ  ｍＲＮＡ（例えば、生物学的サンプルにおいて）またはＮＯＶＸ遺伝子における遺伝子損傷を検出するため、ならびにＮＯＶＸ活性を調節するために使用され得る。さらに、ＮＯＶＸタンパク質は、ＮＯＶＸタンパク質の活性または発現を調節する薬物または化合物をスクリーニングするために、ならびにＮＯＶＸタンパク質の不十分もしくは過剰な産生によって、あるいはＮＯＶＸ野生型タンパク質と比較して減少した活性もしくは異常な活性を有するＮＯＶＸタンパク質形態の産生によって特徴付けられる障害を処置するために使用され得る（例えば、糖尿病（インスリン放出を調節）；肥満（脂質に結合し輸送する）；肥満に関連した代謝障害、代謝症候群Ｘ、ならびに拒食症、および、慢性疾患および種々の癌に関連した消耗性障害、および感染性疾患（抗菌活性を有する）、および種々の異脂肪血症）。さらに、本発明の抗ＮＯＶＸ抗体が、ＮＯＶＸタンパク質を検出および単離するため、ならびにＮＯＶＸ活性を調節するために使用され得る。さらなる局面において、本発明を、正の様式および負の様式の両方で、食欲、栄養吸収、および代謝物の廃棄に影響する方法で用い得る。
【０３９８】
本発明は、さらに、本明細書中に記載のスクリーニングアッセイによって同定される新規の薬剤、および上記で本明細書中で記載されるような処置のためのそれらの使用に関する。
【０３９９】
（スクリーニングアッセイ）
本発明は、調節因子、すなわち、ＮＯＶＸタンパク質に結合するか、あるいは例えば、ＮＯＶＸタンパク質の発現またはＮＯＶＸタンパク質の活性に対して刺激効果または阻害効果を有する、候補または試験化合物または薬剤（例えば、ペプチド、ペプチド模倣物、低分子または他の薬物）を同定するための方法（本明細書中において「スクリーニングアッセイ」とも称される）を提供する。本発明はまた、本明細書中に記載のスクリーニングアッセイにおいて同定された化合物を含む。
【０４００】
１実施形態において、本発明は、ＮＯＶＸタンパク質またはポリペプチド、あるいはその生物学的に活性な部分の膜結合形態に結合するか、またはその膜結合形態の活性を調節する、候補化合物もしくは試験化合物をスクリーニングするためのアッセイを提供する。本発明の試験化合物は、当該分野において公知のコンビナトリアルライブラリー法における多数のアプローチのいずれかを使用して得られ得、これには、以下が挙げられる：生物学的ライブラリー；空間的に位置付け可能な並行固相もしくは溶液相ライブラリー；逆重畳を要する合成ライブラリー法；「１ビーズ１化合物」ライブラリー法；およびアフィニティークロマトグラフィー選択を使用する合成ライブラリー法。生物学的ライブラリーアプローチはペプチドライブラリーに限定されるが、他の４つのアプローチは、ペプチド、非ペプチドオリゴマーもしくは化合物の低分子ライブラリーに適用可能である（例えば、Ｌａｍ（１９９７）Ａｎｔｉｃａｎｃｅｒ  Ｄｒｕｇ  Ｄｅｓｉｇｎ  １２：１４５を参照のこと）。
【０４０１】
本明細書中で使用される場合、「低分子」とは、約５ｋＤ未満の分子量、最も好ましくは約４ｋＤ未満の分子量を有する組成物をいうように意味される。低分子は、例えば、核酸、ペプチド、ポリペプチド、ペプチド模倣体、炭水化物、脂質または他の有機分子もしくは無機分子であり得る。化学的および／または生物学的混合物（例えば、真菌、細菌または藻類抽出物）のライブラリーは、当該分野で公知であり、そして本発明のアッセイのいずれかを用いてスクリーニングされ得る。
【０４０２】
分子ライブラリーの合成のための方法の例は、当該分野において、例えば以下に見出され得る：ＤｅＷｉｔｔら（１９９３）Ｐｒｏｃ．Ｎａｔｌ．Ａｃａｄ．Ｓｃｉ．Ｕ．Ｓ．Ａ．９０：６９０９；Ｅｒｂら（１９９４）Ｐｒｏｃ．Ｎａｔｌ．Ａｃａｄ．Ｓｃｉ．Ｕ．Ｓ．Ａ．９１：１１４２２；Ｚｕｃｋｅｒｍａｎｎら（１９９４）Ｊ．Ｍｅｄ．Ｃｈｅｍ．３７：２６７８；Ｃｈｏら（１９９３）Ｓｃｉｅｎｃｅ  ２６１：１３０３；Ｃａｒｒｅｌｌら（１９９４）Ａｎｇｅｗ．Ｃｈｅｍ．Ｉｎｔ．Ｅｄ．Ｅｎｇｌ．３３：２０５９；Ｃａｒｅｌｌら（１９９４）Ａｎｇｅｗ．Ｃｈｅｍ．Ｉｎｔ．Ｅｄ．Ｅｎｇｌ．３３：２０６１；およびＧａｌｌｏｐら（１９９４）Ｊ．Ｍｅｄ．Ｃｈｅｍ．３７：１２３３。
【０４０３】
化合物のライブラリーは、溶液中で（例えば、Ｈｏｕｇｈｔｅｎ（１９９２）Ｂｉｏｔｅｃｈｎｉｑｕｅｓ  １３：４１２〜４２１）、あるいはビーズ上（Ｌａｍ（１９９１）Ｎａｔｕｒｅ  ３５４：８２〜８４）、チップ上（Ｆｏｄｏｒ（１９９３）Ｎａｔｕｒｅ  ３６４：５５５〜５５６）、細菌（Ｌａｄｎｅｒ  米国特許第５，２２３，４０９号）、胞子（Ｌａｄｎｅｒ  米国特許第５，２３３，４０９号）、プラスミド（Ｃｕｌｌら（１９９２）Ｐｒｏｃ．Ｎａｔｌ．Ａｃａｄ．Ｓｃｉ．ＵＳＡ  ８９：１８６５〜１８６９）またはファージ上（ＳｃｏｔｔおよびＳｍｉｔｈ（１９９０）Ｓｃｉｅｎｃｅ  ２４９：３８６〜３９０；Ｄｅｖｌｉｎ（１９９０）Ｓｃｉｅｎｃｅ  ２４９：４０４〜４０６；Ｃｗｉｒｌａら（１９９０）Ｐｒｏｃ．Ｎａｔｌ．Ａｃａｄ．Ｓｃｉ．Ｕ．Ｓ．Ａ．８７：６３７８〜６３８２；Ｆｅｌｉｃｉ（１９９１）Ｊ．Ｍｏｌ．Ｂｉｏｌ．２２２：３０１〜３１０；Ｌａｄｎｅｒ、米国特許第５，２３３，４０９号）において提示され得る。
【０４０４】
１つの実施形態において、アッセイは細胞ベースのアッセイであり、ここで、膜結合形態のＮＯＶＸタンパク質、またはその生物学的に活性な部分を細胞表面上に発現する細胞が、試験化合物と接触され、そしてこの試験化合物が、ＮＯＶＸタンパク質に結合する能力が、決定される。例えば、細胞は、哺乳動物起源または酵母細胞であり得る。この試験化合物がＮＯＶＸタンパク質に結合する能力の決定は、例えば、その試験化合物を放射性同位体または酵素標識とカップリングさせて、その結果、この試験化合物のＮＯＶＸタンパク質またはその生物学的に活性な部分に対する結合が、複合体におけるその標識化合物を検出することによって決定され得ることによって達成され得る。例えば、試験化合物は、１２５Ｉ、３５Ｓ、１４Ｃ、または３Ｈで直接的または間接的のいずれかで標識され得、そしてその放射性同位体が、放射線放射の直接の計数により、またはシンチレーション計数により、検出され得る。あるいは、試験化合物は、例えば、西洋ワサビペルオキシダーゼ、アルカリホスファターゼ、またはルシフェラーゼで酵素的に標識され得、そしてこの酵素的標識が、適切な基質の生成物への転換を決定することにより、検出され得る。１つの実施形態において、このアッセイは、膜結合形態のＮＯＶＸタンパク質、またはその生物学的に活性な部分をその細胞表面上に発現する細胞を、ＮＯＶＸと結合する既知の化合物と接触させて、アッセイ混合物を形成する工程、このアッセイ混合物に試験化合物を接触させる工程、ならびにこの試験化合物がＮＯＶＸタンパク質と相互作用する能力を決定する工程を包含し、ここで、この試験化合物がＮＯＶＸタンパク質と相互作用する能力を決定する工程は、この試験化合物が、既知の化合物と比較して、ＮＯＶＸタンパク質またはその生物学的に活性な部分と優先的に結合する能力を決定する工程を包含する。
【０４０５】
別の実施形態において、アッセイは、細胞ベースのアッセイであり、これは、膜結合形態のＮＯＶＸタンパク質またはその生物学的に活性な部分を細胞表面上で発現する細胞を、試験化合物と接触させる工程、ならびにこの試験化合物が、ＮＯＶＸタンパク質またはその生物学的に活性な部分の活性を調節（例えば、刺激または阻害）する能力を決定する工程を包含する。この試験化合物が、ＮＯＶＸまたはその生物学的に活性な部分の活性を調節する能力の決定は、例えば、ＮＯＶＸタンパク質が、ＮＯＶＸ標的分子に結合またはこれら標的分子と相互作用する能力を決定することによって、達成され得る。本明細書中において使用する場合には、「標的分子」とは、ＮＯＶＸタンパク質が天然で結合または相互作用する分子であり、例えば、ＮＯＶＸ相互作用タンパク質を発現する細胞表面上の分子、第二の細胞表面上の分子、細胞外環境中の分子、細胞膜の内面と会合する分子、または細胞質分子である。ＮＯＶＸ標的分子は、非ＮＯＶＸ分子あるいは本発明のＮＯＶＸタンパク質またはポリペプチドであり得る。１つの実施形態において、ＮＯＶＸ標的分子は、シグナル伝達経路の構成要素であり、これは、細胞膜を通る細胞内への細胞外シグナル（例えば、化合物が膜結合ＮＯＶＸ分子に結合することにより発生するシグナル）の伝達を促進する。その標的は、例えば、触媒活性を有する第二の細胞内タンパク質、または下流シグナル伝達分子のＮＯＶＸとの会合を容易にするタンパク質であり得る。
【０４０６】
ＮＯＶＸタンパク質がＮＯＶＸ標的分子に結合するかまたはその標的分子と相互作用する能力の決定は、直接的結合を決定するための上記方法の１つにより、達成され得る。１つの実施形態において、ＮＯＶＸタンパク質がＮＯＶＸ標的分子に結合するかまたはその標的分子と相互作用する能力の決定は、その標的分子の活性を決定することにより、達成され得る。例えば、この標的分子の活性は、その標的の細胞性セカンドメッセンジャー（すなわち、細胞内Ｃａ２＋、ジアシルグリセロール、ＩＰ３など）の誘導を検出すること、適切な基質に対する標的の触媒活性／酵素活性を検出すること、レポーター遺伝子（検出可能なマーカー（例えば、ルシフェラーゼ）をコードする核酸に作動可能に連結されたＮＯＶＸ応答性調節エレメントを含む）の誘導を検出すること、または細胞応答（例えば、細胞生存度、細胞分化、または細胞増殖）を検出することにより、決定され得る。
【０４０７】
なお別の実施形態において、本発明のアッセイは、無細胞（ｃｅｌｌ−ｆｒｅｅ）アッセイであり、ＮＯＶＸタンパク質またはその生物学的に活性な部分を試験化合物に接触させる工程、ならびにその試験化合物がＮＯＶＸタンパク質またはその生物学的に活性な部分と結合する能力を決定する工程を包含する。この試験化合物の、ＮＯＶＸタンパク質への結合は、上記のように、直接的または間接的にのいずれかで決定され得る。１つのこのような実施形態において、このアッセイは、ＮＯＶＸタンパク質またはその生物学的に活性な部分を、ＮＯＶＸを結合する既知の化合物に接触させて、アッセイ混合物を形成する工程、このアッセイ混合物を試験化合物に接触させる工程、ならびにその試験化合物がＮＯＶＸタンパク質と相互作用する能力を決定する工程を包含し、ここで、この試験化合物がＮＯＶＸタンパク質と相互作用する能力を決定する工程は、この試験化合物が、既知の化合物と比較して、ＮＯＶＸ、またはその生物学的に活性な部分と優先的に結合する能力を決定する工程を包含する。
【０４０８】
なお別の実施形態において、アッセイは、無細胞アッセイであり、ＮＯＶＸタンパク質またはその生物学的に活性な部分を試験化合物と接触させる工程、ならびにその試験化合物がＮＯＶＸタンパク質またはその生物学的に活性な部分の活性を調節（例えば、刺激または阻害）する能力を決定する工程を包含する。この試験化合物がＮＯＶＸの活性を調節する能力の決定は、例えば、ＮＯＶＸタンパク質が、ＮＯＶＸ標的分子に結合する能力を、直接的結合の決定のための上記方法の１つによって決定することにより、達成され得る。代替の実施形態において、この試験化合物がＮＯＶＸタンパク質の活性を調節する能力の決定は、ＮＯＶＸタンパク質が、ＮＯＶＸ標的分子をさらに調節する能力を決定することにより、達成され得る。例えば、この標的分子の適切な基質に対する触媒活性／酵素活性は、上記のように決定され得る。
【０４０９】
さらに別の実施形態において、無細胞アッセイは、ＮＯＶＸタンパク質またはその生物学的に活性な部分を、ＮＯＶＸタンパク質を結合する既知の化合物に接触させてアッセイ混合物を形成する工程、このアッセイ混合物を試験化合物と接触させる工程、ならびにこの試験化合物がＮＯＶＸタンパク質と相互作用する能力を決定する工程を包含し、ここで、この試験化合物がＮＯＶＸタンパク質と相互作用する能力の決定は、ＮＯＶＸタンパク質が、ＮＯＶＸ標的分子と優先的に結合するか、またはその標的分子の活性を優先的に調節する能力を決定する工程を包含する。
【０４１０】
本発明の無細胞アッセイは、ＮＯＶＸタンパク質の、可溶性の形態または膜結合形態の両方の使用に受け入れられる。膜結合形態のＮＯＶＸタンパク質を含む無細胞アッセイの場合には、膜結合形態のＮＯＶＸタンパク質が溶液中に維持されるように、可溶化剤を利用することが所望され得る。このような可溶化剤の例には、非イオン性界面活性剤、（例えば、ｎ−オクチルグルコシド、ｎ−ドデシルグルコシド、ｎ−ドデシルマルトシド、オクタノイル−Ｎ−メチルグルカミド、デカノイル−Ｎ−メチルグルカミド、Ｔｒｉｔｏｎ（登録商標）Ｘ−１００、Ｔｒｉｔｏｎ（登録商標）Ｘ−１１４、Ｔｈｅｓｉｔ（登録商標）、イソトリデシルポリ（エチレングリコールエーテル）ｎ（Ｉｓｏｔｒｉｄｅｃｙｐｏｌｙ（ｅｔｈｙｌｅｎｅ  ｇｌｙｃｏｌ  ｅｔｈｅｒ）ｎ、Ｎ−ドデシル−Ｎ，Ｎ−ジメチル−３−アンモニオ−１−プロパンスルホネート、３−（３−コラミドプロピル）ジメチルアンミニオール−１−プロパンスルホネート（３−（３−ｃｈｏｌａｍｉｄｏｐｒｏｐｙｌ）ｄｉｍｅｔｈｙｌａｍｍｉｎｉｏｌ−１−ｐｒｏｐａｎｅ  ｓｕｌｆｏｎａｔｅ）（ＣＨＡＰＳ）、または３−（３−コラミドプロピル）ジメチルアンミニオール−２−ヒドロキシ−１−プロパンスルホネート（３−（３−ｃｈｏｌａｍｉｄｏｐｒｏｐｙｌ）ｄｉｍｅｔｈｙｌａｍｍｉｎｉｏｌ−２−ｈｙｄｒｏｘｙ−１−ｐｒｏｐａｎｅ  ｓｕｌｆｏｎａｔｅ）（ＣＨＡＰＳＯ））が挙げられる。
【０４１１】
本発明の上記アッセイ方法の１つより多い実施形態において、ＮＯＶＸタンパク質またはその標的分子のいずれかを固定して、そのタンパク質の一方または両方の非複合形態からの複合形態の分離を促進し、そしてそのアッセイの自動化に適合させることが、所望され得る。試験化合物の、ＮＯＶＸタンパク質への結合、または候補化合物の存在下および非存在下での、ＮＯＶＸタンパク質の標的分子との相互作用は、これらの反応物を収容するために適切な任意の容器内で、達成され得る。このような容器の例には、マイクロタイタープレート、試験管、および微小遠心管が挙げられる。１実施形態において、そのタンパク質の一方または両方がマトリックスに結合することを可能にするドメインを付加する融合タンパク質が、提供され得る。例えば、ＧＳＴ−ＮＯＶＸ融合タンパク質またはＧＳＴ標的融合タンパク質は、グルタチオンセファロースビーズ（Ｓｉｇｍａ  Ｃｈｅｍｉｃａｌ、Ｓｔ．Ｌｏｕｉｓ、ＭＯ）またはグルタチオン誘導体化マイクロタイタープレート上に吸着され得、次いでこれらは、試験化合物と合わせられるか、あるいは試験化合物および未吸着標的タンパク質またはＮＯＶＸタンパク質のいずれかと合わせられ、そしてこの混合物が、複合体形成を誘導する条件下（例えば、塩およびｐＨに関して生理学的条件）でインキュベートされる。インキュベーション後、ビーズまたはマイクロタイタープレートウェルを洗浄して、結合していないあらゆる成分を除去し、ビーズの場合にはマトリックスを固定し、例えば上記のように、複合体を直接的または間接的のいずれかで決定する。あるいは、複合体がマトリックスから解離され得、そしてＮＯＶＸタンパク質の結合レベルまたは活性レベルを、標準的な技術を使用して決定し得る。
【０４１２】
タンパク質をマトリックスに固定するための他の技術もまた、本発明のスクリーニングアッセイにおいて使用され得る。例えば、ＮＯＶＸタンパク質、またはその標的分子のいずれかが、ビオチンとストレプトアビジンとの結合を利用して、固定され得る。ビオチン化ＮＯＶＸタンパク質、または標的分子は、当該分野において周知の技術を使用して、ビオチン−ＮＨＳ（Ｎ−ヒドロキシスクシンイミド）から調製され得（例えば、ビオチン化キット、Ｐｉｅｒｃｅ  Ｃｈｅｍｉｃａｌｓ、Ｒｏｃｋｆｏｒｄ、Ｉｌｌ．）、そしてストレプトアビジンでコーティングした９６ウェルのプレート（Ｐｉｅｒｃｅ  Ｃｈｅｍｉｃａｌ）のウェルに固定され得る。あるいは、ＮＯＶＸタンパク質、または標的分子と反応性であるがＮＯＶＸタンパク質のその標的分子への結合を妨害しない抗体が、そのプレートのウェルに誘導体化され得、そして結合していない標的またはＮＯＶＸタンパク質が、抗体の結合によってウェル内に捕捉され得る。このような複合体を検出するための方法には、ＧＳＴ固定複合体に関しての上記で述べた方法に加えて、ＮＯＶＸタンパク質または標的分子と反応性の抗体を使用する、複合体の免疫検出、ならびにＮＯＶＸタンパク質、または標的分子に関する酵素活性の検出に依存する酵素結合アッセイが挙げられる。
【０４１３】
別の実施形態において、ＮＯＶＸタンパク質発現のモジュレーターは、細胞を候補化合物と接触させ、そして細胞中のＮＯＶＸ  ｍＲＮＡまたはタンパク質の発現を決定する方法において同定される。候補化合物の存在下でのＮＯＶＸ  ｍＲＮＡまたはタンパク質の発現レベルは、候補化合物の非存在下でのＮＯＶＸ  ｍＲＮＡまたはタンパク質の発現レベルと比較される。次いで、候補化合物は、この比較に基づいて、ＮＯＶＸ  ｍＲＮＡまたはタンパク質発現のモジュレーターとして同定され得る。例えば、ＮＯＶＸ  ｍＲＮＡまたはタンパク質の発現が、候補化合物の非存在下よりも、その存在下における方が大きい（すなわち、統計的に有意に大きい）場合、この候補化合物は、ＮＯＶＸ  ｍＲＮＡまたはタンパク質の発現の刺激物質として同定される。あるいは、ＮＯＶＸ  ｍＲＮＡまたはタンパク質の発現が、候補化合物の非存在下よりもその存在下の方が少ない（統計的に有意に少ない）場合、この候補化合物は、ＮＯＶＸ  ｍＲＮＡまたはタンパク質の発現のインヒビターとして同定される。細胞中のＮＯＶＸ  ｍＲＮＡまたはタンパク質の発現レベルは、ＮＯＶＸ  ｍＲＮＡまたはタンパク質を検出するために本明細書中に記載の方法によって決定され得る。
【０４１４】
本発明のなお別の局面において、ＮＯＶＸタンパク質は、ツーハイブリッドアッセイまたはスリーハイブリッドアッセイにおいて「ベイト（ｂａｉｔ）タンパク質」として使用されて（例えば、米国特許第５，２８３，３１７号；Ｚｅｒｖｏｓら（１９９３）Ｃｅｌｌ  ７２：２２３−２３２；Ｍａｄｕｒａら、１９９３  Ｊ．Ｂｉｏｌ．Ｃｈｅｍ．２６８：１２０４６−１２０５４；Ｂａｒｔｅｌら、１９９３  Ｂｉｏｔｅｃｈｎｉｑｕｅｓ  １４：９２０−９２４；Ｉｗａｂｕｃｈｉら、１９９３  Ｏｎｃｏｇｅｎｅ  ８：１６９３−１６９６；およびＢｒｅｎｔ  ＷＯ９４／１０３００を参照のこと）、ＮＯＶＸ（「ＮＯＶＸ結合タンパク質」または「ＮＯＶＸ−ｂｐ」）に結合するか、またはこれと相互作用し、そしてＮＯＶＸ活性を調節する他のタンパク質を同定し得る。このようなＮＯＶＸ結合タンパク質はまた、例えば、ＮＯＶＸ経路の上流または下流エレメントとしてＮＯＶＸタンパク質によるシグナル伝達に関与する可能性がある。
【０４１５】
ツーハイブリッドシステムは、分離可能なＤＮＡ結合ドメインおよび活性化ドメインからなる、大部分の転写因子のモジュール的性質に基づく。簡潔には、このアッセイは、２つの異なるＤＮＡ構築物を利用する。一方の構築物においては、ＮＯＶＸをコードする遺伝子が既知の転写因子（例えば、ＧＡＬ−４）のＤＮＡ結合ドメインをコードする遺伝子に融合される。他方の構築物においては、ＤＮＡ配列のライブラリー由来の、未同定タンパク質（「プレイ（ｐｒｅｙ）」または「サンプル」）をコードするＤＮＡ配列が、既知の転写因子の活性化ドメインをコードする遺伝子に融合される。「ベイト」および「プレイ」タンパク質がインビボで相互作用して、ＮＯＶＸ依存性複合体を形成し得る場合、この転写因子のＤＮＡ結合ドメインおよび活性化ドメインは、非常に近くにある。近位にあることにより、転写因子に応答性の転写調節部位に作動可能に連結されたレポーター遺伝子（例えば、ＬａｃＺ）の転写が可能となる。レポーター遺伝子の発現が検出され得、そして機能的転写因子を含む細胞コロニーが、単離され得、そしてＮＯＶＸと相互作用するタンパク質をコードするクローニングされた遺伝子を得るために使用され得る。
【０４１６】
本発明はさらに、上記のスクリーニングアッセイにより同定される新規な薬剤（因子）および本明細書中に記載されるような処置のためのこの薬剤（因子）の使用に関する。
【０４１７】
（検出アッセイ）
本明細書中で同定されるｃＤＮＡ配列の一部またはフラグメント（および対応する完全な遺伝子配列）は、ポリヌクレオチド試薬として多くの方法で使用され得る。例えば、これらの配列を使用して、（ｉ）染色体上にそれぞれの遺伝子をマッピングし得；従って遺伝病と関連する遺伝子領域を位置決定し得る；（ｉｉ）微量の生物学的サンプルから個体を同定し得る（組織型決定）；および（ｉｉｉ）生物学的サンプルの法医学的識別を助け得るが、これに限定されない。これらの適用のいくつかは、以下の節において記載される。
【０４１８】
（染色体マッピング）
一旦、遺伝子の配列（または配列の一部分）が単離されると、この配列を用いて染色体上に遺伝子の位置をマッピングし得る。このプロセスは、染色体マッピングとよばれる。従って、ＮＯＶＸ配列の一部またはフラグメント、配列番号１、３、４、６、８、１０、１２、１４、１６、１８、２０、２２、２４、および２６、またはそのフラグメントもしくは誘導体を用いて、それぞれ、ＮＯＶＸ遺伝子の位置を染色体上にマッピングし得る。ＮＯＶＸ配列を染色体にマッピングすることは、これらの配列と、疾患と関連する遺伝子とを相関付ける際の重要な第一歩である。
【０４１９】
簡潔には、ＮＯＶＸ遺伝子は、ＮＯＶＸ配列からＰＣＲプライマー（好ましくは、１５〜２５ｂｐの長さ）を調製することにより染色体にマッピングし得る。ＮＯＶＸ配列のコンピューター分析を用いて、ゲノムＤＮＡにおける１つを超えるエキソンにまたがらないプライマーを迅速に選択し得、従って、増幅プロセスを複雑にし得る。次いで、これらのプライマーは、個々のヒト染色体を含む体細胞ハイブリッドのＰＣＲスクリーニングのために使用され得る。ＮＯＶＸ配列に対応するヒト遺伝子を含むハイブリッドのみが増幅されたフラグメントを生じる。
【０４２０】
体細胞ハイブリッドは、異なる哺乳動物由来の体細胞（例えば、ヒトおよびマウス細胞）を融合することにより調製される。ヒトおよびマウスの細胞のハイブリッドが増殖および分裂するにつれ、それらは、無作為な順序で徐々にヒト染色体を失うが、マウス染色体を維持する。マウス細胞は増殖できないが（マウス細胞は、特定の酵素を欠いているため）、ヒト細胞は増殖できる培地を使用することにより、必要な酵素をコードする遺伝子を含む１つのヒト染色体が維持される。種々の培地を使用することによって、ハイブリッド細胞株のパネルが確立され得る。パネルにおける各細胞株は、単一のヒト染色体または少数のヒト染色体いずれかおよびマウス染色体の完全なセットを含み、これにより、個々の遺伝子を特定のヒト染色体に容易にマッピングすることが可能になる（例えば、Ｄ’Ｅｕｓｔａｃｈｉｏら（１９８３）Ｓｃｉｅｎｃｅ  ２２０：９１９−９２４を参照のこと）。ヒト染色体のフラグメントのみを含む体細胞ハイブリッドはまた、転座および欠失を伴うヒト染色体を使用することにより生成され得る。
【０４２１】
体細胞ハイブリッドのＰＣＲマッピングは、特定の染色体に特定の配列を割り当てるための迅速な手順である。１つのサーマルサイクラーを用いて一日に３つ以上の配列が割り当てられ得る。ＮＯＶＸ配列を使用して、オリゴヌクレオチドプライマーを設計すると、下位位置決定（ｓｕｂｌｏｃａｌｉｚａｔｉｏｎ）は、特定の染色体由来のフラグメントのパネルを用いて達成され得る。
【０４２２】
中期染色体スプレッドに対するＤＮＡ配列の蛍光インサイチュハイブリダイゼーション（ＦＩＳＨ）をさらに使用して、一工程で正確な染色体位置を提供し得る。染色体スプレッドは、コルセミド（紡錘体を破壊する）のような化学物質により分裂が中期においてブロックされた細胞を使用して行われ得る。この染色体は、トリプシンで短時間処理され得、次いで、ギムザ染色され得る。薄いバンドおよび濃いバンドのパターンが各染色体で発生し、その結果、この染色体は、個々に同定され得る。ＦＩＳＨ技術は、５００または６００塩基ほどの短さのＤＮＡ配列と共に使用され得る。しかし、１，０００塩基より大きなクローンは、簡単な検出に十分なシグナル強度で、独特の染色体位置に結合する可能性がより高い。好ましくは、１，０００塩基、そしてより好ましくは、２，０００塩基が妥当な時間量で良好な結果を得るために十分である。この技術の総説については、Ｖｅｒｍａら、ＨＵＭＡＮ  ＣＨＲＯＭＯＳＯＭＥＳ：Ａ  ＭＡＮＵＡＬ  ＯＦ  ＢＡＳＩＣ  ＴＥＣＨＮＩＱＵＥＳ（Ｐｅｒｇａｍｏｎ  Ｐｒｅｓｓ，Ｎｅｗ  Ｙｏｒｋ  １９８８）を参照のこと。
【０４２３】
染色体マッピングの試薬は、単一の染色体またはその染色体上の単一部位を印付けするために個々に使用され得るか、または試薬のパネルは複数部位および／または複数染色体を印付けするために使用され得る。遺伝子の非コード領域に対応する試薬は、実際に、マッピング目的のために好ましい。コード配列は、遺伝子ファミリー内に保存されており、従って、染色体マッピングの間に交叉ハイブリダイゼーションの機会が増大する可能性が高い。
【０４２４】
一旦、配列が正確な染色体位置にマッピングされると、その配列の染色体上の物理的位置は、遺伝子マップデータと相関し得る。このようなデータは、例えば、ＭｃＫｕｓｉｃｋ，ＭＥＮＤＥＬＩＡＮ  ＩＮＨＥＲＩＴＡＮＣＥ  ＩＮ  ＭＡＮ（Ｊｏｈｎｓ  Ｈｏｐｋｉｎｓ  Ｕｎｉｖｅｒｓｉｔｙ  Ｗｅｌｃｈ  Ｍｅｄｉｃａｌ  Ｌｉｂｒａｒｙを通じてオンラインで入手可能）において見いだされる。次いで、同じ染色体領域にマッピングされる遺伝子と疾患との間の関係は、例えば、Ｅｇｅｌａｎｄら（１９８７）Ｎａｔｕｒｅ，３２５：７８３−７８７に記載される連鎖分析（物理的に隣接する遺伝子の同時遺伝）によって同定され得る。
【０４２５】
さらに、ＮＯＶＸ遺伝子と関連する疾患に罹患した個体と、この疾患に罹患していない個体との間のＤＮＡ配列における差異が決定され得る。罹患した個体のいくらかまたは全てにおいて変異が認められるが、非罹患個体のいずれにおいても認められない場合、この変異は特定の疾患の候補薬剤（因子）である可能性が高い。罹患個体と非罹患個体の比較は、一般に、染色体における構造的変化（例えば、染色体スプレッドから可視であるか、またはそのＤＮＡ配列に基づいたＰＣＲを用いて検出可能な欠失または転座）を最初に探すことを包含する。最終的に、いくらかの個体に由来する遺伝子の完全な配列決定を行って、変異の存在を確認し、かつ多型に由来する変異を区別し得る。
【０４２６】
（組織型決定（ｔｉｓｓｕｅ  ｔｙｐｉｎｇ））
本発明のＮＯＶＸ配列はまた、わずかな生物学的サンプルから個体を識別するために使用され得る。この技術において、個体のゲノムＤＮＡは、１つ以上の制限酵素で消化され、そして同定のために独特のバンドを生成するためにサザンブロット上でプローブされる。本発明の配列は、ＲＦＬＰ（米国特許第５，２７２，０５７号に記載の「制限酵素断片長多型」）のためのさらなるＤＮＡマーカーとして有用である。
【０４２７】
さらに、本発明の配列を用いて、個体のゲノムの選択された部分について実際の塩基ごとにＤＮＡ配列を決定する代替的技術を提供し得る。従って、本明細書中に記載のＮＯＶＸ配列を用いて、配列の５’末端および３’末端から２つのＰＣＲプライマーを調製し得る。次いで、これらのプライマーを使用して、個体のＤＮＡを増幅し得、引き続いて、配列決定し得る。
【０４２８】
この様式で調製された個体由来の対応するＤＮＡ配列のパネルは、各個体が、対立遺伝子差異に起因するこのようなＤＮＡ配列の独特のセットを有するので、唯一の個体識別を提供し得る。本発明の配列は、個体由来および組織由来の配列のこのような識別を得るために使用され得る。本発明のＮＯＶＸ配列は、ヒトゲノムの部分を独特に表す。対立遺伝子変異は、これらの配列のコード領域においてある程度生じ、そして非コード領域においてより大きな程度に生じる。個々のヒト間での対立遺伝子変異は、各５００塩基につき約１回の頻度で生じると見積もられる。対立遺伝子変異の多さは、制限フラグメント長多型（ＲＦＬＰ）を含む一塩基多型（ＳＮＰ）に起因する。
【０４２９】
本明細書中に記載の配列の各々は、ある程度、標準物質（これに対して個体からのＤＮＡが識別の目的で比較され得る）として使用され得る。より多くの多型が非コード領域で生じるので、個体を区別するために、それほど多くの配列が必要であるわけではない。非コード配列は、おそらく１０〜１，０００プライマーのパネルを用いてポジティブな個体識別を不自由なく提供し得る。これらのプライマーは、各々が１００塩基の増幅された非コード配列を生じる。推定コード配列（例えば、配列番号１、３、４、６、８、１０、１２、１４、１６、１８、２０、２２、２４、および２６における配列）が使用される場合、ポジティブな個体識別に関するプライマーのより適切な数は、５００〜２，０００である。
【０４３０】
（予測医療）
本発明はまた、診断アッセイ、予後アッセイ、薬物ゲノム（ｐｈａｒｍａｃｏｇｅｎｏｍｉｃｓ）およびモニタリング臨床試験が、予後（予測）の目的に使用され、これによって個体を予防的に処置する、予測医療の分野に関する。従って、本発明の１つの局面は、生物学的サンプル（例えば、血液、血清、細胞、組織）の場合においては、ＮＯＶＸタンパク質および／または核酸の発現、ならびにＮＯＶＸの活性を決定するための診断アッセイに関し、これによって、異常なＮＯＶＸの発現または活性に関連して、個体が疾患または障害に罹患するかどうか、あるいは障害を発症するリスクがあるかどうかを決定する。この障害としては、代謝障害、糖尿病、肥満症、感染症、食欲不振、癌関連悪液質、癌、神経変性障害、アルツハイマー病、パーキンソン病、免疫障害、および造血障害、ならびに種々の異常脂肪性浮腫（ｄｙｓｌｉｐｉｄｅｍｉａｓ）、肥満に関連する代謝障害、Ｘ代謝症候群（ｍｅｔａｂｏｌｉｃ  ｓｙｎｄｒｏｍｅ  Ｘ）、ならびに慢性疾患および種々のガンと関連する消耗疾患。本発明はまた、個体が、ＮＯＶＸのタンパク質、核酸の発現または活性と関連した障害を発症するリスクがあるかどうかを決定するための予後的（または予測的）アッセイを提供する。例えば、ＮＯＶＸの遺伝子における変異が、生物学的サンプルにおいてアッセイされ得る。このようなアッセイは、予後的または予測的な目的に使用され、これによってＮＯＶＸのタンパク質、核酸の発現または生物学的活性によって特徴付けられるかまたは関連した障害の発病の前に、個体を予防的に処置し得る。
【０４３１】
本発明の別の局面は、個体におけるＮＯＶＸのタンパク質、核酸の発現または活性を決定するための方法を提供し、これによって、その個体についての適切な治療的または予防的試薬（本明細書において「薬物ゲノム」とよばれる）を選択する。薬物ゲノムは、個体の遺伝型（例えば、特定の因子に対して応答する個体の能力を決定するために試験された個体の遺伝型）に基づいて、個体の治療的または予防的処置のための因子（例えば、薬物）の選択を可能にする。
【０４３２】
本発明のなお別の局面は、臨床試験におけるＮＯＶＸの発現または活性に対する因子（例えば、薬物、化合物）の影響をモニタリングすることに関する。
【０４３３】
これらおよび他の因子は、以下の節でさらに詳細に記載される。
【０４３４】
（診断アッセイ）
生物学的サンプルにおけるＮＯＶＸの存在または非存在を検出するための例示的な方法は、試験被験体から生物学的サンプルを得る工程、およびその生物学的サンプルをＮＯＶＸのタンパク質またはＮＯＶＸタンパク質をコードする核酸（例えば、ｍＲＮＡ、ゲノムＤＮＡ）を検出し得る化合物もしくは薬剤（因子）とを接触させ、その結果、ＮＯＶＸの存在が、その生物学的サンプルにおいて検出される工程を包含する。ＮＯＶＸ  ｍＲＮＡもしくはゲノムＤＮＡを検出するための因子は、ＮＯＶＸ  ｍＲＮＡもしくはゲノムＤＮＡにハイブリダイズし得る、標識された核酸プローブである。この核酸プローブは、例えば、全長のＮＯＶＸの核酸（例えば、配列番号１、３、４、６、８、１０、１２、１４、１６、１８、２０、２２、２４、および２６の核酸またはそれらの一部）（例えば、少なくとも、１５、３０、５０、１００、２５０もしくは５００ヌクレオチド長のオリゴヌクレオチドであり、ストリンジェントな条件下でＮＯＶＸ  ｍＲＮＡまたはゲノムＤＮＡと特異的にハイブリダイズするに十分である核酸）であり得る。本発明の診断アッセイにおける使用のための他の適切なプローブは、本明細書において記載されている。
【０４３５】
ＮＯＶＸタンパク質を検出するための薬剤（因子）は、ＮＯＶＸタンパク質に結合し得る抗体であり、好ましくは、検出可能な標識を有する抗体である。抗体は、ポリクローナルであり得るか、またはより好ましくはモノクローナル抗体であり得る。インタクトな抗体またはそのフラグメント（例えば、ＦａｂまたはＦ（ａｂ’）２）が使用され得る。用語「標識（された）」とは、プローブまたは抗体に関して、検出可能な物質をそのプローブもしくは抗体にカップリングさせる（すなわち、物理的に連結する）ことによってそのプローブまたは抗体を直接標識すること、ならびに、直接標識された別の試薬との反応性によってそのプローブもしくは抗体の間接的な標識をすることを包含することが意図される。間接的な標識の例としては、蛍光標識された二次抗体を用いた一次抗体の検出、および蛍光標識されたストレプトアビジンを用いて検出され得るようにＤＮＡプローブのビオチンを用いた末端標識が挙げられる。用語「生物学的サンプル」とは、被験体から単離された、組織、細胞および生物学的流体ならびに被験体に存在する組織、細胞および流体を含むことが意図される。すなわち、本発明の検出方法を用いて、ＮＯＶＸ  ｍＲＮＡ、タンパク質またはゲノムＤＮＡを、生物学的サンプル中で、インビトロおよびインビボで検出し得る。例えば、ＮＯＶＸ  ｍＲＮＡの検出のためのインビトロ技術としては、ノーザンハイブリダイゼーションおよびインサイチュハイブリダイゼーションが挙げられる。ＮＯＶＸタンパク質の検出のためのインビトロ技術としては、酵素連結免疫吸着アッセイ（ＥＬＩＳＡ）、ウェスタンブロット、免疫沈降および免疫蛍光が挙げられる。ＮＯＶＸのゲノムＤＮＡを検出するためのインビトロ技術としては、サザンハイブリダイゼーションが挙げられる。さらに、ＮＯＶＸタンパク質の検出のためのインビボ技術としては、標識された抗ＮＯＶＸ抗体を被験体に導入することが挙げられる。例えば、その抗体は、放射性マーカーを用いて標識され得る。被験体における放射性マーカーの存在および位置は、標準的な画像化技術によって検出され得る。
【０４３６】
１つの実施形態において、この生物学的サンプルは、その試験被験体由来のタンパク質分子を含む。あるいは、その生物学的サンプルは、その試験被験体由来のｍＲＮＡ分子またはその試験被験体由来のゲノムＤＮＡ分子を含み得る。好ましい生物学的サンプルは、被験体から従来の手段によって単離された末梢血白血球サンプルである。
【０４３７】
別の実施形態において、本発明の方法はさらに、コントロール被験体からコントロール生物学的サンプルを得る工程、そのコントロールサンプルを、ＮＯＶＸのタンパク質、ｍＲＮＡもしくはゲノムＤＮＡを検出し得る化合物もしくは薬剤（因子）と接触させ、その結果、ＮＯＶＸのタンパク質、ｍＲＮＡもしくはゲノムＤＮＡの存在がその生物学的サンプルにおいて検出される工程、およびそのコントロールサンプルにおけるＮＯＶＸのタンパク質、ｍＲＮＡもしくはゲノムＤＮＡの存在と、その試験サンプルにおけるＮＯＶＸのタンパク質、ｍＲＮＡもしくはゲノムＤＮＡの存在とを比較する工程を包含する。
【０４３８】
本発明はまた、生物学的サンプルにおけるＮＯＶＸの存在を検出するためのキットを包含する。例えば、このキットは、以下を備え得る：生物学的サンプルにおいてＮＯＶＸのタンパク質またはｍＲＮＡを検出し得る、標識された化合物もしくは薬剤（因子）；そのサンプルにおいてＮＯＶＸの量を決定するための手段；およびそのサンプルにおけるＮＯＶＸの量と標準とを比較するための手段。この化合物または薬剤は、適切な容器内に包装され得る。このキットは、さらに、ＮＯＶＸのタンパク質または核酸を検出するためにキットを用いるための指示書を備え得る。
【０４３９】
（予後アッセイ）
本明細書において記載された診断方法をさらに利用して、ＮＯＶＸの異常発現または異常活性に関連した疾患もしくは障害を有するか、またはその発症の危険性を有する被験体を同定し得る。例えば、本明細書に記載されるアッセイ（例えば、上述の診断アッセイまたは下記のアッセイ）を利用して、ＮＯＶＸのタンパク質、核酸の発現または活性に関連する障害を有するかまたはその発症の危険性を有する被験体を同定し得る。あるいは、この予後アッセイを利用して、疾患または障害を有するかまたはその発症の危険性を有する被験体を同定し得る。従って、本発明は、ＮＯＶＸの異常発現または異常活性に関連する疾患もしくは障害を同定するための方法を提供する。ここで、試験サンプルは、被験体から得られ、そしてＮＯＶＸのタンパク質または核酸（例えば、ｍＲＮＡ、ゲノムＤＮＡ）が検出され、ここで、ＮＯＶＸのタンパク質または核酸の存在は、ＮＯＶＸの異常発現または異常活性に関連する疾患または障害を有するかまたはその発症の危険性を有する被験体についての診断指標である。本明細書において使用される場合「試験サンプル」とは、目的の被験体から得られた生物学的サンプルをいう。例えば、試験サンプルは、生物学的流体（例えば、血清）、細胞サンプル、または組織であり得る。
【０４４０】
さらに、本明細書に記載される予後アッセイを使用して、被験体に薬剤（因子）（例えば、アゴニスト、アンタゴニスト、ペプチド模倣物、タンパク質、ペプチド、核酸、低分子、または他の薬物候補）を投与してＮＯＶＸの異常発現または異常活性に関連する疾患または障害を処置し得るか否かを、決定し得る。例えば、このような方法を使用して、被験体が障害のための因子で有効に処置され得るか否かを決定し得る。従って、本発明は、ＮＯＶＸの異常発現または異常活性に関連する障害のための因子を用いて、被験体が有効に処置され得るか否かを決定するための方法を提供する。ここで、試験サンプルが得られ、そしてＮＯＶＸのタンパク質または核酸が検出される（例えば、ここで、ＮＯＶＸのタンパク質または核酸の存在は、この因子が投与されてＮＯＶＸの異常発現または異常活性に関連する障害が処置され得る被験体についての、診断指標である）。
【０４４１】
本発明の方法はまた、ＮＯＶＸ遺伝子における遺伝的損傷を検出し、それによって、その損傷遺伝子を有する被験体が異常な細胞増殖および／または分化によって特徴付けられる障害についての危険性を有するか否かを決定するためにも使用され得る。種々の実施形態において、この方法は、その被験体由来の細胞のサンプルにおいて、ＮＯＶＸタンパク質をコードする遺伝子の統合性に影響を与える少なくとも１つの変更によって特徴付けられる遺伝的損傷の存在または非存在、あるいはＮＯＶＸ遺伝子の誤発現を検出する工程を包含する。例えば、そのような遺伝的損傷は、以下の少なくとも１つの存在を確認することによって検出され得る：（ｉ）ＮＯＶＸ遺伝子からの１つ以上のヌクレオチドの欠失；（ｉｉ）ＮＯＶＸ遺伝子への１つ以上のヌクレオチドの付加；（ｉｉｉ）ＮＯＶＸ遺伝子の１つ以上のヌクレオチドの置換、（ｉｖ）ＮＯＶＸ遺伝子の染色体再配置；（ｖ）ＮＯＶＸ遺伝子のメッセンジャーＲＮＡ転写物のレベルにおける変更、（ｖｉ）ＮＯＶＸ遺伝子の異常改変（例えば、ゲノムＤＮＡのメチル化パターンの異常改変）、（ｖｉｉ）ＮＯＶＸ遺伝子のメッセンジャーＲＮＡ転写物の非野生型スプライシングパターンの存在、（ｖｉｉｉ）ＮＯＶＸタンパク質の非野生型レベル、（ｉｘ）ＮＯＶＸ遺伝子の対立遺伝子の欠失、ならびに（ｘ）ＮＯＶＸタンパク質の不適切な翻訳後修飾。本明細書において記載されるように、当該分野において、ＮＯＶＸ遺伝子における損傷を検出するために使用され得る、多数の公知のアッセイ技術が存在する。好ましい生物学的サンプルは、従来手段によって被験体から単離された末梢血白血球サンプルである。しかし、有核細胞を含む任意の生物学的サンプルが使用され得、これには、例えば、頬粘膜細胞が挙げられる。
【０４４２】
特定の実施形態において、損傷の検出は、ポリメラーゼ連鎖反応（ＰＣＲ）（例えば、米国特許第４，６８３，１９５号および同第４，６８３，２０２号を参照のこと）（例えば、アンカーＰＣＲまたはＲＡＣＥ  ＰＣＲ）、あるいは、連結連鎖反応（ＬＣＲ）（例えば、Ｌａｎｄｅｇｒａｎら（１９８８）Ｓｃｉｅｎｃｅ  ２４１：１０７７−１０８０；およびＮａｋａｚａｗａら（１９９４）Ｐｒｏｃ．Ｎａｔｌ．Ａｃａｄ．Ｓｉｃ．ＵＳＡ  ９１：３６０−３６４を参照のこと）におけるプローブ／プライマーの使用を包含する。後者は、ＮＯＶＸ遺伝子における点変異を検出するために特に有用であり得る（Ａｂｒａｖａｙａら，１９９５  Ｎｕｃｌ  Ａｃｉｄｓ  Ｒｅｓ  ２３：６７５−６８２を参照のこと）。この方法は、患者から細胞のサンプルを収集する工程、核酸（例えば、ゲノム、ｍＲＮＡまたはその両方）をそのサンプルの細胞から単離する工程、ＮＯＶＸの遺伝子に特異的にハイブリダイズする１つ以上のプライマーとその核酸サンプルとを、ＮＯＶＸ遺伝子（存在する場合）のハイブリダイゼーションおよび増幅が生じるような条件下で接触させる工程、ならびに増幅産物の存在もしくは非存在を検出する工程、またはその増幅産物のサイズを検出する工程およびその長さをコントロールサンプルと比較する工程を包含し得る。ＰＣＲおよび／またはＬＣＲは、本明細書中に記載される変異を検出するために使用される技術のいずれかとともに予備的増幅工程として使用されることが望ましくあり得ることが予想される。
【０４４３】
代替的な増幅方法としては、以下が挙げられる：当業者に周知な技術を用いた、その増幅された分子の検出の前の、自己維持配列複製（Ｇｕａｔｅｌｌｉら、１９９０、Ｐｒｏｃ．Ｎａｔｌ．Ａｃａｄ．Ｓｃｉ．ＵＳＡ  ８７：１８７４−１８７８を参照のこと）、転写増幅系（Ｋｗｏｈら、１９８９、Ｐｒｏｃ．Ｎａｔｌ．Ａｃａｄ．Ｓｃｉ．ＵＳＡ  ８６：１１７３−１１７７を参照のこと）、Ｑβレプリカーゼ（Ｌｉｚａｒｄｉら、１９８８、ＢｉｏＴｅｃｈｎｏｌｏｇｙ  ６：１１９７を参照のこと）、または他の任意の核酸増幅方法。これらの検出スキームは、核酸分子が非常に極少数で存在する場合に、そのような核酸分子の検出のために特に有用である。
【０４４４】
代替の実施形態において、サンプル細胞からのＮＯＶＸ遺伝子における変異は、制限酵素切断パターンにおける変更によって同定され得る。例えば、サンプルおよびコントロールのＤＮＡが単離され、増幅され（必要に応じて）、１つ以上の制限エンドヌクレアーゼを用いて消化され、そしてフラグメント長の大きさがゲル電気泳動によって決定され、そして比較される。サンプルＤＮＡとコントロールＤＮＡとの間のフラグメント長の大きさにおける差異は、そのサンプルＤＮＡにおける変異を示す。さらに、配列特異的なリボザイムの使用（例えば、米国特許第５，４９３，５３１号を参照のこと）を使用して、リボザイム切断部位の発生または喪失による特異的な変異の存在についてスコア付けし得る。
【０４４５】
他の実施形態において、ＮＯＶＸにおける遺伝子変異は、サンプル核酸およびコントロール核酸（例えば、ＤＮＡまたはＲＮＡ）を、数百または数千のオリゴヌクレオチドプローブを含む高密度アレイに対してハイブリダイズさせることによって同定され得る（例えば、Ｃｒｏｎｉｎら（１９９６）Ｈｕｍａｎ  Ｍｕｔａｔｉｏｎ  ７：２４４−２５５；Ｋｏｚａｌら（１９９６）Ｎａｔ．Ｍｅｄ．２：７５３−７５９を参照のこと）。例えば、ＮＯＶＸにおける遺伝子変異は、Ｃｒｏｎｉｎら（前出）に記載されるように光生成ＤＮＡプローブを含む二次元アレイにおいて同定され得る。手短には、プローブの第一ハイブリダイゼーションアレイを用いて、サンプルおよびコントロールにおける長いストレッチのＤＮＡにわたって走査し、連続的に重複するプローブの線形アレイを作成することによって、その配列間の塩基変化を同定し得る。この工程は、点変異の同定を可能にする。この工程に第二のハイブリダイゼーションアレイが続き、これは、検出される全ての改変体または変異体に相補的な、より小さな特化されたプローブアレイを用いることによる特定の変異の特徴付けを可能にする。各変異アレイは、一方が野生型遺伝子に対して相補的であり、そして他方が変異遺伝子に対して相補である並行プローブセットから構成される。
【０４４６】
なお別の実施形態において、当該分野で公知の種々の配列決定反応のいずれかを使用して、ＮＯＶＸ遺伝子を直接配列決定し得、そしてサンプルＮＯＶＸ配列と対応する野生型（コントロール）配列とを比較することによって、変異を検出し得る。配列決定反応の例としては、ＭａｘｉｍおよびＧｉｌｂｅｒｔ（１９７７）Ｐｒｏｃ．Ｎａｔｌ．Ａｃａｄ．Ｓｉｃ．ＵＳＡ  ７４：５６０またはＳａｎｇｅｒ（１９７７）Ｐｒｏｃ．Ｎａｔｌ．Ａｃａｄ．Ｓｉｃ．ＵＳＡ  ７４：５４６３によって開発された技術に基づくものが挙げられる。診断アッセイを実施する場合、種々の自動化配列決定手順のいずれかを利用し得ることもまた意図される（例えば、Ｎａｅｖｅら（１９９５）Ｂｉｏｔｅｃｈｎｉｑｕｅｓ  １９：４４８を参照のこと）。これらには、質量分析法による配列決定法（例えば、ＰＣＴ国際公開番号ＷＯ  ９４／１６１０１；Ｃｏｈｅｎら（１９９６）Ａｄｖ．Ｃｈｒｏｍａｔｏｇｒａｐｈｙ  ３６：１２７−１６２；およびＧｒｉｆｆｉｎら（１９９３）Ａｐｐｌ．Ｂｉｏｃｈｅｍ．Ｂｉｏｔｅｃｈｎｏｌ．３８：１４７−１５９を参照のこと）が含まれる。
【０４４７】
ＮＯＶＸ遺伝子における変異を検出するための他の方法としては、切断剤からの保護を使用して、ＲＮＡ／ＲＮＡもしくはＲＮＡ／ＤＮＡのヘテロ二重鎖におけるミスマッチ塩基を検出する方法が挙げられる（例えば、Ｍｙｅｒｓら（１９８５）Ｓｃｉｅｎｃｅ  ２３０：１２４２を参照のこと）。一般に、「ミスマッチ切断」の当該分野の技術は、野生型のＮＯＶＸ配列を含む（標識された）ＲＮＡまたはＤＮＡを、組織サンプルから得られた潜在的な変異体ＲＮＡまたはＤＮＡとハイブリダイズさせることによって形成されるヘテロ二重鎖を提供する工程によって始まる。この二本鎖の二重鎖を、二重鎖の一本鎖領域（例えば、そのコントロールとサンプルの鎖との間の塩基対ミスマッチに起因して存在するもの）を切断する因子を用いて処理する。例えば、ＲＮＡ／ＤＮＡ二重鎖を、ＲＮａｓｅを用いて処理し得、そしてＤＮＡ／ＤＮＡハイブリッドを、そのミスマッチ領域を酵素的に消化するために、Ｓ１ヌクレアーゼを用いて処理し得る。他の実施形態において、ＤＮＡ／ＤＮＡまたはＲＮＡ／ＤＮＡのいずれかの二重鎖を、ミスマッチ領域を消化するために、ヒドロキシルアミンまたは四酸化オスミウム、およびピペリジンを用いて処理し得る。そのミスマッチ領域の消化後、次いで、得られた物質を変性ポリアクリルアミドゲル上で、大きさにより分離して、変異の部位を決定する。例えば、Ｃｏｔｔｏｎら（１９８８）Ｐｒｏｃ．Ｎａｔｌ．Ａｃａｄ．Ｓｃｉ．ＵＳＡ  ８５：４３９７；Ｓａｌｅｅｂａら（１９９２）Ｍｅｔｈｏｄｓ  Ｅｎｚｙｍｏｌ．２１７：２８６−２９５を参照のこと。１つの実施形態において、コントロールのＤＮＡまたはＲＮＡは、検出のために標識され得る。
【０４４８】
なお別の実施形態において、ミスマッチ切断反応は、二本鎖ＤＮＡにおけるミスマッチ塩基対を認識する１つ以上のタンパク質（いわゆる「ＤＮＡミスマッチ修復」酵素）を、細胞のサンプルから得られたＮＯＶＸ  ｃＤＮＡにおける点変異を検出およびマッピングするために規定された系において使用する。例えば、Ｅ．ｃｏｌｉのｍｕｔＹ酵素は、Ｇ／ＡミスマッチでＡを切断し、そしてＨｅＬａ細胞からのチミジンＤＮＡグリコシラーゼは、Ｇ／ＴミスマッチでＴを切断する（例えば、Ｈｓｕら（１９９４）Ｃａｒｃｉｎｏｇｅｎｅｓｉｓ  １５：１６５７〜１６６２を参照のこと）。例示的な実施形態に従って、ＮＯＶＸ配列（例えば、野生型ＮＯＶＸ配列）に基づくプローブは、試験細胞由来のｃＤＮＡまたは他のＤＮＡ産物にハイブリダイズされる。二重鎖は、ＤＮＡミスマッチ修復酵素を用いて処理され、そしてその切断産物（もしあれば）は、電気泳動プロトコルなどから検出され得る。例えば、米国特許第５，４５９，０３９号を参照のこと。
【０４４９】
他の実施形態において、電気泳動の移動度における変化は、ＮＯＶＸ遺伝子における変異を同定するために使用される。例えば、一本鎖コンホメーション多型（ＳＳＣＰ）は、変異体と野生型核酸との間の電気泳動の移動度における差異を検出するために使用され得る（例えば、Ｏｒｉｔａら（１９８９）Ｐｒｏｃ．Ｎａｔｌ．Ａｃａｄ．Ｓｃｉ．ＵＳＡ：８６：２７６６、またＣｏｔｔｏｎ（１９９３）Ｍｕｔａｔ．Ｒｅｓ．２８５：１２５〜１４４；Ｈａｙａｓｈｉ（１９９２）Ｇｅｎｅｔ．Ａｎａｌ．Ｔｅｃｈ．Ａｐｐｌ．９：７３〜７９を参照のこと）。サンプルおよびコントロールＮＯＶＸ核酸の一本鎖ＤＮＡフラグメントは、変性され、そして再生される。一本鎖核酸の二次構造は、配列に従って変化し、電気泳動の移動度において得られる変化は、１つの塩基変化の検出さえも可能にする。ＤＮＡフラグメントは、標識され得るか、または標識されたプローブを用いて検出され得る。アッセイの感度は、ＤＮＡよりもむしろ、二次構造が配列中の変化に対してより感受的であるＲＮＡを使用することによって増強され得る。１つの実施形態において、本発明の方法は、ヘテロ二重鎖分析を利用して、電気泳動の移動度における変化に基づいて二本鎖のヘテロ二重鎖分子を分離する。例えば、Ｋｅｅｎら（１９９１）Ｔｒｅｎｄｓ  Ｇｅｎｅｔ．７：５を参照のこと。
【０４５０】
なお別の実施形態において、一定勾配の変性剤を含有するポリアクリルアミドゲルにおける変異体または野生型フラグメントの移動は、変性勾配ゲル電気泳動（ＤＧＧＥ）を使用してアッセイされる。例えば、Ｍｙｅｒｓら（１９８５）Ｎａｔｕｒｅ  ３１３：４９５を参照のこと。ＤＧＧＥが分析の方法として使用される場合、ＤＮＡは、例えば、ＰＣＲにより約４０ｂｐの高融点ＧＣリッチＤＮＡのＧＣクランプを付加することによって、完全には変性されないことを確実するように改変される。さらなる実施形態において、温度勾配は、コントロールＤＮＡおよびサンプルＤＮＡの移動度における差異を同定するために、変性剤勾配の代わりに使用される。例えば、ＲｏｓｅｎｂａｕｍおよびＲｅｉｓｓｎｅｒ（１９８７）Ｂｉｏｐｈｙｓ．Ｃｈｅｍ．２６５：１２７５３を参照のこと。
【０４５１】
点変異を検出するための他の技術の例としては、以下が挙げられるが、これらに限定されない：選択的オリゴヌクレオチドハイブリダイゼーション、選択的増幅、または選択的プライマー伸長。例えば、オリゴヌクレオチドプライマーは、既知の変異が中心的に配置されるように調製され得、次いで、完全なマッチが見出される場合にのみハイブリダイゼーションを許容する条件下で標的ＤＮＡにハイブリダイズされる。例えば、Ｓａｉｋｉら（１９８６）Ｎａｔｕｒｅ  ３２４：１６３；Ｓａｉｋｉら（１９８９）Ｐｒｏｃ．Ｎａｔｌ．Ａｃａｄ．Ｓｃｉ．ＵＳＡ  ８６：６２３０を参照のこと。このような対立遺伝子特異的オリゴヌクレオチドは、このオリゴヌクレオチドがハイブリダイズ膜に付着され、そして標識された標的ＤＮＡとハイブリダイズされる場合に、ＰＣＲ増幅された標的ＤＮＡまたは多くの異なる変異にハイブリダイズされる。
【０４５２】
あるいは、選択的ＰＣＲ増幅に依存する対立遺伝子特異的増幅技術は、本発明と合わせて使用され得る。特異的増幅についてのプライマーとして使用されるオリゴヌクレオチドは、分子の中心において（その結果、増幅は、差次的ハイブリダイゼーションに依存する）（例えば、Ｇｉｂｂｓら（１９８９）Ｎｕｃｌ．Ａｃｉｄｓ  Ｒｅｓ．１７：２４３７〜２４４８を参照のこと）か、あるいは適切な条件下でミスマッチが妨げられ得るかまたはポリメラーゼ伸長を減少し得る、１つのプライマーの３’の最末端で、目的の変異を保有し得る（例えば、Ｐｒｏｓｓｎｅｒ（１９９３）Ｔｉｂｔｅｃｈ  １１：２３８を参照のこと）。さらに、切断に基づく検出を行うために、変異領域に新規な制限部位を導入することは、望ましくあり得る。例えば、Ｇａｓｐａｒｉｎｉら（１９９２）Ｍｏｌ．Ｃｅｌｌ．Ｐｒｏｂｅｓ．６：１を参照のこと。特定の実施形態において、増幅はまた、増幅用Ｔａｑリガーゼを使用して実施され得ることが予測される。例えば、Ｂａｒａｎｙ（１９９１）Ｐｒｏｃ．Ｎａｔｌ．Ａｃａｄ．Ｓｃｉ．ＵＳＡ  ８８：１８９を参照のこと。このような場合において、連結は、５’配列の３’末端に完全なマッチが存在する場合にのみ生じ、増幅の存在または非存在を探索することによって、特定の部位における既知の変異の存在を検出することを可能にする。
【０４５３】
本明細書中に記載される方法は、例えば、本明細書中に記載れる少なくとも１つのプローブ核酸または抗体試薬を含む、予めパッケージングされた診断キットを利用することによって実施され得、これは、例えば、ＮＯＶＸ遺伝子を含む疾患または疾病の症状または家族病歴を示す患者を診断するための臨床的設定において好都合に使用され得る。
【０４５４】
さらに、ＮＯＶＸが発現される任意の細胞型または組織（好ましくは、末梢血白血球）は、本明細書中に記載される予後アッセイにおいて利用され得る。しかし、有核細胞を含む任意の生物学的サンプル（例えば、頬粘膜細胞を含む）が、使用され得る。
【０４５５】
（薬理ゲノム学（Ｐｈａｒｍａｃｏｇｅｎｏｍｉｃｓ））
ＮＯＶＸ活性（例えば、ＮＯＶＸ遺伝子発現）に対する刺激性または阻害性の影響を有する因子、すなわちモジュレーターは、本明細書中に記載されるスクリーニングアッセイによって同定されるように、障害（この障害は、代謝障害、糖尿病、肥満症、感染症、食欲不振、癌関連悪液質、癌、神経変性疾患、アルツハイマー病、パーキンソン病、免疫障害、および造血障害、および種々の異常脂肪性浮腫（ｄｙｓｌｉｐｉｄｅｍｉａｓ）、肥満に関連する代謝障害、Ｘ代謝症候群（ｍｅｔａｂｏｌｉｃ  ｓｙｎｄｒｏｍｅ  Ｘ）、ならびに慢性疾患および種々の癌と関連する消耗疾患を含む）を（予防的または治療的に）処置するために個体に投与され得る。このような処置と合わせて、個体の薬理ゲノム学（すなわち、個体の遺伝子型と外来化合物または薬物に対するその個体の応答との間の関係についての研究）が、考慮され得る。治療剤の代謝における差異は、薬理学的に活性な薬物の用量と血中濃度との間の関係を変更することによって、重篤な毒性または治療の失敗を導き得る。従って、個体の薬理ゲノム学は、個体の遺伝子型の考慮に基づく予防的または治療的処置のために有効な因子（例えば、薬物）の選択を可能にする。このような薬理ゲノム学は、さらに、適切な投薬量および治療剤レジメンを決定するために使用され得る。従って、ＮＯＶＸタンパク質の活性、ＮＯＶＸ核酸の発現、あるいは個体におけるＮＯＶＸ遺伝子の変異含量が決定されて、それによって個体の治療的または予防的処置のために適切な因子を選択し得る。
【０４５６】
薬理ゲノム学は、罹患した人おける変更された薬物の性質および異常な作用に起因して、薬物に応答する臨床的に有意な遺伝性変更を扱う。例えば、Ｅｉｃｈｅｌｂａｕｍ、１９９６、Ｃｌｉｎ．Ｅｘｐ．Ｐｈａｒｍａｃｏｌ．Ｐｈｙｓｉｏｌ，２３：９８３〜９８５；Ｌｉｎｄｅｒ、１９９７、Ｃｌｉｎ．Ｃｈｅｍ，４３：２５４〜２６６を参照のこと。一般に、２つの型の薬理ゲノム学状態が、区別され得る。薬物が身体に作用する方法を変更する１つの因子として伝達される遺伝的状態（変更された薬物作用）、または身体が薬物に作用する方法を変更する１つの因子として伝達される遺伝的状態（変更された薬物代謝）。これらの薬理ゲノム学状態は、稀な欠損としてか、または多型としてのいずれかで生じ得る。例えば、グルコース−６−リン酸デヒドロゲナーゼ（Ｇ６ＰＤ）欠損は、一般的な遺伝性酵素病であり、この主な臨床的合併症は、酸化剤薬物（抗マラリア剤、スルホンアミド、鎮痛薬、ニトロフラン）の摂取およびソラマメの摂食後の溶血である。
【０４５７】
例示的な実施形態として、薬物代謝酵素の活性は、薬物作用の強度および持続期間の両方の主要な決定因子である。薬物代謝酵素（例えば、Ｎ−アセチルトランスフェラーゼ２（ＮＡＴ２）およびシトクロムＰ４５０酵素ＣＹＰ２Ｄ６およびＣＹＰ２Ｃ１９）の遺伝的多型の発見は、幾人かの患者が予期される薬物効果を得ないか、または標準的かつ安全な用量の薬物を摂取した後に過大な薬物応答および深刻な毒性を示すことに関しての説明を提供した。これらの多型は、集団において２つの表現型（高い代謝能を持つ人（ｅｘｔｅｎｓｉｖｅ  ｍｅｔａｂｏｌｉｚｅｒ）（ＥＭ）および低い代謝能を持つ人（ｐｏｏｒ  ｍｅｔａｂｏｌｉｚｅｒ）（ＰＭ））で表現される。ＰＭの有病率は、異なる集団の間で異なる。例えば、ＣＹＰ２Ｄ６をコードする遺伝子は高度に多型であり、そしていくらかの変異がＰＭにおいて同定されており、この全ては機能的ＣＹＰ２Ｄ６の非存在に至る。ＣＹＰ２Ｄ６およびＣＹＰ２Ｃ１９の低い代謝能を持つ人は、彼らが標準的な用量を受ける場合に、かなり頻繁に過大な薬物応答および副作用を経験する。代謝産物が活性な治療的部分である場合、そのＣＹＰ２Ｄ６形成代謝産物によって媒介されるコデインの鎮痛効果について実証されるように、ＰＭは治療的応答を示さない。他の極端なものは、標準的な用量に応答しない、いわゆる超迅速な代謝能を持つ人である。最近、超迅速な代謝の基準となる分子は、ＣＹＰ２Ｄ６遺伝子増幅に起因していることが同定されている。
【０４５８】
従って、ＮＯＶＸタンパク質の活性、ＮＯＶＸ核酸の発現、あるいは個体におけるＮＯＶＸ遺伝子の変異内容を決定して、それによって、その個体の治療的または予防的処置のために適切な因子を選択し得る。さらに、薬理ゲノム学の研究を使用して、個体の薬物応答性の表現型の同定に対して薬物代謝酵素をコードする多型対立遺伝子の遺伝子型を適用し得る。この知見は、用量または薬物選択に適用される場合、有害な反応または治療の失敗を回避し得、従って、被験体をＮＯＶＸの調節因子（例えば、本明細書中に記載される例示的なスクリーニングアッセイの１つによって同定される調節因子）を用いて処置する場合に治療的または予防的効率を増強し得る。
【０４５９】
（臨床試験中の効果のモニタリング）
ＮＯＶＸの発現または活性（例えば、異常な細胞増殖および／または分化を調節する能力）に対する因子（例えば、薬物、化合物）の影響をモニタリングすることは、基本的な薬物スクリーニングだけでなく臨床試験にも適用され得る。例えば、本明細書中に記載されるようなスクリーニングアッセイによって、ＮＯＶＸの遺伝子発現、タンパク質レベルを増加するため、またはＮＯＶＸ活性をアップレギュレートすることが決定される因子の効力は、減少したＮＯＶＸの遺伝子発現、タンパク質レベル、またはダウンレギュレートしたＮＯＶＸの活性を示す被験体の臨床試験においてモニターされ得る。あるいは、スクリーニングアッセイによって、ＮＯＶＸの遺伝子発現、タンパク質レベルを減少、またはＮＯＶＸの活性をダウンレギュレートすることが決定される因子の効力は、増加したＮＯＶＸの遺伝子発現、タンパク質レベル、またはアップレギュレートしたＮＯＶＸの活性を示す被験体の臨床試験においてモニターされ得る。このような臨床試験において、ＮＯＶＸの発現または活性、および好ましくは、例えば、細胞増殖または免疫障害に関与する他の遺伝子が、「リードアウト（読み出し）（ｒｅａｄ  ｏｕｔ）」、すなわち、特定の細胞の免疫応答性のマーカーとして使用され得る。
【０４６０】
例えば、ＮＯＶＸを含む遺伝子（これは、ＮＯＶＸ活性（例えば、本明細書中に記載されるようなスクリーニングアッセイにおいて同定される）を調節する因子（例えば、化合物、薬物または低分子）を用いる処置によって、細胞内で調節される）が同定され得るが、これらに限定されない。従って、細胞性増殖障害に対する因子の効果を研究するために、例えば、臨床試験において、細胞が単離され得、そしてＲＮＡが調製され得、そしてＮＯＶＸおよびこの障害に関与する他の遺伝子の発現のレベルについて分析され得る。遺伝子発現のレベル（すなわち、遺伝子発現パターン）は、本明細書中に記載されるように、ノーザンブロット分析もしくはＲＴ−ＰＣＲによるか、あるいは産生されるタンパク質の量を測定することによるか、本明細書中に記載されるような方法の１つによるか、あるいはＮＯＶＸまたは他の遺伝子の活性のレベルを測定することによって、定量され得る。この様式で、この遺伝子発現パターンは、この因子に対する細胞の生理学的応答の指標であるマーカーとして作用し得る。従って、この応答状態は、この因子を用いる個体の処置の前、および処置の間の種々の時点で、決定され得る。
【０４６１】
１つの実施形態において、本発明は、因子（例えば、アゴニスト、アンタゴニスト、タンパク質、ペプチド、ペプチド模倣物、核酸、低分子、または本明細書中に記載されるスクリーニングアッセイによって同定される他の薬物候補物）を用いる、被験体の処置の効力をモニタリングするための方法を提供し、これは、以下の工程を包含する：（ｉ）因子の投与の前に、被験体から投与前サンプルを得る工程；（ｉｉ）この投与前サンプルにおける、ＮＯＶＸのタンパク質、ｍＲＮＡ、またはゲノムＤＮＡの発現のレベルを検出する工程；（ｉｉｉ）この被験体から１つ以上の投与後サンプルを得る工程；（ｉｖ）この投与後サンプルにおいて、ＮＯＶＸのタンパク質、ｍＲＮＡ、またはゲノムＤＮＡの発現または活性のレベルを検出する工程；（ｖ）この投与前サンプルにおけるＮＯＶＸのタンパク質、ｍＲＮＡ、またはゲノムＤＮＡの発現または活性のレベルを、この投与後サンプルにおけるＮＯＶＸのタンパク質、ｍＲＮＡ、またはゲノムＤＮＡの発現または活性のレベルと比較する工程；ならびに（ｖｉ）然るべく、この被験体に対する因子の投与を変更する工程。例えば、この因子の増加した投与は、検出されるよりも高いレベルにＮＯＶＸの発現または活性を増加するため（すなわち、この因子の効力を増加するため）に所望され得る。あるいは、この因子の減少した投与は、検出されるよりも低いレベルにＮＯＶＸの発現または活性を減少するため（すなわち、この因子の効力を減少するため）に所望され得る。
【０４６２】
（処置方法）
本発明は、異常なＮＯＶＸの発現または活性に関連する障害の危険性がある（またはこの障害に感受性である）か、またはこの障害を有する被験体を処置する予防的方法および治療的方法の両方を提供する。この障害としては、心筋症、アテローム性動脈硬化症、高血圧症、先天性心欠損症、大動脈狭窄症、心房中隔欠損症（ＡＳＤ）、房室（Ａ−Ｖ）管欠損症、動脈管、肺動脈弁狭窄症、大動脈弁下部狭窄症、心室中隔欠損症（ＶＳＤ）、弁疾患、結節硬化症、強皮症、肥満症、移植、副腎脳白質ジストロフィー、先天性副腎過形成、前立腺癌、新形成；腺癌、リンパ腫、子宮癌、受胎能、血友病、凝固能亢進、特発性血小板減少性紫斑病、免疫欠損症、対宿主性移植片病、ＡＩＤＳ、気管支ぜんそく、クローン病；多発性硬化症、オールブライト遺伝性骨形成異常症の処置、ならびに他の疾患、障害および状態などが挙げられる。
【０４６３】
これらの処置方法は、以下により詳細に考察される。
【０４６４】
（疾患および障害）
（その疾患または障害に罹患していない被験体と比較して）増加したレベルまたは生物学的活性によって特徴付けられる疾患および障害は、活性に拮抗する（すなわち、低減または阻害する）治療剤を用いて処置され得る。活性に拮抗する治療剤は、治療的または予防的な様式で、投与され得る。利用され得る治療剤としては、以下が挙げられるが、これらに限定されない：（ｉ）上記ペプチド、またはそのアナログ、誘導体、フラグメントもしくはホモログ；（ｉｉ）上記ペプチドに対する抗体；（ｉｉｉ）上記ペプチドをコードする核酸；（ｉｖ）相同組換えによって上記ペプチドの内因性機能を「ノックアウトする」ために利用される、アンチセンス核酸および「機能不全性」である（すなわち、上記ペプチドに対するコード配列のコード配列内の異種挿入に起因する）核酸の投与（例えば、Ｃａｐｅｃｃｈｉ、１９８９、Ｓｃｉｅｎｃｅ  ２４４：１２８８〜１２９２を参照のこと）；または（ｖ）上記ペプチドとその結合パートナーとの間の相互作用を変化させる、調節因子（すなわち、インヒビター、アゴニストおよびアンタゴニスト（本発明のさらなるペプチド模倣物または本発明のペプチドに対して特異的な抗体を含む））。
【０４６５】
（その疾患または障害に罹患していない被験体と比較して）減少したレベルまたは生物学的活性によって特徴付けられる疾患および障害は、活性を増加させる（すなわち、活性に対するアゴニストである）治療剤を用いて処置され得る。活性をアップレギュレートする治療剤は、治療的または予防的な様式で、投与され得る。利用され得る治療剤としては、以下が挙げられるが、これらに限定されない：上記ペプチド、またはそのアナログ、誘導体、フラグメントもしくはホモログ；あるいはバイオアベイラビリティーを増加させるアゴニスト。
【０４６６】
増加したレベルまたは減少したレベルは、ペプチドおよび／またはＲＮＡを定量することによって、容易に検出され得る。この定量は、患者の組織サンプルを（例えば、生検組織から）入手し、そしてそのサンプルを、発現したペプチド（または上記ペプチドのｍＲＮＡ）のＲＮＡレベルまたはペプチドレベル、構造および／または活性をインビトロでアッセイすることによる。当該分野において周知の方法としては、以下が挙げられるが、これらに限定されない：イムノアッセイ（例えば、ウェスタンブロット分析、免疫沈降、次いで、ドデシル硫酸ナトリウム（ＳＤＳ）ポリアクリルアミドゲル電気泳動、免疫細胞化学などによる）および／またはｍＲＮＡの発現を検出するためのハイブリダイゼーションアッセイ（例えば、ノーザンアッセイ、ドットブロット、インサイチュハイブリダイゼーションなど）。
【０４６７】
（予防方法）
１つの局面において、本発明は、被験体において異常なＮＯＶＸの発現または活性と関連する疾患または状態を、ＮＯＶＸの発現または少なくとも１つのＮＯＶＸ活性を調節する因子をこの被験体に投与することによって予防するための方法を提供する。異常なＮＯＶＸの発現または活性によって引き起こされるかまたはこれらに起因する疾患についての危険性がある被験体は、例えば、本明細書中に記載の診断アッセイまたは予後アッセイのいずれか、またはそれらの組み合わせによって、同定され得る。予防因子の投与は、疾患または障害が予防されるか、あるいはその進行を遅延させるように、ＮＯＶＸ異常に特徴的な症状が現れる前に行い得る。このＮＯＶＸ異常の型に依存して、例えば、ＮＯＶＸアゴニスト因子またはＮＯＶＸアンタゴニスト因子が、被験体を処置するために使用され得る。適切な因子は、本明細書中に記載のスクリーニングアッセイに基づいて決定され得る。本発明の予防方法は、以下の小節において、さらに議論される。
【０４６８】
（治療方法）
本発明の別の局面は、治療目的のためにＮＯＶＸの発現または活性を調節する方法に関する。本発明の調節方法は、細胞を、その細胞に関するＮＯＶＸタンパク質活性のうちの１つ以上の活性を調節する因子と接触させる工程を包含する。ＮＯＶＸタンパク質活性を調節する因子は、核酸またはタンパク質、ＮＯＶＸタンパク質の天然に存在する同族リガンド、ペプチド、ＮＯＶＸペプチド模倣物、または他の低分子のような、本明細書中に記載されるような因子であり得る。１つの実施形態において、この因子は、１つ以上のＮＯＶＸタンパク質活性を刺激する。このような刺激因子の例としては、活性なＮＯＶＸタンパク質、および細胞に導入されたＮＯＶＸコード核酸分子が挙げられる。別の実施形態において、この因子は、１つ以上のＮＯＶＸタンパク質活性を阻害する。このような阻害因子の例としては、アンチセンスＮＯＶＸ核酸分子、および抗ＮＯＶＸ抗体が挙げられる。これらの調節方法は、インビトロで（例えば、その因子とともに細胞を培養することによって）、あるいはインビボで（例えば、被験体にその因子を投与することによって）実施され得る。このように、本発明は、ＮＯＶＸのタンパク質または核酸分子の異常な発現または異常な活性によって特徴付けられる、疾患または障害に罹患した個体を処置する方法を提供する。１つの実施形態において、この方法は、ＮＯＶＸの発現または活性を調節する（例えば、アップレギュレートまたはダウンレギュレートする）因子（例えば、本明細書中に記載のスクリーニングアッセイによって同定される因子）あるいはそのような因子の組み合わせを投与する工程を包含する。別の実施形態において、この方法は、低下したかまたは異常なＮＯＶＸの発現または活性を補完するための治療として、ＮＯＶＸのタンパク質または核酸分子を投与する工程を包含する。
【０４６９】
ＮＯＶＸ活性の刺激は、ＮＯＶＸが異常にダウンレギュレートされている状況、および／またはＮＯＶＸ活性の増加が有益な効果を有する可能性がある状況において、望ましい。このような状況の１つの例は、被験体が、異常な細胞増殖および／または細胞分化によって特徴付けられる障害（例えば、癌または免疫関連障害）を有する場合である。このような状況の別の例は、被験体が妊娠性疾患（例えば、子癇前症（ｐｒｅｃｌａｍｐｓｉａ））を有する場合である。
【０４７０】
（治療剤の生物学的効果の決定）
本発明の種々の実施形態において、適切なインビトロまたはインビボアッセイを行って、特定の治療剤の効果およびその投与が罹患組織の処置を示すか否かを決定する。
【０４７１】
種々の特定の実施形態において、インビトロアッセイが患者の障害に関与する代表的な細胞型で行われ、所定の治療剤がこの細胞型に対して所望の効果を発揮するか否かを決定し得る。治療において使用する化合物は、ヒト被験体において試験する前に、適切な動物モデル系において試験され得る。これらの動物モデル系としては、以下が挙げられるが、これらに限定されない：ラット、マウス、ニワトリ、ウシ、サル、ウサギなど。同様に、インビボ試験については、当該分野で公知の任意の動物モデル系が、ヒト被験体に対する投与の前に使用され得る。
【０４７２】
（本発明の組成物の予防的用途および治療的用途）
本発明のＮＯＶＸ核酸およびタンパク質は、以下を含むが、これらに限定されない種々の障害に関連する潜在的な予防的適用および治療的適用に有用である：代謝障害、糖尿病、肥満症、感染症、食欲不振、癌関連癌、神経変性障害、アルツハイマー病、パーキンソン病、免疫障害、造血障害、および種々の異脂肪血症（ｄｙｓｌｉｐｉｄｅｍｉａｓ）、肥満に関連する代謝障害、Ｘ代謝症候群（ｍｅｔａｂｏｌｉｃ  ｓｙｎｄｒｏｍｅ  Ｘ）、ならびに慢性疾患および種々の癌と関連する消耗疾患。
【０４７３】
例えば、本発明のＮＯＶＸタンパク質をコードするｃＤＮＡは、遺伝子治療に有用であり得、そしてこのタンパク質は、遺伝子治療を必要とする被験体に投与される場合、有用であり得る。非制限的例示として、本発明の組成物は、以下に罹患した患者の処置についての効力を有する：代謝障害、糖尿病、肥満症、感染症、食欲不振、癌関連悪液質、癌、神経変性障害、アルツハイマー病、パーキンソン病、免疫障害、造血障害、および種々の異脂肪血症。
【０４７４】
本発明のＮＯＶＸタンパク質をコードする新規な核酸、およびＮＯＶＸタンパク質の両方、またはそれらのフラグメントは、診断適用にも有用であり得、ここでは、この核酸またはタンパク質の存在または量が評価される。さらなる用途は、抗菌分子としての用途であり得る（すなわち、いくつかのペプチドは、抗菌特性を有することが見出されている）。これらの材料は、治療的または診断的な方法における用途のための、本発明の新規物質に免疫特異的に結合する抗体の産生においてさらに有用である。
【０４７５】
本発明を以下の実施例においてさらに記載する、この実施例は、特許請求の範囲に記載した本発明の範囲を限定しない。
【０４７６】
（実施例）
（実施例１．ＮＯＶＸクローンの同定）
本発明で同定した新規なＮＯＶＸ標的配列を、配列確認のためにエキソン連結プロセス（ｅｘｏｎ  ｌｉｎｋｉｎｇ  ｐｒｏｃｅｓｓ）に供した。ＰＣＲプライマーを、順方向プライマーについては利用可能な最も上流の配列で、そして逆方向プライマーについては利用可能な最も下流の配列で開始するように設計した。表１１Ａは、種々のクローンを得るために使用したＰＣＲプライマーの配列を示す。それぞれの場合について、適切な配列（すなわち、特有であるかまたは高度に選択的であるかのいずれかである）に遭遇するまで、または逆方向プライマーの場合には終止コドンに達するまで、コード配列に向ってそれぞれの末端から内向きにウォーキングさせることによって、配列を試験した。このようなプライマーを、標的配列の全長のｃＤＮＡ，ＤＮＡの一部（１つ以上のエキソン）、もしくはタンパク質配列についてのインシリコ（ｉｎ  ｓｉｌｉｃｏ）予測に基づいて、または他の種由来の密接に関連するヒト配列に対する推定エキソンの翻訳物の相同性によって、設計した。次いで、これらのプライマーを、以下のヒトｃＤＮＡのプールに基づくＰＣＲ増幅において使用した：副腎、骨髄、脳−扁桃、脳−小脳、脳−海馬、脳−黒質、脳−視床、脳−全体、胎児の脳、胎児の腎臓、胎児の肝臓、胎児の肺、心臓、腎臓、リンパ腫−ラージ、乳腺、膵臓、脳下垂体、胎盤、前立腺、唾液腺、骨格筋、小腸、脊髄、脾臓、胃、精巣、甲状腺、気管、子宮。通常は、得られたアンプリコンをゲル精製し、クローン化し、そして高い重複性について配列決定した。エキソン連結によって導き出されたＰＣＲ産物を、ＩｎｖｉｔｒｏｇｅｎからのｐＣＲ２．１ベクター中にクローン化した。得られた細菌クローンは、ｐＣＲ２．１ベクター中にクローン化した完全なオープンリーディングフレームを包含している挿入物を有する。表１７Ｂは、これらの細菌クローンのリストを示す。全てのクローンから得られた配列を、それ自体とともに、ＣｕｒａＧｅｎ  Ｃｏｒｐｏｒａｔｉｏｎのデータベース中の他のフラグメントとともに、そして公的なＥＳＴとともにまとめた。集合の別の成分との同一性の程度が５０ｂｐにわたって少なくとも９５％である場合に、そのフラグメントおよびＥＳＴを集合の成分として含ませた。さらに、少数の配列を手作業によって評価し、そして適切である場合には修正を施した。これらの手順によって本明細書中に報告する配列を提供する。
【０４７７】
【表１１Ａ】
2004527222.tif 000138
物理的なクローン（ｐｈｙｓｉｃａｌ  ｃｌｏｎｅ）：エキソンを相同性によって推定し、そしてイントロン／エキソンの境界を標準的な遺伝子規則を使用して決定した。エキソンを複数のＢＬＡＳＴ（例えば、ｔＢｌａｓｔＮ、ＢｌａｓｔＸ、およびＢｌａｓｔＮ）検索、およびいくつかの場合には、ＧｅｎｅＳｃａｎおよびＧｒａｉｌを使用する類似性の決定手段によって、さらに選択し、そして精緻化した。利用可能な場合、公的なデータベースおよび独自データベースの両方からの発現配列をもまた加え、こらの遺伝子配列をさらに定義しそして完全なものとした。次いで、そのＤＮＡ配列は、明白な不一致について手作業で補正され、それにより全長のタンパク質をコードする配列を得た。
【０４７８】
【表１１Ｂ】
2004527222.tif 000139
（実施例２．種々の細胞および組織中でのクローンの定量的発現分析）
種々のクローンの定量的な発現を、種々の正常なおよび病理から得られる細胞、細胞株、および組織由来のＲＮＡサンプルを含有しているマイクロタイタープレートを使用し、実時間定量ＰＣＲ（ＲＴＱ  ＰＣＲ）を使用して評価した。ＲＴＱ  ＰＣＲを、Ｐｅｒｋｉｎ−Ｅｌｍｅｒ  Ｂｉｏｓｙｓｔｅｍｓ  ＡＢＩ  ＰＲＩＳＭ（登録商標）７７００  Ｓｅｑｕｅｎｃｅ  Ｄｅｔｅｃｔｉｏｎ  Ｓｙｓｔｅｍによって実施した。サンプルの種々のコレクションをプレート上に組立て、そしてこれらをパネル１（正常な組織および癌細胞株を含む）、パネル２（正常な供給源および癌の供給源に由来する、組織由来のサンプルを含む）、パネル３（癌細胞株を含む）、パネル４（正常な組織由来の細胞および細胞株ならびに炎症状態に関係している細胞を含む）、ＡＩ＿包括（ｃｏｍｐｒｅｈｅｎｓｉｖｅ）＿パネル（正常な組織および自己炎症疾患由来のサンプルを含む）、パネルＣＮＳＤ．０１（正常な脳および疾患の脳由来のサンプルを含む）、およびＣＮＳ＿神経変性＿パネル（ＣＮＳ＿ｎｅｕｒｏｄｅｇｅｎｅｒａｔｉｏｎ＿ｐａｎｅｌ）（正常な脳および疾患の脳由来のサンプルを含む）と呼ぶ。
【０４７９】
最初に、ＲＮＡサンプルを、構成的に発現される遺伝子（例えば、β−アクチンおよびＧＡＰＤＨ）のような参照核酸に対して標準化した。標準化したＲＮＡ（５μｌ）をｃＤＮＡに転換させ、そしてＯｎｅ  Ｓｔｅｐ  ＲＴ−ＰＣＲ  Ｍａｓｔｅｒ  Ｍｉｘ  Ｒｅａｇｅｎｔｓ（ＰＥ  Ｂｉｏｓｙｓｔｅｍｓ；カタログ番号４３０９１６９）および遺伝子特異的プライマーを製造業者の説明書に従って使用し、ＲＴＱ−ＰＣＲによって分析した。プローブおよびプライマーを、Ｐｅｒｋｉｎ  Ｅｌｍｅｒ  ＢｉｏｓｙｓｔｅｍのＰｒｉｍｅｒ  Ｅｘｐｒｅｓｓ  Ｓｏｆｔｗａｒｅパッケージ（Ａｐｐｌｅ  ＣｏｍｐｕｔｅｒのＭａｃｉｎｔｏｓｈ  Ｐｏｗｅｒ  ＰＣ用バージョンＩ）または同様のアルゴリズムに従って、入力として標的配列を使用して、それぞれのアッセイについて設計した。デフォルト設定を反応条件について使用し、そして以下のパラメーターを、プライマーの選択の前に設定した：プライマー濃度＝２５０ｎＭ、プライマーの融解温度（Ｔｍ）範囲＝５８〜６０℃、プライマーの最適Ｔｍ＝５９℃、最大のプライマー差分＝２℃、プローブは５’にＧを有さない、プローブのＴｍはプライマーのＴｍよりも１０℃高くなければならない、アンプリコンの大きさは７５ｂｐから１００ｂｐである。選択したプローブおよびプライマー（下記を参照のこと）を、Ｓｙｎｔｈｅｇｅｎ（Ｈｏｕｓｔｏｎ，ＴＸ，ＵＳＡ）によって合成した。プローブを、カップリングしていない色素を除去するためにＨＰＬＣによって二重精製し、そしてプローブのそれぞれ５’および３’末端へのレポーターおよび失活剤色素のカップリングを確認するために質量分析法によって評価した。それらの最終濃度は：順方向および逆方向プライマーについてはそれぞれ９００ｎＭ、そしてプローブは２００ｎＭであった。
【０４８０】
ＰＣＲ条件：各組織および各細胞株由来の標準化したＲＮＡを、９６ウェルＰＣＲプレート（Ｐｅｒｋｉｎ  Ｅｌｍｅｒ  Ｂｉｏｓｙｓｔｅｍｓ）の各ウェルにスポットした。２つのプローブ（標的クローンに特異的なプローブ、および標的プローブと多重合する（ｍｕｌｔｉｐｌｅｘｅｄ）別の遺伝子特異的プローブ）を含有しているＰＣＲ混合物を、ＰＥ  Ｂｉｏｓｙｓｔｅｍｓ  ７７００のための１×ＴａｑＭａｎＴＭＰＣＲ  Ｍａｓｔｅｒ  Ｍｉｘを使用して、５ｍＭのＭｇＣｌ２、ｄＮＴＰ（ｄＡ、Ｇ、Ｃ、Ｕを１：１：１：２の比で）、０．２５Ｕ／ｍｌのＡｍｐｌｉＴａｑ  ＧｏｌｄＴＭ（ＰＥ  Ｂｉｏｓｙｓｔｅｍｓ）、および０．４Ｕ／μｌのＲＮａｓｅインヒビター、ならびに０．２５Ｕ／μｌの逆転写酵素とともに準備した。逆転写を、４８℃で３０分間行い、続いて以下のような増幅／ＰＣＲサイクルを行った。：９５℃で１０分間、次いで４０サイクルの、９５℃で１５秒間、６０℃で１分間。結果をＣＴ値（所定のサンプルが蛍光の限界値と交差するサイクル）として対数目盛を使用して記録した。所定のサンプルと最も低いＣＴ値を有するサンプルとの間でのＲＮＡ濃度の差分は、２のΔＣＴ乗として表される。次いで、相対的な発現の割合を、このＲＮＡ差分の逆数をとり、そして１００を乗算することによって得る。
【０４８１】
（パネル１）
パネル１の結果においては、以下の略号を使用する：
ｃａ．＝癌腫
＊＝転移によって確立された
ｍｅｔ＝転移
ｓ  ｃｅｌｌ  ｖａｒ＝小細胞変異株
ｎｏｎ−ｓ＝ｎｏｎ−ｓｍ＝非小
ｓｑｕａｍ＝扁平上皮細胞
ｐｌ．ｅｆｆ＝ｐｌ  ｅｆｆｕｓｉｏｎ＝胸水
ｇｌｉｏ＝神経膠腫
ａｓｔｒｏ＝星状細胞腫、および
ｎｅｕｒｏ＝神経芽細胞腫。
【０４８２】
（パネル２）
パネル２のプレートは、一般的には、２つのコントロールのウェルと９４個の試験サンプルを含む。これは、Ｎａｔｉｏｎａｌ  Ｃａｎｃｅｒ  ＩｎｓｔｉｔｕｔｅのＣｏｏｐｅｒａｔｉｖｅ  Ｈｕｍａｎ  Ｔｉｓｓｕｅ  Ｎｅｔｗｏｒｋ（ＣＨＴＮ）またはＮａｔｉｏｎａｌ  Ｄｉｓｅａｓｅ  Ｒｅｓｅａｒｃｈ  Ｉｎｉｔｉａｔｉｖｅ（ＮＤＲＩ）との緊密な共同研究において、外科医の作業によって入手したヒト組織から単離したＲＮＡまたはｃＤＮＡを含む。組織は、ヒトの悪性腫瘍に由来し、そして示される場合、多くの悪性組織は、腫瘍にすぐ隣接している非癌性組織から得られる「ぴったり沿った境界（ｍａｔｃｈｅｄ  ｍａｒｇｉｎ）」を有する。これらを、正常な隣接組織と呼び、そして以下の結果には「ＮＡＴ」と記載する。腫瘍組織および「ぴったり沿った境界」を、２つの別々の病理学者によって評価する（外科の病理学者、およびＮＤＲＩまたはＣＨＴＮの病理学者によって再度）。この分析は、腫瘍の分化の段階の全体的な組織病理学的評価を提供する。さらに、ほとんどのサンプルは、もともとの外科の病理報告を含む。これは、患者の臨床段階に関する情報を提供する。これらのぴったり沿った境界を、外科手術領域の周辺（すなわち、すぐ隣接している）組織（表ＲＲにおいては正常な隣接組織を「ＮＡＴ」と明示する）から採取する。さらに、ＲＮＡおよびｃＤＮＡサンプルを、高齢者または突然死の被害者（事故など）について行った検死による種々のヒト組織から得た。これらの組織が疾患を有さないことを確認し、そしてこれを、Ｃｌｏｎｔｅｃｈ（Ｐａｌｏ  Ａｌｔｏ，ＣＡ）、Ｒｅｓｅａｒｃｈ  Ｇｅｎｅｔｉｃｓ、およびＩｎｖｉｔｒｏｇｅｎのような種々の商業的な供給源から購入した。
【０４８３】
全てのサンプルに由来するＲＮＡの完全性を、指針として２８Ｓおよび１８ＳリボソームＲＮＡの染色強度比（２：１〜２．５：１の２８ｓ：１８ｓ）、および分解産物の指標である低分子量のＲＮＡが存在しないことを使用して、アガロースゲル電気泳動の視覚的な評価によって質を管理した。サンプルを、単一のエキソンの範囲全体を増幅するように設計したプローブおよびプライマーのセットを使用して、逆転写酵素の非存在下でＲＴＱ  ＰＣＲ反応を実行することにより、ゲノムＤＮＡの混入に対して、管理した。
【０４８４】
（パネル３Ｄ）
パネル３Ｄのプレートは、９４個のｃＤＮＡサンプルおよび２個のコントロールサンプルを含む。詳細には、これらのサンプルのうちの９２個は、培養されたヒトの癌細胞株に由来し、２個のサンプルはヒトの初代小脳組織であり、そして２つはコントロールである。ヒトの細胞株は、一般的には、ＡＴＣＣ（アメリカンタイプカルチャーコレクション）、ＮＣＩ、またはＧｅｒｍａｎ腫瘍細胞バンクから入手し、そして以下の組織グループに分ける：舌の扁平上皮細胞癌、乳癌、前立腺癌、黒色腫、類表皮癌腫、肉腫、膀胱癌、膵臓癌、腎臓癌、白血病／リンパ腫、卵巣／子宮／子宮頚癌、胃癌、結腸癌、肺癌、およびＣＮＳ癌細胞株。さらに、小脳の２つの異なるサンプルが存在する。これらの細胞の全てを、標準的な推奨される条件下で培養し、そして標準的な手順を使用してＲＮＡを抽出した。パネル３Ｄおよび１．３Ｄの細胞株は、科学技術文献において使用される最も一般的な細胞株である。
【０４８５】
全てのサンプルに由来するＲＮＡの完全性を、指針として２８Ｓおよび１８ＳリボソームＲＮＡの染色強度比（２：１〜２．５：１の２８ｓ：１８ｓ）、および分解産物の指標である低分子量のＲＮＡが存在しないことを使用して、アガロースゲル電気泳動の視覚的な評価によって質を管理した。サンプルを、単一のエキソンの範囲全体を増幅するように設計したプローブおよびプライマーのセットを使用して、逆転写酵素の非存在下でＲＴＱ  ＰＣＲ反応を実行することにより、ゲノムＤＮＡの混入に対して、管理した。
【０４８６】
（パネル４）
パネル４は、９６ウェルプレート（２個のコントロールのウェル、９４個の試験サンプル）上にサンプルを含む。これは、炎症状態に関係している種々のヒトの細胞株または組織から単離したＲＮＡ（パネル４ｒ）またはｃＤＮＡ（パネル４ｄ）を含む。結腸および肺（Ｓｔｒａｔａｇｅｎｅ，Ｌａ  Ｊｏｌｌａ，ＣＡ）ならびに胸腺および腎臓（Ｃｌｏｎｔｅｃｈ）のようなコントロールの正常組織に由来する全ＲＮＡを使用した。肝硬変患者由来の肝臓組織および狼瘡患者由来の腎臓に由来する全ＲＮＡを、ＢｉｏＣｈａｉｎ（Ｂｉｏｃｈａｉｎ  Ｉｎｓｔｉｔｕｔｅ，Ｉｎｃ．，Ｈａｙｗａｒｄ，ＣＡ）から入手した。クローン病および潰瘍性大腸炎を有すると診断された患者からのＲＮＡの調製のための腸組織を、Ｎａｔｉｏｎａｌ  Ｄｉｓｅａｓｅ  Ｒｅｓｅａｒｃｈ  Ｉｎｔｅｒｃｈａｎｇｅ（ＮＤＲＩ）（Ｐｈｉｌａｄｅｌｐｈｉａ，ＰＡ）から入手した。
【０４８７】
星状細胞、肺繊維芽細胞、皮膚繊維芽細胞、冠状動脈平滑筋細胞、小気道上皮細胞、気管支上皮細胞、微小血管皮膚内皮細胞、微小血管肺内皮細胞、ヒトの肺大動脈の血管内皮細胞、ヒトの臍帯静脈の血管内皮細胞を、全て、Ｃｌｏｎｅｔｉｃｓ（Ｗａｌｋｅｒｓｖｉｌｌｅ，ＭＤ）から購入し、そしてＣｌｏｎｅｔｉｃｓによってこれらの細胞型について提供される培地中で増殖させた。これらの初代細胞型を、示すように、種々のサイトカインまたはサイトカインの組合せを用いて６時間および／または１２〜１４時間の間、活性化した。以下のサイトカインを使用した：約１〜５ｎｇ／ｍｌのＩＬ−１β、約５〜１０ｎｇ／ｍｌのＴＮＦα、約２０〜５０ｎｇ／ｍｌのＩＦＮγ、約５〜１０ｎｇ／ｍｌのＩＬ−４、約５〜１０ｎｇ／ｍｌのＩＬ−９、約５〜１０ｎｇ／ｍｌのＩＬ−１３。内皮細胞を、時折、０．１％の血清を有するＣｌｏｎｅｔｉｃｓによる基底培地中での培養によって種々の時間枯渇させた。
【０４８８】
単核細胞を、Ｆｉｃｏｌｌを使用して、ＣｕｒａＧｅｎ  Ｃｏｒｐｏｒａｔｉｏｎの従業員の血液から調製した。ＬＡＫ細胞を、ＤＭＥＭ、５％のＦＣＳ（Ｈｙｃｌｏｎｅ）、１００μＭの非必須アミノ酸（Ｇｉｂｃｏ／Ｌｉｆｅ  Ｔｅｃｈｎｏｌｏｇｉｅｓ，Ｒｏｃｋｖｉｌｌｅ，ＭＤ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）、およびインターロイキン２（Ｉｎｔｅｒｌｅｕｋｉｎ  ２）中での４〜６日間の培養によってこれらの細胞から調製した。次いで、細胞を、１０〜２０ｎｇ／ｍｌのＰＭＡ、および１〜２μｇ／ｍｌのイオノマイシン、５〜１０ｎｇ／ｍｌのＩＬ−１２、２０〜５０ｎｇ／ｍｌのＩＦＮγ、および５〜１０ｎｇ／ｍｌのＩＬ−１８のいずれかで、６時間活性化した。いくつかの場合には、単核細胞を、約５μｇ／ｍｌのＰＨＡ（フィトヘマグルチニン）またはＰＷＭ（アメリカヤマゴボウ有糸分裂促進物質）を含有する、ＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）中で、４〜５日間培養した。ＲＮＡの調製のために、サンプルを２４、４８、および７２時間で採取した。ＭＬＲ（混合リンパ球反応）サンプルを、２人のドナーからの採血、Ｆｉｃｏｌｌを使用する単核細胞の単離、および単離した単核細胞を、ＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、メルカプトエタノール（５．５×１０−５Ｍ）（Ｇｉｂｃｏ）、および１０ｍＭのＨｅｐｅｓ（Ｇｉｂｃｏ）中において約２×１０６個の細胞／ｍｌの最終濃度で１：１にて混合することによって得た。このＭＬＲを培養し、そしてＲＮＡの調製のために１〜７日までの範囲の種々の時点でサンプルを採取した。
【０４８９】
単球を、製造業者の説明書に従って、ＣＤ１４  Ｍｉｌｔｅｎｙｉ  Ｂｅａｄｓ、＋ｖｅＶＳ選択カラムおよびＶａｒｉｏ  Ｍａｇｎｅｔを使用して単核細胞から単離した。単球を、ＤＭＥＭ  ５％の胎仔ウシ血清（ＦＣＳ）（Ｈｙｃｌｏｎｅ、Ｌｏｇａｎ，ＵＴ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）、５０ｎｇ／ｍｌのＧＭＣＳＦ、および５ｎｇ／ｍｌのＩＬ−４中での５〜７日間の培養によって樹状細胞に分化させた。マクロファージを、ＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、１０ｍＭのＨｅｐｅｓ（Ｇｉｂｃｏ）、および１０％のＡＢヒト血清、または約５０ｎｇ／ｍｌのＭＣＳＦ中での５〜７日間の単球の培養によって調製した。単球、マクロファージ、および樹状細胞を、１００ｎｇ／ｍｌのリポポリサッカライド（ＬＰＳ）で６時間および１２〜１４時間刺激した。樹状細胞をまた、１０μｇ／ｍｌの抗ＣＤ４０モノクローナル抗体（Ｐｈａｒｍｉｎｇｅｎ）で６時間および１２〜１４時間刺激した。
【０４９０】
ＣＤ４リンパ球、ＣＤ８リンパ球、およびＮＫ細胞をまた、製造業者の説明書に従って、ＣＤ４、ＣＤ８、およびＣＤ５６のＭｉｌｔｅｎｙｉビーズ、ポジティブＶＳ選択カラム、およびＶａｒｉｏ  Ｍａｇｎｅｔを使用して単核細胞から単離した。ＣＤ４５ＲＡリンパ球およびＣＤ４５ＲＯ  ＣＤ４リンパ球を、ＣＤ８、ＣＤ５６、ＣＤ１４、およびＣＤ１９のＭｉｌｔｅｎｙｉビーズおよびポジティブ選択を使用してＣＤ８細胞、ＣＤ５６細胞、ＣＤ１４細胞、およびＣＤ１９細胞の単核細胞を除去することによって単離した。次いで、ＣＤ４５ＲＯビーズを、ＣＤ４５ＲＯ  ＣＤ４リンパ球を単離するために使用した。残る細胞は、ＣＤ４５ＲＡ  ＣＤ４リンパ球であるＣＤ４５ＲＡ  ＣＤ４、ＣＤ４５ＲＯ  ＣＤ４、およびＣＤ８のリンパ球を、ＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）中に入れ、そしてＰＢＳ中の０．５μｇ／ｍｌの抗ＣＤ２８（Ｐｈａｒｍｉｎｇｅｎ）および３μｇ／ｍｌの抗ＣＤ３（ＯＫＴ３、ＡＴＣＣ）でコーティングしたＦａｌｃｏｎ  ６ウェル組織培養プレート上に１０６細胞／ｍｌでプレートした。６時間および２４時間後、細胞をＲＮＡの調製のために回収した。慢性的に活性化されたＣＤ８リンパ球を調製するために、本発明者らは、抗ＣＤ２８および抗ＣＤ３でコーティングしたプレート上で４日間、単離したＣＤ８リンパ球を活性化し、次いで細胞を回収して、それらをＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）、ならびにＩＬ−２中で拡大させた。次いで再び、拡大させたＣＤ８細胞を、プレートに結合させた抗ＣＤ３および抗ＣＤ２８で４日間活性化し、そして先のように拡大させた。ＲＮＡを２回目の活性化の６時間および２４時間後、ならびに４日間の２回目の拡大培養後に単離した。単離したＮＫ細胞を、ＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）、ならびにＩＬ−２中でＲＮＡを調製する前に４〜６日間培養した。
【０４９１】
Ｂ細胞を得るために、扁桃をＮＤＲＩから獲得した。扁桃を、滅菌した解剖用の鋏で切断し、次いで篩を通過させた。次いで、扁桃体の細胞をスピンダウンさせ、そしてＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）中に１０６個の細胞／ｍｌで再懸濁した。細胞を活性化するために、本発明者らは、５μｇ／ｍｌでＰＷＭ、または約１０μｇ／ｍｌで抗ＣＤ４０（Ｐｈａｒｍｉｎｇｅｎ）および５〜１０ｎｇ／ｍｌでＩＬ−４を使用した。細胞をＲＮＡの調製のために、２４、４８、および７２時間で回収した。
【０４９２】
１次および２次のＴｈ１／Ｔｈ２細胞およびＴｒ１細胞を調製するために、６ウェルのＦａｌｃｏｎプレートを、１０μｇ／ｍｌの抗ＣＤ２８（Ｐｈａｒｍｉｎｇｅｎ）および２μｇ／ｍｌのＯＫＴ３（ＡＴＣＣ）で一晩コーティングし、次いでＰＢＳで２回洗浄した。臍帯血ＣＤ４リンパ球（Ｐｏｉｅｔｉｃ  Ｓｙｓｔｅｍｓ，Ｇｅｒｍａｎ  Ｔｏｗｎ，ＭＤ）を、ＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、１０ｍＭのＨｅｐｅｓ（Ｇｉｂｃｏ）、およびＩＬ−２（４ｎｇ／ｍｌ）中で１０５〜１０６個の細胞／ｍｌで培養した。ＩＬ−１２（５ｎｇ／ｍｌ）および抗ＩＬ−４（１□ｇ／ｍｌ）を、Ｔｈ１に指向させるために使用し、一方で、ＩＬ−４（５ｎｇ／ｍｌ）および抗ＩＦＮγ（１□ｇ／ｍｌ）をＴｈ２に指向させるために使用し、そして５ｎｇ／ｍｌのＩＬ−１０をＴｒ１に指向させるために使用した。４〜５日後、活性化させたＴｈ１リンパ球、Ｔｈ２リンパ球、およびＴｒ１リンパ球をＤＭＥＭ中で１回洗浄し、そしてＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、１０ｍＭのＨｅｐｅｓ（Ｇｉｂｃｏ）、およびＩＬ−２（１ｎｇ／ｍｌ）中で４〜７日間拡大させた。この後、活性化させたＴｈ１リンパ球、Ｔｈ２リンパ球、およびＴｒ１リンパ球を、抗ＣＤ２８／ＯＫＴ３および上記のようなサイトカインを用いて、しかしアポトーシスを防ぐために抗ＣＤ９５Ｌ（１□ｇ／ｍｌ）の添加を用いて５日間再刺激した。４〜５日後、Ｔｈ１リンパ球、Ｔｈ２リンパ球、およびＴｒ１リンパ球を洗浄し、次いで再びＩＬ−２を用いて４〜７日間拡大させた。活性化させたＴｈ１リンパ球およびＴｈ２リンパ球を最大３回のサイクルまで、この方法で維持した。ＲＮＡを、プレートに結合させた抗ＣＤ３および抗ＣＤ２８  ｍＡｂでの２回目および３回目の活性化の６時間および２４時間後、ならびにインターロイキン（Ｉｎｔｅｒｌｅｕｋｉｎ）２中での２回目および３回目の拡大培養の４日目に、初代および２次のＴｈ１、Ｔｈ２、およびＴｒ１から調製した。
【０４９３】
以下の白血球株をＡＴＣＣから入手した：Ｒａｍｏｓ、ＥＯＬ−１、ＫＵ−８１２。ＥＯＬ細胞を、５×１０５個の細胞／ｍｌの０．１ｍＭのｄｂｃＡＭＰ中での８日間の培養、３日毎の培地の交換、および５×１０５個の細胞／ｍｌの細胞濃度への調節によってさらに分化させた。これらの細胞の培養のために、本発明者らは、５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、１０ｍＭのＨｅｐｅｓ（Ｇｉｂｃｏ）の添加とともなって、（ＡＴＣＣによって推奨されるように）ＤＭＥＭまたはＲＰＭＩを使用した。ＲＮＡを、休止細胞または１０ｎｇ／ｍｌのＰＭＡおよび１μｇ／ｍｌのイオノマイシンで６時間および１４時間活性化した細胞のいずれかから調製した。角質細胞株ＣＣＤ１０６および気道上皮腫瘍株ＮＣＩ−Ｈ２９２をまたＡＴＣＣから入手した。両方を、ＤＭＥＭ  ５％のＦＣＳ（Ｈｙｃｌｏｎｅ）、１００μＭの非必須アミノ酸（Ｇｉｂｃｏ）、１ｍＭのピルビン酸ナトリウム（Ｇｉｂｃｏ）、５．５×１０−５Ｍのメルカプトエタノール（Ｇｉｂｃｏ）、および１０ｍＭのＨｅｐｅｓ（Ｇｉｂｃｏ）中で培養した。ＣＣＤ１１０６細胞を、約５ｎｇ／ｍｌのＴＮＦαおよび１ｎｇ／ｍｌのＩＬ−１βで６時間および１４時間活性化し、一方、ＮＣＩ−Ｈ２９２細胞を、以下のサイトカインを用いて６時間および１４時間活性化した：５ｎｇ／ｍｌのＩＬ−４、５ｎｇ／ｍｌのＩＬ−９、５ｎｇ／ｍｌのＩＬ−１３、および２５ｎｇ／ｍｌのＩＦＮγ。
【０４９４】
これらの細胞株および血液細胞について、約１０７個の細胞／ｍｌをＴｒｉｚｏｌ（Ｇｉｂｃｏ  ＢＲＬ）を使用して溶解させることによってＲＮＡを調製した。簡潔には、１／１０容量のブロモクロロプロパン（Ｍｏｌｅｃｕｌａｒ  Ｒｅｓｅａｒｃｈ  Ｃｏｒｐｏｒａｔｉｏｎ）をＲＮＡサンプルに添加し、ボルテックスし、そして室温で１０分後、チューブをＳｏｒｖａｌｌ  ＳＳ３４ローターで１４，０００ｒｐｍで回転させた。水相を採取し、そして１５ｍｌのＦａｌｃｏｎ  Ｔｕｂｅに入れた。等量のイソプロパノールを添加し、そして−２０℃で一晩静置した。沈殿させたＲＮＡをＳｏｒｖａｌｌ  ＳＳ３４ローター中で９，０００ｒｐｍで１５分間スピンダウンさせ、そして７０％のエタノール中で洗浄した。このペレットを３００μｌのＲＮＡｓｅを含まない水中に再度溶解させ、そして３５μｌの緩衝液（Ｐｒｏｍｅｇａ）、５μｌのＤＴＴ、７μｌのＲＮＡｓｉｎ、および８μｌのＤＮＡｓｅを添加した。チューブを、混入しているゲノムＤＮＡを除去するために３７℃で３０分間インキュベートし、フェノールクロロホルムで１回抽出し、そして１／１０容量の３Ｍの酢酸ナトリウムおよび２容量の１００％エタノールで再度沈殿させた。ＲＮＡをスピンダウンさせ、そしてＲＮＡｓｅを含まない水中に入れた。ＲＮＡを−８０℃で保存した。
【０４９５】
（パネルＣＮＳＤ．０１）
パネルＣＮＳＤ．０１のプレートは、２個のコントロールのウェルおよび９４個の試験サンプルを含む。これは、Ｈａｒｖａｒｄ  Ｂｒａｉｎ  Ｔｉｓｓｕｅ  Ｒｅｓｏｕｒｃｅ  Ｃｅｎｔｅｒから入手した死後のヒトの脳組織から単離されたｃＤＮＡを含む。脳を、死後４時間から２４時間の間にドナーの頭蓋冠から切り出し、神経解剖学者によって断片化し、そして液体窒素蒸気中で−８０℃で凍結させた。全ての脳を断片化し、そして明確な関連する神経病理学の診断を確認するために神経病理学者によって試験した。
【０４９６】
疾患の診断を患者の記録から入手する。パネルは、以下の診断のそれぞれに由来する２つの脳、および「正常なコントロール」を含む：アルツハイマー病、パーキンソン病、ハンチントン病、進行性核上性麻痺、欝状態。これらの脳のそれぞれの中で以下の領域を示す：帯状回、大脳側頭極、淡蒼球（ｇｌｏｂｕｓ  ｐａｌｌａｄｕｓ）、黒質、ブロードマン野４（一次運動線条（ｐｒｉｍａｒｙ  ｍｏｔｏｒ  ｓｔｒｉｐ））、ブロードマン野７（頭頂葉皮質）、ブロードマン野９（前前頭皮質）、およびブロードマン野１７（後頭皮質）。全ての脳の領域を全ての症例において示すわけではない；例えば、ハンチントン病は、淡蒼球の神経変性によって一部特徴付けられ、従ってこの領域は確立されたハンチントン病の症例からは得ることができない。同様に、パーキンソン病は黒質の退化によって特徴付けられ、この領域を得ることをさらに困難にする。正常なコントロールの脳を神経病理学について試験し、そして神経変性に関係しているいかなる病理をも含まないことを見出した。
【０４９７】
全てのサンプルに由来するＲＮＡの完全性を、指針として２８Ｓおよび１８ＳリボソームＲＮＡの染色強度比（２：１〜２．５：１の２８ｓ：１８ｓ）、および分解産物の指標である低分子量のＲＮＡが存在しないことを使用して、アガロースゲル電気泳動の視覚的な評価によって質を管理した。サンプルを、単一のエキソンの範囲全体を増幅するように設計したプローブおよびプライマーのセットを使用して、逆転写酵素の非存在下でＲＴＱ  ＰＣＲ反応を実行することにより、ゲノムＤＮＡの混入に対して、管理した。
【０４９８】
ＣＮＳパネル中の組織を同定するために使用した標識には、以下の略号を使用する：
ＰＳＰ＝進行性核上性麻痺
Ｓｕｂ  Ｎｉｇｒａ＝黒質
Ｇｌｏｂ  Ｐａｌｌａｄｕｓ＝淡蒼球
Ｔｅｍｐ  Ｐｏｌｅ＝大脳側頭極
Ｃｉｎｇ  Ｇｙｒ＝帯状回
ＢＡ  ４＝ブロードマン野４。
【０４９９】
（パネルＣＮＳ＿神経変性（Ｎｅｕｒｏｄｅｇｅｎｅｒａｔｉｏｎ）＿Ｖ１．０）
パネルＣＮＳ＿神経変性（Ｎｅｕｒｏｄｅｇｅｎｅｒａｔｉｏｎ）＿Ｖ１．０のプレートは、２個のコントロールウェルおよび４７個の試験サンプルを含む。これは、Ｈａｒｖａｒｄ  Ｂｒａｉｎ  Ｔｉｓｓｕｅ  Ｒｅｓｏｕｒｃｅ  Ｃｅｎｔｅｒ（ＭｃＬｅａｎ  Ｈｏｓｐｉｔａｌ）およびＨｕｍａｎ  Ｂｒａｉｎ  ａｎｄ  Ｓｐｉｎａｌ  Ｆｌｕｉｄ  Ｒｅｓｏｕｒｃｅ  Ｃｅｎｔｅｒ（ＶＡ  Ｇｒｅａｔｅｒ  Ｌｏｓ  Ａｎｇｅｌｅｓ  Ｈｅａｌｔｈｃａｒｅ  Ｓｙｓｔｅｍ）から入手した死後のヒトの脳組織から単離されたｃＤＮＡを含む。脳を、死後４時間から２４時間の間にドナーの頭蓋冠から切り出し、神経解剖学者によって断片化し、そして液体窒素蒸気中で−８０℃で凍結させた。全ての脳を断片化し、そして明確な関連する神経病理学の診断を確認するために神経病理学者によって試験した。
【０５００】
疾患の診断を患者の記録から入手する。パネルは、アルツハイマー病（ＡＤ）患者に由来する６つの脳、および生前に痴呆の兆候を示さない「正常なコントロール」に由来する８つの脳を含む。８つの正常なコントロールの脳は、２つのカテゴリーに分けられる：痴呆もアルツハイマー様の病理症状もないコントロール（コントロール）および重症のアルツハイマー様病理症状を示す痴呆がないコントロール、（特に、老人斑負荷を０〜３のスケールでレベル３として評価した；０＝斑を示さない、３＝重症のＡＤの老人斑負荷）。これらの脳のそれぞれの範囲で、以下の領域を示す：海馬、側頭皮質（ブロードマン野２１）、体性感覚皮質（ブロードマン野７）、および後頭皮質（ブロードマン野１７）。これらの領域は、ＡＤでの神経変性のすべてのレベルを含むように選ばれた。海馬は、ＡＤでの早期かつ重症の神経欠損の領域である；側頭皮質は、海馬の後に、ＡＤでの神経変性を示すことが知られている；体性感覚皮質は、疾患の後期段階で中程度の神経の死を示す；後頭皮質は、ＡＤで残される、したがってＡＤ患者内の「コントロール」領域として働く。脳のすべての領域がすべての症例において示されるわけではない。
【０５０１】
全てのサンプルに由来するＲＮＡの完全性を、指針として２８Ｓおよび１８ＳリボソームＲＮＡの染色強度比（２：１〜２．５：１の２８ｓ：１８ｓ）、および分解産物の指標である低分子量のＲＮＡが存在しないことを使用して、アガロースゲル電気泳動の視覚的な評価によって質を管理した。サンプルを、単一のエキソンの範囲全体を増幅するように設計したプローブおよびプライマーのセットを使用して、逆転写酵素の非存在下でＲＴＱ  ＰＣＲ反応を実行することにより、ゲノムＤＮＡの混入に対して、管理した。
【０５０２】
ＣＮＳ＿神経変性（Ｎｅｕｒｏｄｅｇｅｎｅｒａｔｉｏｎ）＿Ｖ１．０パネル中の組織を同定するために使用した標識には、以下の略号を使用する：
ＡＤ＝アルツハイマー病の脳；痴呆になっており、そして検死でＡＤ様の病理症状を示す患者
コントロール（Ｃｏｎｔｒｏｌ）＝コントロールの脳；痴呆がなく、神経変性を示さない患者
コントロール（Ｃｏｎｔｒｏｌ）（Ｐａｔｈ）＝コントロールの脳；痴呆ではないが重症のＡＤ様の病理症状を示す患者
Ｓｕｐ  Ｔｅｍｐｏｒａｌ  Ｃｔｘ＝上位の側頭皮質
Ｉｎｆ  Ｔｅｍｐｏｒａｌ  Ｃｔｘ＝下位の側頭皮質。
【０５０３】
（ＮＯＶ１ａ）
ＮＯＶ１ａ遺伝子の発現は、表１２および１３で記載されたＡｇ２７３ｂおよびＡｇ１０９４のプライマー−プローブのセットを使用して評価された。ＲＴＱ−ＰＣＲ実行からの結果を、表１４、１５、１６、１７、および１８に示す。
【０５０４】
【表１２】
2004527222.tif 000140
【０５０５】
【表１３】
2004527222.tif 000141
【０５０６】
【表１４】
2004527222.tif 000142
2004527222.tif 000143
【０５０７】
【表１５】
2004527222.tif 000144
2004527222.tif 000145
2004527222.tif 000146
【０５０８】
【表１６】
2004527222.tif 000147
2004527222.tif 000148
2004527222.tif 000149
2004527222.tif 000150
【０５０９】
【表１７】
2004527222.tif 000151
2004527222.tif 000152
2004527222.tif 000153
【０５１０】
【表１８】
2004527222.tif 000154
2004527222.tif 000155
2004527222.tif 000156
（パネル１の概要）（Ａｇ２７３ｂ）ＮＯＶ１ａ遺伝子の発現は、転移性の前立腺癌細胞株ＰＣ−３で最も高い（ＣＴ＝２６．８）。肺癌の細胞株の多数および脳の癌細胞株の多数においても、この遺伝子の実質的な発現が存在する。したがって、ＮＯＶ１ａ遺伝子の発現は肺、前立腺または脳の癌細胞株を他のサンプルから区別するために使用され得る。さらに、低分子薬物または抗体の使用を通した、この遺伝子産物の治療的な阻害は、肺、前立腺または脳の癌の処置において利益を有し得る。他の正常組織の中でも、この遺伝子はまた、心臓、結腸、小腸、気管、唾液線、胎児の肝臓、および乳腺で低〜中程度で発現される。
【０５１１】
ＮＯＶ１ａ遺伝子は、新規なインスリン様増殖因子結合タンパク質の酸不安定性サブユニットをコードする。ＣＮＳ組織の中でも、この遺伝子は小脳および視床で中程度のレベルで発現される。筋萎縮性側索硬化症の処置のための生物薬剤としての研究下に現在あるように、インスリン様増殖因子（ＩＧＦ）は、神経保護効果を有することが示されている。血清では、ＩＧＦは、ＩＧＦ結合タンパク質（ＩＧＦＢＰ）およびその酸不安定性サブユニット（ＩＧＦＢＰ−ＡＬＳ）の両方に結合する。脳において、グリアはＩＧＦＢＰを産生する；しかしＩＧＦＢＰ−ＡＬＳはＣＮＳで検出されなかった。したがって、ＮＯＶ１ａ遺伝子は、ＩＧＦＢＰ−ＡＬＳのＣＮＳ等価物を表し得る。ＩＧＦの神経保護効果に起因して、この遺伝子またはそのタンパク質産物の治療的な調節は、ニューロンの死／変性が起こる疾患（例えば、筋萎縮性側索硬化症、多発性硬化症、アルツハイマー病、パーキンソン病、ハンチントン舞踏病、脊髄小脳失調、または脳卒中、頭部もしくは脊髄の外傷のようなＣＮＳの障害）を処置するのに有用であり得る。
【０５１２】
（パネル１．３Ｄの概要）（Ａｇ１０９４）同じプローブ／プライマーセットを用いた２つの実験からの結果は、極めてよく一致し、そしてパネル１で観察された結果と一致する。ＮＯＶ１ａ遺伝子の発現は、肺癌の細胞株で最も高い（ＣＴ＝２８）。多数のさらなる肺癌の細胞株および脳の癌細胞株と同様に転移性前立腺癌の細胞株でもまたこの遺伝子の実質的な発現が存在する。したがって、ＮＯＶ１ａ遺伝子の発現は、前立腺、肺または脳の癌細胞株を他のサンプルから区別するために用いられ得る。さらに、低分子薬物または抗体の使用を通した、この遺伝子産物の治療的な阻害は、前立腺、肺または脳の癌の治療において利益を有し得る。
ＣＮＳ組織の中でも、視床および小脳では、低いが有意な発現が存在する。ＣＮＳでのこの遺伝子の潜在的な有用性の説明については、パネル１の概要を参照のこと。
（パネル２Ｄの概要）（Ａｇ１０９４）同じプローブ／プライマーセットを用いた２つの実験からの結果は、よく一致する。ＮＯＶ１ａ遺伝子の発現は、転移性乳癌のサンプルで最も高い（ＣＴ＝２６〜２７）。さらに、いくつかの他の乳癌および肺癌の癌のサンプルでは、それらの正常な隣接した周辺のサンプルと比較した場合に発現の増加を示す。この観察は、肺癌の細胞株でより高いＮＯＶ１ａ遺伝子発現を示すパネル１．３Ｄでの結果と一致する。したがって、この遺伝子の発現は、乳癌または肺癌の組織をその正常な対応物から区別するために用いられ得、そして診断的な価値を有し得る。さらに、低分子薬物または抗体の使用を通した、ＮＯＶ１ａ遺伝子またはこの遺伝子産物の治療的調節は、乳癌または肺癌の処置に有益であり得る。
【０５１３】
（パネル３Ｄの概要）（Ａｇ１０９４）ＮＯＶ１ａ遺伝子は、小細胞肺癌の細胞株で最も高い（ＣＴ＝２８．５）。さらに、他の肺癌細胞株と同様にいくつかの脳の癌および膵臓癌の細胞株で、この遺伝子の有意な発現が存在する。これらの結果は、他のパネルで観察された結果と一致する。したがって、ＮＯＶ１ａ遺伝子の発現は、肺癌、乳癌、または膵臓癌の細胞株のサンプルを他の組織から区別するために用いられ得る。さらに、低分子薬物または抗体の使用を通した、この遺伝子または遺伝子産物の治療的調節は、肺癌、乳癌または膵臓癌の処置に有益であり得る。
【０５１４】
（パネル４Ｄの概要）（Ａｇ１０９４）ＮＯＶ１ａ遺伝子は、好塩基細胞内（ＣＴ２８．３）と同様にケラチノサイト内および正常な肺繊維芽細胞（それらの活性化状態とは独立して）で高いレベルで発現される。さらに、この遺伝子は粘膜表皮の細胞株（Ｈ２９２）では低いレベルで発現される。ＮＯＶ１ａ遺伝子の発現はまた、パネル１．３Ｄからのデータと一致して、正常な肺で見出されている。この転写物によってコードされたタンパク質は、全身性のインスリン様増殖因子結合タンパク質（ＩＧＦＢＰ）複合体の成分であるインスリン様増殖因子結合タンパク質の酸不安定性サブユニットに相同性がある。したがって、この遺伝子は循環するＩＧＦの生物学において重要な役割を果たし得る。ＩＧＦは、増殖、アポトーシスの阻止、および分化のような細胞内の一連の広範なプロセスに関与する。したがって、ＮＯＶ１ａ遺伝子は、ＩＧＦのマイトジェン効果を局所的に調節するタンパク質治療剤についての適切な標的であり得、そして気腫、ＣＯＰＤ、または皮膚関連疾患の治療で有用であり得る。
【０５１５】
（参考文献）
１．Ｍｅｗａｒ  Ｒ．、ＭｃＭｏｒｒｉｓ  Ｆ．Ａ．（１９９７）Ｅｘｐｒｅｓｓｉｏｎ  ｏｆ  ｉｎｓｕｌｉｎ−ｌｉｋｅ  ｇｒｏｗｔｈ  ｆａｃｔｏｒ−ｂｉｎｄｉｎｇ  ｐｒｏｔｅｉｎ  ｍｅｓｓｅｎｇｅｒ  ＲＮＡｓ  ｉｎ  ｄｅｖｅｌｏｐｉｎｇ  ｒａｔ  ｏｌｉｇｏｄｅｎｄｒｏｃｙｔｅｓ  ａｎｄ  ａｓｔｒｏｃｙｔｅｓ．Ｊ．Ｎｅｕｒｏｓｃｉ．Ｒｅｓ  ５０：７２１−７２８。
【０５１６】
インスリン様増殖因子、ＩＧＦ−ＩおよびＩＧＦ−ＩＩは、稀突起膠細胞の発達の強力な調節因子である。インビボに存在するＩＧＦのほとんどは、６つの高親和性ＩＧＦ結合タンパク質（ＩＧＦＢＰ）のファミリーのメンバーに結合し、これは他の条件に依存して、ＩＧＦの作用を強化するかまたは阻害するかのいずれかであり得る。さらに、血清は、ＩＧＦおよびＩＧＦＢＰ３と三重複合体を形成する構造的に関係がないタンパク質（酸不安定性サブユニット（ＡＬＳ））を含む。この研究では、逆転写ポリメラーゼ連鎖反応（ＲＴ−ＰＣＲ）は、稀突起膠細胞および星状細胞の精製された集団でのＩＧＦＢＰ１〜６およびＡＬＳのｍＲＮＡの発現を調べるために用いられた。星状細胞は、６つのすべてのＩＧＦＢＰを発現する。ＩＧＦＢＰ４は稀突起膠細胞前駆体（しかし成熟段階ではない）で発現するのに対して、Ａ２Ｂ５＋／Ｏ４−稀突起膠細胞前駆体、Ｏ４＋／Ｏ１−の中間前駆体、およびＯ１＋の稀突起膠細胞はＩＧＦＢＰ３、５、および６を発現する。それらは、脳全体または培養された稀突起膠細胞でのＡＬＳ  ｍＲＮＡを検出し得なかった。成長している稀突起膠細胞と星状細胞とで示差的に発現されたＩＧＦＢＰの存在は、中枢神経系でのＩＧＦ−ＩおよびＩＧＦ−ＩＩの生物学的な活性、ならびにＩＧＦＢＰ発現細胞のＩＧＦ応答性に有意に影響し得る。
【０５１７】
ＰＭＩＤ：９４１８９６０。
【０５１８】
２．Ａｒｎｏｌｄ  Ｐ．Ｍ．，Ｍａ  Ｊ．Ｙ．，Ｃｉｔｒｏｎ  Ｂ．Ａ．，Ｚｏｕｂｉｎｅ  Ｍ．Ｎ．，Ｆｅｓｔｏｆｆ  Ｂ．Ｗ．（２０００）Ｓｅｌｅｃｔｉｖｅ  ｄｅｖｅｌｏｐｍｅｎｔａｌ  ｒｅｇｕｌａｔｉｏｎ  ｏｆ  ｇｅｎｅ  ｅｘｐｒｅｓｓｉｏｎ  ｆｏｒ  ｉｎｓｕｌｉｎ−ｌｉｋｅ  ｇｒｏｗｔｈ  ｆａｃｔｏｒ−ｂｉｎｄｉｎｇ  ｐｒｏｔｅｉｎｓ  ｉｎ  ｍｏｕｓｅ  ｓｐｉｎａｌ  ｃｏｒｄ．Ｓｐｉｎｅ  ２５：１７６５−１７７０。
【０５１９】
研究の設計：マウスにおいて見込みよく無作為化された実験研究。研究の目的：インスリン様増殖因子結合タンパク質（ＩＧＦＢＰ）がマウスの脊髄に存在するかどうか、そして存在するならば、それらがその発達においてどのような役割を果たすのかを決めること。背景データの概要：インスリン様増殖因子は、成長ホルモンのホルモンエフェクターとして十分認識されており、そして哺乳動物の脊髄で発現される。ＩＧＦＢＰは、６つの遺伝的に異なるタンパク質の１グループであり、このグループは、ＩＧＦに結合し、それらの生物活性を調節する。それらは発達の間に脳に現われ、神経筋接合部に局在し、そして運動ニューロンの生存を促進する。筋萎縮性側索硬化症（ＡＬＳ）でのＩＧＦ−Ｉの有益性および脊髄障害において運動ニューロンのアポトーシスを妨げる際のその潜在的用途は、その組織でのＩＧＦＢＰの存在および応答の研究がなされることを示す。方法：マウスの脊髄のＩＧＦＢＰは、胚の１４日目から出生後の３０日目までのさまざまな時点でのウエスタンリガンドブロット、ウエスタンイムノブロット、および逆転写ポリメラーゼ連鎖反応によって分析された。結果：２４、２８および３２ｋＤａの分子量を有する３つのＩＧＦＢＰが見出された。後者の２つが優勢である。このデータは、これらがＩＧＦＢＰ−４、−５および−２であることを示している。結論：ＩＧＦＢＰ−２およびＢＰ−５の両方は、マウスの脊髄で発達的に調節され、初期胚段階でそれらがより高いレベルであることは、マウスの脊髄の発達におけるその潜在的な役割を示す。
【０５２０】
（ＰＭＩＤ：１０８８８９４３）
（３．Ｃｏｒｓｅ  Ａ．Ｍ．，Ｂｉｌａｋ  Ｍ．Ｍ．，Ｂｉｌａｋ  Ｓ．Ｒ．，Ｌｅｈａｒ  Ｍ．，Ｒｏｔｈｓｔｅｉｎ  Ｊ．Ｄ．，Ｋｕｎｃｌ  Ｒ．Ｗ．（１９９９）  慢性運動ニューロン変性のモデルにおける、神経保護的な神経栄養因子の前臨床試験。Ｎｅｕｒｏｂｉｏｌ．Ｄｉｓ．６：３３５−３４６。）
多くの神経栄養因子は、胚性運動ニューロンの生存を増強するか、またはそれらの損傷への応答に影響することが示されている。神経変性疾患に関連し得る、より成熟した運動ニューロンへの、神経栄養因子の潜在的な効果を調査した研究はほとんどない。出生後のラットに由来する器官型脊髄培養物を用いて、研究者は、インシュリン様成長因子−Ｉ（ＩＧＦ−Ｉ）およびグリア由来神経栄養因子（ＧＤＮＦ）がコリンアセチルトランスフェラーゼ（ＣｈＡＴ）活性を顕著に増加させるが、脳由来神経栄養因子（ＢＤＮＦ）、ニューロトロフィン−４（ＮＴ−４／５）、およびニューロトロフィン−３（ＮＴ−３）は増加させない、ということを示している。驚くべきことに、繊毛神経栄養因子（ＣＮＴＦ）は、実際に、期対応（ａｇｅ−ｍａｔｃｈｅｄ）制御培養物と比べると、ＣｈＡＴ活性を減少させる。神経栄養因子はまた、神経変性疾患（筋萎縮性側索硬化症（ＡＬＳ））における損傷の仮定機構である、グルタミン酸の神経毒性へのいくつかのニューロンの感度を変化させることが示されている。グルタミン酸輸送インヒビタースレオヒドロキシアスパルギン酸（ＴＨＡ）存在下での器官型脊髄培養物のインキュベーションは、グルタミン酸に媒介される運動ニューロンの死を再現性よく引き起こす。この運動ニューロン変性のモデルにおいて、ＩＧＦ−Ｉ、ＧＤＮＦ、およびＮＴ−４／５は強力に神経保護性であるが、ＢＤＮＦ、ＣＮＴＦ、およびＮＴ−３は神経保護性ではない。器官型グルタミン酸毒性モデルは、ＡＬＳにおける、ヒト臨床試験の成功の、現在の最良の前臨床的予言者であるようである。
【０５２１】
（ＮＯＶ３ａ）
遺伝子ＮＯＶ３ａの発現を、表１９に記載されるプライマー−プローブセットＡｇ２１００を用いて評価した。ＲＴＱ−ＰＣＲ実験の結果を、表２０、２１、２２、２３、および２４に示す。
【０５２２】
【表１９】
2004527222.tif 000157
【０５２３】
【表２０】
2004527222.tif 000158
2004527222.tif 000159
【０５２４】
【表２１】
2004527222.tif 000160
2004527222.tif 000161
【０５２５】
【表２２】
2004527222.tif 000162
2004527222.tif 000163
2004527222.tif 000164
【０５２６】
【表２３】
2004527222.tif 000165
2004527222.tif 000166
2004527222.tif 000167
【０５２７】
【表２４】
2004527222.tif 000168
2004527222.tif 000169
2004527222.tif 000170
（パネル１．３Ｄ概要：）
（Ａｇ２１００）ＮＯＶ３ａ遺伝子の発現は、大脳皮質（ＣＴ＝２６．３）において最も高度である。この遺伝子は、扁桃体、小脳、海馬、黒質、視床、脊髄、および胎児の脳を含むＣＮＳの他の部分においては、より穏和なレベルで発現される。他の正常な組織におけるＮＯＶ３ａ遺伝子の発現は、脳におけるそれよりも低く、ＣＮＳにおけるこのタンパク質に対する特異的な機能を示唆した。従って、この遺伝子は、脳を他の組織と区別するためのマーカーとして有用であり得る。ＮＯＶ３ａ遺伝子は、シトロン−キナーゼへの相同性を有するタンパク質をコードする。シトロン−キナーゼ（シトロン−Ｋ）は、インビトロでの研究によって、細胞質分裂の調節におけるＲｈｏの重要な作用物であると提唱されている。シトロン−Ｋは、特定のニューロン前駆体におけるインビボでの細胞質分裂に対して不可欠であり、そしてＣＮＳの特定のヒト奇形症候群において基礎的な役割を果たし得る。ＲＨＯ／ＲＡＣ−ＩＮＴＥＲＡＣＴＩＮＧ  ＣＩＴＲＯＮ  ＫＩＮＡＳＥファミリーの一般的なインヒビターは、内皮の強固な接合を分裂させ、この脳優先的なファミリーのメンバーのうちの特定の調節物が、血液脳関門を隔てての治療剤の送達において有用であり得ることを示唆する。これらの一般的なインヒビターはまた、多くの重要なニューロンプロセス（例えば、アポトーシス、神経伝達物質放出およびシグナル伝達）の中心成分である細胞内カルシウム流出に影響する。従って、ＮＯＶ３ａタンパク質機能の調節物は、アポトーシスを含む神経変性疾患（例えば、棘筋萎縮、アルツハイマー病、ハンティングトン病、パーキンソン病など）の処置において有用であると判明し得る。神経伝達物質またはシグナル伝達を含む疾患（例えば、精神分裂病、躁病、脳卒中、癲癇および鬱病）もまた、ＮＯＶ３ａ遺伝子産物の機能を調節する薬剤から利得し得る。
【０５２８】
ＮＯＶ３ａ遺伝子はまた、副腎（ＣＴ＝３２）、脳下垂体（ＣＴ＝３２）および胎児の心臓（ＣＴ＝３４）を含むいくつかの代謝組織において、低い発現を示す。興味深いことに、この遺伝子は、胎児の骨格筋（ＣＴ＝３１）と比較すると、成人の骨格筋（ＣＴ＝３７）において、そして胎児の肝臓（ＣＴ＝３１）と比較すると、成人の肝臓（ＣＴ＝４０）において、より高度なレベルで発現される。従って、ＮＯＶ３Ａ遺伝子は、胎児および成人の骨格筋および肝臓の間を分化するために用いられ得る。さらに、この遺伝子の治療的な調節、特に精製タンパク質の投与を介する置換型の療法におけるその使用は、肝臓または骨格筋の変性を含む疾患（例えば、筋ジストロフィー）の処置において有益であり得る。
【０５２９】
（パネル２．２概要：）
（Ａｇ２１００）ＮＯＶ３ａ遺伝子の発現は、腎臓癌サンプル（ＣＴ＝２８）において最も高度である。さらに、この遺伝子が、腫瘍において正常な適合組織より高いレベルで発現される、正常な組織／癌組織の対が多く存在する。従って、ＮＯＶ３ａ遺伝子の発現は、癌組織と正常な組織とを区別するのに有用であり得る。さらに、低分子薬物または抗体の使用を介する、この遺伝子産物の治療的な調節は、癌の処置のおいて有益であり得る。
【０５３０】
（パネル３Ｄ概要：）
（Ａｇ２１００）ＮＯＶ３ａ遺伝子の発現は、肺癌細胞株（ＣＴ＝２６）において最も高度である。しかし、低い〜穏和な発現もまた、このパネル上の大多数の癌細胞株において見られ、この遺伝子が多くの細胞型において重要な役割を果たし得ることを示唆する。
【０５３１】
（パネル４Ｄ概要：）
（Ａｇ２１００）ＮＯＶ３ａ遺伝子は、ＰＭＡおよびイオノマイシンで処置されたラモスＢ細胞において、ＰＷＭで処置された未形質転換Ｂ細胞において、およびＰＷＭで処置されたＰＢＭＣにおいて、高度に誘導される。これらの３つの観察の全ては、活性化後にＢ細胞において誘導される転写物と一致する。活性化において、Ｔ細胞もまたこの転写物を作製し、ＰＨＡ（Ｔ細胞マイトジェン）で処置されたＰＢＭＣは、一次活性化Ｔｈ１細胞と同様に、この転写物を発現する。一次Ｔｒ１および一次Ｔｈ２は、より少ない程度にこの転写物を発現する。このパネル上の線維芽細胞および内皮細胞株はまた、活性化リンパ球と比較すると低いレベルであるが、ＮＯＶ３ａ遺伝子を発現する。
【０５３２】
炎症における役割：ＮＯＶ３ａ遺伝子産物は、ＲＨＯ／ＲＡＣ相互作用シトロンキナーゼへの相同性を有する。シトロンキナーゼは、ＴＣＲ媒介Ｔ細胞伝播を調節することにより、Ｔ細胞活性化、走化性および他のケモカイン応答、ならびにアポトーシスにおいて、重要な役割を果たし得る。ＮＯＶ３ａ遺伝子によってコードされるタンパク質はこのキナーゼに対して高い相同性を有するので、このタンパク質はＴ細胞の運動性、活性化およびアポトーシスにも寄与し得る。同様に、この推定上のキナーゼはまた、Ｂ細胞の運動性、抗原レセプター媒介活性化およびアポトーシスにおいて重要であり得る。
【０５３３】
治療的機能：ＮＯＶ３ａ遺伝子によってコードされるタンパク質に対して設計された低分子治療剤は、炎症を減少させ得るかまたは阻害し得る。この転写物の翻訳およびタンパク質産生をブロックするアンチセンス治療剤もまた、炎症プロセスを阻害し得る。これらの型の治療剤は、骨関節症のような疾患の処置において重要であり得る。同様に、これらの治療剤は、喘息、癲癇、糖尿病、およびＩＢＤ（これは、活性化Ｔ細胞を要する）、ならびにＢ細胞の活性化を含む疾患（例えば、全身性エリテマトーデス）の処置において重要であり得る。
【０５３４】
（ＡＩ＿包括的＿パネル＿ｖ１．０概要：）
（Ａｇ２１００）ＮＯＶ３Ａ遺伝子は、５人の異なる骨関節炎（ＯＡ）患者から（５人のＯＡ患者のうち３人においては骨膜から）単離された骨において、最も高度に発現されるが、ＯＡ患者由来の軟骨または慢性関節リウマチ（ＲＡ）患者由来の任意の組織もしくは対照サンプルにおいては、発現されない。従って、ＮＯＶ３ａ遺伝子によってコードされるタンパク質に対して設計された低分子治療剤は、炎症を減少させ得るかまたは阻害し得る。この転写物の翻訳およびタンパク質産生をブロックするアンチセンス治療剤もまた、炎症プロセスを阻害し得る。これらの型の治療剤は、骨関節症のような疾患の処置において重要であり得る。
【０５３５】
（参考文献：）
（１．Ｄｉ  Ｃｕｎｔｏ  Ｆ．，Ｉｍａｒｉｓｉｏ  Ｓ．，Ｈｉｒｓｃｈ  Ｅ．，Ｂｒｏｃｃｏｌｉ  Ｖ．，Ｂｕｌｆｏｎｅ  Ａ．，Ｍｉｇｈｅｌｉ  Ａ．，Ａｔｚｏｒｉ  Ｃ．，Ｔｕｒｃｏ  Ｅ．，Ｔｒｉｏｌｏ  Ｒ．，Ｄｏｔｔｏ  Ｇ．Ｐ．，Ｓｉｌｅｎｇｏ  Ｌ．，Ａｌｔｒｕｄａ  Ｆ．（２０００）  変化した細胞質分裂および大規模なアポトーシスによる、シトロンキナーゼノックアウトマウスにおける不完全なニューロン発生。Ｎｅｕｒｏｎ  ２８：１１５−１２７。）
シトロン−キナーゼ（シトロン−Ｋ）は、インビトロでの研究により、細胞質分裂の調節におけるＲｈｏの重要な作用物として提唱されている。その生物学的機能をインビボでさらに調査するために、本発明者らは、マウスのシトロン−Ｋ遺伝子を、相同組換えによって不活性化した。シトロン−Ｋ−／−マウスは、より遅い速度で成長し、激しく失調性であり、そして致死的な発作の結果として、成体期の前に死亡する。それらの脳は、特定のニューロン群の欠乏を伴う、不完全なニューロン発生を示す。これらの異常性は、変化した細胞質分裂および大規模なアポトーシスを原因として、中枢神経系の発達の間に生じる。これらの結果は、シトロン−Ｋがインビボで（しかし特定のニューロン前駆体においてのみ）の細胞質分裂に対して不可欠であることを示す。さらに、これらの結果は、ＣＮＳのヒト奇形症候群の下位集合に対する新規な分子機構を示唆する。
【０５３６】
（ＰＭＩＤ：１１０８６９８８）
（２．Ｊｅｚｉｏｒ  Ｊ．Ｒ．，Ｂｒａｄｙ  Ｊ．Ｄ．，Ｒｏｓｅｎｓｔｅｉｎ  Ｄ．Ｉ．，ＭｃＣａｍｍｏｎ  Ｋ．Ａ．，Ｍｉｎｅｒ  Ａ．Ｓ．，Ｒａｔｚ  Ｐ．Ｈ．（２００１）
排尿筋収縮の、ＬＯＥ−９０８−感応性チャネルを介するカルシウム感作およびカルシウム侵入への依存性。Ｂｒ．Ｊ．Ｐｈａｒｍａｃｏｌ．１３４：７８−８７。）
排尿筋において対合する刺激−収縮を調節する細胞下機構は未決定である。Ｃａ（２＋）を含まない溶液、Ｃａ（２＋）チャネルブロッカー、シクロピアゾン酸（ＣＰＡ）、およびＲｈｏＡキナーゼ（ＲＯＫ）インヒビターが、Ｃａ（２＋）流入およびＣａ（２＋）感作が主要な役割を果たすという仮設を試験するために用いられた。ウサギの排尿筋において、ピークベタニコール（ＢＥ）誘導力は、Ｃａ（２＋）を含まない溶液中での３分間のインキュベーションによって９０％阻害された。比較すると、Ｃａ（２＋）を含まない溶液中での、ウサギの大腿動脈の２０分間のインキュベーションは、レセプター誘導力を５％しか減少させなかった。排尿筋において、２ＡＰＢによる筋小胞体（ＳＲ）のＣａ（２＋）の放出の阻害、またはＣＰＡによるＳＲ  Ｃａ（２＋）の欠乏は、ＢＥ誘導力を２７％しか阻害しなかった。ＣＰＡ非感応性力は、ＬａＣｌ（３）によって消滅した。比較すると、２ＡＰＢは、ウサギの大腿動脈におけるレセプター誘導力を７１％阻害した。非選択的カチオンチャネル（ＮＳＣＣ）インヒビター（ＬＯＥ−９０８）の存在下において、ＢＥは、［Ｃａ（２＋）］（ｉ）の増加を生じなかったが、ミオシンリン酸化および力のわずかな増加を生じた。ＲＯＫ誘導Ｃａ（２＋）感作のインヒビター（ＨＡ−１０７７およびＹ−２７６３２）は、ＢＥ誘導力を約５０％阻害し、そしてＬＯＥ−９０８と組み合わされて、力をほとんど消滅させた。これらのデータは、２つの主要なムスカリン性レセプター刺激による排尿筋収縮機構が、［Ｃａ（２＋）］（ｉ）を上昇させるＮＳＣＣ活性化、および、Ｃａ（２＋）への架橋を感作するＲＯＫ活性化を含むことを示唆する。
【０５３７】
（ＰＭＩＤ：１１５２２５９９）
（３．Ｗａｌｓｈ  Ｓ．Ｖ．，Ｈｏｐｋｉｎｓ  Ａ．Ｍ．，  Ｃｈｅｎ  Ｊ．，Ｎａｒｕｍｉｙａ  Ｓ．，  Ｐａｒｋｏｓ  Ｃ．Ａ．，Ｎｕｓｒａｔ  Ａ．（２００１）  Ｒｈｏキナーゼは、密着結合（ｔｉｇｈｔ  ｊｕｎｃｔｉｏｎ）機能を調節し、そして、分極した腸管上皮における密着結合構築に対して不可欠である。Ｇａｓｔｒｏｅｎｔｅｒｏｌｏｇｙ  １２１：５６６−５７９。）
背景および目的：密着結合は、分極した腸管上皮におけるバリア機能の重要な決定基であり、そしてＲｈｏグアノシン三リン酸によって調節される。Ｒｈｏキナーゼ（ＲＯＣＫ）は、Ｒｈｏの下流作用物である。方法：ＲＯＣＫの特定のインヒビター（Ｙ−２７６３２）を用いて、電気生理学的アプローチ、生化学的アプローチ、形態学的アプローチ、および分子生物学的アプローチによって、モデル腸管（Ｔ８４）細胞における密着結合の調節におけるＲＯＣＫの役割を試験した。結果：ＲＯＣＫ阻害は、尖端Ｆ−アクチン構造の再構築を誘導し、そして傍細胞の透過性を増幅したが、密着結合タンパク質の分布または界面活性剤溶解性を変化させなかった。共焦点顕微鏡は、密着結合タンパク質小帯オクルデン１（ｚｏｎｕｌａ  ｏｃｃｌｕｄｅｎ  １）との、ＲＯＣＫのサブプールの共存を示した。ＲＯＣＫのドミナントネガティブ変異体によるＲＯＣＫ機能の阻害はまた、密着結合の分裂を伴わない尖端Ｆ−アクチン構造の再構築を生じた。カルシウムスイッチアッセイにおけるＲＯＣＫ阻害は、ＲＯＣＫが密着結合および接着結合の構築のために不可欠であることを示した。カルシウム過多において、オクルジン（ｏｃｃｌｕｄｉｎ）、小帯オクルデン１、およびＥ−カドヘリンは細胞間結合への再分布に失敗し；尖端Ｆ−アクチン細胞骨格の構築は妨げられ；そしてバリア機能は回復に失敗した。結論：ＲＯＣＫが、Ｆ−アクチン細胞骨格への影響を介して、インタクトな密着結合を調節することが示唆された。ＲＯＣＫはまた、結合形成の間の、尖端結合タンパク質およびＦ−アクチン細胞骨格組織の構築に対して重要である。
【０５３８】
（ＰＭＩＤ：１１５２２７４１）
（ＮＯＶ４）
遺伝子ＮＯＶ４の発現を、表２５、２６、および２７に記載されるプライマー−プローブセットＡｇ２１７、Ａｇ８５０、およびＡｇ１４６９を用いて評価した。ＲＴＱ−ＰＣＲ実験の結果を、表２８、２９、３０、３１、３２、および３３に示す。
【０５３９】
【表２５】
2004527222.tif 000171
【０５４０】
【表２６】
2004527222.tif 000172
（順方向プライマー中に、結合に影響しないと予測される単一の塩基不一致があることに注意されたい）
【０５４１】
【表２７】
2004527222.tif 000173
【０５４２】
【表２８】
2004527222.tif 000174
2004527222.tif 000175
【０５４３】
【表２９】
2004527222.tif 000176
2004527222.tif 000177
2004527222.tif 000178
【０５４４】
【表３０】
2004527222.tif 000179
2004527222.tif 000180
2004527222.tif 000181
【０５４５】
【表３１】
2004527222.tif 000182
2004527222.tif 000183
2004527222.tif 000184
【０５４６】
【表３２】
2004527222.tif 000185
2004527222.tif 000186
2004527222.tif 000187
2004527222.tif 000188
【０５４７】
【表３３】
2004527222.tif 000189
2004527222.tif 000190
2004527222.tif 000191
（パネル１概要：）
（Ａｇ２１７）ＮＯＶ４遺伝子の発現は、胎盤（ＣＴ＝２１．３）においてもっとも高度である。さらに、この遺伝子の発現はまた、精巣組織および子宮組織において高度である。従って、ＮＯＶ４遺伝子発現は、胎盤、ならびにより低い程度で、精巣組織および子宮組織を他の組織から区別するために用いられ得る。さらに、これらの組織は生殖系の一部であるので、この遺伝子は生殖において役割を果たし得る。従って、ＮＯＶ４遺伝子またはその産物の治療的な調節は、生殖器の疾患（例えば、不妊症）の処置において有用であり得る。さらに、ＮＯＶ４の発現は、胎児の腎臓（ＣＴ＝３３）よりも成人の腎臓（ＣＴ＝２６）においてはるかに高度であり、この遺伝子が両者を区別するためのマーカーとして有用であり得ることを示唆する。
【０５４８】
（パネル１．３Ｄ概要：）
（Ａｇ１４６９）このパネル上のＮＯＶ４遺伝子の発現は、大脳皮質（ＣＴ＝２７．３）においてもっとも高度である。従って、この遺伝子の発現は、大脳皮質を他のサンプルから区別するために用いられ得る。ＣＮＳサンプルの中で、胎児の脳、扁桃体、海馬および視床において、この遺伝子はより穏和に発現される。ＮＯＶ４遺伝子発現はまた、パネルＣＮＳ＿神経変性＿Ｖ１．０上の海馬組織および皮質組織において検出されるが、アルツハイマー病に特異的な発現を示さない。ＮＯＶ４遺伝子は、軸索ガイダンスおよびＣＮＳ発達におけるセマホリン（ｓｅｍａｐｈｏｒｉｎ）と相互作用する、膜貫通の細胞接着分子であるプレキシン（ｐｌｅｘｉｎ）に対する相同性を有するタンパク質をコードする。セマホリンは、軸索ガイダンスタンパク質として、特にＣＮＳ再生能力を阻害する化学忌避物質として、作用し得る。セマホリンはＣＮＳ再生に対する主要なバリアの１つであるので、このタンパク質のレベルの減少は、代償的なシナプス形成応答の誘導において有用であり得る。従って、ＮＯＶ４転写物またはそのタンパク質産物のレベルを減少させることは、アルツハイマー病、パーキンソン病、ハンティングトン病、脊髄小脳性運動失調、進行性核上性麻痺、多発性硬化症、ＡＬＳ、頭部外傷、脳卒中、またはニューロン損失に関する他の任意の疾患／状態の処置において有益であり得る。
【０５４９】
ＮＯＶ４遺伝子はまた、脂肪および卵巣において穏和に発現される。興味深いことに、この遺伝子は、成人の心臓（ＣＴ＝３３）と比較すると胎児の心臓（ＣＴ＝２８）において、より高度に発現され、そして成人の骨格筋（ＣＴ＝３７）と比較すると胎児の骨格筋（ＣＴ＝３０）において、より高度に発現される。従って、ＮＯＶ４遺伝子の発現は、胎児の心臓または筋肉を、成人の組織と区別するために用いられ得る。さらに、この遺伝子の治療的な調節、特に精製タンパク質の投与を介する置換型治療法における使用は、心臓または骨格菌の変性（例えば、心筋梗塞の結果）を含む疾患、または筋ジストロフィーの処置において有益であり得る。
【０５５０】
（一般＿スクリーニング＿パネル＿ｖ１．４（Ｇｅｎｅｒａｌ＿ｓｃｒｅｅｎｉｎｇ＿ｐａｎｅｌ＿ｖ１．４）の概要）
Ａｇ２１７／Ａｇ８５０。異なるプローブ／プライマーセットを用いた２つの実験の結果は、よい一致を示す。このパネル上のＮＯＶ４遺伝子の発現は、脳の癌細胞株に由来するサンプルにおいてもっとも高度である。さらに、膵臓、結腸、胃および肺の癌細胞株において、この遺伝子のかなりの発現が存在する。従って、この遺伝子の発現は、上記のサンプル型を他の組織と区別するために用いられ得る。さらに、低分子薬物または抗体の使用を介する、ＮＯＶ４遺伝子産物の治療的な調節は、脳、膵臓、胃、結腸または肺の癌の処置において有益であり得る。
【０５５１】
この遺伝子はまた、腎臓、胎盤、精巣、大脳皮質および小脳を含む、このパネル上の多くの他のサンプルにおいて、低い〜穏和なレベルで発現される。
【０５５２】
（パネル２Ｄ概要：）
Ａｇ１４６９。同一のプローブ／プライマーセットを用いた３つの実験の結果は、よい一致を示す。ＮＯＶ４遺伝子の発現は、卵巣癌サンプル（ＣＴ＝２８）においてもっとも高度である。興味深いことに、この遺伝子の発現は、腎臓腫瘍において、適合する正常な腎臓縁よりも低い。この発現パターンは、このパネル上の、隣接する正常な腎臓／腎臓癌の対の６／９において観察される。従って、ＮＯＶ４遺伝子の発現は、正常な腎臓組織を腎臓腫瘍と区別するためのマーカーとして用いられ得、そしてまた診断上の利点を有し得る。最後に、この遺伝子産物の治療的な調節は、腎臓癌の処置において利点を有し得る。
【０５５３】
（パネル２．２概要：）
Ａｇ２１７／Ａｇ８５０。異なるプローブ／プライマーセットを用いた２つの実験の結果は、妥当な一致を示す。ＮＯＶ４遺伝子の発現は、このパネル上のサンプルの中で、腎臓癌に隣接する正常な腎臓組織に由来するサンプルにおいて、もっとも高度である。さらに、多くの場合、この遺伝子は、腎臓癌に隣接する正常な腎臓組織において、より高度に発現される。これらの結果は、パネル２Ｄに見られる結果と一致する。従って、ＮＯＶ４遺伝子の発現は、正常な腎臓組織を腎臓癌と区別するために用いられ得る。さらに、この遺伝子によってコードされるタンパク質の治療的な調節は、腎臓癌の処置において有用であり得る。
【０５５４】
（パネル４Ｄ概要：）
Ａｇ２１７／Ａｇ１４６９。異なるプローブ／プライマーセットを用いた２つの実験の結果は、いくらかの差異を示す。Ａｇ１４６９プローブ／プライマーセットを用いると、ＮＯＶ４遺伝子は、微小血管真皮および肺内皮（ＣＴ  ２９．２）において、ならびに主要なＴｒ１およびＴｈ２細胞において、穏和に発現される。Ａｇ２１７プローブ／プライマーセットを用いると、ＮＯＶ４遺伝子は、処置とは無関係に、胸腺および星状細胞において、穏和なレベルで発現される。さらに、内皮線維芽細胞において、この遺伝子の、より低い発現が見られる。ＮＯＶ４遺伝子によってコードされるタンパク質はマウスプレキシン２（膜貫通の細胞接着分子）と相同である。プレキシンは、セマホリンの複数の（そして恐らくは全ての）クラスに対するレセプターである。セマホリンは、ニューロン再生に影響する。従って、星状細胞におけるこの遺伝子の発現は、低分子薬物の使用がＣＮＳ損傷の処置に対して好都合であり得ることを示唆する。（Ａｇ１４６９を用いた）胸腺およびいくつかのＴ細胞におけるＮＯＶ４遺伝子の発現は、発達または分化におけるこのプレキシンに対する潜在的な役割を示唆する。従って、このタンパク質に対して産生された抗体は、マーカーとして、または、Ｔ細胞媒介疾患の処置のためのＴ細胞分化を調節するために、有用であり得る。
【０５５５】
（パネル４．１Ｄ概要：）
Ａｇ８５０。ＮＯＶ４遺伝子は、このパネル上のサンプルの中で、正常な腎臓、胸腺、内皮線維芽細胞株（ＣＣＤ１０７０）および星状細胞において発現される。この遺伝子の発現は腎臓（ＣＴ＝２８．１）においてもっとも高度であり、パネル２．２で観察されるものと一致する。ＮＯＶ４遺伝子は、レチン酸応答性タンパク質（これは、血液器官関門で発現することが公知であり、そして輸送において機能し得る（参考文献３））に対する相同性を有するタンパク質をコードする。星状細胞は、血液脳関門に寄与するので（参考文献４）、この遺伝子のＳｔｒａ６に対する相同性、および、星状細胞における発現に基づいて、ＮＯＶ４遺伝子産物は血液脳関門の維持において重要であり得、そして恐らくは、このバリアを隔てての低分子輸送において重要であり得る。従って、低分子治療剤を伴うＮＯＶ４遺伝子産物の調節は、通常は密着結合によってブロックされる、脳への特定の治療的分子の通過を可能にし得る。さらに、自閉症が感染症に関する病理と結びつけられ得、そしてこの特定の遺伝子が自閉症に関する染色体座において見られることが近年示されている（参考文献５）ので、このタンパク質の機能の調節はまた、自閉症の処置において重要であり得る。
【０５５６】
（参考文献：）
（１．Ｍｕｒａｋａｍｉ  Ｙ．，Ｓｕｔｏ  Ｆ．，Ｓｈｉｍｉｚｕ  Ｍ．，Ｓｈｉｎｏｄａ  Ｔ．，Ｋａｍｅｙａｍａ  Ｔ．，Ｆｕｊｉｓａｗａ  Ｈ．（２００１）  マウス神経系におけるプレキシン−Ａサブファミリーメンバーの差別的発現。Ｄｅｖ．Ｄｙｎ．２２０：２４６−２５８。）
プレキシンは、神経組織で発現される膜貫通タンパク質のファミリー（プレキシンファミリー）を構成する。いくつかのプレキシンは、分泌されたまたは膜貫通のセマホリンと直接的に相互作用することが示されているが、Ａサブファミリーに属するプレキシンは、他の膜タンパク質、神経網と複合体を形成し、そして、分泌されたクラス３のセマホリンの化学反発的なシグナルを、細胞またはニューロンへと伝播することが示唆されている。プレキシン−セマホリン相互作用に関して、多くの情報が集められているにも関わらず、神経系におけるプレキシンの役割はよく理解されていない。神経系におけるプレキシンの機能に関する知見を得るために、プレキシン−Ａサブファミリーの３つのメンバー（プレキシン−Ａ１、−Ａ２、および−Ａ３）の、空間的発現パターンおよび時間的発現パターンが、免疫組織化学と組み合わさったインサイチュでのハイブリダイゼーション分析によって、発達中のマウス神経系において分析された。この３つのプレキシンは、発達的に調節される様式で、感覚レセプターまたはニューロンにおいて異なって発現される。このことは、特定のプレキシンまたはプレキシンの組がニューロンエレメントによって共有され、そしてニューロン発達のためのセマホリンに対するレセプターとして機能することを示唆する。
【０５５７】
（ＰＭＩＤ：１１２４１８３３）
（２．Ｏｈｔａ  Ｋ．，Ｍｉｚｕｔａｎｉ  Ａ．，Ｋａｗａｋａｍｉ  Ａ．，Ｍｕｒａｋａｍｉ  Ｙ．，Ｋａｓｕｙａ  Ｙ．，Ｔａｋａｇｉ  Ｓ．，Ｔａｎａｋａ  Ｈ．，Ｆｕｊｉｓａｗａ  Ｈ．（１９９５）  プレキシン：カルシウムイオンの存在下において、同種親和性結合機構を介する細胞接着を媒介する、新規なニューロン細胞表面分子。Ｎｅｕｒｏｎ  １４：１１８９−１１９９）。
【０５５８】
プレキシン（以前はＢ２と呼ばれた）は、Ｘｅｎｏｐｕｓにおいて同定されているニューロン細胞表面分子である。ｃＤＮＡクローニングは、プレキシンは公知のニューロン細胞表面分子への相同性を有さないが、その細胞外セグメントにおいて、ｃ−ｍｅｔプロト癌遺伝子のタンパク質産物の高システイン領域に対して相同であるシステインクラスターの、３つの内部繰り返しを有することを明らかにする。ｃＤＮＡトランスフェクションによってＬ細胞の表面で発現された外因性プレキシンタンパク質は、カルシウムイオンの存在下で、同種親和性結合機構を介する細胞接着を媒介する。プレキシンは、特定の感覚系のレセプターおよびニューロンにおいて発現される。これらの知見は、プレキシンが新規なカルシウム依存性の細胞接着分子であることを示し、そして特定のニューロン細胞相互作用および／または接触におけるその関与を示唆する。
【０５５９】
（３．Ｂｏｕｉｌｌｅｔ  Ｐ．，Ｓａｐｉｎ  Ｖ．，Ｃｈａｚａｕｄ  Ｃ．，Ｍｅｓｓａｄｄｅｑ  Ｎ．，Ｄｅｃｉｍｏ  Ｄ．，  Ｄｏｌｌｅ  Ｐ．，Ｃｈａｍｂｏｎ  Ｐ．（１９９７）  新型の膜タンパク質をコードするレチノイン酸応答性遺伝子、Ｓｔｒａ６の発達的な発現パターン。Ｍｅｃｈ．Ｄｅｖ．６３：１７３−１８６。）
レチン酸は、標的遺伝子の発現の調節により、発達、成長および分化において重要な役割を果たす。新しいレチン酸誘導性遺伝子（Ｓｔｒａ６）は、減算ハイブリダイゼーションｃＤＮＡクローニング技術を用いてＰ１９胚性癌細胞において同定されている。Ｓｔｒａ６は、新型の非常に疎水的な膜タンパク質（これは、以前に特徴付けられた完全な膜タンパク質に対する類似性を示さない）をコードする。Ｓｔｒａ６（これは、発達の間および成人において、特定の発現パターンを示す）は、血液−器官関門のレベルで強く発現される。興味深いことに、精巣セルトリ細胞において、Ｓｔｒａ６は、全ての細管でＳｔｒａ６が発現されるＲＡＲα無変異体の精巣において失われる、精子形成周期依存性の発現を有する。このＳｔｒａ６タンパク質は、現在のところ同定されていない輸送機構の成分であり得る。
【０５６０】
（ＰＭＩＤ  ９２０３１４０）
４．Ｐａｒｄｒｉｄｇｅ  Ｗ．Ｍ．（１９９９）Ｂｌｏｏｄ−ｂｒａｉｎ  ｂａｒｒｉｅｒ  ｂｉｏｌｏｇｙ  ａｎｄ  ｍｅｔｈｏｄｏｌｏｇｙ．Ｊ．Ｎｅｕｒｏｖｉｒｏｌ．５：５５６−６９。
【０５６１】
血液−脳関門（ＢＢＢ）は、脊椎動物の脳の中を通る毛細血管の内皮内の上皮様の高抵抗性の緊密な接合部によって形成される。ＢＢＢの存在に起因して、循環している分子は２つのプロセスのうちの１つのみを通じて脳細胞への通路を獲得する：（ｉ）自由な拡散によるＢＢＢを通じる、低分子の脂質によって媒介される輸送、または（ｉｉ）触媒される輸送。後者は、低分子量の栄養素および水溶性ビタミンについてのキャリアによって媒介される輸送プロセス、または循環しているペプチド（例えば、インシュリン）、血漿タンパク質（例えば、トランスフェリン）、もしくはウイルスについてのレセプターによって媒介される輸送を含む。ＢＢＢの透過性自体は、毛細血管の内皮細胞の血漿膜の生化学的特性によって制御されるが、脳全体の微小血管の生物学は、毛細血管の内皮と脳の微小循環を含む他の２つの主要な細胞（すなわち、毛細血管の周細胞（これは、内皮細胞および星状細胞の小足と基膜を共有し、脳の毛細血管の基膜のアルブミン（ａｂｌｕｍｉｎａｌ）の表面の９９％を提供する））との間でのパラクリン相互作用の機能である。しばしば毛細血管の内皮に起因するとされる微小血管の機能は、実際には、毛細血管の周細胞または毛細血管の星状細胞の小足のいずれかによって実行される。ＢＢＢ方法論に関して、この重要な膜を通過する生物学的な輸送を研究するためのインビボでの種々の方法が存在している。伝統的な生理学的技術は、現在は、新たに単離された動物またはヒトの脳の毛細血管を使用する最新の生化学的アプローチおよび分子生物学的アプローチと関係付けられ得る。単離された脳の毛細血管の内皮細胞はまた、「インビトロのＢＢＢ」モデルを形成するように組織培養物中で増殖され得る。しかし、ＢＢＢの研究は、インビトロのＢＢＢモデルのみを使用して行うことはできず、むしろインビボでの研究と、インビトロのＢＢＢモデルを用いて行われた観察とを相関させることが必要である。
【０５６２】
ＰＭＩＤ：１０６０２３９７
５．Ｈｏｒｎｉｇ  Ｍ．，Ｗｅｉｓｓｅｎｂｏｃｋ  Ｈ．，Ｈｏｒｓｃｒｏｆｔ．Ｎ，Ｌｉｐｋｉｎ  Ｗ．Ｉ．（１９９９）Ａｎ  ｉｎｆｅｃｔｉｏｎ−ｂａｓｅｄ  ｍｏｄｅｌ  ｏｆ  ｎｅｕｒｏｄｅｖｅｌｏｐｍｅｎｔａｌ  ｄａｍａｇｅ．Ｐｒｏｃ．Ｎａｔｌ．Ａｃａｄ．Ｓｃｉ．ＵＳＡ  ９６：１２１０２−１２１０７。
【０５６３】
感染因子および毒素に対する周産期での曝露は、神経精神医学的障害の病理に関連するが、環境的誘因が、発達途中の、免疫エレメントおよび神経エレメントと相互作用して神経発達障害を生じる機構は、ほとんど理解されていない。Ｈｏｒｎｉｇらは、神経向性非細胞溶解性ＲＮＡウイルスであるボルナ病ウイルスでの新生児ラットの感染に基づく中枢神経系の発達の障害を研究するためのモデルを記載する。感染は、異常な立ち直り（ｒｉｇｈｔｉｎｇ）反射、活動過剰、明るい場所（ｏｐｅｎ−ｆｉｅｌｄ）での診査の阻害、および常同症的行動（Ｓｔｅｒｅｏｔｙｐｉｃ  ｂｅｈａｖｉｏｒ）を生じる。構造は海馬および小脳で顕著に破壊され、顆粒球およびＰｕｒｋｉｎｊｅ細胞の数の減少を伴う。ニューロンは、前アポトーシス産物（Ｆａｓ、カスパーゼ−１）のｍＲＮＡレベルの増大、抗アポトーシス性ｂｃｌ−ｘのｍＲＮＡレベルの減少、および断片化されたＤＮＡのインサイチュ標識によって支持されるようにアポトーシスによって主に失われる。炎症による浸潤が、前頭部皮質において一時的に観察されるが、神経膠の活性化（微小神経膠細胞増加＞星状細胞増加）は脳全体で顕著であり、そして前炎症性サイトカイン（インターロイキン１α、１β、および６、ならびに腫瘍壊死因子α）のｍＲＮＡのレベルの増大、ならびに進行性の海馬および小脳の損傷と同調して数週間維持される。これらの機能と神経病理学的な異常のヒトの神経発達性障害に対する類似性は、発達中の中枢神経系と環境の影響との相互の関係の、細胞性、生化学的、組織学的、および機能的な結果を定義するためのこのモデルの有用性を示唆する。
【０５６４】
ＰＭＩＤ：１０５１８５８３
（ＮＯＶ５）
ＮＯＶ５遺伝子の発現を、表３４に記載するプライマー−プローブのセットＡｇ２９７６を使用して評価した。ＲＴＱ−ＰＣＲの実行による結果を、表３５、３６、３７、３８、および３９に示す。
【０５６５】
【表３４】
2004527222.tif 000192
【０５６６】
【表３５】
2004527222.tif 000193
2004527222.tif 000194
2004527222.tif 000195
【０５６７】
【表３６】
2004527222.tif 000196
2004527222.tif 000197
2004527222.tif 000198
【０５６８】
【表３７】
2004527222.tif 000199
2004527222.tif 000200
2004527222.tif 000201
【０５６９】
【表３８】
2004527222.tif 000202
2004527222.tif 000203
2004527222.tif 000204
【０５７０】
【表３９】
2004527222.tif 000205
2004527222.tif 000206
（パネル１．３の概要：）
Ａｇ２９７６。同じプローブ／プライマーセットを使用する２つの実験による結果は、多少の不一致を示す；従って、２つの実験の間で共通する結果のみが本明細書中において考慮される。ＮＯＶ５遺伝子は、胃（ＣＴ＝２８〜２９）および精巣（ＣＴ＝３０〜３１）において中程度で発現している。さらに、この遺伝子の低いが有意な発現が、扁桃、海馬、黒質、視床および大脳皮質を含むＣＮＳのいくつかの部分において見られる。ＮＯＶ５遺伝子は、Ｄ１／Ｄ５クラスのドパミンレセプターと相同性を有するタンパク質をコードする。ドパミン（Ｄ２）レセプターは、既知の全ての抗精神病薬の最もよく確立された作用部位であり、このことは、神経精神医学的疾患におけるドパミン作用性系に関する中心的役割を示唆する。ドパミンＤ５レセプターとのこのレセプターの相同性は、このレセプターを、精神医学的疾患（特に抑うつ症、双極性障害、精神分裂病、および分裂感情性の障害）に関する優れた候補薬剤標的とする。さらに、ＮＯＶ５遺伝子発現は、多数の脳癌細胞株においてダウンレギュレートされているようである。
【０５７１】
（パネル２Ｄの概要：）
Ａｇ２９７６。ＮＯＶ５遺伝子の発現は、このパネルにおけるサンプル間では、胃において最も高い（ＣＴ＝３０）；この結果は、パネル１．３Ｄにおいて観察されたものと一致している。興味深いことに、この遺伝子の発現は、正常縁と比べた場合、胃の腫瘍３／３において、より低い。それゆえ、ＮＯＶ５遺伝子の発現は、胃癌組織から正常な胃組織を区別するために用いられ得る。さらに、ＮＯＶ５遺伝子産物の治療的調節は、胃癌の処置のおいて有益であり得る。
【０５７２】
（パネル３Ｄの概要：）
Ａｇ２９７６。ＮＯＶ５遺伝子の低いが有意な発現は、３つの肺癌細胞株に限定される。それゆえ、この遺伝子の発現は、他の細胞株から肺癌細胞株を区別する際において有用であり得る。
【０５７３】
（パネル４Ｄの概要：）
Ａｇ２９７６。ＮＯＶ５遺伝子の発現は、結腸において最も高い（ＣＴ＝３０．２）。この遺伝子は、ＩＢＤ大腸炎およびＩＢＤクローン病において、発現が低下しており、このことは、これらの疾患における潜在的役割を示唆する。さらに、ＮＯＶ５遺伝子は、肺、ＩＬ−４によって処理した皮膚線維芽細胞、肝硬変症、ラモスＢ細胞（Ｒａｍｏｓ  Ｂ  ｃｅｌｌｓ）において、低レベルで発現される。
【０５７４】
（パネルＣＮＳＤ．０１の概要：）
Ａｇ２９７６。ＮＯＶ５遺伝子は、脳において低〜中程度のレベルで発現しており、少なくとも、海馬、大脳皮質、黒質、視床、淡蒼球および扁桃において存在している。パネルＣＮＳ＿１において、この遺伝子は、抑うつ症の患者の脳のいくつかの領域において低下した発現を示す。ドパミン（Ｄ２）レセプターは、既知の全ての抗精神病薬の最もよく確立された作用部位であり、このことは、神経精神医学的疾患におけるドパミン作用性系に関する中心的役割を示唆する。抑うつ症におけるそのダウンレギュレーションに加えて、ドパミンＤ５レセプターとのこのレセプターの相同性は、このレセプターを、精神医学的疾患（特に抑うつ症、双極性障害、精神分裂病、および分裂感情性の障害）に関する優れた候補薬剤標的とする。
【０５７５】
（ＮＯＶ７ａおよびＮＯＶ７ｂ）
ＮＯＶ７ａ遺伝子およびＮＯＶ７ｂ遺伝子の発現を、表４０および表４１に記載するプライマー−プローブのセットＡｇ７６０およびＡｇ１５３７を使用して評価した。ＲＴＱ−ＰＣＲの実行による結果を、表４２、４３、４４、および４５に示す
【０５７６】
【表４０】
2004527222.tif 000207
【０５７７】
【表４１】
2004527222.tif 000208
【０５７８】
【表４２】
2004527222.tif 000209
2004527222.tif 000210
2004527222.tif 000211
【０５７９】
【表４３】
2004527222.tif 000212
2004527222.tif 000213
【０５８０】
【表４４】
2004527222.tif 000214
2004527222.tif 000215
2004527222.tif 000216
【０５８１】
【表４５】
2004527222.tif 000217
2004527222.tif 000218
2004527222.tif 000219
（パネル１．２の概要：）
Ａｇ７６０／Ａｇ１５３７。異なるプローブ／プライマーセットを使用する２つの実験による結果は、多少の不一致を示す。Ａｇ７６０を用いると、甲状腺において最も高い発現を有するこのパネルにおける多くの正常組織サンプルに渡って、ＮＯＶ７ａ遺伝子の発現は、高程度から中程度である（ＣＴ＝２０．１）。Ａｇ１５３７を用いると、腎臓において最も高い発現を有するこのパネルにおける多くの正常組織サンプルに渡って、ＮＯＶ７ａ遺伝子の発現は、高程度から中程度である（ＣＴ＝２１．６）。いくつかのサンプルにおける発現レベルが実験間で異なるが、この遺伝子が正常組織に由来するサンプルにおいて排他的に発現し、癌細胞株において発現しないことは明らかである。それゆえ、この遺伝子の発現は、正常組織と培養細胞を区別するために用いられ得る。
【０５８２】
ＰＶ−１様タンパク質は、細胞外ドメインを有する原形質膜タンパク質である。この遺伝子の発現は、膵臓、副腎、甲状腺、下垂体、成人の心臓および胎児の心臓、骨格筋、および成人の肝臓および胎児の肝臓を含む多様な代謝性組織において高い（ＣＴ値２７以下）。このタンパク質の細胞外ドメインは、このタンパク質を、これらの組織のいずれかまたは全てにおける疾患の処置に関する潜在的な抗体標的とする。
【０５８３】
（パネル１．３の概要：）
Ａｇ７６０。ＮＯＶ７ａ遺伝子の発現は、小腸において最も高い（ＣＴ＝２６）。この遺伝子は、正常組織に由来するサンプルにおいて排他的に発現し、癌細胞株において発現せず、このことは、パネル１．２において観察されたことと一致している。それゆえ、この遺伝子の発現は、正常組織と培養細胞を区別するために用いられ得る。
【０５８４】
代謝性組織における発現は、膵臓、脂肪、副腎、甲状腺、下垂体、心臓、骨格筋、および肝臓において高い。
【０５８５】
この遺伝子は、ＣＮＳ全体を通して低いレベルから中程度のレベルで発現しており、特に、扁桃、小脳、海馬、黒質、視床、大脳皮質および脊髄において見出される。
【０５８６】
（パネル２Ｄの概要：）
Ａｇ１５３７。ＮＯＶ７ａ遺伝子の発現は、腎臓癌サンプルのにおいて最も高い（ＣＴ＝２５）。概して、この遺伝子は、パネル２Ｄに渡って、正常組織および隣接する癌組織の両方において、広く発現している。しかし、全事例において、ＮＯＶ７ａ遺伝子は、隣接する正常組織よりも腎臓癌組織において、より高く発現しているようである。それゆえ、この遺伝子は、正常腎臓組織から腎臓癌を区別するために用いられ得る。さらに、この遺伝子の治療的調節は、低分子薬剤または抗体の使用を通して、腎臓癌の処置において有益であり得る。
【０５８７】
（パネル４Ｄの概要：）
Ａｇ７６０。ＮＯＶ７ａ遺伝子の発現は、肺および胸腺において最も高い（ＣＴ＝２６）。この遺伝子の高発現はまた、内皮細胞および好塩基性細胞におけるより中程度の発現を有する正常腎臓および結腸において見られる。肺および肺微小血管内皮細胞におけるＮＯＶ７ａ遺伝子の発現は、ＰＶ−１タンパク質について観察された発現パターンと一致している（１）。ＮＯＶ７ａ遺伝子によってコードされるタンパク質に対する抗体は、異なる組織部位への炎症性細胞の内皮細胞を横切る輸送を妨害し得、従って、遅延型過敏症、ぜん息、気腫、慢性関節リウマチおよびＩＢＤを含む炎症性疾患の処置に関する潜在的な用途を有する。
【０５８８】
参考文献：
１．Ｓｔａｎ  Ｒ．Ｖ．，Ｋｕｂｉｔｚａ  Ｍ．，およびＰａｌａｄｅ  Ｇ．Ｅ．（１９９９）ＰＶ−１  ｉｓ  ａ  ｃｏｍｐｏｎｅｎｔ  ｏｆ  ｔｈｅ  ｆｅｎｅｓｔｒａｌ  ａｎｄ  ｓｔｏｍａｔａｌ  ｄｉａｐｈｒａｇｍｓ  ｉｎ  ｆｅｎｅｓｔｒａｔｅｄ  ｅｎｄｏｔｈｅｌｉａ．Ｐｒｏｃ．Ｎａｔｌ．Ａｃａｄ．Ｓｃｉ．ＵＳＡ  ９６：１３２０３−１３２０７．
ＰＶ−１は、免疫細胞化学的試験によって肺内皮における小胞の小孔性隔膜に特に関連することが示された新規の内皮タンパク質である。ｍＲＮＡおよびタンパク質の両方の最も高い発現レベルは肺においてであるが、ＰＶ−１はまた、他の器官においても発現していることが見出された。ＰＶ−１の細胞外ドメインに対する特異的抗体を用い、Ｓｔａｎらは、光学顕微鏡レベルおよび電子顕微鏡レベルにおいて、いくつかのラット組織におけるこのタンパク質の存在の調査を拡げた。Ｓｔａｎらは、免疫蛍光によって、その抗体が、高い特異性を有し、腎臓の有窓性周細管性毛細管の内皮、ならびに腸絨毛、膵臓、および副腎の有窓性周細管性毛細管の内皮を認識することを示す。電子顕微鏡レベルにおける免疫学的局在決定によって、その抗体は、有窓性隔膜、ならびに脈管の床の内皮における小胞および内皮を横切るチャネルの小孔性隔膜を特異的に認識する。心臓、骨格筋、腸管の筋層、または脳毛細管の連続内皮、あるいは腎臓糸球体の非隔膜性有窓性内皮において、シグナルは検出されなかった。まとめると、これらの知見は、今までのところは有窓性隔膜に局在する唯一の抗原を定義する。それらまた、小胞および内皮を横切るチャネルの小孔性隔膜、ならびに有窓性隔膜が、生化学的に関連し得、さらに、形態学的に類似の構造であり得ることを示す。
【０５８９】
ＰＭＩＤ：１０５５７２９８
（ＮＯＶ８ａおよびＮＯＶ８ｂ）
ＮＯＶ８ａ遺伝子およびその改変体の発現を、表４６、表４７および表４８に記載するプライマー−プローブのセットＡｇ１４７、Ａｇ７１８、Ａｇ３６８１およびＡｇ４０８５を使用して評価した。ＲＴＱ−ＰＣＲの実行による結果を、表４９、５０、５１、５２、および５３に示す。
【０５９０】
【表４６】
2004527222.tif 000220
【０５９１】
【表４７】
2004527222.tif 000221
【０５９２】
【表４８】
2004527222.tif 000222
【０５９３】
【表４９】
2004527222.tif 000223
2004527222.tif 000224
【０５９４】
【表５０】
2004527222.tif 000225
2004527222.tif 000226
2004527222.tif 000227
【０５９５】
【表５１】
2004527222.tif 000228
2004527222.tif 000229
2004527222.tif 000230
【０５９６】
【表５２】
2004527222.tif 000231
2004527222.tif 000232
2004527222.tif 000233
【０５９７】
【表５３】
2004527222.tif 000234
2004527222.tif 000235
2004527222.tif 000236
2004527222.tif 000237
（パネル１の概要：）
Ａｇ１４７。ＮＯＶ８ａ遺伝子の発現は、精巣において最も高い（ＣＴ＝２５．１）。この遺伝子はまた、扁桃、小脳、海馬、黒質、視床、視床下部および脊髄を含むＣＮＳ全体に渡って高程度から中程度で発現しており、このことは、ＣＮＳプロセスにおける重要な役割を示唆している。ＮＯＶ８ａ遺伝子は、ＰＡＰＩＮ（ＰＳＤ−９５／Ｄ１ｇ−Ａ／ＺＯ−１（ＰＤＺ）タンパク質と相互作用するプラコフィリン（ｐｌａｋｏｐｈｉｌｉｎ）関連アルマジロリピートタンパク質）に対する相同性を有するタンパク質をコードしている。ＰＡＰＩＮのリガンドは、ｐ００７１／ＮＰＲＡＰ／δ−カテニン（δ−ｃａｔｅｎｉｎ）およびプレセリニン１（ｐｒｅｓｅｎｉｌｉｎ１）と複合体を形成すると考えられており、ＮｏｔｃｈまたはＷｎｔ／Ｗｉｎｇｌｅｓｓ経路において重要な働きをし得る。プレセリニンはアルツハイマー病において役割を果たすことが知られているので、ＮＯＶ８Ａ遺伝子産物とその生物学的相互作用物との間の相互作用のインヒビターは、アルツハイマー病の処置または癌または自閉症などのＷｎｔ経路に関係する他の疾患の処置において有用であり得る。
【０５９８】
ＮＯＶ８ａ遺伝子の発現の低レベルはまた、膵臓、副腎、下垂体、甲状腺、心臓、骨格筋、および肝臓を含むいくつかの代謝性組織のおいて見られる。従って、この遺伝子は、これらの組織のいずれかまたは全てにおける疾患の発症のおいて役割を果たし得る。
【０５９９】
（パネル１．２の概要：）
Ａｇ７１８。同じプローブ／プライマーセットを使用する３つの実験による結果は、あまり一致しないことを示す。この議論は、その実験の大多数において見られた結果と関連する。ＮＯＶ８ａ遺伝子の発現は、心臓および大脳皮質において最も高い。それゆえ、この遺伝子は、潜在的に、他の組織から心臓および大脳皮質を区別するために用いられ得る。この遺伝子はまた、脊髄、海馬、扁桃、小脳、および視床を含むＣＮＳの他の領域において高程度から中程度発現している。ＣＮＳにおけるこの遺伝子の潜在的な有用性の記載についてはパネル１の要約を参照。
【０６００】
（パネル２Ｄの概要：）
Ａｇ７１８。同じプローブ／プライマーセットを使用する３つの実験による結果は、良好に一致する。パネル２ＤにおけるＮＯＶ８ａ遺伝子の発現は、腎臓癌に由来するサンプルにおいて最も高い。しかし、このパネルにおける有意な発現パターンは、隣接する癌組織に比べた場合、正常組織においてより高く発現している。この遺伝子は、正常コントロールに比較して、腎臓癌の９つのうち７つ、および肺癌の５つのうち５つにおいてより低いレベルで発現している。それゆえ、ＮＯＶ８ａの遺伝子の発現は、癌の腎臓組織または癌の肺組織から正常な腎臓組織または正常な肺組織を区別するために用いられ得、診断マーカーとして有用性を有し得る。最後に、この遺伝子産物の治療的調節は、肺癌または腎臓癌の処置において有用性を有し得る。
【０６０１】
パネル４Ｄ／４Ｒの要約：Ａｇ７１８。同じプローブ／プライマーセットを使用する３つの実験による結果は、合理的に一致している。ＮＯＶ８ａ遺伝子は、ＴＮＦａおよびＩＦＮｇによって処置されたケラチノサイトにおいて高く発現される。この遺伝子の有意な発現はまた、ＴＮＦａおよびＩＬ−１ｂによって処理された胸腺、小気道上皮および微小管性皮膚内皮において見られる。従って、ＮＯＶ８ａ遺伝子によってコードされるタンパク質に対する抗体は、ぜん息、気腫、乾癬のような皮膚病、および接触過敏症において観察される炎症性反応を下方調節するのに有用であり得る。
【０６０２】
（パネル４．１Ｄの概要：）
Ａｇ３６８１／Ａｇ４０８５。ＮＯＶ８ａ遺伝子は、ＴＮＦａおよびＩＦＮｇによって処置されたケラチノサイトにおいて高く発現しており、このことはパネル４Ｄ／４Ｒにおいて見られるものと一致している。この遺伝子の有意な発現はまた、ＴＮＦａおよびＩＬ−１ｂによって処理された肺微小管性内皮細胞において見られる。従って、ＮＯＶ８ａ遺伝子によってコードされるタンパク質に対する抗体は、ぜん息、気腫、乾癬のような皮膚病、および接触過敏症において観察される炎症性反応を下方調節するのに有用であり得る。
【０６０３】
参考文献：
１．Ｄｅｇｕｃｈｉ  Ｍ．，Ｉｉｚｕｋａ  Ｔ．，Ｈａｔａ  Ｙ．，Ｎｉｓｈｉｍｕｒａ  Ｗ．，Ｈｉｒａｏ  Ｋ．，Ｙａｏ  Ｉ．，Ｋａｗａｂｅ  Ｈ．，Ｔａｋａｉ  Ｙ．（２０００）ＰＡＰＩＮ．Ａ  ｎｏｖｅｌ  ｍｕｌｔｉｐｌｅ  ＰＳＤ−９５／Ｄ１ｇ−Ａ／ＺＯ−１  ｐｒｏｔｅｉｎ  ｉｎｔｅｒａｃｔｉｎｇ  ｗｉｔｈ  ｎｅｕｒａｌ  ｐｌａｋｏｐｈｉｌｉｎ−ｒｅｌａｔｅｄ  ａｒｍａｄｉｌｌｏ  ｒｅｐｅａｔ  ｐｒｏｔｅｉｎ／ｄｅｌｔａ−ｃａｔｅｎｉｎ  ａｎｄ  ｐ００７１．Ｊ．Ｂｉｏｌ．Ｃｈｅｍ．２７５：２９８７５−２９８８０。
【０６０４】
神経性プラコフィリン関連アルマジロリピートタンパク質（ＮＰＲＡＰ）／δ−カテニンは、アルツハイマー病関連遺伝子産物の１つである、プレセリニン１と相互作用する。Ｄｅｇｕｃｈｉらは以前に、ＮＰＲＡＰ／δ−カテニンとシナプスのスカフォールド分子（シナプスの構成要素の会合に関与する）との相互作用を報告した。ＮＰＲＡＰ／δ−カテニンはまた、Ｅ−カドヘリン（Ｅ−ｃａｄｈｅｒｉｎ）およびβ−カテニン（β−ｃａｔｅｎｉｎ）と相互作用し、細胞−細胞接合部の機構に関与している。ｐ００７１（ＮＰＲＡＰ／δ−カテニンの偏在性のアイソフォーム）は、ＨｅＬａ細胞およびＡ４３１細胞におけるデスモソームおよびＭａｄｉｎ−Ｄａｒｂｙウシ腎臓細胞における接着性の接合部に局在化する。Ｄｅｇｕｃｈｉらは、この論文においてＮＰＲＡＰ／δ−カテニンおよびｐ００７１と相互作用する新規タンパク質を同定し、このタンパク質をＰＳＤ−９５／Ｄ１ｇ−Ａ／ＺＯ−１（ＰＤＺ）タンパク質と相互作用するプラコフィリン関連アルマジロリピートタンパク質（ＰＡＰＩＮ）と名づけた。ＰＡＰＩＮは、６つのＰＤＺドメインを有し、第二番目のＰＤＺドメインを介してＮＰＲＡＰ／δ−カテニンおよびｐ００７１と結合する。ＰＡＰＩＮおよびｐ００７１は、様々な組織に偏在的に発現し、正常ラット腎臓細胞および気管支の上皮細胞における細胞−細胞接合部に局在している。ＰＡＰＩＮは、上皮接合部の構成要素とｐ００７１を連結するスカホールドタンパク質であり得る。
【０６０５】
ＰＭＩＤ：１０８９６６７４
２．Ｆｒａｓｅｒ  Ｐ．Ｅ．，Ｙｕ  Ｇ．，Ｌｅｖｅｓｑｕｅ  Ｌ．，Ｎｉｓｈｉｍｕｒａ  Ｍ．，Ｙａｎｇ  Ｄ．Ｓ．，Ｍｏｕｎｔ  Ｈ．Ｔ．，Ｗｅｓｔａｗａｙ  Ｄ．，Ｓｔ  Ｇｅｏｒｇｅ−Ｈｙｓｌｏｐ  Ｐ．Ｈ．（２００１）Ｐｒｅｓｅｎｉｌｉｎ  ｆｕｎｃｔｉｏｎ：ｃｏｎｎｅｃｔｉｏｎｓ  ｔｏ  Ａｌｚｈｅｉｍｅｒ’ｓ  ｄｉｓｅａｓｅ  ａｎｄ  ｓｉｇｎａｌ  ｔｒａｎｓｄｕｃｔｉｏｎ．Ｂｉｏｃｈｅｍ．Ｓｏｃ．Ｓｙｍｐ．６７：８９−１００．
プレセリニン１（ＰＳ１）およびプレセリニン２（ＰＳ２）におけるミスセンス変異は、早発性の家族性アルツハイマー病に関連し、アミロイド斑および神経細線維変化物の加速された沈着を見せる。プレセリニンは、多重膜貫通タンパク質であり、最初は小胞体およびゴルジコンパートメントに主に局在する。Ｆｒａｓｅｒらは以前に、ＰＳ１が、いくつかの機能的リガンドを含むと思われる高分子量複合体として存在することを実証した。潜在的な結合タンパク質は、細胞質に方向付けられるＰＳ１ループドメイン（β−カテニン、ｐ００７１および新規の神経特異的プラコフィリン関連アルマジロタンパク（ＮＰＲＡＰ）を含むアルマジロファミリータンパク質のメンバーと強く相互作用することが示された）を用いて酵母ツーハイブリッド系によってスクリーニングされた。アルマジロタンパク質は、細胞接合部／シナプスの安定化およびシグナル伝達経路の媒介を含む二重の機能を有し得る。これらの観察は、ＰＳ１が、神経突起成長に関与するアルマジロ関連経路およびｗｉｎｇｌｅｓｓ（Ｗｎｔ）経路の活性化によるβ−カテニンの核内移行の両方の曲面に寄与し得ることを示唆する。アルツハイマー病（ＡＤ）関連プレセリニン変異は、Ｗｎｔシグナル伝達に続くβ−カテニンの核内移行を妨害する結果となる異常な機能の優性獲得（ｄｏｍｉｎａｎｔ  ｇａｉｎ）を示す。これらの知見は、シグナル伝達におけるＰＳ１の機能的役割を示し、そして選択したプレセニリンリガンドの誤輸送がＡＤ発症における潜在的な機構であり得ることを示唆する。
【０６０６】
ＰＭＩＤ：１１４４７８４３
３．Ｗａｓｓｉｎｋ  Ｔ．Ｈ．，Ｐｉｖｅｎ  Ｊ．，Ｖｉｅｌａｎｄ  Ｖ．Ｊ．，Ｈｕａｎｇ  Ｊ．，Ｓｗｉｄｅｒｓｋｉ  Ｒ．Ｅ．，Ｐｉｅｔｉｌａ  Ｊ．，Ｂｒａｕｎ  Ｔ．，Ｂｅｃｋ  Ｇ．，Ｆｏｌｓｔｅｉｎ  Ｓ．Ｅ．，Ｈａｉｎｅｓ  Ｊ．Ｌ．，Ｓｈｅｆｆｉｅｌｄ  Ｖ．Ｃ．（２００１）Ｅｖｉｄｅｎｃｅ  ｓｕｐｐｏｒｔｉｎｇ  ＷＮＴ２  ａｓ  ａｎ  ａｕｔｉｓｍ  ｓｕｓｃｅｐｔｉｂｉｌｉｔｙ  ｇｅｎｅ．Ａｍ．Ｊ．Ｍｅｄ．Ｇｅｎｅｔ．１０５：４０６−４１３．
Ｗａｓｓｉｎｋらは、以下の理由によって自閉症の候補疾患遺伝子としてＷＮＴ２を調べた。第一に、ＷＮＴファミリーの遺伝子は、中枢神経系を含む多数の器官および器官系の発達に影響を与える。第二に、ＷＮＴ２は、自閉症に関係する染色体７ｑ３１−３３の領域に局在し、自閉症を有する個体における染色体の切断点（ｂｒｅａｋ  ｐｏｉｎｔ）に隣接している。第三に、Ｄｖｌ１（ＷＮＴ経路の機能に重要な遺伝子ファミリーのメンバーである）のノックアウトマウスは、社会的相互作用の減少によって主に特徴づけられる行動の表現型を示す。Ｗａｓｓｉｎｋらは、多数の自閉症発端者において、変異に関するＷＮＴ２のコード配列をスクリーニングし、彼（彼女）らの家族において自閉症を伴う分離された非保存的コード配列改変体を含む２つの家族を見い出した。Ｗａｓｓｉｎｋらはまた、ＷＮＴ２  ３’ＵＴＲ  ＳＮＰと自閉症に罹患した兄弟の組（ＡＳＰ）の、家族および三人組のサンプルの間の連鎖不均衡（ＬＤ）を同定した。ＬＤは、重篤な深刻な言語異常の存在によって規定されるＡＳＰ家族のサブグループからほぼ排他的に生じ、そしてまた、本発明者らが以前に公開したゲノムワイドリンケージスクリーン（ｇｅｎｏｍｅｗｉｄｅ  ｌｉｎｋａｇｅ  ｓｃｒｅｅｎ）からの７ｑに対する連鎖に関する証拠に関連することが見い出された。さらに、発現分析は、ヒト視床におけるＷＮＴ２の発現を実証した。これらの知見に基づいて、Ｗａｓｓｉｎｋらは、ＷＮＴ２遺伝子にまれに生じる変異が、単一コピーに存在する場合でさえも自閉症に対する感受性を著しく増加させる一方、未だ同定されていない、より一般的なＷＮＴ２対立遺伝子が存在し、より小さい程度であれ、この疾患に寄与し得るという仮説を立てている。
【０６０７】
ＰＭＩＤ：１１４４９３９１
４．Ｄｅ  Ｆｅｒｒａｒｉ  Ｇ．Ｖ．，Ｉｎｅｓｔｒｏｓａ  Ｎ．Ｃ．（２０００）Ｗｎｔ  ｓｉｇｎａｌｉｎｇ  ｆｕｎｃｔｉｏｎ  ｉｎ  Ａｌｚｈｅｉｍｅｒ’ｓ  ｄｉｓｅａｓｅ．Ｂｒａｉｎ  Ｒｅｓ  Ｂｒａｉｎ  Ｒｅｓ  Ｒｅｖ  ３３：１−１２。
【０６０８】
アルツハイマー病（ＡＤ）は、脳における３つの主な構造変化を伴う進行性の痴呆を有する神経変性疾患である：神経の拡散性欠損；神経細線維もつれ（ＮＦＴ）と称される細胞内タンパク質沈着物、およびジストロフィーの軸索によって囲まれるアミロイド斑または老人斑と称される細胞外タンパク質沈着物。２つの主な仮説がこの疾患の分子ホールマーク（ｈａｌｌｍａｒｋ）を説明するために提唱されている：「アミロイドカスケード」仮説および「ニューロンの細胞骨格変性」仮説。前者は、ＡＤ（ＦＡＤ）の早発性の家族性形態における遺伝学的研究によって支持され、後者は、タンパク質タウ（ｔａｕ）に関連した微小管の異常リン酸化状態を含む細胞骨格の変化が老人斑の沈着物に先行し得るという、インビボにおける観察を中心に展開する。最近の研究は、膜関連タンパク質の輸送過程がＦＡＤに連結したプレセニリン（ＰＳ）タンパク質によって調節され、アミロイドβ−ペプチド沈積が、分泌経路を通じて細胞内で開始され得ることが示唆された。プレセニリン機能に関する現在の仮説は、その細胞局在、ならびに細胞接着／シグナル伝達β−カテニン分子およびグリコゲンシンターゼキナーゼ３β（ＧＳＫ−３β）酵素との巨大分子複合体として想定されるその相互作用に基づいている。発生学的研究は、ＰＳタンパク質がＮｏｔｃｈシグナル伝達カスケードにおける構成要素として機能し、そしてβ−カテニンおよびＧＳＫ−３βがＷｎｔシグナル伝達経路のトランスデューサーであることを示した。両方の経路は、脳の発達において重要な働きを有していると考えられ、そしてＷｎｔ経路のトランスデューサーとして知られるＤｉｓｈｅｖｅｌｌｅｄ（Ｄｖ１）タンパク質を介してつながっている。この目的における研究の現在の状態の総説に加えて、ＤｅＦｅｒｒａｒｉらは、Ｗｎｔシグナル伝達構成要因の持続的機能欠損が一連の誤認識事象の引き金となり、ＡＤの発症および進行を決定するという細胞シグナル伝達モデルを示している。
【０６０９】
ＰＭＩＤ：１０９６７３５１
（実施例３．ＮＯＶＸクローンのＳＮＰ分析）
ＳｅｑＣａｌｌｉｎｇＴＭ技術：ｃＤＮＡを、異なるドナーに由来する複数の組織型、正常、および疾患状態、生理学的状態、および発達状態を示す種々のヒトサンプルから導いた。サンプルを、組織全体、細胞株、初代細胞、または組織培養した初代細胞および細胞株として得た。細胞および細胞株を、遺伝子発現を調節する生物学的または化学的な試薬（例えば、成長因子、ケモカイン、ステロイド）で処理していてもよい。次いで、このように誘導したｃＤＮＡを、ＣｕｒａＧｅｎに所有権のあるＳｅｑＣａｌｌｉｎｇ技術を使用して配列決定した。配列トレースを手作業によって評価し、そして適切である場合には修正を施した。全てのサンプルに由来するｃＤＮＡ配列を、それ自体および公のＥＳＴを用いて、ＳｅｑＣａｌｌｉｎｇアセンブリのＣｕｒａＧｅｎのヒトＳｅｑＣａｌｌｉｎｇデータベースを作成するためのバイオインフォーマティックプログラムを使用してまとめた。それぞれの集合には、１つ以上のヒトのサンプルに由来する１つ以上の重複しているｃＤＮＡ配列を含んだ。集合の別の成分との同一性の程度が５０ｂｐにわたって少なくとも９５％である場合には、集合の構成要素としてフラグメントおよびＥＳＴを含んだ。それぞれの集合は、遺伝子、ならびに／あるいはスプライシング形態および／または一塩基多型（ＳＮＰ）ような改変体、およびそれらの組合せのような改変体を示し得る。
【０６１０】
改変体配列が、本出願に含まれる。変異体配列は、一塩基多型（ＳＮＰ）を含み得る。改変体配列は、一塩基多型（ＳＮＰ）を含み得る。ＳＮＰは、いくつかの例においては、ＳＮＰを含有しているヌクレオチド配列がｃＤＮＡに起源することを示す、「ｃＳＮＰ」と呼ばれる。ＳＮＰは、いくつかの方法で生じ得る。例えば、ＳＮＰは、多型部位でのあるヌクレオチドの別のヌクレオチドへの置換に起因し得る。このような置換は、トランジションまたはトランスバージョンのいずれかであり得る。ＳＮＰはまた、参照対立遺伝子と比較して、ヌクレオチドの欠失またはヌクレオチドの挿入によっても生じ得る。この場合には、多型の部位は、１つの対立遺伝子が、別の対立遺伝子中の特定のヌクレオチドに関してギャップを保有している部位である。遺伝子中に存在しているＳＮＰは、ＳＮＰの位置で遺伝子によってコードされるアミノ酸の変化を生じ得る。しかし、ＳＮＰを含むコドンが遺伝子コードの縮重の結果として同じアミノ酸をコードする場合には、遺伝子内ＳＮＰはまた、サイレントでもあり得る。遺伝子の領域の外側に存在しているＳＮＰ、または遺伝子内のイントロンに存在しているＳＮＰは、タンパク質のアミノ酸配列には全く変化を生じないが、発現パターンの調節の変更（例えば、一過性発現、生理学的応答の調節、細胞型による発現調節、発現の強度、転写されたメッセージの安定性における変更）を生じ得る。
【０６１１】
新規のＳＮＰの同定方法：ＳＮＰは、ＣｕｒａＧｅｎに所有権があるＳＮＰＴｏｏｌアルゴリズムを使用して配列の集合を分析することによって同定される。ＳＮＰＴｏｏｌは、以下の基準で集合の中の変化を同定する：ＳＮＰは、アラインメントの両方の末端上の１０塩基対は分析しない；ウィンドウの大きさ（視野（ビュー）（ｖｉｅｗ）の中の塩基数）は１０である；ウィンドウ内の許容されるミスマッチの数は２である；最少のＳＮＰ塩基量（ＰＨＲＥＤスコア）は２３である；ＳＮＰをスコアするための変化の最少の数は２／（アセンブリの位置）である。ＳＮＰＴｏｏｌは、集合を分析し、そしてＳＮＰの位置、集合中の関連する個々の変異体配列の部位、その所定の位置での集合の深さ、推定される集合の対立遺伝子の頻度、およびＳＮＰ配列のバリエーションを示す。次いで、配列トレースが選択され、そして手作業による確認のためにビュー内に入れられる。コンセンサス集合配列は、ＳＮＰの配列のバリエーションによって生じる可能性のあるアミノ酸変化を同定するために、改変体配列の変化の変化とともにＣｕｒａＴｏｏｌにインポートされる。次いで、広範囲のＳＮＰデータ分析が、ＳＮＰＣａｌｌｉｎｇデータベースに送られる。
【０６１２】
新規のＳＮＰの確認方法：ＳＮＰを、Ｐｙｒｏｓｅｑｕｅｎｃｉｎｇ（Ｐｙｒｏｓｅｑｕｅｎｃｉｎｇ，Ｗｅｓｔｂｏｒｏｕｇｈ，ＭＡ）として公知の検証方法を使用して確認した。Ｐｙｒｏｓｅｑｕｅｎｃｉｎｇのための詳細なプロトコルは、Ａｌｄｅｒｂｏｒｎら、Ｄｅｔｅｒｍｉｎａｔｉｏｎ  ｏｆ  Ｓｉｎｇｌｅ  Ｎｕｃｌｅｏｔｉｄｅ  Ｐｏｌｙｍｏｒｐｈｉｓｍｓ  ｂｙ  Ｒｅａｌ−ｔｉｍｅ  Ｐｙｒｏｐｈｏｓｐｈａｔｅ  ＤＮＡ  Ｓｅｑｕｅｎｃｉｎｇ（２０００）．Ｇｅｎｏｍｅ  Ｒｅｓｅａｒｃｈ．１０、８月８日発行、１２４９−１２６５に見出される。簡潔には、Ｐｙｒｏｓｅｑｕｅｎｃｉｎｇは、遺伝子型分類の実時間プライマーエクステンションプロセスである。このプロトコルは、ゲノムＤＮＡサンプルに由来する二本鎖のビオチン化ＰＣＲ産物を使用し、そしてそれらをストレプトアビジンビーズに結合させる。次いで、これらのビーズは、一本鎖のＤＮＡを生じるように変性させられる。ＳＮＰは、ＤＮＡ鎖の伸張の際にそれぞれのｄＮＴＰから放出されるピロリン酸（ＰＰｉ）の間接的な生体照度アッセイ（ｂｉｏｌｕｍｉｎｏｍｅｔｒｉｃ  ａｓｓａｙ）に基づく技術を利用して特徴付けられる。Ｋｌｅｎｏｗポリメラーゼによって媒介される塩基の取り込み後、ＰＰｉは放出され、そしてＡＴＰスルフリラーゼ（これは、ＡＴＰの形成を生じる）についての基質として、アデノシン５’−ホスホスルフェート（ＡＰＳ）とともに使用される。続いて、ＡＴＰは、ルシフェラーゼの作用によって、そのオキシ誘導体へのルシフェリンの転換を達成する。その後の発光は、約４個の塩基までは付加された塩基の数に比例する。この方法のプロセッシビティーを可能にするために、過剰のｄＮＴＰはアピラーゼによって分解させられる。アピラーゼもまた、最初の反応混合物中に存在し、その結果、配列決定の間にのみｄＮＴＰが鋳型に付加される。このプロセスは、完全に自動化されており、そして９６ウェル形式に適応させられている。これによって、大きなＳＮＰパネルの迅速なスクリーニングが可能である。新規の一塩基多型による改変体のＤＮＡ配列およびタンパク質配列を、報告する。改変体を個別に報告するが、全ての任意の組合せまたは改変体の選択したサブセットもまた含む。さらに、改変体の塩基の位置および改変体のアミノ酸残基には、下線を付ける。
【０６１３】
（結果）
改変体を個別に報告するが、全てのあらゆる組合せまたは改変体の選択したサブセットもまた、本発明の企図されるＮＯＶＸ実施形態として含む。
【０６１４】
（ＮＯＶ１ａのＳＮＰデータ：）
ＮＯＶ１ａは、２個のＳＮＰ改変体を有する。そのヌクレオチド配列およびアミノ酸配列についてのそれらの改変体位置に、それぞれ、配列番号１および２と番号を付ける。ＮＯＶ１ａ改変体のヌクレオチド配列は、表５４に示すように異なる。
【０６１５】
【表５４】
2004527222.tif 000238
（ＮＯＶ７ａのＳＮＰデータ：）
ＮＯＶ７ａは、４個のＳＮＰ改変体を有する。そのヌクレオチドおよびアミノ酸配列についてのそれらの改変位置に、それぞれ、配列番号ＸおよびＹと番号を付ける。ＮＯＶ７ａ改変体のヌクレオチド配列は、表５５に示すように異なる。
【０６１６】
【表５５】
2004527222.tif 000239
（ＮＯＶ８ａのＳＮＰデータ：）
ＮＯＶ８ａは、１個のＳＮＰ改変体を有する。そのヌクレオチドおよびアミノ酸配列についてのそれらの変異位置に、それぞれ、配列番号ＸおよびＹと番号を付ける。ＮＯＶ８ａ改変体のヌクレオチド配列は、表５６に示すように異なる。
【０６１７】
【表５６】
2004527222.tif 000240
（実施例４：ＮＯＶ１のＳＡＧＥ分析）
遺伝子発現の連続分析（すなわち、ＳＡＧＥ）は、遺伝子発現の定量的測定を得るために設計された実験技術である。ＳＡＧＥ技術そのものは、分子生物学的、ＤＮＡ配列決定およびバイオインフォマティクス技術を利用するいくつかの工程を包含する。これらの工程（Ａｄａｍｓ  ＭＤ、”Ｓｅｒｉａｌ  ａｎａｌｙｓｉｓ  ｏｆ  ｇｅｎｅ  ｅｘｐｒｅｓｓｉｏｎ：ＥＳＴｓ  ｇｅｔ  ｓｍａｌｌｅｒ．”Ｂｉｏａｓｓｅｙ．１８（４）：２６１−２（１９９６）に総説される）は、９塩基または１０塩基の「タグ」（これらは、いくつか様式で遺伝子の説明を割り当てられる）を作成するために用いられた。実験的な理由として、これらのタグは、ｃＤＮＡ配列における最も３’末端側にあるＮｌａＩＩＩ制限部位のの３’末端のすぐ隣にある。Ｃａｎｃｅｒ  Ｇｅｎｏｍｅ  Ａｎａｔｏｍｙ  Ｐｒｏｊｅｃｔ（すなわちＣＧＡＰ）は、癌細胞の分子フィンガープリントを描写することを目的とする、ＮＣＩにより始められ、資金援助されるプロジェクトである。それは、ＳＡＧＥ分析を用いるそれらの癌関連プロジェクトのデータベースを作成して、ヒト身体における癌の発症および進行に対する知見を得る。本発明において報告されたＳＡＧＥ発現プロファイルは、ｈｔｔｐ：／／ｗｗｗ．ｎｃｂｉ．ｎｌｍ．ｎｉｈ．ｇｏｖ／ＵｎｉＧｅｎｅ／におけるＵｎｉｇｅｎｅデータベースを問い合わせることにより、所定のＭＴＣ遺伝子と関連するＵｎｉｇｅｎｅ登録ＩＤを最初に同定することによって作成された。このページは、次に、ＳＡＧＥ：Ｇｅｎｅ  ｔｏ  Ｔａｇ  ｍａｐｐｉｎｇ（ｈｔｔｐ：／／ｗｗｗ．ｎｃｂｉ．ｎｌｍ．ｎｉｈ．ｇｏｖ／ＳＡＧＥ／ＳＡＧＥｃｉｄ．ｃｇｉ？ｃｉｄ＝”ｕｎｉｇｅｎｅＩＤ”）にリンクを有する。
これは、この出願に含まれる、相対発現と共に所定のサンプルにおいて所定の遺伝子について見い出されるタグの数を列挙する報告を作成した。次に、この情報は、その遺伝子が、腫瘍形成および／または腫瘍進行においてより一般的な働きを有するか否かを理解するために用いられる。ＣＧＡＰによって作成され、分析において用いられるＳＡＧＥライブラリーのリストは、ｈｔｔｐ：／／ｗｗｗ．ｎｃｂｉ．ｎｌｍ．ｎｉｈ．ｇｏｖ／ＳＡＧＥ／ｓａｇｅｌｂ．ｃｇｉに見い出され得る。
【０６１８】
【表５７】
2004527222.tif 000241
（他の実施形態）
特定の実施形態が本明細書中で詳細に開示されているが、これは例示の目的のみのための例として行われており、そして添付される特許請求の範囲の範囲に関して限定するようには意図されない。詳細には、種々の置換、変更、および改変が、特許請求の範囲によって定義される本発明の精神および範囲を逸脱することなく本発明に対して行われ得ることが、本発明者らによって企図される。核酸の出発物質、目的のクローン、ライブラリーの型の選択は、本明細書中に記載されている実施形態の知見を考慮すると、当業者にとって慣用的な事項であると考えられる。他の局面、利点、および改変は、以下の特許請求の範囲内にあると考えられる。
【国際公開パンフレット】
2004527222.tif 000242
2004527222.tif 000243
2004527222.tif 000244
2004527222.tif 000245
2004527222.tif 000246
2004527222.tif 000247
2004527222.tif 000248
2004527222.tif 000249
2004527222.tif 000250
2004527222.tif 000251
2004527222.tif 000252
2004527222.tif 000253
2004527222.tif 000254
2004527222.tif 000255
2004527222.tif 000256
2004527222.tif 000257
2004527222.tif 000258
2004527222.tif 000259
2004527222.tif 000260
2004527222.tif 000261
2004527222.tif 000262
2004527222.tif 000263
2004527222.tif 000264
2004527222.tif 000265
2004527222.tif 000266
2004527222.tif 000267
2004527222.tif 000268
2004527222.tif 000269
2004527222.tif 000270
2004527222.tif 000271
2004527222.tif 000272
2004527222.tif 000273
2004527222.tif 000274
2004527222.tif 000275
2004527222.tif 000276
2004527222.tif 000277
2004527222.tif 000278
2004527222.tif 000279
2004527222.tif 000280
2004527222.tif 000281
2004527222.tif 000282
2004527222.tif 000283
2004527222.tif 000284
2004527222.tif 000285
2004527222.tif 000286
2004527222.tif 000287
2004527222.tif 000288
2004527222.tif 000289
2004527222.tif 000290
2004527222.tif 000291
2004527222.tif 000292
2004527222.tif 000293
2004527222.tif 000294
2004527222.tif 000295
2004527222.tif 000296
2004527222.tif 000297
2004527222.tif 000298
2004527222.tif 000299
2004527222.tif 000300
2004527222.tif 000301
2004527222.tif 000302
2004527222.tif 000303
2004527222.tif 000304
2004527222.tif 000305
2004527222.tif 000306
2004527222.tif 000307
2004527222.tif 000308
2004527222.tif 000309
2004527222.tif 000310
2004527222.tif 000311
2004527222.tif 000312
2004527222.tif 000313
2004527222.tif 000314
2004527222.tif 000315
2004527222.tif 000316
2004527222.tif 000317
2004527222.tif 000318
2004527222.tif 000319
2004527222.tif 000320
2004527222.tif 000321
2004527222.tif 000322
2004527222.tif 000323
2004527222.tif 000324
2004527222.tif 000325
2004527222.tif 000326
2004527222.tif 000327
2004527222.tif 000328
2004527222.tif 000329
2004527222.tif 000330
2004527222.tif 000331
2004527222.tif 000332
2004527222.tif 000333
2004527222.tif 000334
2004527222.tif 000335
2004527222.tif 000336
2004527222.tif 000337
2004527222.tif 000338
2004527222.tif 000339
2004527222.tif 000340
2004527222.tif 000341
2004527222.tif 000342
2004527222.tif 000343
2004527222.tif 000344
2004527222.tif 000345
2004527222.tif 000346
2004527222.tif 000347
2004527222.tif 000348
2004527222.tif 000349
2004527222.tif 000350
2004527222.tif 000351
2004527222.tif 000352
2004527222.tif 000353
2004527222.tif 000354
2004527222.tif 000355
2004527222.tif 000356
2004527222.tif 000357
2004527222.tif 000358
2004527222.tif 000359
2004527222.tif 000360
2004527222.tif 000361
2004527222.tif 000362
2004527222.tif 000363
2004527222.tif 000364
2004527222.tif 000365
2004527222.tif 000366
2004527222.tif 000367
2004527222.tif 000368
2004527222.tif 000369
2004527222.tif 000370
2004527222.tif 000371
2004527222.tif 000372
2004527222.tif 000373
2004527222.tif 000374
2004527222.tif 000375
2004527222.tif 000376
2004527222.tif 000377
2004527222.tif 000378
2004527222.tif 000379
2004527222.tif 000380
2004527222.tif 000381
2004527222.tif 000382
2004527222.tif 000383
2004527222.tif 000384
2004527222.tif 000385
2004527222.tif 000386
2004527222.tif 000387
2004527222.tif 000388
2004527222.tif 000389
2004527222.tif 000390
2004527222.tif 000391
2004527222.tif 000392
2004527222.tif 000393
2004527222.tif 000394
2004527222.tif 000395
2004527222.tif 000396
2004527222.tif 000397
2004527222.tif 000398
2004527222.tif 000399
2004527222.tif 000400
2004527222.tif 000401
2004527222.tif 000402
2004527222.tif 000403
2004527222.tif 000404
2004527222.tif 000405
2004527222.tif 000406
2004527222.tif 000407
2004527222.tif 000408
2004527222.tif 000409
2004527222.tif 000410
2004527222.tif 000411
2004527222.tif 000412
2004527222.tif 000413
2004527222.tif 000414
2004527222.tif 000415
2004527222.tif 000416
2004527222.tif 000417
2004527222.tif 000418
2004527222.tif 000419
2004527222.tif 000420
2004527222.tif 000421
2004527222.tif 000422
2004527222.tif 000423
2004527222.tif 000424
2004527222.tif 000425
2004527222.tif 000426
2004527222.tif 000427
2004527222.tif 000428
2004527222.tif 000429
2004527222.tif 000430
2004527222.tif 000431
2004527222.tif 000432
2004527222.tif 000433
2004527222.tif 000434
2004527222.tif 000435
2004527222.tif 000436
2004527222.tif 000437
2004527222.tif 000438
2004527222.tif 000439
2004527222.tif 000440
2004527222.tif 000441
2004527222.tif 000442
2004527222.tif 000443
2004527222.tif 000444
2004527222.tif 000445
2004527222.tif 000446
2004527222.tif 000447
2004527222.tif 000448
2004527222.tif 000449
2004527222.tif 000450
2004527222.tif 000451
2004527222.tif 000452
2004527222.tif 000453
2004527222.tif 000454
2004527222.tif 000455
2004527222.tif 000456
2004527222.tif 000457
2004527222.tif 000458
2004527222.tif 000459
2004527222.tif 000460
2004527222.tif 000461
2004527222.tif 000462
2004527222.tif 000463
2004527222.tif 000464
2004527222.tif 000465
2004527222.tif 000466
2004527222.tif 000467
2004527222.tif 000468
2004527222.tif 000469
2004527222.tif 000470
2004527222.tif 000471
2004527222.tif 000472
2004527222.tif 000473
2004527222.tif 000474
2004527222.tif 000475
2004527222.tif 000476
2004527222.tif 000477
2004527222.tif 000478
2004527222.tif 000479
2004527222.tif 000480
2004527222.tif 000481
2004527222.tif 000482
2004527222.tif 000483
2004527222.tif 000484
2004527222.tif 000485
2004527222.tif 000486
2004527222.tif 000487
2004527222.tif 000488
2004527222.tif 000489
2004527222.tif 000490
2004527222.tif 000491
2004527222.tif 000492
2004527222.tif 000493
2004527222.tif 000494
2004527222.tif 000495
2004527222.tif 000496
2004527222.tif 000497
2004527222.tif 000498
2004527222.tif 000499
2004527222.tif 000500
2004527222.tif 000501
2004527222.tif 000502
2004527222.tif 000503
2004527222.tif 000504
2004527222.tif 000505
2004527222.tif 000506
2004527222.tif 000507
2004527222.tif 000508
2004527222.tif 000509
2004527222.tif 000510
2004527222.tif 000511
2004527222.tif 000512
2004527222.tif 000513
2004527222.tif 000514
2004527222.tif 000515
2004527222.tif 000516
2004527222.tif 000517
2004527222.tif 000518
2004527222.tif 000519
2004527222.tif 000520
2004527222.tif 000521
2004527222.tif 000522
2004527222.tif 000523
2004527222.tif 000524
2004527222.tif 000525
2004527222.tif 000526
2004527222.tif 000527
2004527222.tif 000528
2004527222.tif 000529
2004527222.tif 000530
2004527222.tif 000531
2004527222.tif 000532
2004527222.tif 000533
2004527222.tif 000534
2004527222.tif 000535
2004527222.tif 000536
2004527222.tif 000537
2004527222.tif 000538
2004527222.tif 000539
2004527222.tif 000540
2004527222.tif 000541
2004527222.tif 000542
2004527222.tif 000543
2004527222.tif 000544
2004527222.tif 000545
2004527222.tif 000546
2004527222.tif 000547
2004527222.tif 000548
2004527222.tif 000549
【国際公開パンフレット（コレクトバージョン）】
2004527222.tif 000550
2004527222.tif 000551
【国際公開パンフレット（コレクトバージョン）】
2004527222.tif 000552
2004527222.tif 000553
【国際調査報告】
2004527222.tif 000554
2004527222.tif 000555
2004527222.tif 000556
2004527222.tif 000557
2004527222.tif 000558
2004527222.tif 000559
2004527222.tif 000560